(57)【要約】  本発明はＴｒｉｔｉｃｕｍ  ａｅｓｔｉｖｕｍ種のコムギ穀粒を提供するものであり、穀粒は、ｉ）穀粒がそのＳＳＩＩａ−Ａ遺伝子における突然変異についてホモ接合体であり、そのＳＳＩＩａ−Ｂ遺伝子における突然変異についてホモ接合体であり、そのＳＳＩＩａ−Ｄ遺伝子における突然変異についてホモ接合体であるような、そのＳＳＩＩａ遺伝子の各々における突然変異を含み、上記ＳＳＩＩａ遺伝子における突然変異のうちの少なくとも２つがヌル突然変異であり、ｉｉ）アミロース含有量とアミロペクチン含有量とを含む総澱粉含有量、ｉｉｉ）重量基準で野生型コムギ穀粒に比べて増加しており好ましくは穀粒重量の３〜１２％である、フルクタン含有量、ｉｖ）β−グルカン含有量、ｖ）アラビノキシラン含有量、ｖｉ）セルロース含有量を含む。穀粒は２５〜６０ｍｇの重量を有し、ヨウ素結合アッセイによって決定したときのアミロース含有量が重量基準で穀粒の総澱粉含有量の４５〜７０％である。重量基準でのアミロペクチン含有量は野生型コムギ穀粒に比べて減少しており、β−グルカン含有量、アラビノキシラン含有量及びセルロース含有量の各々は重量基準で野生型コムギ穀粒に比べて増加しておりその結果としてフルクタン含有量とβ−グルカン含有量とアラビノキシラン含有量とセルロース含有量との総和が穀粒重量の１５〜３０％である。【特許請求の範囲】
【請求項１】
Ｔｒｉｔｉｃｕｍ  ａｅｓｔｉｖｕｍ種のコムギ穀粒であって、前記穀粒が、
ｉ）前記穀粒がそのＳＳＩＩａ−Ａ遺伝子における突然変異についてホモ接合体であり、そのＳＳＩＩａ−Ｂ遺伝子における突然変異についてホモ接合体であり、そのＳＳＩＩａ−Ｄ遺伝子における突然変異についてホモ接合体であるような、そのＳＳＩＩａ遺伝子の各々における突然変異
を含み、前記ＳＳＩＩａ遺伝子における前記突然変異のうちの少なくとも２つがヌル突然変異であり、
ｉｉ）アミロース含有量とアミロペクチン含有量とを含む総澱粉含有量、
ｉｉｉ）重量基準で野生型コムギ穀粒に比べて増加しており好ましくは前記穀粒重量の３〜１２％である、フルクタン含有量、
ｉｖ）β−グルカン含有量、
ｖ）アラビノキシラン含有量、
ｖｉ）セルロース含有量
を含み、前記穀粒が２５〜６０ｍｇの穀粒重量を有し、ヨウ素結合アッセイによって決定したときの前記アミロース含有量が重量基準で前記穀粒の総澱粉含有量の４５〜７０％であり、重量基準での前記アミロペクチン含有量が前記野生型コムギ穀粒に比べて減少しており、前記β−グルカン含有量、前記アラビノキシラン含有量及び前記セルロース含有量の各々が重量基準で前記野生型コムギ穀粒に比べて増加しておりその結果として前記フルクタン含有量と前記β−グルカン含有量と前記アラビノキシラン含有量と前記セルロース含有量との総和が前記穀粒重量の１５〜３０％である、前記穀粒。
【請求項２】
ｉ）澱粉含有量が前記穀粒重量の３０〜７０％であるという特徴、
ｉｉ）ヨウ素結合アッセイによって決定したときの前記アミロース含有量が前記穀粒の前記総澱粉含有量の４５〜６５％であるという特徴、
ｉｉｉ）澱粉試料の枝切り後に蛍光活性化キャピラリー電気泳動（ＦＡＣＥ）によって決定したときの前記澱粉含有量の鎖長分布において、野生型コムギ澱粉に比べてＤＰ７〜１０の鎖長の割合が上昇しておりＤＰ１１〜２４の鎖長の割合が低下している、という特徴、
ｉｖ）前記フルクタン含有量の少なくとも５０％がＤＰ３〜１２であるように前記フルクタン含有量がＤＰ３〜１２のフルクタンを含むという特徴、
ｖ）前記フルクタン含有量が重量基準で前記野生型コムギ穀粒に比べて２〜１０倍増加しているという特徴、
ｖｉ）前記β−グルカン含有量が、絶対基準で１％もしくは２％増加している、及び／または重量基準で前記野生型コムギ穀粒に比べて２〜７倍増加している、という特徴、
ｖｉｉ）前記β−グルカン含有量が前記穀粒重量の１〜４％であるという特徴、
ｖｉｉｉ）前記アラビノキシラン含有量が絶対基準で１〜５％増加しているという特徴、
ｉｘ）前記セルロース含有量が絶対基準で１〜５％増加しているという特徴、
ｘ）前記穀粒の発芽率が前記野生型コムギ穀粒に対して約７０％〜約１００％であるという特徴、
ｘｉ）前記穀粒が、播種された場合に雄性稔性及び雌性稔性のコムギ植物を生じさせる、という特徴
のうちの１つ以上または全てによってさらに特徴付けられる、請求項１に記載のコムギ穀粒。
【請求項３】
前記野生型コムギ穀粒におけるＳＳＩＩａタンパク質のレベルもしくは活性の５％未満である、または、ＳＳＩＩａ−Ａタンパク質、ＳＳＩＩａ−Ｂタンパク質及びＳＳＩＩａ−Ｄタンパク質のうちの１つ以上もしくは全てを欠く、ＳＳＩＩａタンパク質のレベル及び／または活性
を前記穀粒が含む、請求項１または請求項２に記載の穀粒。
【請求項４】
前記穀粒が、そのＳＳＩＩａ−Ａ遺伝子におけるヌル突然変異についてホモ接合体であり、そのＳＳＩＩａ−Ｂ遺伝子におけるヌル突然変異についてホモ接合体であり、そのＳＳＩＩａ−Ｄ遺伝子におけるヌル突然変異についてホモ接合体である、請求項１〜３のいずれか１項に記載の穀粒。
【請求項５】
各ヌル突然変異が、独立して、欠失突然変異、挿入突然変異、未成熟翻訳終止コドン、スプライス部位突然変異、及び非保存的アミノ酸置換突然変異からなる群から選択されるものであり、好ましくは、前記穀粒が２つまたは３つのＳＳＩＩａ遺伝子の各々における欠失突然変異を含む、請求項１〜４のいずれか１項に記載の穀粒。
【請求項６】
澱粉合成ポリペプチドをコードする内在性遺伝子における機能喪失突然変異、または前記澱粉合成ポリペプチドをコードする前記内在性遺伝子の発現を低減するＲＮＡをコードするキメラポリヌクレオチドをさらに含み、前記澱粉合成ポリペプチドが、ＳＳＩ、ＳＳＩＩＩａ及びＳＳＩＶからなる群から選択されるものであり、前記突然変異が、欠失突然変異、挿入突然変異、未成熟翻訳終止コドン、スプライス部位突然変異、及び非保存的アミノ酸置換突然変異からなる群から選択されるものである、請求項１〜５のいずれか１項に記載の穀粒。
【請求項７】
請求項１〜６のいずれか１項に記載の穀粒であって、そのＳＳＩＩＩａ−Ａ遺伝子におけるヌル突然変異についてホモ接合体であり、そのＳＳＩＩＩａ−Ｂ遺伝子におけるヌル突然変異についてホモ接合体であり、そのＳＳＩＩＩａ−Ｄ遺伝子におけるヌル突然変異についてホモ接合体である、前記穀粒。
【請求項８】
前記突然変異のうちの少なくとも１つ、２つ以上または全てが、ｉ）導入された突然変異であるか、ｉｉ）化学薬剤、生物学的薬剤もしくは照射などの突然変異誘発剤による突然変異誘発によって親コムギ植物もしくは種子において誘導されたものであるか、またはｉｉｉ）前記植物ゲノムを改変するために導入されたものである、請求項１〜７のいずれか１項に記載の穀粒。
【請求項９】
重量基準で前記穀粒の総澱粉含有量の約６０％のアミロース含有量を有する、請求項１〜８のいずれか１項に記載の穀粒。
【請求項１０】
非遺伝子導入型である、または、ＳＳＩＩａ遺伝子及び／またはＳＢＥＩＩａ遺伝子の発現を低減するＲＮＡをコードするいかなる外因性核酸も含んでいない、請求項１〜９のいずれか１項に記載の穀粒。
【請求項１１】
前記ＳＳＩＩａレベル及び／または活性が、発達中の胚乳における前記ＳＳＩＩａレベル及び／または活性を検査することによって、または収穫された穀粒の中のＳＳＩＩａタンパク質の量を免疫学的手段などで検査することによって決定される、請求項３〜１０のいずれか１項に記載の穀粒。
【請求項１２】
前記穀粒の澱粉顆粒及び／または前記穀粒の澱粉が、
（ｉ）少なくとも２％の耐性澱粉を含むこと；
（ｉｉ）前記澱粉が、低下したグリセミック指数（ＧＩ）によって特徴付けられること；
（ｉｉｉ）前記澱粉顆粒が、歪んだ形状を有すること；
（ｉｖ）偏光下で観察したときの前記澱粉顆粒の複屈折が低下していること；
（ｖ）前記澱粉が、減少した膨潤容積によって特徴付けられること；
（ｖｉ）前記澱粉における鎖長分布及び／または分岐頻度が変化していること；
（ｖｉｉ）前記澱粉が、低下した糊化ピーク温度によって特徴付けられること；
（ｖｉｉｉ）前記澱粉が、低下したピーク粘度によって特徴付けられること；
（ｉｘ）澱粉ペースト化温度が低下していること；
（ｘ）サイズ排除クロマトグラフィーによって決定したときのアミロースのピーク分子量が低下していること；
（ｘｉ）澱粉結晶性が低下していること；ならびに
（ｘｉｉ）Ａ型及び／またはＢ型澱粉の割合が低下している、及び／またはＶ型結晶性澱粉の割合が上昇していること
からなる群から選択される特性のうちの１つ以上によって特徴付けられ、各特性が、野生型コムギ澱粉顆粒または野生型コムギ澱粉と比べたときのものである、請求項１〜１１のいずれか１項に記載の穀粒。
【請求項１３】
成熟し収穫された穀粒である、請求項１〜１２のいずれか１項に記載の穀粒。
【請求項１４】
加熱処理済み穀粒または、粗挽き、挽き割り、半茹で、押潰し、精白、粉砕もしくは粉挽きされた穀粒のような、もはや発芽できないように加工されている、請求項１〜１２のいずれか１項に記載の穀粒。
【請求項１５】
コムギ植物に含まれている、請求項１〜１２のいずれか１項に記載の穀粒。
【請求項１６】
請求項１〜１３のいずれか１項に記載の穀粒を実らせるかまたは前記穀粒から得られる、コムギ植物。
【請求項１７】
請求項１６に記載のコムギ植物であって、その胚乳におけるＳＳＩＩａタンパク質のレベル及び／または活性が、
前記野生型コムギ穀粒におけるＳＳＩＩａタンパク質のレベルもしくは活性の５％未満であるかまたはＳＳＩＩａ−Ａタンパク質、ＳＳＩＩａ−Ｂタンパク質及びＳＳＩＩａ−Ｄタンパク質のうちの１つ以上もしくは全てを欠いていること
によって特徴付けられる、前記コムギ植物。
【請求項１８】
雄性稔性及び雌性稔性である、請求項１６または請求項１７に記載のコムギ植物。
【請求項１９】
請求項１〜１４のいずれか１項に記載の穀粒から生産される小麦粉、好ましくは全粒粉、または、請求項１〜１４のいずれか１項に記載の穀粒から生産されるコムギふすま。
【請求項２０】
請求項１〜１４のいずれか１項に記載の穀粒から生産されるコムギ澱粉顆粒またはコムギ澱粉。
【請求項２１】
前記澱粉顆粒または澱粉の総澱粉含有量に対する割合で表してそれぞれ重量基準で４５％、好ましくは約５０％、約５５％もしくは約６０％のアミロースまたは４５〜７０％のアミロースを含み、前記澱粉顆粒が好ましくはコムギＧＢＳＳＩポリペプチドを含み、前記澱粉顆粒及び／または澱粉が、
ａ．免疫学的手段によって決定したときに、検出可能なＳＳＩＩａポリペプチドを有さないこと；
ｂ．重量基準で少なくとも２％の耐性澱粉を含むこと；
ｃ．前記澱粉が、低下したグリセミック指数（ＧＩ）によって特徴付けられること；
ｄ．前記澱粉顆粒が、歪んだ形状を有すること；
ｅ．偏光下で観察したときの前記澱粉顆粒の複屈折が低下していること；
ｆ．前記澱粉が、減少した膨潤容積によって特徴付けられること；
ｇ．前記澱粉における鎖長分布及び／または分岐頻度が変化していること；
ｈ．前記澱粉が、低下した糊化ピーク温度によって特徴付けられること；
ｉ．前記澱粉が、低下したピーク粘度によって特徴付けられること；
ｊ．澱粉ペースト化温度が低下していること；
ｋ．サイズ排除クロマトグラフィーによって決定したときのアミロースのピーク分子量が低下していること；
ｌ．澱粉結晶性が低下していること；ならびに
ｍ．Ａ型及び／またはＢ型澱粉の割合が低下している、及び／またはＶ型結晶性澱粉の割合が上昇していること
のうちの１つ以上によって特徴付けられ、各特性が、野生型コムギ澱粉顆粒または澱粉と比べたときのものである、請求項２０に記載のコムギ澱粉顆粒またはコムギ澱粉。
【請求項２２】
請求項１〜１４のいずれか１項に記載の穀粒、
請求項１９に記載の小麦粉、好ましくは全粒粉、もしくはコムギふすま、または
請求項２０もしくは請求項２１に記載のコムギ澱粉顆粒もしくはコムギ澱粉
を、好ましくは乾燥重量基準で少なくとも１０％のレベルで含む、食品原料。
【請求項２３】
前記食品原料が、粗挽き、挽き割り、半茹で、押潰し、精白、粉砕もしくは粉挽きされた穀粒、またはこれらの任意の組み合わせである、請求項２２に記載の食品原料。
【請求項２４】
食品原料を乾燥重量基準で少なくとも１０％のレベルで含む食品製品であって、前記食品原料が、
請求項１〜１４のいずれか１項に記載のコムギ穀粒、
請求項１９に記載の小麦粉、好ましくは全粒粉、もしくはコムギふすま、または
請求項２０もしくは請求項２１に記載のコムギ澱粉顆粒もしくはコムギ澱粉
である、前記食品製品。
【請求項２５】
請求項１〜１４のいずれか１項に記載のコムギ穀粒、
請求項１９に記載の小麦粉、好ましくは全粒粉、もしくはコムギふすま、または
請求項２０もしくは請求項２１に記載のコムギ澱粉顆粒もしくはコムギ澱粉
を重量表示で少なくとも１０％のレベルで含み、かつ
アミロースのレベルが４５％（ｗ／ｗ）未満であるコムギ穀粒またはそれから得られる小麦粉、全粒粉、澱粉顆粒もしくは澱粉
を含む、組成物。
【請求項２６】
請求項１〜１２のいずれか１項に記載のコムギ穀粒を生産するプロセスであって、
請求項１６〜１８のいずれか１項に記載のコムギ植物からコムギ穀粒を収穫すること、及び
場合によって、前記穀粒を加工して請求項２２または請求項２３に記載の食品原料を生産すること
を含む、前記プロセス。
【請求項２７】
請求項１〜１３のいずれか１項に記載の穀粒を実らせるコムギ植物を生み出すプロセスであって、
ステップ（ｉ）ＳＳＩＩａ−Ａ、ＳＳＩＩａ−Ｂ及びＳＳＩＩａ−Ｄからなる群から選択される１つ、２つまたは３つのＳＳＩＩａ遺伝子の各々におけるヌル突然変異を各々が含んでいる２つの親コムギ植物を交配する、または前記ヌル突然変異を含んでいる親植物に突然変異を起こさせることと；
ステップ（ｉｉ）前記交配もしくは突然変異誘発から得られた植物もしくは穀粒またはそれから得られた子孫の植物もしくは穀粒に対して、前記植物または穀粒から得られるＤＮＡ、ＲＮＡ、タンパク質、澱粉顆粒または澱粉を分析することによるスクリーニングを行うことと；
ステップ（ｉｉｉ）ステップ（ｉ）の前記親コムギ植物のうちの少なくとも１つに比べてＳＳＩＩａ活性が低下している稔性コムギ植物を選抜することと
を含む、前記プロセス。
【請求項２８】
コムギ穀粒またはコムギ植物に対してスクリーニングを行うプロセスであって、（ｉ）ＳＳＩＩａの量または活性を、野生型コムギ穀粒または野生型コムギ植物における前記量または活性に関して決定すること、及び請求項１〜１３のいずれか１項に記載の穀粒または穀粒を実らせる植物を選抜することを方法に含む、前記プロセス。
【請求項２９】
食品を生産するプロセスであって、
（ｉ）請求項２２または請求項２３に記載の食品原料を別の食品原料に添加するステップ、及び
（ｉｉ）前記食品原料を混合してそれによって前記食品を生産するステップ
を含む、前記プロセス。
【請求項３０】
ステップ（ｉ）に先立って、請求項１〜１４のいずれか１項に記載の穀粒を加工して前記食品原料を生産するステップ、または
ステップ（ｉｉ）からの混合食品原料を少なくとも１００℃の温度で少なくとも１０分間加熱するステップ
をさらに含む、請求項２９に記載のプロセス。
【請求項３１】
代謝健康、腸健康もしくは心血管健康のうちの１つ以上のパラメータの改善を、それを必要とする対象においてもたらす、または糖尿病、腸疾患もしくは心血管疾患などの代謝疾患の重症度もしくは発生率を防止もしくは低減する、プロセスであって、
請求項１〜１４のいずれか１項に記載の穀粒、
請求項２４に記載の食品製品、または
請求項２９もしくは請求項３０に記載のプロセスによって生産される食品製品もしくは飲料製品
を前記対象に提供することを方法に含む、前記プロセス。
【請求項３２】
対象において、代謝健康、腸健康もしくは心血管健康のうちの１つ以上のパラメータを改善すること、または代謝、腸もしくは心血管疾患の重症度もしくは発生率を防止もしくは低減することに使用するための、請求項２４に記載の食品製品。
【請求項３３】
澱粉を生産するプロセスであって、
ｉ）請求項１〜１４のいずれか１項に記載のコムギ穀粒を得るステップ、及び
ｉｉ）前記穀粒から澱粉を抽出してそれによって前記澱粉を生産するステップ
を含む、前記プロセス。
【請求項３４】
大型箱入りコムギ穀粒を生産するプロセスであって、
ａ）請求項１〜１２のいずれか１項に記載のコムギ穀粒を含んでいるコムギ主茎を刈り取ること；
ｂ）前記主茎の脱穀及び／または籾殻取りを行って前記穀粒を前記籾殻から分離すること；ならびに
ｃ）ステップｂ）で分離された前記穀粒を篩分け及び／または選別し、前記篩分け及び／または選別された穀粒を大型箱に投入し、それによって大型箱入りコムギ穀粒を生産すること
を含む、前記プロセス。
【発明の詳細な説明】
【技術分野】
【０００１】
関連出願
本願は、２０１６年７月５日に出願されたオーストラリア仮特許出願第２０１６９０２６４３号に基づく優先権を主張するものであり、参照によりその全開示を本明細書に援用する。
【０００２】
分野
本明細書は、高アミロース澱粉を有する六倍体コムギ植物を得る方法、ならびに様々な食品及び非食品製品におけるそのような植物、特にそれから得られる穀粒または澱粉の用途について記載する。
【背景技術】
【０００３】
本明細書におけるいかなる従来技術への言及も、いかなる国においてもこの従来技術が一般常識の一部を形成する、ということの認容または何らかの形態の示唆であるとはみなされず、そうみなされるべきでない。本願の全体を通して、括弧内に言及されているものを含めて様々な刊行物に対して言及がなされている。括弧内に言及されている刊行物の完全な引用は特許請求の範囲の直前の明細書の最後にアルファベット順で列挙されているのが認められ得る。言及されている全ての刊行物の開示は、これをもって参照によりそれらの全体が、本発明の属する技術分野の現状をより十分に説明するために本願に援用される。
【０００４】
コムギ穀粒から生産される食品は、世界人口の食物キロジュールの少なくとも２０％を供給し、ヒトの食事にタンパク質及び非澱粉性多糖類ならびにエネルギーの摂取量の大部分を提供している。澱粉はコムギ穀粒の主成分であり、広範な食品製品及び非食品製品に使用されている。澱粉の特質は様々であり、それらは特定の最終用途へのコムギ澱粉の適合性を決定付ける上で肝要な役割を果たす。この膨大な世界的消費にもかかわらず、また最終製品品質における澱粉機能性の重要さについての認識が高まっているにもかかわらず、コムギの遺伝的多様性及びそれが澱粉の特質に対して与える正確な影響についての研究は、他の商業的に重要な植物作物の研究に後れを取っている。
【０００５】
炭水化物は成熟コムギ穀粒の約６５〜７５％を占める（Ｓｔｏｎｅ  ａｎｄ  Ｍｏｒｅｌｌ，２００９）。コムギ穀粒中の主な炭水化物は澱粉であり、それはアミロースとアミロペクチンとの２つのグルコースポリマーから構成されている。アミロースは、分岐を僅かに有するが本質的にはα−１，４結合したグルコース単位の直鎖状のポリマーであり、他方、アミロペクチンは比較的高度に分岐しており、α−１，４結合したグルコース単位の直鎖同士がα−１，６グルコシド単位の結合によって繋げられている。アミロペクチンに対するアミロースの比率は、（ｉ）コムギ穀粒及びコムギ澱粉の健康上の利益ならびに（ｉｉ）コムギ澱粉を含む製品の最終品質の主要な決定因子であると思われる。
【０００６】
健康のために次に重要なコムギ穀粒の決定因子は、食物繊維の一部を形成するものである穀粒中の非澱粉多糖類の量である。野生型コムギ穀粒は、重量表示で約１％のオリゴ糖、例えばラフィノース、約１％のフルクタン、ならびに約１０％の細胞壁多糖類、主にはセルロース、アラビノキシラン及びβ−グルカンを有する（Ｓｔｏｎｅ  ａｎｄ  Ｍｏｒｅｌｌ，２００９）。これらは、小腸では消化吸収されないが結腸まで送られてそこで細菌分解を受ける食物繊維の主成分を形成する。食物繊維は、血中のグルコース及びインスリンレベルならびに腸健康を調節する上で重要である。
【０００７】
アミロースの相対量が増加した澱粉を有する禾穀類穀粒は、その健康上の利益ゆえに特に興味深い。増加したアミロースを含む食品は、食物繊維の一形態である耐性澱粉（ＲＳ）のレベルが高くなっていることが見出された。ＲＳは、小腸で消化吸収されない、澱粉または部分消化された澱粉の製品である。耐性澱粉は、腸管健康の促進ならびに大腸癌、ＩＩ型糖尿病、肥満、心疾患及び骨粗鬆症などの疾患の防御において重要な役割を有するとみなされることが多くなってきた。高アミロース澱粉は、腸健康を増進する手段としてトウモロコシ及びオオムギなどの特定禾穀類において食品用に開発された。耐性澱粉の有益な効果は、大腸への栄養素の供給によるものであり、そこで、発酵して短鎖脂肪酸を形成するエネルギー源が腸管内微生物叢に与えられる。これらの短鎖脂肪酸は、結腸細胞に栄養素を供給し、大腸による特定栄養素の取込みを強化し、結腸の生理活動を増進する。一般に、耐性澱粉または他の食物繊維が結腸に供給されない場合、結腸の代謝は比較的不活発になる。したがって、高アミロース製品は、繊維質の摂取量の増加をもたらす潜在能を有する。高アミロースコムギ穀粒またはその製品、例えば澱粉を摂取することのさらなる潜在的な健康上の利益としては、例えば、糖、インスリン及び脂質の血中レベルの調節の強化が挙げられる。さらにそのような食品は、飽満状態を増進し得、便通の改善、プロビオティック細菌の成長の増進、及び糞便中への胆汁酸排泄の強化をもたらし得る。
【０００８】
大抵の加工済み澱粉質食品はＲＳをほとんど含有しない。野生型コムギの小麦粉と従来の配合組成及び焼成プロセスとを用いて作られたパンは、１％未満のＲＳを含有する。これに比べて、同じプロセス及び貯蔵条件を用いて焼成されたが穀粒における澱粉枝作り酵素活性の低下による高アミロースコムギの小麦粉を含有するパンは、ＲＳのレベルが１０倍も高かった（ＷＯ２００６／０６９４２２）。豆類は、ヒトの食事においてＲＳに富む数少ない供給源の１つであるが、普通は５％未満のレベルのＲＳを含有する。したがって、成人が通常摂取する量（例えば２００ｇ／日）で高アミロースコムギのパンを摂取すると少なくとも５〜１２ｇのＲＳが容易に補給されるであろう。このように、高アミロースコムギ穀粒を食品製品に組み込むことは、ヒトの食物ＲＳ摂取に大幅に寄与する潜在能を有している。
【０００９】
澱粉は、最初に、植物において葉などの光合成組織の葉緑体中で一時的澱粉の形態で合成される。これは次の暗期の間に動員されて、シンク器官への移出及びエネルギー代謝のためまたは種子もしくは塊茎などの器官における貯蔵のための炭素を供給する。澱粉の合成及び長期貯蔵は、禾穀類の胚乳などの貯蔵器官のアミロプラスト内で起こり、そこでは澱粉が直径１００μｍ以下の半結晶性顆粒として蓄積される。顆粒はアミロース及びアミロペクチンを両方とも含有し、前者が天然澱粉顆粒において典型的には非晶性物質である一方、後者は直鎖グルコシド鎖の積重によって半結晶性になっている。顆粒はさらに、澱粉生合成に関与するタンパク質のうちのいくつかを含有する。
【００１０】
胚乳における澱粉の合成には少なくとも４種類の酵素が関与する（図１）。第１に、ＡＤＰ−グルコースピロホスホリラーゼ（ＡＤＧＰ）はグルコース−１−リン酸及びＡＴＰからのＡＤＰ−グルコースの合成を触媒する。第２に、様々な澱粉合成酵素（ＳＳ；ＥＣ２．４．１．２１）はＡＤＰ−グルコースから非還元末端へのグルコース残基のα−１，４結合による移動を触媒してα−グルカン鎖を伸長させる。第３に、澱粉枝作り酵素（ＳＢＥ）はα−ポリグルカンに新たなα−１，６結合を形成する。最後に、澱粉枝切り酵素（ＤＢＥ）はその後、完全には解明されていない機構によって分岐結合のうちのいくつかを除去する。
【００１１】
高等植物における正常な澱粉顆粒合成に少なくともこれら４つの活性が必要とされることは明らかであるが、各酵素の多数のアイソフォームが高等植物の胚乳中にみられる。突然変異解析に基づいて、または遺伝子導入手法を用いた遺伝子発現レベルの改変によって、いくつかのアイソザイムに特有の役割が提唱されている（Ａｂｅｌ  ｅｔ  ａｌ．，１９９６、Ｊｏｂｌｉｎｇ  ｅｔ  ａｌ．，１９９９、Ｓｃｈｗａｌｌ  ｅｔ  ａｌ．，２０００）。しかしながら、各アイソザイムの寄与は、種によって著しく異なり、澱粉生合成に対する各アイソフォームの正確な寄与は未だに分かっていない。このことは六倍体のパンコムギ（Ｔｒｉｔｉｃｕｍ  ａｅｓｔｉｖｕｍ）に特に当てはまり、それは、ゲノムＡ、Ｂ及びＤを定義付ける３組の相同染色体を有する。六倍数性は、コムギの有用な変異型を研究及び開発する上での大きな障害とみなされてきた。事実、コムギの同祖遺伝子がどのように相互作用するのか、それらの発現がどのように調節されるのか、及び同祖遺伝子によって産生された異なるタンパク質が別々にまたは協力してどのように作用するのかについての知見は限られている。
【００１２】
トウモロコシ、コメ及びコムギにおいて、酵素である澱粉合成酵素Ｉ（ＳＳＩ）、澱粉合成酵素ＩＩａ（ＳＳＩＩａ）及び澱粉合成酵素ＩＩＩａ（ＳＳＩＩＩａ）は、おそらく他のＳＳと一緒に、アミロペクチン合成に関与する。例えば、コメでは、２個の顆粒結合型形態（ＧＢＳＳ）を含めた１０個の異なる澱粉合成酵素が存在する。ＳＳＩＩａに欠陥のあるコムギ、オオムギ及びコメの突然変異体が単離されているものの、３つの種は、ＳＳＩＩａの喪失によって生じる表現型に対する異なる影響を示し、特に影響の程度が異なっている。ＳＧＰ−１（ＳＳＩＩａ）タンパク質を完全に欠くｓｓＩＩａ突然変異コムギ植物は、Ａ、Ｂ及びＤゲノム特有の形態のＳＧＰ−１タンパク質を欠く系統を交配することによって生み出された（Ｙａｍａｍｏｒｉ  ｅｔ  ａｌ．，２０００）。ｓｓＩＩａ三重ヌル穀粒は、変形した澱粉顆粒を呈し、澱粉は、変化したアミロペクチン構造を有していた。澱粉のアミロース含有量は３０〜３７％ｗ／ｗであり、それは野生型のレベルと比べると約８％の増加であり、澱粉含有量はかなり減少していた（Ｙａｍａｍｏｒｉ  ｅｔ  ａｌ．，２０００）。ｓｓＩＩａ三重ヌル突然変異体からの澱粉は、対応する野生型穀粒からの澱粉に比べて低下した糊化温度を呈した。ｓｓＩＩａ三重ヌル穀粒は澱粉含有量が、野生型穀粒の場合の少なくとも６０％ｗ／ｗから、５０％未満にまで減少した。ｓｓＩＩａ遺伝子突然変異体を組み合わせることによって澱粉中のアミロース含有量が４５％より多いコムギが生み出される可能性があることは、Ｙａｍａｍｏｒｉ  ｅｔ  ａｌ．，（２０００）では示唆されておらず、実際、Ｙａｍａｍｏｒｉ  ｅｔ  ａｌ．，はそれとは逆の教示をしている。このことは、コムギ品種Ｓｕｎｃｏと交配した三重ヌルｓｓＩＩａ突然変異体の澱粉において最大４３．９８％のアミロースを得たＫｏｎｉｋ−Ｒｏｓｅ  ｅｔ  ａｌ．，（２００７）によって実証された。
【００１３】
オオムギでは、ＳＳＩＩａ遺伝子において化学的に誘導されたヌル突然変異は、アミロペクチンの合成を大幅に低減し、それによって穀粒澱粉に占めるアミロースの割合を６５〜７０％ｗ／ｗにまで引き上げた（ＷＯ０２／３７９５５−Ａ１、Ｍｏｒｅｌｌ  ｅｔ  ａｌ．，２００３）。ジャポニカ米は、胚乳中のＳＳＩＩａ酵素をインディカ米に比べて少なくするＳＳＩＩａ突然変異を含むが、ジャポニカ穀粒澱粉中のアミロースのレベルはインディカ穀粒澱粉に比べて大して上昇しなかった。コメにおいてはＳＢＥＩＩｂ遺伝子とＳＳＩＩＩａ遺伝子とにおける突然変異の組み合わせがアミロースの相対量に対してより大きな影響を与えた（Ａｓａｉ  ｅｔ  ａｌ．，２０１４）。
【００１４】
コムギ、オオムギ及びコメにおいてｓｓＩＩａヌル突然変異の影響が異なるのは、これらのｓｓＩＩａ突然変異体の発達中の胚乳において澱粉顆粒の内と外とでＳＳＩＩａタンパク質の欠如が澱粉合成酵素Ｉ（ＳＳＩ）及び澱粉枝作り酵素ＩＩｂ（ＳＢＥＩＩｂ）の酵素の区分に与える多面的影響の程度が異なっているためであると考えられた（Ｌｕｏ  ｅｔ  ａｌ．，２０１５）。さらに、翻訳後のＳＳＩ及びＳＢＥＩＩｂタンパク質のレベルに対する示差的影響は、残っているアミロペクチン構造に影響を与えていた可能性がある。これは、澱粉合成の分野においてある禾穀類種における観察結果を単純に別の禾穀類種に外挿することができないということの一例であった。
【００１５】
トウモロコシ及びコメでは、ＳＳＩＩａ遺伝子ではなく、アミロースエクステンダー（ａｅ）遺伝子としても知られる澱粉枝作り酵素ＩＩｂをコードするＳＢＥＩＩｂ遺伝子における突然変異によって高アミロース表現型が作り出された（Ｂｏｙｅｒ  ａｎｄ  Ｐｒｅｉｓｓ，１９８１、Ｍｉｚｕｎｏ  ｅｔ  ａｌ．，１９９３、Ｎｉｓｈｉ  ｅｔ  ａｌ．，２００１）。これらのｓｂｅＩＩｂ突然変異体では、澱粉含有量に対する割合で表したアミロース含有量は著しく向上し、残存アミロペクチンの分岐頻度は低下し、短鎖（ＤＰ１７未満、特にＤＰ８〜１２）の割合は低下した。さらには、澱粉の糊化温度が高くなった。トウモロコシにおいてアミロースレベルのさらなる上昇をもたらすために、ＳＢＥＩＩ活性がほぼ完全に不活性化されているとともに澱粉枝作り酵素Ｉ（ＳＢＥＩ）活性が低減された品種が生み出された（Ｓｉｄｅｂｏｔｔｏｍ  ｅｔ  ａｌ．，１９９８）。
【００１６】
ＳＢＥＩＩｂまたはＳＳＩＩａ活性を低下させるのではなく単にＳＢＥＩＩａ活性を低下させるだけで、澱粉含有量に対する割合で表して少なくとも５０％のアミロースを有するコムギが作り出された（Ｒｅｇｉｎａ  ｅｔ  ａｌ．，２００６）。トウモロコシ及びコメとは対照的に、ＳＢＥＩＩｂが低減されたコムギ自体はアミロース含有量の増加をもたらさなかった。国際公開第ＷＯ２００５／００１０９８号及び国際公開第ＷＯ２００６／０６９４２２号には、胚乳におけるＳＢＥＩＩａ及びＳＢＥＩＩｂ遺伝子のうちの片方または両方の発現を低減した外因性二本鎖ＲＮＡを含む遺伝子導入六倍体コムギについての記載がある。遺伝子導入系統からの穀粒はＳＢＥＩＩａ及び／またはＳＢＥＩＩｂタンパク質を低下したレベルで発現した。胚乳中のＳＢＥＩＩａタンパク質の減少は、５０％超に上昇した相対アミロースレベルに関連があったのに対し、ＳＢＥＩＩｂタンパク質の欠如自体は、穀粒澱粉に占めるアミロースの割合を大して変化させるとは見受けられなかった。国際公開第ＷＯ２０１２／０５８７３０号及び第ＷＯ２０１３／０６３６５３号では、上昇したアミロースレベルを呈した、ＳＢＥＩＩａ及びＳＢＥＩＩｂタンパク質の発現を実質的に欠く非遺伝子導入型のｓｂｅＩＩａ及び／またはｓｂｅＩＩｂ三重ヌル突然変異体について報告されている。ｓｂｅＩＩａ三重ヌル遺伝子型の穀粒は、ｓｂｅＩＩａ遺伝子突然変異のうちの少なくとも１つが、遺伝子をまたいで隣接領域内にまで及ぶ欠失ではなく、点突然変異である、ということを条件として生存能を有していた。したがって、少なくとも５０％のアミロースを有する高アミロースコムギを生み出すことが望まれる場合、パンコムギにおいて標的とされることになる遺伝子はＳＢＥＩＩａ遺伝子である。澱粉においてＳＢＥＩＩ活性が低減されておりアミロースが（５０％超に）増加しているコムギでは、フルクタンなどの非澱粉性多糖類のレベルは上昇しなかった（例えば、ＷＯ２０１０／００６３７３）。
【先行技術文献】
【特許文献】
【００１７】
【特許文献１】国際公開第ＷＯ２００５／００１０９８号
【特許文献２】国際公開第ＷＯ２００６／０６９４２２号
【特許文献３】国際公開第ＷＯ２０１２／０５８７３０号
【特許文献４】国際公開第ＷＯ２０１３／０６３６５３号
【特許文献５】国際公開第ＷＯ２０１０／００６３７３号
【発明の概要】
【発明が解決しようとする課題】
【００１８】
当技術分野では改良された高アミロースコムギ植物及びそれを生産する方法が必要とされている。
【課題を解決するための手段】
【００１９】
本発明者らは、予想外なことに、育種及び選抜によってコムギのＡ、Ｂ及びＤゲノム上の３つのＳＳＩＩａ遺伝子における突然変異を組み合わせることによって、アミロース含有量が穀粒の総澱粉含有量に対する重量百分率で表して少なくとも４５％である六倍体コムギ穀粒を生み出すことができることを発見した。従来技術では４５％のアミロースは達成可能でないと示唆されており、実際、ｓｓＩＩａ突然変異小麦のアミロースレベルは概して３０〜３８％であった（Ｙａｍａｍｏｒｉ  ｅｔ  ａｌ．，２０００）。３つの突然変異のうちの少なくとも２つ、好ましくは３つ全ては、ヌル突然変異であった。ＳＳＩＩａにおける機能喪失突然変異は劣性であるため、表現型は、突然変異がホモ接合状態にある場合にみられた。本発明者らはさらに、突然変異ｓｓＩＩａコムギ穀粒が非澱粉性多糖類、特にβ−グルカン、フルクタン、アラビノキシラン及びセルロースを、それぞれ穀粒重量に対する百分率で表して、著しく上昇したレベルで有していることを発見した。これは、総繊維質含有量のかなりの増加ならびに関連するタンパク質含有量の増加及びその他の好ましい表現型をもたらした。
【００２０】
したがって、第１の態様において、本発明は、Ｔｒｉｔｉｃｕｍ  ａｅｓｔｉｖｕｍ種のコムギ穀粒を提供し、当該穀粒は、
ｉ）穀粒がそのＳＳＩＩａ−Ａ遺伝子における突然変異についてホモ接合体であり、そのＳＳＩＩａ−Ｂ遺伝子における突然変異についてホモ接合体であり、そのＳＳＩＩａ−Ｄ遺伝子における突然変異についてホモ接合体であるような、そのＳＳＩＩａ遺伝子の各々における突然変異
を含み、上記ＳＳＩＩａ遺伝子における突然変異のうち、少なくとも２つがヌル突然変異、好ましくは３つ全てがヌル突然変異であり、
ｉｉ）アミロース含有量とアミロペクチン含有量とを含む総澱粉含有量、
ｉｉｉ）重量基準で野生型コムギ穀粒に比べて増加しており好ましくは穀粒重量の３〜１２％である、フルクタン含有量、
ｉｖ）β−グルカン含有量、
ｖ）アラビノキシラン含有量、及び
ｖｉ）セルロース含有量
を含み、穀粒は２５〜６０ｍｇの穀粒重量を有し、ヨウ素結合アッセイによって決定したときのアミロース含有量は重量基準で穀粒の総澱粉含有量の４５〜７０％であり、重量基準でのアミロペクチン含有量は野生型コムギ穀粒に比べて減少しており、β−グルカン含有量、アラビノキシラン含有量及びセルロース含有量の各々は重量基準で野生型コムギ穀粒に比べて増加しており、その結果としてフルクタン含有量とβ−グルカン含有量とアラビノキシラン含有量とセルロース含有量との総和が穀粒重量の１５〜３０％である。
本発明はさらに、この穀粒を実らせることができるかまたはそれから得られるコムギ植物、ならびにこの穀粒から生産される小麦粉、ふすま、コムギ澱粉顆粒及びコムギ澱粉などの製品を提供する。
【００２１】
本発明はさらに、本発明の穀粒またはこの穀粒から生産される材料を含む、食品原料を提供する。また、これらの食品原料を含む食品製品、及び本発明の穀粒またはこの穀粒から生産される材料を含む組成物も提供される。食品原料は、粗挽き、挽き割り、半茹で、押潰し、精白、粉砕もしくは粉挽きされた穀粒またはこれらの任意の組み合わせであってもよい。好ましい原料は小麦粉であり、最も好ましくは全粒粉または全粒粉のブレンド及び精白小麦粉である。これらの原料は、本発明のコムギ穀粒からの材料が組み込まれていることにより、野生型コムギからの対応する原料に比べて総繊維質レベルが上昇している。
【００２２】
別の態様では、本発明は、本発明の穀粒を実らせることができるコムギ植物を生み出すプロセスを提供し、当該プロセスは、ＳＳＩＩａ−Ａ、ＳＳＩＩａ−Ｂ及びＳＳＩＩａ−Ｄからなる群から選択される１つ、２つまたは３つのＳＳＩＩａ遺伝子の各々におけるヌル突然変異を各々が含んでいる２つの親コムギ植物を交配する、または上記ヌル突然変異のうちの１つもしくは２つを含んでいることが好ましい親植物に突然変異を起こさせる、ステップ（ｉ）と；交配もしくは突然変異誘発から得られた植物もしくは穀粒またはそれから得られた子孫の植物もしくは穀粒に対して、植物または穀粒から得られるＤＮＡ、ＲＮＡ、タンパク質、澱粉顆粒または澱粉を分析することによるスクリーニングを行う、ステップ（ｉｉ）と；ステップ（ｉ）の親コムギ植物のうちの少なくとも１つに比べてＳＳＩＩａ活性が低下している稔性コムギ植物を選抜する、ステップ（ｉｉｉ）とを含む。
【００２３】
別の態様では、本発明は、代謝健康、腸健康もしくは心血管健康のうちの１つ以上のパラメータの改善を、それを必要とする対象においてもたらす、または糖尿病、腸疾患もしくは心血管疾患などの代謝疾患の重症度もしくは発生率を防止もしくは低減する、プロセスを提供し、その方法は、本発明の穀粒または食品製品を対象に提供することを含む。
【００２４】
さらなる態様において、本発明は、
ａ）本発明のコムギ穀粒を含んでいるコムギ主茎を刈り取ること；
ｂ）主茎の脱穀及び／または籾殻取りを行って穀粒を籾殻から分離すること；ならびに
ｃ）ステップｂ）で分離された穀粒を篩分け及び／または選別し、篩分け及び／または選別された穀粒を大型箱に投入し、それによって大型箱入りコムギ穀粒を生産すること
を含む、大型箱入りコムギ穀粒を生産するプロセスを提供する。
【００２５】
上記態様の各々の実施形態では、コムギ穀粒はさらに、以下の特徴のうちの１つ以上または全てによって特徴付けられる。ヨウ素結合アッセイによって決定したときのアミロース含有量は、野生型コムギ穀粒に比べて例えば穀粒の総澱粉含有量の４８〜７０％、好ましくは５０〜６５％に増加している。実施形態では、アミロース含有量は５０〜７０％、または約４８％、約５０％、約５３％、約５５％、約６０％もしくは約６５％である。穀粒の澱粉含有量は、野生型コムギ穀粒に比べて減少しており、例えば少なくとも２５％である。実施形態では、本発明の穀粒の澱粉含有量は穀粒重量の３０〜７０％、２５〜６５％、２５〜６０％、２５〜５５％、２５〜５０％、３０〜７０％、３０〜６５％、３０〜６０％、３０〜５５％、または３０〜５０％である。さらなる実施形態では、澱粉含有量は、穀粒重量に対する百分率（ｗ／ｗ）で表して、約３５％、約４０％、約４５％、約５０％、約５５％、約６０％または約６５％である。一実施形態では、本発明の穀粒から得られる澱粉顆粒の少なくとも５０％、好ましくは少なくとも６０％または少なくとも７０％、より好ましくは少なくとも８０％は、歪んだ形状及び／または表面形態を示す。穀粒の澱粉は、少なくとも２％の耐性澱粉、好ましくは少なくとも３％の耐性澱粉、より好ましくは３〜１５％のＲＳまたは３〜１０％のＲＳを含む。澱粉は、示差走査熱量測定（ＤＳＣ）によって容易に測定される糊化温度が低下していることによって特徴付けられ、例えば、ＤＳＣ走査の最初のピークは野生型澱粉よりも２〜８℃低い温度で起こる。実施形態では、穀粒のＢＧ含有量は、β−グルカン含有量であり、野生型穀粒に比べて絶対基準で１％もしくは２％増加しており、及び／または重量基準で野生型コムギ穀粒に比べて２〜７倍増加している。実施形態では、ＢＧレベルは、重量表示で穀粒の少なくとも１％または少なくとも２％、好ましくは１〜４％または１〜５％、好ましくは約２％、約３％、約４％、より好ましくは２〜５％である。実施形態では、アラビノキシラン含有量が絶対基準で１〜５％増加しており、及び／またはセルロース含有量が絶対基準で１〜５％増加している。好ましい実施形態では、穀粒は（その発芽を防止するいかなる処理よりも前に）、発芽率が野生型コムギ穀粒に対して約７０％〜約１００％であり、穀粒は、播種された場合に雄性稔性及び雌性稔性のコムギ植物を生じさせる。これらの表現型の各々は、コムギ植物において穀粒が発達している間におけるＳＳＩＩａ活性の低減と関連があり、ＳＳＩＩａ遺伝子の突然変異の結果である。
【００２６】
上記概要は、決して本発明の全ての実施形態の網羅的列挙であるとはみなされず、また、みなされるべきでない。
【図面の簡単な説明】
【００２７】
【図１】アミロース及びアミロペクチンについての、禾穀類穀粒における澱粉合成に関与する酵素の概略図である。
【図２】コムギ系統Ｃ５７のＡゲノムにおけるコムギＳＳＩＩａ−Ａ遺伝子突然変異の図解遺伝子マップである。上部の線はＳＳＩＩａ−Ａ遺伝子のエクソンのマップを示す。下にあるのは、野生型チャイニーズスプリングから、ならびにエクソン１におけるＡＴＧ翻訳開始コドンを含めた２８９ヌクレオチドの欠失と８ヌクレオチドの挿入とで正味の大きさが２８１ヌクレオチドである欠失を示している突然変異体Ｃ５７からの、ＳＳＩＩａ−Ａ遺伝子の領域のヌクレオチド配列である。プライマーＪＫＳＳ２ＡＰ１Ｆ及びＪＫＳＳ２ＡＰ２Ｒの位置が示されている。
【図３】コムギ系統Ｋ７９のＢゲノムにおけるコムギＳＳＩＩａ−Ｂ遺伝子突然変異の図解遺伝子マップである。上部の線はＳＳＩＩａ−Ｂ遺伝子のエクソンのマップを示す。下にあるのは、野生型チャイニーズスプリング（ＣＳ）から、ならびにＳＳＩＩａ−Ｂのエクソン８内への１７９ヌクレオチドの挿入を示している突然変異体Ｋ７９からの、ＳＳＩＩａ−Ｂ遺伝子の領域のヌクレオチド配列である。プライマーＪＫＳＳ２ＢＰ７Ｆ及びＪＬＴＳＳ２ＢＰＲ１の位置が示されている。
【図４】コムギ系統Ｔｕｒｋｅｙ１１６のＤゲノムにおけるコムギＳＳＩＩａ−Ｄ遺伝子突然変異の図解遺伝子マップである。上部の線はＳＳＩＩａ−Ｄ遺伝子のエクソンのマップを示す。下にあるのは、野生型チャイニーズスプリング（ＣＳ）から、ならびにＳＳＩＩａ−Ｄのエクソン５とイントロン５との継ぎ目（イントロン５スプライス部位）をまたぐ６３ヌクレオチドの欠失を示している突然変異体Ｔ１１６からの、ＳＳＩＩａ−Ｄ遺伝子の領域のヌクレオチド配列である。プライマーＪＴＳＳ２Ｄ３Ｆ及びＪＴＳＳ２Ｄ４Ｒの位置が示されている。
【図５】Ｓｕｎｃｏの遺伝的背景を有する三重ヌルｓｓＩＩａ突然変異体を生み出すための、交配及び戻し交配プログラムの図解である。
【図６】ＥＧＡ  Ｈｕｍｅの遺伝的背景を有する三重ヌルｓｓＩＩａ突然変異体を生み出すための、交配及び戻し交配プログラムの図解である。
【図７】Ｗｅｓｔｏｎｉａの遺伝的背景を有する三重ヌルｓｓＩＩａ突然変異体を生み出すための、交配及び戻し交配プログラムの図解である。
【図８】ＥＧＡ  Ｈｕｍｅ、Ｓｕｎｃｏ及びＷｅｓｔｏｎｉａの遺伝的背景を有する個々のコムギ系統の三重ヌルｓｓＩＩａ穀粒（ａｂｄ）及び野生型ＳＳＩＩａ穀粒（ＷＴ）について、上部パネルは平均穀粒重量（ｍｇ／穀粒）を示し、下部パネルは総脂質含有量（穀粒の％重量）を示す。
【図９】ＥＧＡ  Ｈｕｍｅ、Ｓｕｎｃｏ及びＷｅｓｔｏｎｉａの遺伝的背景を有する三重ヌル突然変異体（ａｂｄ）及びＷＴ遺伝子型についての図８中のデータの平均であり、標準偏差を示す。同じ文字（ａ、ｂ、ｃ）で示されているバーには統計学的有意差はないが、文字が異なっているバーには有意差がある。
【図１０】ＥＧＡ  Ｈｕｍｅ、Ｓｕｎｃｏ及びＷｅｓｔｏｎｉａの遺伝的背景を有する個々のコムギ系統の三重ヌルｓｓＩＩａ穀粒（ａｂｄ）及び野生型ＳＳＩＩａ穀粒（ＷＴ）について、最上部パネルはアミロペクチン含有量（重量基準での澱粉含有量の％）を示し、中央パネルはアミロース含有量（ヨウ素結合法による、重量基準での澱粉含有量の％）を示し、下部パネルは総澱粉含有量（穀粒の％重量）を示す。
【図１１】ＥＧＡ  Ｈｕｍｅ、Ｓｕｎｃｏ及びＷｅｓｔｏｎｉａの遺伝的背景を有する三重ヌル突然変異体（ａｂｄ）及びＷＴ遺伝子型についての図１０中のデータの平均であり、標準偏差を示す。同じ文字（ａ、ｂ、ｃ）で示されているバーには統計学的有意差はないが、文字が異なっているバーには有意差がある。
【図１２】ＥＧＡ  Ｈｕｍｅ、Ｓｕｎｃｏ及びＷｅｓｔｏｎｉａの遺伝的背景を有する個々のコムギ系統の三重ヌルｓｓＩＩａ穀粒（ａｂｄ）及び野生型ＳＳＩＩａ穀粒（ＷＴ）について、上部パネルは総繊維質含有量（重量基準での穀粒の％）を示し、下部パネルは総ＢＧ含有量（重量基準での穀粒の％）を示す。
【図１３】ＥＧＡ  Ｈｕｍｅ、Ｓｕｎｃｏ及びＷｅｓｔｏｎｉａの遺伝的背景を有する三重ヌル突然変異体（ａｂｄ）及びＷＴ遺伝子型についての図１２中のデータの平均であり、標準偏差を示す。同じ文字（ａ、ｂ、ｃ）で示されているバーには統計学的有意差はないが、文字が異なっているバーには有意差がある。
【図１４】ＥＧＡ  Ｈｕｍｅ、Ｓｕｎｃｏ及びＷｅｓｔｏｎｉａの遺伝的背景を有する個々のコムギ系統の三重ヌルｓｓＩＩａ穀粒（ａｂｄ）及び野生型ＳＳＩＩａ穀粒（ＷＴ）について、最上部パネルはフルクタン含有量（重量基準での穀粒の％）を示し、中央パネルはアラビノキシラン含有量（重量基準での穀粒の％）を示し、下部パネルはセルロース含有量（重量基準での穀粒の％）を示す。
【図１５】ＥＧＡ  Ｈｕｍｅ、Ｓｕｎｃｏ及びＷｅｓｔｏｎｉａの遺伝的背景を有する個々のコムギ系統の三重ヌルｓｓＩＩａ穀粒（ａｂｄ）及び野生型ＳＳＩＩａ穀粒（ＷＴ）について、上部パネルは平均穀粒重量（ｍｇ／穀粒）を示し、下部パネルは総脂質含有量（ｍｇ／穀粒）を示す。
【図１６】ＥＧＡ  Ｈｕｍｅ、Ｓｕｎｃｏ及びＷｅｓｔｏｎｉａの遺伝的背景を有する三重ヌル突然変異体（ａｂｄ）及びＷＴ遺伝子型についての図１５中のデータの平均であり、標準偏差を示す。同じ文字（ａ、ｂ、ｃ）で示されているバーには統計学的有意差はないが、文字が異なっているバーには有意差がある。
【図１７】ＥＧＡ  Ｈｕｍｅ、Ｓｕｎｃｏ及びＷｅｓｔｏｎｉａの遺伝的背景を有する個々のコムギ系統の三重ヌルｓｓＩＩａ穀粒（ａｂｄ）及び野生型ＳＳＩＩａ穀粒（ＷＴ）について、最上部パネルはアミロペクチン含有量（ｍｇ／穀粒）を示し、中央パネルはアミロース含有量（ｍｇ／穀粒）を示し、下部パネルは総澱粉含有量（ｍｇ／穀粒）を示す。
【図１８】ＥＧＡ  Ｈｕｍｅ、Ｓｕｎｃｏ及びＷｅｓｔｏｎｉａの遺伝的背景を有する三重ヌル突然変異体（ａｂｄ）及びＷＴ遺伝子型についての図１７中のデータの平均であり、標準偏差を示す。同じ文字（ａ、ｂ、ｃ）で示されているバーには統計学的有意差はないが、文字が異なっているバーには有意差がある。
【図１９】ＥＧＡ  Ｈｕｍｅ、Ｓｕｎｃｏ及びＷｅｓｔｏｎｉａの遺伝的背景を有する個々のコムギ系統の三重ヌルｓｓＩＩａ穀粒（ａｂｄ）及び野生型ＳＳＩＩａ穀粒（ＷＴ）について、上部パネルは総繊維質含有量（ｍｇ／穀粒）を示し、下部パネルは総ＢＧ含有量（ｍｇ／穀粒）を示す。
【図２０】ＥＧＡ  Ｈｕｍｅ、Ｓｕｎｃｏ及びＷｅｓｔｏｎｉａの遺伝的背景を有する三重ヌル突然変異体（ａｂｄ）及びＷＴ遺伝子型についての図１９中のデータの平均であり、標準偏差を示す。同じ文字（ａ、ｂ、ｃ）で示されているバーには統計学的有意差はないが、文字が異なっているバーには有意差がある。
【図２１】ＥＧＡ  Ｈｕｍｅ、Ｓｕｎｃｏ及びＷｅｓｔｏｎｉａの遺伝的背景を有する個々のコムギ系統の三重ヌルｓｓＩＩａ穀粒（ａｂｄ）及び野生型ＳＳＩＩａ穀粒（ＷＴ）について、最上部パネルはフルクタン含有量（ｍｇ／穀粒）を示し、中央パネルはアラビノキシラン含有量（ｍｇ／穀粒）を示し、下部パネルはセルロース含有量（ｍｇ／穀粒）を示す。
【図２２】ＥＧＡ  Ｈｕｍｅ、Ｓｕｎｃｏ及びＷｅｓｔｏｎｉａの遺伝的背景を有する三重ヌル突然変異体（ａｂｄ）及びＷＴ遺伝子型についての図２１中のデータの平均であり、標準偏差を示す。同じ文字（ａ、ｂ、ｃ）で示されているバーには統計学的有意差はないが、文字が異なっているバーには有意差がある。
【図２３】Ｓｕｎｃｏの遺伝的背景を有する３つの選抜三重ヌルｓｓＩＩａ突然変異体（Ｓｕｎｃｏ−ａｂｄ）及び野生型（ＷＴ）の穀粒中の澱粉に対する百分率で表した耐性澱粉含有量である。３つの突然変異体には、互いに対する有意差がなかったが、ＷＴに対する有意差はあった。
【図２４】５つの三重ｓｓＩＩａ突然変異系統からの枝切りされた澱粉の鎖長分布（ＣＬＤ）プロファイルの、対応する野生型澱粉と比較したときの平均モル％差である。ｓｓＩＩａ突然変異体澱粉では、対応する野生型のそれに比べて短鎖（ＤＰ６〜１０）の頻度が上昇したが、中鎖（ＤＰ１１〜２４）の頻度は低下した。
【図２５】三重ヌルｓｓＩＩａ突然変異体穀粒からの澱粉及び対応する野生型コムギ澱粉の、イソアミラーゼによる澱粉の枝切りの後でのサイズ排除クロマトグラフィー（ＳＥＣ）プロファイルである。記録曲線は、重合度（Ｘ軸）に応じた溶離画分の、正規化された屈折計率（ＲＩ）信号の分布を示す。最初に溶離してくるピーク（Ｉ）はアミロースであり、２番目（ＩＩ）は長鎖アミロペクチンであり、ピークＩＩＩは（枝切りされた）アミロペクチンである。黒い記録曲線はｓｓＩＩａ突然変異体澱粉についてのものであり、灰色の記録曲線は野生型澱粉についてのものであった。
【図２６】突然変異ｓｓＩＩａ（Ｂ２２）及び野生型ＳＳＩＩａ（Ｂ７０）コムギの成熟コムギ穀粒からの澱粉顆粒結合型タンパク質の免疫学的な特性評価である。特異抗血清との結合に基づいて、ウェスタンブロットの最上部のバンドはＳＳＩＩａと同定され、最上部から２番目のバンドはＳＢＥＩＩａとＳＢＥＩＩｂとの混合物と同定され、７０及び６０ｋＤａのバンドはＳＳＩ及びＧＢＳＳＩであった。各バンドの同一性はラベルと矢印で示されている。種々のブロットに対して使用した抗体の同一性は各パネルの左または下にラベルで示されている。Ｍ：タンパク質分子量マーカー（ｋＤａ）。
【発明を実施するための形態】
【００２８】
配列リスト
配列番号１  コムギＡゲノムによってコードされるＳＳＩＩａ−Ａポリペプチドのアミノ酸配列；受託番号：ＡＡＤ５３２６３，７９９ａａ。
【００２９】
配列番号２  コムギのＢゲノムによってコードされるＳＳＩＩａ−Ｂポリペプチドのアミノ酸配列；受託番号：ＣＡＢ９６６２７，７９８ａａ。
【００３０】
配列番号３  コムギＤゲノムによってコードされるＳＳＩＩａ−Ｄポリペプチドのアミノ酸配列；受託番号：ＢＡＥ４８８００，７９９ａａ；Ｓｈｉｍｂａｔａ  ｅｔ  ａｌ．，（２００５）。
【００３１】
配列番号４  コムギＳＳＩＩａ−Ａ遺伝子の完全長ｃＤＮＡのヌクレオチド配列；２８２１ヌクレオチド；受託番号：ＡＦ１５５２１７；Ｌｉ  ｅｔ  ａｌ．，（１９９９）；翻訳開始コドンヌクレオチド８９〜９１、終止コドン２４８６〜２４８８。
【００３２】
配列番号５  コムギＳＳＩＩａ−Ｂ遺伝子の完全長ｃＤＮＡのヌクレオチド配列；２７９３ヌクレオチド；受託番号：ＡＪ２６９５０４；Ｇａｏ  ａｎｄ  Ｃｈｉｂｂａｒ，（２０００）；翻訳開始コドンヌクレオチド１３５〜１３７、終止コドン２５２９〜２５３１。
【００３３】
配列番号６  コムギＳＳＩＩａ−Ｄ遺伝子の完全長ｃＤＮＡのヌクレオチド配列；２８４６ヌクレオチド；受託番号：ＡＪ２６９５０２；Ｇａｏ  ａｎｄ  Ｃｈｉｂｂａｒ，（２０００）；翻訳開始コドンヌクレオチド２１０〜２１２、終止コドン２６０７〜２６０９。ヌクレオチド２０１〜３８４によってコードされる輸送ペプチド、成熟ペプチド３８５〜２６０６。
【００３４】
配列番号７  コムギのＳＳＩＩａ−Ａ遺伝子のヌクレオチド配列；受託番号：ＡＢ２０１４４５；６８９８ｎｔ（ＩＷＧＳＣ：染色体７ＡＳ、Ｔｒａｅｓ＿７ＡＳ＿５３ＣＡＦＢ４３Ａ、５２３４６４３７〜５２３４６９０５ｂｐ、５２３５１６７６〜５２３５１９３１ｂｐ  逆方向鎖）。
【００３５】
配列番号８  コムギのＳＳＩＩａ−Ｂ遺伝子のヌクレオチド配列（受託番号：ＡＢ２０１４４６）（ＩＷＧＳＣ：染色体７ＤＳ、Ｔｒａｅｓ＿７ＤＳ＿Ｅ６Ｃ８ＡＦ７４３、３８７７７８７；１〜３９６ｂｐ、５１３７〜５４１９ｂｐ  順方向鎖）、６８１１ｎｔ。
【００３６】
配列番号９  コムギのＳＳＩＩａ−Ｄ遺伝子のヌクレオチド配列（受託番号：ＡＢ２０１４４７）（ＩＷＧＳＣ：染色体７ＤＳ、Ｔｒａｅｓ＿７ＤＳ＿Ｅ６Ｃ８ＡＦ７４３、３８７７７８７；１〜３９６ｂｐ、５１３７〜５４１９ｂｐ  順方向鎖）、６９５０ｎｔ。
【００３７】
配列番号１０  ＡゲノムにおいてコードされるコムギＳＳＩＩｂ−Ａのアミノ酸配列、６７６ａａ、受託番号ＡＫ３３２７２４のヌクレオチド配列からの推測。
【００３８】
配列番号１１  ＤゲノムにおいてコードされるコムギＳＳＩＩｂ−Ｄのアミノ酸配列、６７４ａａ、受託番号ＡＢＹ５６８２４（ＥＵ３３３９４７との同一性が１００％である）。
【００３９】
配列番号１２  Ａゲノム上のコムギＳＳＩＩｂ−Ａ遺伝子の完全長ｃＤＮＡのヌクレオチド配列、受託番号：ＡＫ３３２７２４。２７２７ｎｔ（ＩＷＧＳＣ：染色体６ＡＬ、Ｔｒａｅｓ＿６ＡＬ＿ＡＥ０１ＤＣ０ＥＡ、１８７，５００，４９５〜１８７，５０５，２４９ｂｐ  順方向鎖）。
【００４０】
配列番号１３  Ｂゲノム上のコムギＳＳＩＩｂ−Ｂの部分長ｃＤＮＡのヌクレオチド配列、１２８２ｎｔ、ＩＷＧＳＣ：染色体６ＤＬ、遺伝子：Ｔｒａｅｓ＿６ＢＬ＿６１Ｄ８３Ｅ２６２、１６２，１１３，７８４〜１６２，１１６，９５９ｂｐ  逆方向鎖）。
【００４１】
配列番号１４  Ｄゲノム上のコムギＳＳＩＩｂ−Ｄの完全長ｃＤＮＡのヌクレオチド配列、２０２５ｎｔ（受託番号：ＥＵ３３３９４７）（ＩＷＧＳＣ：染色体６ＤＬ、遺伝子：Ｔｒａｅｓ＿６ＤＬ＿１９Ｆ１０４２Ｃ７、１４７，０４９，６９３〜１４７，０５１，７０８ｂｐ  逆方向鎖）。
【００４２】
配列番号１５〜４９  オリゴヌクレオチドプライマー。
【００４３】
配列番号５０〜５１  ペプチドのアミノ酸配列。
【００４４】
詳細な説明
本明細書の全体を通して、文脈による別段の定めのない限り、「含む（ｃｏｍｐｒｉｓｅ）」または変化形、例えば「含む（ｃｏｍｐｒｉｓｅｓ）」もしくは「含んでいる（ｃｏｍｐｒｉｓｉｎｇ）」という語は、述べられている要素もしくは数字または要素もしくは数字の群を包含するがしかし他の任意の要素もしくは数字または要素もしくは数字の群を排除しないということを含意することが理解されよう。「からなる」とは、「からなる」の語句の後に続くどのようなものも含みかつそれに限定されることを意味する。したがって、「からなる」の語句は、列挙されている要素が要求される、または必須であること、及び他の要素は何ら存在し得ないことを示す。「から本質的になる」とは、その語句の後に列挙されている任意の要素を含み、列挙されている要素について本開示中で明記されている活性または作用に干渉または寄与しない他の要素に限定される、という意味である。したがって、「から本質的になる」という用語は、列挙されている要素が必要とされている、または必須であるが、その他の要素は、任意のものではなく、列挙されている要素の活性または作用に影響を与えるか否かに応じて、存在し得るものでない、または存在し得ないものでない、ということを示す。
【００４５】
本明細書中で使用する場合、単数形「ａ」、「ａｎ」及び「ｔｈｅ」は、文脈による別段の規定が明白でない限り、複数形の態様を含み、その逆も同様である。それゆえ、例えば、「突然変異」への言及は、１回の突然変異だけでなく、２回以上の突然変異も含み、「植物」への言及は、１つの植物だけでなく、２つ以上の植物も含む、などである。
【００４６】
本明細書中で使用する場合、数値または範囲に関係する「約」という用語は、指定された数値または範囲の±１０％以内に入る数を包含することが意図される。
【００４７】
本明細書中の各実施形態は、明示的に特段の定めをした場合を除き、他の各実施形態に準用されるべきものである。
【００４８】
遺伝子及びその他の遺伝材料（例えば、ｍＲＮＡ、構築物など）は斜字体で表され、それらのタンパク質発現産物は、斜字体でない形式で表される。したがって、例えばＳＳＩＩａは、ＳＳＩＩａ（斜字体）の発現産物である。
【００４９】
ヌクレオチド及びアミノ酸配列は、配列識別子番号（配列番号）によって言及される。配列番号は、配列識別子＜４００＞１（配列番号１）、＜４００＞２（配列番号２）などに数値的に対応している。配列リストは特許請求の範囲の後に提供されている。配列リスト中の配列番号を記載している一覧は図の凡例の後に提供されている。
【００５０】
特段の定義がなされていない限り、本明細書中で使用する全ての科学技術用語は、本発明が関係する技術分野の当業者によって一般的に理解されるのと同じ意味を有する。本明細書に記載の方法及び材料に類似する任意のそれらを本発明の実施または試験において用いてもよいが、好ましい方法及び材料が記載されている。
【００５１】
本発明は、少なくとも４５％（ｗ／ｗ）のアミロース含有量を有する、３つのＳＳＩＩａ遺伝子の各々におけるヌル突然変異を含む六倍体コムギ穀粒を生み出すことができるという、本明細書に記載の実験において得られた驚くべき結果に一部基づく。これは、三重ヌルｓｓＩＩａ六倍体コムギ穀粒中のアミロースレベルが４５％未満であったという他者が得た結果（Ｙａｍａｍｏｒｉ  ｅｔ  ａｌ．，２０００、Ｋｏｎｉｋ−Ｒｏｓｅ  ｅｔ  ａｌ．，２００７）に基づけば予想外なことであった。これに関して、アミロース含有量は、重量／重量基準での穀粒の総澱粉含有量に対する百分率として定義される。さらに、コムギ穀粒は、フルクタン、β−グルカン、アラビノキシラン及びセルロース含有量の増加に基づいて増加した総繊維質含有量を含めた他の望ましい特性を有し、それは、穀粒または穀粒から生産された製品を食品または餌として使用する場合に健康上の利益をもたらすものである。
【００５２】
したがって、本発明の第１の態様では、Ｔｒｉｔｉｃｕｍ  ａｅｓｔｉｖｕｍ種のコムギ穀粒が提供され、当該穀粒は、
ｉ）穀粒がそのＳＳＩＩａ−Ａ遺伝子における突然変異についてホモ接合体であり、そのＳＳＩＩａ−Ｂ遺伝子における突然変異についてホモ接合体であり、そのＳＳＩＩａ−Ｄ遺伝子における突然変異についてホモ接合体であるような、そのＳＳＩＩａ遺伝子の各々における突然変異
を含み、上記ＳＳＩＩａ遺伝子における突然変異のうちの少なくとも２つがヌル突然変異であり、
ｉｉ）アミロース含有量とアミロペクチン含有量とを含む総澱粉含有量、
ｉｉｉ）重量基準で野生型コムギ穀粒に比べて増加しており好ましくは穀粒重量の３〜１２％である、フルクタン含有量、
ｉｖ）β−グルカン含有量、
ｖ）アラビノキシラン含有量、及び
ｖｉ）セルロース含有量
を含み、穀粒は２５〜６０ｍｇの穀粒重量を有し、ヨウ素結合アッセイによって決定したときのアミロース含有量は重量基準で穀粒の総澱粉含有量の４５〜７０％であり、重量基準でのアミロペクチン含有量は野生型コムギ穀粒に比べて減少しており、β−グルカン含有量、アラビノキシラン含有量及びセルロース含有量の各々は重量基準で野生型コムギ穀粒に比べて増加しており、その結果としてフルクタン含有量とβ−グルカン含有量とアラビノキシラン含有量とセルロース含有量との総和が穀粒重量の１５〜３０％である。
【００５３】
本発明はさらに、この穀粒を実らせたかまたはこの穀粒から得られるコムギ植物、ならびにこの穀粒から生産される小麦粉及び／またはコムギ澱粉顆粒を提供する。
【００５４】
本発明はさらに、本発明の穀粒またはこの穀粒から生産される材料を含む、食品原料を提供する。また、これらの食品原料を含む食品製品、及び本発明の穀粒またはこの穀粒から生産される材料を含む組成物も提供される。食品原料は、粗挽き、挽き割り、半茹で、押潰し、精白、粉砕もしくは粉挽きされた穀粒またはこれらの任意の組み合わせであってもよい。
【００５５】
別の態様では、本発明は、本発明の穀粒を実らせるコムギ植物を生み出すプロセスを提供し、当該プロセスは、ＳＳＩＩａ−Ａ、ＳＳＩＩａ−Ｂ及びＳＳＩＩａ−Ｄからなる群から選択される１つ、２つまたは３つのＳＳＩＩａ遺伝子の各々におけるヌル突然変異を各々が含んでいる２つの親コムギ植物を交配する、または上記ヌル突然変異を含んでいる親植物に突然変異を起こさせる、ステップ（ｉ）と；交配もしくは突然変異誘発から得られた植物もしくは穀粒またはそれから得られた子孫の植物もしくは穀粒に対して、植物または穀粒から得られるＤＮＡ、ＲＮＡ、タンパク質、澱粉顆粒または澱粉を分析することによるスクリーニングを行う、ステップ（ｉｉ）と；ステップ（ｉ）の親コムギ植物のうちの少なくとも１つに比べてＳＳＩＩａ活性が低下している稔性コムギ植物を選抜する、ステップ（ｉｉｉ）とを含む。
【００５６】
別の態様では、本発明は、代謝健康、腸健康もしくは心血管健康のうちの１つ以上のパラメータの改善を、それを必要とする対象においてもたらす、または糖尿病、腸疾患もしくは心血管疾患などの代謝疾患の重症度もしくは発生率を防止もしくは低減する、プロセスを提供し、その方法は、本発明の穀粒または食品製品を対象に提供することを含む。
【００５７】
本明細書中で使用する場合、「代謝健康の１つ以上のパラメータの改善」は、相対的な用語であり、野生型コムギを使用して生産された食品または飲料の等価な量での摂取と比べたときの改善を意味する。
【００５８】
さらなる態様において、本発明は、
ａ）本発明のコムギ穀粒を含んでいるコムギ主茎を刈り取ること；
ｂ）主茎の脱穀及び／または籾殻取りを行って穀粒を籾殻から分離すること；ならびに
ｃ）ステップｂ）で分離された穀粒を篩分け及び／または選別し、篩分け及び／または選別された穀粒を大型箱に投入し、それによって大型箱入りコムギ穀粒を生産すること
を含む、大型箱入りコムギ穀粒を生産するプロセスを提供する。
【００５９】
特定の実施形態では、本発明のコムギ穀粒は、以下：
ｉ）澱粉含有量が穀粒重量の３０〜７０％であるという特徴、
ｉｉ）ヨウ素結合アッセイによって決定したときのアミロース含有量が穀粒の総澱粉含有量の４５〜６５％であるという特徴、
ｉｉｉ）澱粉試料の枝切り後に蛍光活性化キャピラリー電気泳動（ＦＡＣＥ）によって決定したときの澱粉含有量の鎖長分布において、野生型コムギ澱粉に比べてＤＰ７〜１０の鎖長の割合が上昇しておりＤＰ１１〜２４の鎖長の割合が低下している、という特徴、
ｉｖ）フルクタン含有量の少なくとも５０％がＤＰ３〜１２であるようにフルクタン含有量がＤＰ３〜１２のフルクタンを含むという特徴、
ｖ）フルクタン含有量が重量基準で野生型コムギ穀粒に比べて２〜１０倍増加しているという特徴、
ｖｉ）β−グルカン含有量が、絶対基準で１％もしくは２％増加している、及び／または重量基準で野生型コムギ穀粒に比べて２〜７倍増加している、という特徴、
ｖｉｉ）β−グルカン含有量が穀粒重量の１〜４％であるという特徴、
ｖｉｉｉ）アラビノキシラン含有量が絶対基準で１〜５％増加しているという特徴、
ｉｘ）セルロース含有量が絶対基準で１〜５％増加しているという特徴、
ｘ）穀粒の発芽率が野生型コムギ穀粒に対して約７０％〜約１００％であるという特徴、
ｘｉ）穀粒が、播種された場合に雄性稔性及び雌性稔性のコムギ植物を生じさせる、という特徴
のうちの１つ以上または全てによってさらに特徴付けられる。
【００６０】
穀粒はさらに、野生型コムギ穀粒におけるＳＳＩＩａタンパク質のレベルもしくは活性の５％未満である、または、ＳＳＩＩａ−Ａタンパク質、ＳＳＩＩａ−Ｂタンパク質及びＳＳＩＩａ−Ｄタンパク質のうちの１つ以上もしくは全てを欠く、ＳＳＩＩａタンパク質のレベル及び／または活性を含み得る。穀粒はさらに、そのＳＳＩＩａ−Ａ遺伝子におけるヌル突然変異についてホモ接合体、そのＳＳＩＩａ−Ｂ遺伝子におけるヌル突然変異についてホモ接合体、及びそのＳＳＩＩａ−Ｄ遺伝子におけるヌル突然変異についてホモ接合体であり得る。各ヌル突然変異は、独立して、欠失突然変異、挿入突然変異、未成熟翻訳終止コドン、スプライス部位突然変異、及び非保存的アミノ酸置換突然変異からなる群から選択されるものであり得、好ましくは、穀粒は２つもしくは３つのＳＳＩＩａ遺伝子の各々における欠失突然変異または当該遺伝子の完全な欠失を含む。
【００６１】
特定の実施形態では、穀粒はさらに、澱粉合成ポリペプチドをコードする内在性遺伝子における機能喪失突然変異、または澱粉合成ポリペプチドをコードする内在性遺伝子の発現を低減するＲＮＡをコードするキメラポリヌクレオチドをさらに含み、上記澱粉合成ポリペプチドは、ＳＳＩ、ＳＳＩＩＩａ及びＳＳＩＶからなる群から選択されるものであり、上記突然変異は、欠失突然変異、挿入突然変異、未成熟翻訳終止コドン、スプライス部位突然変異、及び非保存的アミノ酸置換突然変異からなる群から選択されるものである。好ましくは、突然変異のうちの少なくとも１つ、２つ以上または全てが、ｉ）導入された突然変異であるか、ｉｉ）化学薬剤、生物学的薬剤もしくは照射などの突然変異誘発剤による突然変異誘発によって親コムギ植物もしくは種子において誘導されたものであるか、またはｉｉｉ）植物ゲノムを改変するために導入されたものである。
【００６２】
穀粒が重量基準で穀粒の総澱粉含有量の約６０％のアミロース含有量を有すること、及び／または、穀粒が非遺伝子導入型であるか、またはＳＳＩＩａ遺伝子及び／またはＳＢＥＩＩａ遺伝子の発現を低減するＲＮＡをコードするいかなる外因性核酸も含んでいないことが、好ましい。
【００６３】
ＳＳＩＩａレベル及び／または活性は、発達中の胚乳におけるＳＳＩＩａレベル及び／または活性を検査することによって、または収穫された穀粒の中のＳＳＩＩａタンパク質の量を免疫学的手段などで検査することによって決定される。胚乳は、穀粒を与えた植物からのもの、あるいは子孫植物からのものであり得る。
【００６４】
本発明の穀粒の澱粉顆粒及び／または穀粒の澱粉は、
（ｉ）少なくとも２％の耐性澱粉を含むこと；
（ｉｉ）澱粉が、低下したグリセミック指数（ＧＩ）によって特徴付けられること；
（ｉｉｉ）澱粉顆粒が、歪んだ形状を有すること；
（ｉｖ）偏光下で観察したときの澱粉顆粒の複屈折が低下していること；
（ｖ）澱粉が、減少した膨潤容積によって特徴付けられること；
（ｖｉ）澱粉における鎖長分布及び／または分岐頻度が変化していること；
（ｖｉｉ）澱粉が、低下した糊化ピーク温度によって特徴付けられること；
（ｖｉｉｉ）澱粉が、低下したピーク粘度によって特徴付けられること；
（ｉｘ）澱粉ペースト化温度が低下していること；
（ｘ）サイズ排除クロマトグラフィーによって決定したときのアミロースのピーク分子量が低下していること；
（ｘｉ）澱粉結晶性が低下していること；ならびに
（ｘｉｉ）Ａ型及び／またはＢ型澱粉の割合が低下している、及び／またはＶ型結晶性澱粉の割合が上昇していること
からなる群から選択される特性のうちの１つ以上によっても特徴付けられ得、各特性は、野生型コムギ澱粉顆粒または野生型コムギ澱粉と比べたときのものである。
【００６５】
本発明の特定の実施形態では、穀粒は、それがもはや発芽できないように加工されている。そのような処理済み穀粒の例としては、加熱処理済み穀粒及び、粗挽き、挽き割り、半茹で、押潰し、精白、粉砕または粉挽きされた穀粒が挙げられる。あるいは、穀粒は、野生型コムギ穀粒に対して７０〜１００％の率で発芽できる。
【００６６】
本発明は明らかに、コムギ植物に含まれているときの上記の穀粒を包含する。本発明はさらに、本発明の穀粒を実らせるかまたは当該穀粒から得られる、コムギ植物を包含する。そのようなコムギ植物は、その胚乳におけるＳＳＩＩａタンパク質のレベル及び／または活性が野生型コムギ穀粒におけるＳＳＩＩａタンパク質のレベルもしくは活性の５％未満であるかまたはＳＳＩＩａ−Ａタンパク質、ＳＳＩＩａ−Ｂタンパク質及びＳＳＩＩａ−Ｄタンパク質のうちの１つ以上もしくは全てを欠いていることによって、特徴付けられ得る。好ましくは、コムギ植物は雄性稔性及び雌性稔性である。
【００６７】
本発明の穀粒から生産される小麦粉も包含される。一実施形態において、小麦粉は精白小麦粉である。小麦粉は、好ましくは、全粒粉または、精白小麦粉と全粒粉との例えば１：２〜２：１の比のブレンドである。本発明はさらに、本発明の穀粒からのコムギふすまを提供する。これらの製品の各々は、コムギ穀粒の遺伝的組成（すなわちコムギ穀粒のＤＮＡ）を有するコムギ細胞を含む。
【００６８】
穀粒から生産されるコムギ澱粉顆粒またはコムギ澱粉も本発明の一部である。当該コムギ澱粉顆粒またはコムギ澱粉は、典型的には、澱粉顆粒または澱粉の総澱粉含有量に対する割合で表してそれぞれ重量基準で４５％、好ましくは約５０％、約５５％もしくは約６０％のアミロースまたは４５〜７０％のアミロースを含むものであり、澱粉顆粒は好ましくはコムギＧＢＳＳＩポリペプチドを含む。澱粉顆粒及び／または澱粉はさらに、
ａ）免疫学的手段によって決定したときに、検出可能なＳＳＩＩａポリペプチドを有さないこと；
ｂ）重量基準で少なくとも２％の耐性澱粉を含むこと；
ｃ）澱粉が、低下したグリセミック指数（ＧＩ）によって特徴付けられること；
ｄ）澱粉顆粒が、歪んだ形状を有すること；
ｅ）偏光下で観察したときの澱粉顆粒の複屈折が低下していること；
ｆ）澱粉が、減少した膨潤容積によって特徴付けられること；
ｇ）澱粉における鎖長分布及び／または分岐頻度が変化していること；
ｈ）澱粉が、低下した糊化ピーク温度によって特徴付けられること；
ｉ）澱粉が、低下したピーク粘度によって特徴付けられること；
ｊ）澱粉ペースト化温度が低下していること；
ｋ）サイズ排除クロマトグラフィーによって決定したときのアミロースのピーク分子量が低下していること；
ｌ）澱粉結晶性が低下していること；ならびに
ｍ）Ａ型及び／またはＢ型澱粉の割合が低下している、及び／またはＶ型結晶性澱粉の割合が上昇していること
のうちの１つ以上によって特徴付けられるものとなり、各特性は、野生型コムギ澱粉顆粒または澱粉と比べたときのものである。
【００６９】
本発明はさらに、本発明の穀粒、小麦粉、好ましくは全粒粉、もしくはコムギふすま、またはコムギ澱粉顆粒もしくはコムギ澱粉を、好ましくは乾燥重量基準で少なくとも１０％、好ましくは約２０％〜約８０％のレベルで含む、食品原料を提供する。食品原料は、粗挽き、挽き割り、半茹で、押潰し、精白、粉砕もしくは粉挽きされた穀粒、またはこれらの任意の組み合わせであり得る。さらに、食品原料は、好ましくは乾燥重量基準で少なくとも１０％のレベルで、食品製品に組み込まれ得る。
【００７０】
本発明はさらに、本発明のコムギ穀粒、小麦粉、好ましくは全粒粉、もしくはコムギふすま、またはコムギ澱粉顆粒もしくはコムギ澱粉を重量表示で少なくとも１０％のレベルで含むか、あるいは、アミロースのレベルが４５％（ｗ／ｗ）未満であるコムギ穀粒またはそれから得られる小麦粉、全粒粉、澱粉顆粒もしくは澱粉を含む、組成物を提供する。組成物は小麦粉のブレンドを含み得る。
【００７１】
本発明はさらに、（ｉ）本発明の食品原料を別の食品原料に添加するステップ、及び  （ｉｉ）食品原料を混合してそれによって食品を生産するステップを含む、食品を生産するプロセスを提供する。プロセスはさらに、ステップ（ｉ）に先立って、穀粒を加工して前記食品原料を生産するステップ、またはステップ（ｉｉ）からの混合食品原料を少なくとも１００℃の温度で少なくとも１０分間加熱するステップを伴い得る。
【００７２】
本明細書中で使用する場合、「重量表示で」または「重量基準で」という用語は、物質を含んでいる材料または物品の重量に対する百分率で表したその物質の重量を指す。本明細書ではこれを「ｗ／ｗ」と略する。例えば、アミロース含有量は、総澱粉含有量の重量に対する百分率で表したアミロースの重量として定義される。
【００７３】
コムギを含めた高等植物の胚乳における澱粉の合成は、図１中に模式的に示されている４つの肝要なステップを触媒する一揃いの酵素によって行われる。第１に、ＡＤＰ−グルコースピロホスホリラーゼ（ＥＣ２．７．７．２７）が、Ｇ−１−Ｐ及びＡＴＰからＡＤＰ−グルコースを合成することによって澱粉のモノマー前駆体を活性化させる。第２に、活性化されたグルコシル供与体であるＡＤＰ−グルコースは澱粉合成酵素（ＥＣ２．４．１．２４）によって既存のα−１，４結合の非還元末端へと移される。第３に、澱粉枝作り酵素は、α−１，４結合したグルカンの領域を切断し、続いて切断された鎖を受容体鎖へと移し、新しいα−１，６結合を形成することによって、分岐点を導入する。澱粉枝作り酵素は、α−１，６結合をα−ポリグルカンに導入することができる唯一の酵素であり、それゆえ、アミロペクチンの形成において重要な役割を果たす。第４に、澱粉枝切り酵素（ＥＣ２．４．４．１８）が分岐結合のうちのいくつかを除去する。
【００７４】
禾穀類の胚乳中にはＡＤＰ−グルコースピロホスホリラーゼ（ＡＤＧＰ）のアイソフォームが２つ存在し、一方の形態はアミロプラスト中にあり、一方の形態は細胞質中にある。各形態は２つのサブユニット型から構成されている。トウモロコシのｓｈｒｕｎｋｅｎ（ｓｈ２）及びｂｒｉｔｔｌｅ（ｂｔ２）突然変異体はそれぞれ大及び小サブユニットに相当する。
【００７５】
本明細書中で使用する場合、「澱粉合成酵素（ＳＳ）」という用語は、活性化されたグルコシル供与体であるＡＤＰ−グルコースから既存のグルカン鎖の非還元末端へとグルコシル残基をα−１，４結合によって移す酵素（ＥＣ２．４．１．２４）を指す。ＳＳ酵素活性は、Ｇｕａｎ  ａｎｄ  Ｋｅｅｌｉｎｇ（１９９８）によって記載されているように検査され得る。六倍体コムギＴ．ａｅｓｔｉｖｕｍにおける場合を含めて禾穀類の胚乳中には澱粉合成酵素の少なくとも５つのクラス、すなわち、澱粉顆粒の中にのみ局在しているかまたはそれに結合しているアイソフォームである顆粒結合型澱粉合成酵素（ＧＢＳＳ）、顆粒と可溶性部分とに区分されている２つの形態（ＳＳＩ及びＳＳＩＩ）、専ら可溶性部分に位置する形態（ＳＳＩＩＩ）、及びここ最近になって見つかった第５の形態であるＳＳＩＶが認められる（図１）。これらの各々は「澱粉合成酵素」という用語に含まれる。それらは、貯蔵澱粉が合成及び蓄積されているときであるコムギ植物の生育中に胚乳が発達している間は活性であるが、成熟（休眠）穀粒中では不活性状態で存在し得る。ＧＢＳＳは、アミロース合成にとって必須であることが示されている。生化学的及び遺伝学的証拠に基づけば、ＳＳＩ〜ＩＶの各々は主としてアミノペクチン合成に関与する。例えば、ＳＳＩＩ及びＳＳＩＩＩ遺伝子における突然変異は、アミロペクチン構造を変化させることが示された（Ｓｃｈｏｎｄｅｌｍａｉｅｒ  ｅｔ  ａｌ．，１９９２、Ｙａｍａｍｏｒｉ  ｅｔ  ａｌ．，２０００）。澱粉合成酵素は、そのアミノ酸配列に応じて、これらのクラスの既知メンバーとの相同性の程度に基づきこれら５クラスうちの１つに属するとして分類される。
【００７６】
禾穀類においてはＳＳＩＩの少なくとも２つのサブクラス、ＳＳＩＩａ及びＳＳＩＩｂが同定されており、但し、３つ目のサブクラスＳＳＩＩｃはコメにおいて同定されたものであり（Ｏｈｄａｎ  ｅｔ  ａｌ．，２００５）、コムギにおいて対応するＳＳＩＩｃ酵素をコードすると見受けられる遺伝子は、実施例２で記載されているように同定される。澱粉合成酵素ＩＩａ（ＳＳＩＩａ）は主に、ＡＤＰ−グルコースから既存のα−１，４結合グルカン鎖の非還元末端へとグルコシル部分を移すことによって禾穀類の胚乳中のアミロペクチンの中程度の長さのグルカン鎖（ＤＰ１２〜２４）の重合を触媒する（Ｆｏｎｔａｉｎｅ  ｅｔ  ａｌ．，１９９３）。ＳＳＩＩａはそれによってアミロペクチンの短鎖（ＤＰ＜１０）を伸長する。コムギｓｓＩＩａ突然変異体では、ＤＰ６〜１１のグルカン鎖の頻度は上昇しており、ＤＰ１１〜２５の鎖は頻度が低下ししている（Ｙａｍａｍｏｒｉ  ｅｔ  ａｌ，２０００）。ＳＳＩＩの異なるクラスは、各クラスの型メンバーのアミノ酸配列との相同性によって、つまり系統学的解析によって区別される。異なるＳＳＩＩ酵素、ある場合においては、異なるコムギＳＳＩＩａアイソエンザイムは、以下に説明するようにポリペプチドのアミノ酸の数によって区別される。
【００７７】
ＳＳＩＩ、または具体的にはＳＳＩＩａをコードする遺伝子の発現のレベルは、転写産物レベルを評価すること、例えばノーザンブロットハイブリダイゼーション分析またはＲＴ−ＰＣＲ分析を行うことによって、評価され得る。好ましい方法では、穀粒または発達中の胚乳におけるＳＳＩＩａタンパク質の量は、穀粒／胚乳の抽出物中のタンパク質を電気泳動によってゲル上で分離し、その後、タンパク質をウェスタンブロッティングによって膜に転写し、続いて特異抗体を使用して膜上のタンパク質を定量的に検出すること（「ウェスタンブロット分析」）によって測定される。ゲル電気泳動及びイムノブロッティングの方法例は実施例１に記載されている。
【００７８】
澱粉合成酵素Ｉ（ＳＳＩ）は、禾穀類において単一のアイソフォームとして存在しているようである。コメでは、ＳＳＩは胚乳における総可溶性ＳＳ活性の約７０％を占める（Ｆｕｊｉｔａ  ｅｔ  ａｌ，２００６）。ＳＳＩはＤＰ６〜１５の短いグルカン鎖を優先的に合成し、最も短いアミロペクチン鎖を基質として好む。その重要な役割にもかかわらず、コメ胚乳におけるＳＳＩ酵素の完全な欠如は種子または澱粉顆粒の大きさ及び形状に影響を与えず、欠如しているＳＳＩ機能を他のＳＳ酵素が補うことができることが示唆される。
【００７９】
対照的に、ＳＳＩＩＩは、比較的長め、特にＤＰ＞３０のアミロペクチンの鎖を生成し、中程度の長さのグルカン鎖を伸長する。ｓｓＩＩＩ突然変異体はアミロペクチンの中鎖の増加を呈する。胚乳で発現する多い方のＳＳＩＩＩａと、少ない方の形態であるＳＳＩＩＩｂとの２つの形態が存在する。禾穀類穀粒におけるＳＳＩＶアイソフォームによるグルカン鎖長への寄与についてはほとんど知られていないが、それは大部分が葉において機能しているようである（Ｌｅｔｅｒｒｉｅｒ  ｅｔ  ａｌ．，２００８）。ＳＳＩＶａとＳＳＩＶｂとの２つのＳＳＩＶ遺伝子は、コメにおいては登熟の間、比較的一定なレベルで植物全体にわたって発現し、よってそれらは植物全体において機能していると見受けられる。ＡｒａｂｉｄｏｐｓｉｓのｓｓＩＶ突然変異体は葉内澱粉のレベルが低下していた。
【００８０】
各澱粉合成酵素は、アミロプラスト内への移行中に切断されるＮ末端シグナルペプチドを有するポリペプチドとして発現する。
【００８１】
本明細書中で使用する場合、「澱粉枝作り酵素」（ＳＢＥ）は、グルコース残基の鎖間にα−１，６グリコシド結合を導入してそれによってアミロペクチンにα−１，６分岐点を導入する酵素（ＥＣ２．４．１．１８）を意味する。植物では、ＳＢＥの２つの主なクラス、ＳＢＥＩ及びＳＢＥＩＩが知られている。ＳＢＥＩＩは、禾穀類ではさらにＳＢＥＩＩａとＳＢＥＩＩｂとの２種類に分類され得る（Ｈｅｄｍａｎ  ａｎｄ  Ｂｏｙｅｒ，１９８２、Ｂｏｙｅｒ  ａｎｄ  Ｐｒｅｉｓｓ，１９７８、Ｍｉｚｕｎｏ  ｅｔ  ａｌ．，１９９２、Ｓｕｎ  ｅｔ  ａｌ．，１９９７）。いくつかの禾穀類ではＳＢＥの別の形態も報告されており、コムギからの推定１４９ｋＤａのＳＢＥＩ、オオムギからの５０／５１ｋＤａのＳＢＥが報告されている。配列アラインメントは、ヌクレオチドとアミノ酸との両方のレベルにおける高度の配列類似性を明らかにし、ＳＢＥＩ、ＳＢＥＩＩａ及びＳＢＥＩＩｂクラスへの分類を可能にする。ＳＢＥＩＩａ及びＳＢＥＩＩｂのアミノ酸配列は概して互いに約８０％の同一性を呈し、その大部分はポリペプチドの中央領域に集中している。
【００８２】
ＳＢＥＩとＳＢＥＩＩａとＳＢＥＩＩｂとをそれらの発現パターンによって区別することもできるが、この発現パターンは種によって異なる。コムギ胚乳では、ＳＢＥＩ（Ｍｏｒｅｌｌ  ｅｔ  ａｌ，１９９７）は可溶性部分にのみ見つかるが、ＳＢＥＩＩａ及びＳＢＥＩＩｂは可溶性部分と澱粉顆粒結合部分との両方において見つかる（Ｒａｈｍａｎ  ｅｔ  ａｌ．，１９９５）。トウモロコシでは、ＳＢＥＩＩｂが胚乳中の主たる形態である一方、ＳＢＥＩＩａは葉において比較的より強く発現し、植物全体にわたって発現するようである（Ｇａｏ  ｅｔ  ａｌ．，１９９７）。コメでは、胚乳中にＳＢＥＩＩａとＳＢＥＩＩｂとがほぼ等しい量で認められる。しかしながら、遺伝子発現のタイミングにも違いがある。ＳＢＥＩＩａは、種子発達の初期段階において発現し、開花後３日目に検出され、葉において発現したが、ＳＢＥＩＩｂは、開花後３日目に検出することができず、開花後７〜１０日目の発達中の種子に最も豊富に存在し、葉では発現しなかった。コムギ胚乳では、ＳＢＥＩＩａはＳＢＥＩＩｂよりも約３〜４倍多く発現する。禾穀類の種が異なれば示されるＳＢＥＩＩａ及びＳＢＥＩＩｂ発現は顕著に異なり、ある種において引き出された結論をすぐさま別の種に適用することはできない。特定の抗体を使用して酵素を区別することもあり得る。
【００８３】
コムギの場合を含めて各ＳＢＥ遺伝子のゲノム配列及びｃＤＮＡ配列の評価がなされた。配列アラインメントは、ヌクレオチドとアミノ酸との両方のレベルにおける高度の配列類似性にとどまらず配列の差も明らかにし、ＳＢＥＩ、ＳＢＥＩＩａ及びＳＢＥＩＩｂクラスへの分類を可能にする。コムギでは、明らかな遺伝子重複事象が各ゲノムのＳＢＥＩ遺伝子の数を増加させた（Ｒａｈｍａｎ  ｅｔ  ａｌ．，１９９９）。Ａ、Ｂ及びＤゲノムからのＳＢＥＩ遺伝子の最高発現形態における突然変異を組み合わせることによってコムギ胚乳のＳＢＥＩ活性の９７％超を消去することは、澱粉の構造または機能性に測定可能な影響を与えなかった（Ｒｅｇｉｎａ  ｅｔ  ａｌ．，２００４）。対照的に、六倍体コムギにおいて遺伝子サイレンシング構築物によってＳＢＥＩＩａ発現を低減するとアミロースレベルが高くなり（＞７０％）、一方、ＳＢＥＩＩｂ発現を低減するがＳＢＥＩＩａ発現を低減しない対応する構築物が与える影響は最小限であった（Ｒｅｇｉｎａ  ｅｔ  ａｌ．，２００６）。オオムギでは、胚乳におけるＳＢＥＩＩａとＳＢＥＩＩｂとの両方の発現を低減する遺伝子サイレンシング構築物を使用して高アミロースオオムギ穀粒が生み出された（Ｒｅｇｉｎａ  ｅｔ  ａｌ．，２０１０）。トウモロコシでは、アミロースエクステンダー（ａｅ）として知られるＳＢＥＩＩｂ突然変異体は高アミロース表現型をもたらした。
【００８４】
ＳＢＥＩとＳＢＥＩＩａとＳＢＥＩＩｂとの３つ全てのアイソフォームの活性を検出するための枝作り酵素の酵素活性アッセイは、Ｎｉｓｈｉ  ｅｔ  ａｌ．，２００１の方法に以下のような若干の変更を加えたものに基づく。電気泳動の後にゲルを、１０％のグリセロールを含有するｐＨ７．０の５０ｍＭのＨＥＰＥＳで２回洗浄し、ｐＨ７．４の５０ｍＭのＨＥＰＥＳと、５０ｍＭのグルコース−１−リン酸と、２．５ｍＭのＡＭＰと、１０％のグリセロールと、５０Ｕのホスホリラーゼａと、１ｍＭのＤＴＴと、０．０８％のマルトトリオースとからなる反応混合物中で１６時間、室温でインキュベートする。バンドを０．２％（ｗ／ｖ）のＩ２と２％のＫＩとの溶液によって可視化する。ＳＢＥＩ、ＳＢＥＩＩａ及びＳＢＥＩＩｂアイソフォームに特有の活性はこれらの電気泳動条件下で分離される。これは、抗ＳＢＥＩ、抗ＳＢＥＩＩａ及び抗ＳＢＥＩＩｂ抗体を使用するイムノブロッティングによって確認される。各バンドの強度を測定するイムノブロットの濃度測定分析を行って各アイソフォームの酵素活性のレベルを決定する。
【００８５】
澱粉枝作り酵素（ＳＢＥ）活性は、酵素アッセイによって、例えばホスホリラーゼ刺激アッセイによって、測定され得る（Ｂｏｙｅｒ  ａｎｄ  Ｐｒｅｉｓｓ，１９７８）。このアッセイは、ホスホリラーゼＡによるメタノール不溶性ポリマー（α−Ｄ−グルカン）中へのグルコース１−リン酸の組込みのＳＢＥによる刺激を測定するものである。ＳＢＥのアイソフォーム同士は異なる基質特異性を示し、例えば、ＳＢＥＩがアミロースの枝作りにおいてより高い活性を呈する一方、ＳＢＥＩＩａ及びＳＢＥＩＩｂはアミロペクチンを基質としてより高い枝作り速度を示す。ＳＢＥＩは、分岐の少ないポリグルカンを分岐させることによってＤＰ＞１６の長めの鎖を優先的に生成するが、ＳＢＥＩＩアイソエンザイムは、ＤＰ＜１２の短めの鎖を生じさせる。アイソフォームは、移されるグルカン鎖の長さによっても区別され得る。
【００８６】
禾穀類では枝切り酵素（ＤＢＥ）の２つのクラス、すなわちイソアミラーゼ（ＩＳＡ）及びプルラナーゼ（ＰＵＬ）が知られている。ＩＳＡが主に植物グリコーゲン及びアミロペクチンを枝切りするのに対し、ＰＵＬは、プルラン及びアミロペクチンに作用するが植物グリコーゲンには作用しない（Ｎａｋａｍｕｒａ  ｅｔ  ａｌ．，１９９６）。ＩＳＡの突然変異体はｓｕｇａｒｙと呼称されており、短めのアミロペクチン鎖を生成し、それゆえＩＳＡは、アミロペクチンの過剰に分岐した鎖または不適切な枝を整理する役割を担っているようである。対照的に、ＰＵＬは、澱粉合成においてだけでなく発芽中の穀粒における澱粉分解においても機能していると考えられる。
【００８７】
発達中の六倍体コムギ胚乳は、Ａ、Ｂ及びＤゲノムの各々のＳＳＩＩａ遺伝子からＳＳＩＩａを発現する。本明細書中で使用する場合、「Ａゲノムから発現するＳＳＩＩａ」すなわち「ＳＳＩＩａ−Ａ」とは、アミノ酸配列が配列番号１で示されるかまたは配列番号１で示されるアミノ酸配列と少なくとも９９％同一であるかもしくはそのような配列を含んでいる、ポリペプチドを意味する。配列番号１（Ｌｉ  ｅｔ  ａｌ．，１９９９、Ｇｅｎｂａｎｋ受託番号ＡＡＤ５３２６３）として提供されるアミノ酸配列は、本明細書では野生型ＳＳＩＩａ−Ａポリペプチドの基準配列として用いられる。配列番号１のポリペプチドの長さは、配列番号１のアミノ酸置換突然変異体と同様に、７９９アミノ酸残基である。この酵素の酵素的に活性な変異型は、コムギ、例えば、アミノ酸配列が配列番号１と９９．５％（７９５／７９９）同一である栽培品種Ｆｉｅｌｄｅｒ（受託番号ＣＡＢ９６６２６．１参照）に存在しており（Ｇａｏ  ａｎｄ  Ｃｈｉｂｂａｒ，２０００）、また、Ｔｒｉｔｉｃｕｍ  ｕｒａｒｔｕからなどの、受託番号ＣＵＳ２８０６５．１及びＣＤＩ６８２１３．１として提供されるＴｒｉｔｉｃｕｍ  ａｅｓｔｉｖｕｍの二倍体近縁種に存在している。そのような変異型は「ＳＳＩＩａ−Ａ」に含まれる。ＳＳＩＩａ−Ａは、同祖ポリペプチドであるＳＳＩＩａ−Ｂ及びＳＳＩＩａ−Ｄを含まない、というのも、それらのポリペプチドは配列番号１と約９６％同一であるからである。
【００８８】
本明細書中で使用する場合、「Ｂゲノムから発現するＳＳＩＩａ」すなわち「ＳＳＩＩａ−Ｂ」とは、アミノ酸配列が配列番号２で示されるかまたは配列番号２で示されるアミノ酸配列と少なくとも９９％同一であるかもしくはそのような配列を含んでいる、ポリペプチドを意味する。配列番号２（Ｇｅｎｂａｎｋ受託番号ＣＡＢ９９６２７．１）として提供されるアミノ酸配列は、コムギ品種ＦｉｅｌｄｅｒのＢゲノムから発現する澱粉合成酵素ＩＩａに対応し、本明細書ではそれを野生型ＳＳＩＩａ−Ｂポリペプチドの基準配列として用いる。配列番号２のポリペプチドの長さは、配列番号２のアミノ酸置換突然変異体と同様に、７９８アミノ酸である。この酵素の酵素的に活性な変異型はコムギに存在しており、そのような変異型は「ＳＳＩＩａ−Ｂ」に含まれる。ＳＳＩＩａ−Ｂは、同祖ポリペプチドであるＳＳＩＩａ−Ａ及びＳＳＩＩａ−Ｄを含まない、というのも、それらのポリペプチドは配列番号２と約９６％同一であるからである（Ｌｉ  ｅｔ  ａｌ．，１９９９）。
【００８９】
本明細書中で使用する場合、「Ｄゲノムから発現するＳＳＩＩａ」すなわち「ＳＳＩＩａ−Ｄ」とは、アミノ酸配列が配列番号３で示されるかまたは配列番号３で示されるアミノ酸配列と少なくとも９９％同一であるかもしくはそのような配列を含んでいる、ポリペプチドを意味する。配列番号３（Ｇｅｎｂａｎｋ受託番号ＢＡＥ４８８００、Ｓｈｉｍｂａｔａ  ｅｔ  ａｌ．，２００５）のアミノ酸配列は、コムギ栽培品種チャイニーズスプリングのＤゲノムから発現するＳＳＩＩａに対応し、本明細書ではそれを野生型ＳＳＩＩａ−Ｄの基準配列として用いる。配列番号３のタンパク質の長さは７９９アミノ酸である。この酵素の酵素的に活性な変異型はコムギ、例えば、アミノ酸配列が配列番号３と９９．９％（７９８／７９９）同一である栽培品種Ｆｉｅｌｄｅｒ（受託番号ＣＡＢ８６６１８参照）に存在しており（Ｇａｏ  ａｎｄ  Ｃｈｉｂｂａｒ，２０００）、また、六倍体コムギのＤゲノムの始祖である可能性のある、受託番号ＣＡＢ８６６１８として提供されるＡｅｇｉｌｏｐｓ  ｔａｕｓｃｈｉｉなどの、Ｔｒｉｔｉｃｕｍ  ａｅｓｔｉｖｕｍの二倍体近縁種に存在している。そのような変異型は「ＳＳＩＩａ−Ｄ」に含まれる。ＳＳＩＩａ−Ｄは、同祖ポリペプチドであるＳＳＩＩａ−Ａ及びＳＳＩＩａ−Ｂを含まない、というのも、それらのポリペプチドは配列番号３と約９６％同一であるからである。配列番号３として提供されるアミノ酸配列は、配列番号１及び配列番号２の各々と９５．９％同一である。３つのアミノ酸配列のアラインメントは、タンパク質を区別するために、または変異型をＳＳＩＩａ−Ａ、ＳＳＩＩａ−ＢもしくはＳＳＩＩａ−Ｄとして分類するために使用され得るアミノ酸差異を示す。
【００９０】
これに関して、アミノ酸配列を比較して同一性百分率を例えばＢｌａｓｔｐによって決定する場合には、完全長配列を比較せねばならず、配列内のギャップをアミノ酸差異として数に入れねばならない。
【００９１】
本明細書中で使用する場合、「ＳＳＩＩａポリペプチド」は、ＳＳＩＩａ−Ａポリペプチド、ＳＳＩＩａ−ＢポリペプチドまたはＳＳＩＩａ−Ｄポリペプチドを意味する。
【００９２】
本明細書中で使用する場合、ＳＳＩＩａ−Ａ、ＳＳＩＩａ−Ｂ及びＳＳＩＩａ−Ｄポリペプチドの各々は、野生型または本質的に野生型の酵素活性を有するポリペプチドだけでなく、澱粉合成酵素の酵素活性が低下しているかまたはなくなっているポリペプチド変異型も含む。ＳＳＩＩａポリペプチドの突然変異形態のアミノ酸配列と配列番号１、２及び３との比較は、それがＳＳＩＩａ−Ａ、−Ｂ及び−Ｄポリペプチドのうちのどれに由来するかを判定するために、ならびに突然変異形態を分類するために用いられる。例えば、突然変異体ＳＳＩＩａポリペプチドは、そのアミノ酸配列が配列番号２及び配列番号３との場合に比べて配列番号１とのより密接な関係を有する、つまり、より高度な配列同一性を有するならば、突然変異体ＳＳＩＩａ−Ａポリペプチドであるとみなされる。同様に、突然変異体ＳＳＩＩａポリペプチドは、それが配列番号１または３との場合に比べて配列番号２とのより密接な関係を有するならば、突然変異体ＳＳＩＩａ−Ｂポリペプチドであり、また、突然変異体ＳＳＩＩａポリペプチドは、それが配列番号１及び２との場合に比べて配列番号３とのより密接な関係を有するならば、突然変異体ＳＳＩＩａ−Ｄポリペプチドである。当業者であればそれによって突然変異体ＳＳＩＩａポリペプチドを分類することができる。
【００９３】
突然変異体ＳＳＩＩａポリペプチドは、低下した澱粉合成酵素活性を有し得る（部分突然変異体）か、または澱粉合成酵素活性を欠く（ヌル突然変異体ポリペプチド）。突然変異ＳＳＩＩａ遺伝子は、発現してコムギ胚乳中にＳＳＩＩａポリペプチド、例えば切り詰められたポリペプチドを生成するものであり得るか、またはそれは発現せずポリペプチドを全く生成しないものであり得る。それはまた、発現して転写産物を生成するが翻訳産物は生成しないものであり得る。
【００９４】
また、ＳＳＩＩａタンパク質が、穀粒中、とりわけ一般的に商用に収穫される成熟穀粒中に存在し得るものの、穀粒中での生理学的状態ゆえに不活性または休眠状態にあり得る、ということは理解される。そのようなポリペプチドは、本明細書中で使用される「ＳＳＩＩａポリペプチド」に含まれる。ＳＳＩＩａポリペプチドは穀粒発達のごく一部の間だけ、特に、貯蔵澱粉が通常どおり蓄積されるときに発達している胚乳中で、酵素的に活性であり得るが、そうでなければ不活性状態にあり得る。そのようなＳＳＩＩａポリペプチドは、ウェスタンブロット分析などの免疫学的方法を用いて容易に検出及び定量され得る。
【００９５】
したがって、ＳＳＩＩａ−Ａポリペプチドについて言及するときに本明細書中で使用される「野生型」とは、アミノ酸配列が配列番号１で示されるポリペプチドまたは、天然にみられかつ配列番号１と本質的に同じ活性を有しアミノ酸配列が少なくとも９９％同一である酵素的に活性な変異型を意味する。ＳＳＩＩａ−Ｂについて言及するときに本明細書中で使用される「野生型」とは、アミノ酸配列が配列番号２で示されるポリペプチドまたは、天然にみられかつ配列が配列番号２として提供されるポリペプチドと本質的に同じ活性を有しアミノ酸配列が少なくとも９９％同一である酵素的に活性な変異型を意味する。ＳＳＩＩａ−Ｄについて言及するときに本明細書中で使用される「野生型」とは、アミノ酸配列が配列番号３で示されるポリペプチドまたは、天然にみられかつ配列が配列番号３として提供されるポリペプチドと本質的に同じ活性を有しアミノ酸配列が少なくとも９９％同一である酵素的に活性な変異型を意味する。各々の場合において、野生型ポリペプチドは、澱粉合成酵素ＩＩ活性を有し、本発明による改変がなされていない。
【００９６】
野生型コムギは、ＳＳＩＩポリペプチドの２つの他のクラス、すなわちＳＳＩＩｂ及びＳＳＩＩｃポリペプチドを生成する。本明細書中で使用する場合、「Ａゲノムから発現するＳＳＩＩｂ」すなわち「ＳＳＩＩｂ−Ａ」とは、アミノ酸配列が配列番号１０で示されるかまたは配列番号１０で示されるアミノ酸配列と少なくとも９９％同一であるかもしくはそのような配列を含んでいる、ポリペプチドを意味する。配列番号１０（Ｇｅｎｂａｎｋ受託番号ＡＫ３３２７２４のヌクレオチド配列から推測したもの）として提供されるアミノ酸配列は、本明細書では野生型ＳＳＩＩｂ−Ａポリペプチドの基準配列として用いられる。配列番号１０のポリペプチドの長さは６７６アミノ酸残基である。この酵素の酵素的に活性な変異型は「ＳＳＩＩｂ−Ａ」に含まれる。ＳＳＩＩｂ−Ａは、配列番号８と約９０％同一である同祖ポリペプチドＳＳＩＩｂ−Ｄを含まない。
【００９７】
本明細書中で使用する場合、「Ｄゲノムから発現するＳＳＩＩｂ」すなわち「ＳＳＩＩｂ−Ｄ」とは、アミノ酸配列が配列番号１１で示されるかまたは配列番号１１で示されるアミノ酸配列と少なくとも９９％同一であるかもしくはそのような配列を含んでいる、ポリペプチドを意味する。配列番号１１（Ｇｅｎｂａｎｋ受託番号ＡＢＹ５６８２４）として提供されるアミノ酸配列は、パンコムギのＤゲノムから発現する澱粉合成酵素ＩＩｂに対応し、本明細書ではそれを野生型ＳＳＩＩｂ−Ｄポリペプチドの基準配列として用いる。配列番号１１のポリペプチドの長さは６７４アミノ酸である。この酵素の酵素的に活性な変異型は「ＳＳＩＩｂ−Ｄ」に含まれる。ＳＳＩＩｂ−Ｄは、配列番号１１と約９０％同一である同祖ポリペプチドＳＳＩＩｂ−Ａを含まない。
【００９８】
ＳＳＩＩａホメオログとＳＳＩＩｂホメオログはアミノ酸配列が７１〜７９％同一であり、それゆえ、酵素活性が類似してはいるものの、ポリペプチドを容易に区別することができる。
【００９９】
本明細書の実施例２で記載しているように、コムギＳＳＩＩｃ配列も同定され、容易にＳＳＩＩａ配列と区別することができた。
【０１００】
本明細書中で使用する場合、「ＳＳＩＩａ遺伝子」及び「コムギＳＳＩＩａ遺伝子」などの用語は、他のコムギ品種に存在している相同ポリペプチドなどの野生型ＳＳＩＩａポリペプチドを含めたＳＳＩＩａポリペプチドをコードする遺伝子、及び活性が低下しているか活性が検出不可能であるかのどちらかであるＳＳＩＩａポリペプチドをコードする突然変異形態の遺伝子、またはそれから突然変異によって派生する遺伝子を指す。ＳＳＩＩａ遺伝子としては、限定されないが例えば、表１中に列挙されＳＳＩＩａ遺伝子として注記されているゲノム配列及びｃＤＮＡ配列を含めた、クローニングされたコムギＳＳＩＩａ遺伝子が挙げられる。ＳＳＩＩａ遺伝子という用語は、より具体的な、ＳＳＩＩａ−Ａ、ＳＳＩＩａ−Ｂ及びＳＳＩＩａ−Ｄポリペプチドをそれぞれコードする「ＳＳＩＩａ−Ａ遺伝子」、「ＳＳＩＩａ−Ｂ遺伝子」及び「ＳＳＩＩａ−Ｄ遺伝子」という各用語、またはそのような遺伝子から派生する突然変異体を総合的に含む。本明細書中で使用される場合、ＳＳＩＩａ遺伝子は、いかなるポリペプチドも全くコードしないかまたは澱粉合成酵素活性を有さないポリペプチドをコードする突然変異形態を包含するが、その場合、突然変異形態は、当該遺伝子のヌル対立遺伝子に相当するものである。当該遺伝子の対立遺伝子には、遺伝子全体が欠失している場合を含めて遺伝子の少なくとも一部が欠失している突然変異対立遺伝子が含まれ、当該対立遺伝子も当該遺伝子のヌル対立遺伝子に相当する。
【０１０１】
「内在性ＳＳＩＩａ遺伝子」とは、野生型及び突然変異形態を含めたコムギゲノム中のその天然の位置にあるＳＳＩＩａ遺伝子を指す。当技術分野では理解されることであるが、パンコムギなどの六倍体コムギが、Ａ、Ｂ及びＤゲノムと一般に呼ばれる３つのゲノムを含む一方、デュラムコムギなどの四倍体コムギは、Ａ及びＢゲノムと一般に呼ばれる２つのゲノムを含む。各ゲノムは、減数分裂中に細胞学的方法で観察され得る７対の染色体を含み、当技術分野でよく知られているようにこのように同定がなされる。六倍体コムギでは、内在性のＳＳＩＩａ−Ａ遺伝子、ＳＳＩＩａ−Ｂ遺伝子及びＳＳＩＩａ−Ｄ遺伝子はそれぞれ染色体７Ａ、７Ｂ及び７Ｄの短いアーム上に位置する。対照的に、「単離されたＳＳＩＩａ遺伝子」及び「外因性ＳＳＩＩａ遺伝子」は、その天然の位置にない、例えば、コムギ植物から除去された、クローニングされた、合成された、ベクター中に含まれている、または細胞内で導入遺伝子の形態にある、ＳＳＩＩａ遺伝子、例えば遺伝子導入コムギ植物中の導入遺伝子を指す。これに関して、ＳＳＩＩａ遺伝子は、以下に記載されている具体的形態のいずれかであり得る。
【表１ａ】
2019527054.tif 000002
【表１ｂ】
2019527054.tif 000003
【表１ｃ】
2019527054.tif 000004
【０１０２】
本明細書中で使用する場合、「コムギのＡゲノム上のＳＳＩＩａ遺伝子」すなわち「ＳＳＩＩａ−Ａ遺伝子」とは、本明細書において定義されるＳＳＩＩａ−Ａポリペプチドをコードする、またはコムギ植物のＳＢＥＩＩａ−Ａをコードするポリヌクレオチドに由来する、天然に存在するポリヌクレオチド、配列変異型または合成ポリヌクレオチドを含めた任意のポリヌクレオチドを意味し、それには、本質的に野生型ＳＳＩＩａ活性を有するＳＳＩＩａ−Ａポリペプチドをコードする「野生型ＳＳＩＩａ−Ａ遺伝子（複数可）」、及び本質的な野生型ＳＳＩＩａ活性を有するＳＳＩＩａ−Ａポリペプチドはコードしないが識別可能に野生型ＳＳＩＩａ−Ａ遺伝子に由来している「突然変異ＳＳＩＩａ−Ａ遺伝子（複数可）」が含まれる。ＳＳＩＩａ遺伝子の突然変異形態のヌクレオチド配列と、一揃いの野生型ＳＳＩＩａ遺伝子との比較は、それがどのＳＳＩＩａ遺伝子に由来するかを判定するために、及びそのようにしてそれを分類するために、用いられる。例えば、突然変異ＳＳＩＩａ遺伝子は、そのヌクレオチド配列が他のどのＳＳＩＩａ遺伝子との場合に比べても野生型ＳＳＩＩａ−Ａ遺伝子とのより密接な関係を有する、つまり、より高度な配列同一性を有するならば、突然変異ＳＳＩＩａ−Ａ遺伝子であるとみなされる。突然変異ＳＳＩＩａ−Ａ遺伝子は、澱粉合成酵素活性が低下したＳＳＩＩａポリペプチドをコードする（部分突然変異体）かまたは、澱粉合成酵素活性を欠くポリペプチドをコードするかもしくはタンパク質を全くコードしない（ヌル突然変異遺伝子）。ＳＳＩＩａ−Ａ遺伝子に対応するｃＤＮＡの例示的なヌクレオチド配列は配列番号４（Ｇｅｎｂａｎｋ受託番号ＡＦ１５５２１７；Ｌｉ  ｅｔ  ａｌ．，１９９９）で示される。他の例示的なヌクレオチド配列は、受託番号ＡＫ３３０８３８（栽培品種チャイニーズスプリングからのＳＳＩＩａ−Ａ遺伝子からのｃＤＮＡ、Ｋａｗａｕｒａ  ｅｔ  ａｌ．，２００９）及び、栽培品種ＦｉｅｌｄｅｒからのＳＳＩＩａ−Ａ遺伝子からのｃＤＮＡを提供する受託番号ＡＪ２６９５０３（Ｇａｏ  ａｎｄ  Ｃｈｉｂｂａｒ，２０００）で提供される。
【０１０３】
本明細書中で使用する場合、「Ｂゲノム上のＳＳＩＩａ遺伝子」すなわち「ＳＳＩＩａ−Ｂ遺伝子」、及び「Ｄゲノム上のＳＳＩＩａ遺伝子」すなわち「ＳＳＩＩａ−Ｄ遺伝子」という用語は、前段落でのＳＳＩＩａ−Ａについての意味に対応する意味を有する。ＳＳＩＩａ−Ｂ遺伝子に対応するｃＤＮＡの例示的なヌクレオチド配列は配列番号５（Ｇｅｎｂａｎｋ受託番号ＡＪ２６９５０４；Ｇａｏ  ａｎｄ  Ｃｈｉｂｂａｒ  ２０００）で示され、ＳＳＩＩａ−Ｄ遺伝子の場合は配列番号６（Ｇｅｎｂａｎｋ受託番号ＡＪ２６９５０２；栽培品種Ｆｉｅｌｄｅｒからのもの、Ｇａｏ  ａｎｄ  Ｃｈｉｂｂａｒ，２０００）で示される。本明細書では図２〜４において参照されるようにＳＳＩＩａ遺伝子の一部の配列も示されている。
【０１０４】
本明細書中で使用する場合、「コムギのＡゲノム上のＳＳＩＩｂ遺伝子」すなわち「ＳＳＩＩｂ−Ａ遺伝子」とは、本明細書において定義されるＳＳＩＩｂ−Ａポリペプチドをコードする、またはコムギ植物のＳＳＩＩｂ−Ａをコードするポリヌクレオチドに由来する、天然に存在するポリヌクレオチド、配列変異型または合成ポリヌクレオチドを含めた任意のポリヌクレオチドを意味し、それには、本質的に野生型ＳＳＩＩｂ活性を有するＳＳＩＩｂ−Ａポリペプチドをコードする「野生型ＳＳＩＩｂ−Ａ遺伝子（複数可）」、及び本質的に野生型活性を有するＳＳＩＩｂ−Ａポリペプチドはコードしないが識別可能に野生型ＳＳＩＩｂ−Ａ遺伝子に由来している「突然変異ＳＳＩＩｂ−Ａ遺伝子（複数可）」が含まれる。ＳＳＩＩｂ遺伝子の突然変異形態のヌクレオチド配列と、一揃いの野生型ＳＳＩＩｂ遺伝子との比較は、それがどのＳＳＩＩｂ遺伝子に由来するかを判定するために、及びそのようにしてそれを分類するために、用いられる。例えば、突然変異ＳＳＩＩｂ遺伝子は、そのヌクレオチド配列が他のどのＳＳＩＩｂ遺伝子との場合に比べても野生型ＳＳＩＩｂ−Ａ遺伝子とのより密接な関係を有する、つまり、より高度な配列同一性を有するならば、突然変異ＳＳＩＩｂ−Ａ遺伝子であるとみなされる。突然変異ＳＳＩＩｂ−Ａ遺伝子は、澱粉合成酵素活性が低下したＳＳＩＩｂポリペプチドをコードする（部分突然変異体）かまたは、澱粉合成酵素活性を欠くポリペプチドをコードするかもしくはタンパク質を全くコードしない（ヌル突然変異遺伝子）。ＳＳＩＩｂ−Ａ遺伝子に対応するｃＤＮＡの例示的なヌクレオチド配列は配列番号１２（Ｇｅｎｂａｎｋ受託番号ＡＫ３３２７２４）で示される。
【０１０５】
本明細書中で使用する場合、「Ｂゲノム上のＳＳＩＩａ遺伝子」すなわち「ＳＳＩＩａ−Ｂ遺伝子」、及び「Ｄゲノム上のＳＳＩＩａ遺伝子」すなわち「ＳＳＩＩａ−Ｄ遺伝子」という用語は、前段落でのＳＳＩＩａ−Ａについての意味に対応する意味を有する。ＳＳＩＩａ−Ｂ遺伝子に対応するｃＤＮＡの例示的なヌクレオチド配列は配列番号５（Ｇｅｎｂａｎｋ受託番号ＡＪ２６９５０４；Ｇａｏ  ａｎｄ  Ｃｈｉｂｂａｒ  ２０００）で示され、ＳＳＩＩａ−Ｄ遺伝子の場合は配列番号６（Ｇｅｎｂａｎｋ受託番号ＡＪ２６９５０２；栽培品種Ｆｉｅｌｄｅｒからのもの、Ｇａｏ  ａｎｄ  Ｃｈｉｂｂａｒ，２０００）で示される。
【０１０６】
上で定義したＳＳＩＩａ遺伝子には、関連する転写領域の発現を調節し転写領域の５’または３’である、プロモーター領域を含めた任意の調節配列、及び転写領域内のイントロンが含まれる。ＳＳＩＩａ遺伝子の例示的なヌクレオチド配列は配列番号７として提供され、これはコムギのＡゲノムからのＳＳＩＩａ−Ａ遺伝子のヌクレオチド配列を提供するものであり、受託番号ＡＢ２０１４４５である。同様に、コムギの野生型ＳＳＩＩａ−Ｂ遺伝子のヌクレオチド配列は受託番号ＡＢ２０１４４６（ＩＷＧＳＣ：染色体７ＤＳ、Ｔｒａｅｓ＿７ＤＳ＿Ｅ６Ｃ８ＡＦ７４３、３８７７７８７：１〜３９６ｂｐ、５１３７〜５４１９ｂｐ  順方向鎖）として提供され、コムギのＳＳＩＩａ−Ｄ遺伝子の場合は受託番号ＡＢ２０１４４７（ＩＷＧＳＣ：染色体７ＤＳ、Ｔｒａｅｓ＿７ＤＳ＿Ｅ６Ｃ８ＡＦ７４３、３８７７７８７：１〜３９６ｂｐ、５１３７〜５４１９ｂｐ  順方向鎖）として提供される。これら野生型遺伝子の各々は、コムギ栽培品種チャイニーズスプリングからのものであった（Ｓｈｉｍｂａｔａ  ｅｔ  ａｌ．，２００５）。
【０１０７】
種々のコムギ品種からのＳＳＩＩａ遺伝子の配列に天然の多様性が存在することは理解されよう。当業者であれば同祖遺伝子を配列同一性に基づいて容易に認識できる。同祖の野生型ＳＳＩＩａ遺伝子のヌクレオチド配列同士及び野生型ポリペプチドのアミノ酸配列同士の配列同一性の度合いは９５〜９６％である。
【０１０８】
対立遺伝子は、単一の遺伝子座にある遺伝子の変異型である。二倍体生物は染色体の組を２つ有する。六倍体コムギは、染色体の組が６つであり、各組には染色体が７本あり、Ａ−、Ｂ−、及びＤ−ゲノムに寄与している３つの祖先二倍体植物の交雑によって生じたと考えられている。１対の染色体の各染色体は各遺伝子の１つのコピー（すなわち１つの対立遺伝子）を有する。遺伝子の両対立遺伝子が同じであるならば、生物はその対立遺伝子または遺伝子に関してホモ接合体である。遺伝子の２つの対立遺伝子が異なっているならば、生物はその遺伝子に関してヘテロ接合体である。遺伝子座における対立遺伝子間の相互作用は一般に、休眠型または劣性と表現される。コムギ植物または穀粒において、遺伝子の２つの対立遺伝子は、互いに同じ突然変異を有し得、よってその突然変異についてホモ接合型であると言われ、または２つの対立遺伝子は、互いに異なる突然変異を含み得、それらの突然変異についてヘテロ接合型であると言われる。遺伝子の異なる対立遺伝子または多数の遺伝子は、当技術分野で知られている方法を用いて組み合わされ得る。例えば、遺伝子について異なる対立遺伝子を有している２つの親コムギ植物を交配して、両対立遺伝子をヘテロ接合状態で含有する子孫（Ｆ１）が作り出され得、その後、子孫植物が自家受粉して、メンデル遺伝学に則って対立遺伝子の一方もしくは他方をホモ接合状態で含むかまたは両対立遺伝子をヘテロ接合状態で含むさらなる世代の植物（Ｆ２）が生じる。
【０１０９】
いかなる活性酵素もコードしない、またはその産生をもたらすことができない対立遺伝子は、ヌル対立遺伝子である。そのようなヌル対立遺伝子は、ポリペプチドをコードするものでも、コードしないものでもあり得、例えば、切り詰められたポリペプチド、または野生型ＳＳＩＩａポリペプチドに比べてアミノ酸配列に不活性化変化を有するポリペプチドをコードするものであり得る。
【０１１０】
ヌル突然変異（複数可）に対する言及は、独立して欠失突然変異、挿入突然変異、スプライス部位突然変異、未成熟翻訳停止突然変異、及びフレームシフト突然変異、またはそれらの任意の組み合わせからなる群から選択されるヌル突然変異を含む。一実施形態では、ヌル突然変異のうちの１つ以上が非保存的アミノ酸置換突然変異であるか、または１つのヌル突然変異が２つ以上の非保存的アミノ酸置換の組み合わせを有している。これに関して、非保存的アミノ酸置換は本明細書において定義されているとおりである。
【０１１１】
機能喪失突然変異は、遺伝子の対立遺伝子における部分的機能喪失突然変異、及び完全機能喪失突然変異（ヌル突然変異）を含むが、穀粒中のＳＳＩＩａ酵素などの酵素のレベルまたは活性の低下につながる対立遺伝子の突然変異を意味する。対立遺伝子の突然変異とは、例えば、野生型活性もしくは低下した活性を有するタンパク質がより少なく翻訳されること、または野生型レベルもしくは低下したレベルでの転写に続いて酵素活性の低下した酵素が翻訳されること、または好ましくは、突然変異体の対立遺伝子が野生型に比べて低下した速度で転写されていかなる転写産物の活性も対応する野生型ポリペプチドより低いことを意味し得る。突然変異は、例えば、突然変異を含む遺伝子から転写されるＲＮＡがないかもしくは少ないこと、または産生するポリペプチドの活性がないかもしくは野生型に比べて低いこと、好ましくはそれらの両方をもたらし得る。対立遺伝子からの例えばＲＴ−ＰＣＲアッセイによって検出される転写産物がない場合、その結果は、対立遺伝子がヌル対立遺伝子であることを示唆している。
【０１１２】
「点突然変異」は、単一ヌクレオチドの欠失、置換または挿入を含めた単一ヌクレオチド塩基変化を指す。点突然変異はさらに、スプライス部位突然変異、未成熟翻訳停止突然変異、フレームシフト突然変異、またはその他の、タンパク質が突然変異の結果として産生されなくなるかもしくはタンパク質が少ない量で産生するかもしくは産生するタンパク質のＳＳＩＩ活性が低くなる機能喪失突然変異であり得る。遺伝子のタンパク質コード領域におけるフレームシフト突然変異は、コードされるポリペプチドの構造に対するその影響ゆえに、ヌル突然変異とみなされる。同様に、未成熟翻訳停止突然変異は、それが遺伝子のタンパク質コード領域のＣ末端に非常に近い所で起こっている場合を除いてヌル突然変異とみなされるが、当該場合においては酵素アッセイを用いてポリペプチドが酵素活性を有するか否かを判定することができる。いくつかの実施形態では、点突然変異は、保存的であるかまたは好ましくは非保存的であるアミノ酸置換をもたらす。
【０１１３】
「減少した」または「より低い」、ポリペプチドまたは酵素活性の量またはレベルは、対応する野生型対立遺伝子または遺伝子によってもたらされる量またはレベルに比べて量またはレベルが減少しているかまたはより低いことを意味する。典型的には、減少とは、野生型に比べて少なくとも４０％、好ましくは少なくとも５０％または少なくとも６０％、より好ましくは少なくとも８０％または９０％減少していることである。最も好ましい実施形態においては、例えば本明細書に記載のウェスタンブロットアッセイで、タンパク質、好ましくはＳＳＩＩａ−Ａ、ＳＳＩＩａ−Ｂ及びＳＳＩＩａ−Ｄの各々が検出されない。
【０１１４】
「低減された」活性とは、野生型酵素、例えば、ＳＳＩＩａ、ＳＳＳＩＩａまたはその他の酵素に比べて低減されていることを意味する。
【０１１５】
タンパク質「活性」は、当技術分野で知られており本明細書において記載されている様々な手段で直接または間接的に測定され得るＳＳ活性を指す。
【０１１６】
いくつかの実施形態では、ＳＳＩＩａまたは他のポリペプチドの重量表示での量は、たとえ穀粒中のポリペプチドの数が野生型における場合と同じであったとしても減少しており、しかしながら各分子は野生型よりも低い活性を有する。例えば、産生するポリペプチドは、突然変異体のＳＳＩＩａタンパク質または他のタンパク質が未成熟翻訳停止シグナルのために切り詰められる場合に起こるように、野生型ＳＳＩＩａタンパク質または他のタンパク質よりも短くなる。
【０１１７】
本明細書中で使用する場合、「ＳＳＩＩａ−Ａ遺伝子の２つの同一対立遺伝子」とは、ＳＳＩＩａ−Ａ遺伝子の２つの対立遺伝子が互いに同一である、つまり植物または穀粒がそれらの対立遺伝子またはその遺伝子についてホモ接合体であることを意味し、「ＳＳＩＩａ−Ｂ遺伝子の２つの同一対立遺伝子」とは、ＳＳＩＩａ−Ｂ遺伝子の２つの対立遺伝子が互いに同一であることを意味し、「ＳＳＩＩａ−Ｄ遺伝子の２つの同一対立遺伝子」とは、ＳＳＩＩａ−Ｄ遺伝子の２つの対立遺伝子が互いに同一であることを意味    する。
【０１１８】
本発明のコムギ植物は、突然変異誘発後に作り出され得、同定され得る。いくつかの実施形態では、コムギ植物は、非遺伝子導入型であり（それはいくつかの市場では望ましいことである）、またはそれは、ＳＳＩＩａ遺伝子の発現を低減するいかなる外因性核酸分子も含まない。別の実施形態では、コムギ植物は遺伝子導入型であり、例えばそれは、ＳＳＩＩａ遺伝子及び／またはＳＢＥＩＩａ遺伝子の発現を低減するもの以外の外因性核酸分子、例えば植物に殺虫剤耐性を付与するポリペプチドをコードする外因性核酸分子を含む。
【０１１９】
単一のＳＳＩＩａ遺伝子に突然変異を有している突然変異コムギ植物は、植物の交配と、他のＳＳＩＩａ遺伝子突然変異を有する子孫の選抜とによって組み合わされて本発明のコムギ植物を生み出すことができるものである場合、人工のもの、例えば核酸に対する部位特異的変異導入を行うことによるものか、突然変異誘発処理によって誘導されるものかのどちらかであり得、または天然に存在するもの、つまり天然源から単離されたものであってもよい。いくつかの実施形態では、祖先植物細胞、組織、種子または植物を突然変異誘発に供して単一または多数の突然変異、例えば、ヌクレオチド置換、欠失、挿入及び／またはコドン改変をもたらしてもよい。本発明の好ましいコムギ植物及び穀粒は、導入された少なくとも１つのＳＳＩＩａ遺伝子突然変異、より好ましくは導入された２つ以上のＳＳＩＩａ遺伝子突然変異を含み、天然源からの突然変異を含まないものであり得、つまり、植物中の全ての突然変異ＳＳＩＩａ対立遺伝子が、人工的手段または突然変異誘発処理によって得られたものである。本明細書中で使用する場合、「誘導された突然変異」または「導入された突然変異」は、化学物質、放射線または生物学に基づく突然変異誘発の結果であり得る人為的に誘導された遺伝的多様性であり、例えば、トランスポゾンもしくはＴ−ＤＮＡ挿入、またはエンドヌクレアーゼ誘導突然変異である。
【０１２０】
突然変異誘発は、当技術分野でよく知られている化学的手段または放射線手段、例えば、種子のＥＭＳもしくはアジ化ナトリウム（Ｚｗａｒ  ａｎｄ  Ｃｈａｎｄｌｅｒ，１９９５）処理、またはガンマ照射によって成し遂げることができる。化学的突然変異誘発は、欠失よりもヌクレオチド置換に有利に働く傾向にある。重イオンビーム（ＨＩＢ）照射は、新しい植物栽培品種を作り出す突然変異育種に有効な技術として知られている。例えば、Ｈａｙａｓｈｉ  ｅｔ  ａｌ．，２００７及びＫａｚａｍａ  ｅｔ  ａｌ，２００８を参照されたい。イオンビーム照射は、ＤＮＡ損傷の量及びＤＮＡ欠失の大きさを決定付ける生物学的影響に関して線量（ｇｙ）とＬＥＴ（線エネルギー付与、ｋｅＶ／ｕｍ）との２つの物理的因子を有し、これらは突然変異誘発の所望の程度に応じて調節することができる。ＨＩＢは突然変異体の集まりを生成し、それらの多くは、特異的なＳＳＩＩａ遺伝子における突然変異のスクリーニングがなされ得る欠失を含んでいる。同定される突然変異体は、突然変異を起こしたゲノムにおける非連鎖突然変異を除去する、したがってその影響を軽減するために、反復親としての非突然変異型コムギ植物と戻し交配され得る。
【０１２１】
突然変異体の単離は、突然変異を起こした植物または種子に対してスクリーニングを行うことによって成し遂げられ得る。例えば、突然変異を起こしたコムギ集団に対して、ＳＳＩＩａ遺伝子型の直接的なスクリーニング、またはＳＳＩＩａ遺伝子の突然変異に起因する表現型をスクリーニングすることによる間接的なスクリーニングを行ってもよい。遺伝子型の直接的なスクリーニングは、好ましくは、ＳＳＩＩａ遺伝子における突然変異の存在を検査することを含み、これは、遺伝子のうちのいくつかが消去されている場合に予想される特異的ＳＳＩＩａマーカーの非存在によって、ＰＣＲアッセイで、またはＴＩＬＬＩＮＧのようにヘテロ二本鎖に基づくアッセイで観察され得る。スクリーニングは、候補突然変異体のプールに大抵基づくヌクレオチド配列決定に基づいていることが好ましい。表現型のスクリーニングは、ＥＬＩＳＡまたは親和性クロマトグラフィーによって１つ以上のＳＳＩＩａポリペプチドの喪失またはその量の減少をスクリーニングするかまたは穀粒澱粉中の変化した澱粉表現型をスクリーニングすることを含み得る。六倍体コムギでは、スクリーニングは、ＳＳＩＩａ活性のうちの１つまたは２つを既に欠く遺伝子型、例えば３つのゲノムのうちの２つのＳＳＩＩａ遺伝子が既に突然変異体であるコムギ植物において行われることが好ましく、そうすることで、機能活性をさらに欠く突然変異体が探索される。親和性クロマトグラフィーは、ＳＳＩＩａ−Ａ、ＳＳＩＩａ−Ｂ及びＳＳＩＩａ−Ｄポリペプチドを区別するために行われ得る。突然変異を起こした種子の大集団（数千種類または数万種類の種子）に対する高アミロース表現型のスクリーニングは、近赤外分光法（ＮＩＲ）を用いて行われ得る。これらの手段により、高処理量スクリーニングは、容易に達成されることができ、数百種類の種子につきおよそ１つの頻度で突然変異体を単離することを可能にする。
【０１２２】
ＴＩＬＬＩＮＧ（ゲノムにおける誘導局所損傷の標的化）として知られるプロセスを用いれば、この方法によってコムギ植物または穀粒における突然変異のうちの１つ以上が生じ得るという点において本発明の植物及び種子を作り出すことができる。最初のステップでは、種子または花粉を化学物質または放射線の変異原で処理すること、及びその後に植物を突然変異が安定的に継承される世代、典型的にはホモ接合型突然変異体が同定され得るＭ２世代まで進めることによって、導入される突然変異、例えば新規な単一塩基対変化が植物集団において誘導される。ＤＮＡを抽出し、集団の全てのメンバーからの種子を貯蔵して、時を経て繰り返し入手することができる資源を作出する。ＴＩＬＬＩＮＧアッセイのために、ＰＣＲプライマーは、関心対象の単一の遺伝子標的を特異的に増幅するように設計される。次に、色素標識されたプライマーを使用して、多個体のプールされたＤＮＡからＰＣＲ産物を増幅することができる。これらのＰＣＲ産物を変性させ、再アニーリングして、ミスマッチ塩基対を形成させる。ミスマッチすなわちヘテロ二本鎖は、天然に存在する一塩基多型（ＳＮＰ）（つまり、集団からのいくつかの植物は同じ多型を保有している可能性がある）と、誘導されたＳＮＰ（つまり、ごく稀な個体植物は突然変異を呈する可能性がある）との両方を表す。ヘテロ二本鎖形成後、ミスマッチＤＮＡを認識及び切断するＣｅｌ  Ｉなどのエンドヌクレアーゼ、または高分解能融解を、ＴＩＬＬＩＮＧ集団中の新規ＳＮＰの発見のために用いる。例えば、Ｂｏｔｔｉｃｅｌｌａ  ｅｔ  ａｌ．，２０１１を参照されたい。
【０１２３】
この手法を用いれば、何千種類もの植物に対してスクリーニングを行って、任意の遺伝子またはゲノムの特定領域における単一塩基変化または小さい挿入もしくは欠失（１〜３０ｂｐ）を有する任意の個体を同定することができる。検査使用とするゲノム断片の大きさは０．３〜１．６ｋｂの範囲であり得る。８倍のプールを形成し、１アッセイあたり９６レーンを使用して１．４ｋｂ断片を増幅することで、この組み合わせは、アッセイ１回につき、百万塩基対に達するゲノムＤＮＡに対してスクリーニングを行うことを可能にし、ＴＩＬＬＩＮＧを高処理量技術にする。ＴＩＬＬＩＮＧについてはＳｌａｄｅ  ａｎｄ  Ｋｎａｕｆ，２００５及びＨｅｎｉｋｏｆｆ  ｅｔ  ａｌ．，２００４においてさらに記載されている。
【０１２４】
高処理量ＴＩＬＬＩＮＧ技術は、突然変異の効率的検出を可能にするのに加えて、天然の多型の検出のために理想的である。したがって、未知の相同ＤＮＡを既知配列とのヘテロ二本鎖形成によって調べることにより、多型部位の数及び位置が明らかになる。少なくとも一部の反復回数多型を含めて、ヌクレオチド変化と、小さい挿入及び欠失との両方が同定される。これはＥｃｏｔｉｌｌｉｎｇと呼ばれている（Ｃｏｍａｉ  ｅｔ  ａｌ．，２００４）。突然変異を起こした植物からのＤＮＡのプールに対してではなく、生態型ＤＮＡのアレイの入ったプレートに対してスクリーニングが行われ得る。塩基対分解能及びバックグラウンドパターンがレーンにわたってほぼ一様であるゲル上で検出が行われるため、同一の大きさのバンドは一致し得、それゆえ突然変異が１回のステップで発見及び遺伝子型判定され得る。このように、突然変異遺伝子の配列決定は単純かつ効率的である。
【０１２５】
本明細書中で使用する場合、「生物学的薬剤」という用語は、部位指向的突然変異体を作り出すのに有用であり、内在性の修復機序を刺激するＤＮＡの二本鎖分裂を誘導する酵素を含む。これらには、エンドヌクレアーゼ、亜鉛フィンガーヌクレアーゼ、ＴＡＬエフェクタータンパク質、トランスポゼース、部位指向性リコンビナーゼ、及び好ましくはＣＲＩＳＰＲエンドヌクレアーゼが含まれる。例えば、亜鉛フィンガーヌクレアーゼ（ＺＦＮ）は、ゲノム内の選択された遺伝子内での部位指向的切断を促進し、内在性または他の末端接合性の修復機序によって欠失または挿入が導入されてギャップが修復されることを可能にする。亜鉛フィンガーヌクレアーゼ技術についてはＬｅ  Ｐｒｏｖｏｓｔ  ｅｔ  ａｌ．，２００９に総説があり、また、Ｄｕｒａｉ  ｅｔ  ａｌ．，２００５及びＬｉｕ  ｅｔ  ａｌ．，２０１０も参照されたい。
【０１２６】
規則的な間隔をもってクラスター化された短鎖反復回文配列（ＣＲＩＳＰＲ）は、塩基配列の短い反復を含有する原核生物ＤＮＡのセグメントである。各反復の後には、以前にバクテリオファージウイルスまたはプラスミドに曝露されたことに由来する「スペーサーＤＮＡ」の短いセグメントが続く。ＣＲＩＳＰＲ／Ｃａｓシステムは、プラスミド及びファージの中に存在するものなどの異質な遺伝要素に対する耐性を付与する原核生物免疫系であり、獲得免疫の一形態を提供するものである。ＣＲＩＳＰＲスペーサーは、真核生物におけるＲＮＡ干渉に類似する方法でこれらの外因性遺伝要素を認識及び切断する。ＣＲＩＳＰＲは、配列決定された細菌ゲノムのおよそ４０％、及び配列決定された古細菌の９０％に見つかる。
【０１２７】
Ｃａｓ９ヌクレアーゼ及び適切なガイドＲＮＡを細胞内に送達することにより、細胞のゲノムを所望の位置で切断することができ、既存の遺伝子を除去すること及び／または新しい遺伝子を追加することが可能になる。ＣＲＩＳＰＲは、様々な種においてゲノム編集及び遺伝子調節のために特異的エンドヌクレアーゼ酵素と協奏的に使用されてきた。ＣＲＩＳＰＲに関するさらなる情報はＷＯ２０１３／１８８６３８、ＷＯ２０１４／０９３６２２及びＤｏｕｄｎａ  ｅｔ．ａｌ．，（２０１４）において見出すことができる。
【０１２８】
転写活性化因子様エフェクターヌクレアーゼ（ＴＡＬＥＮ）は、ＤＮＡの特定配列を切断するように操作されることができる制限酵素である。それらは、ＴＡＬエフェクターＤＮＡ結合ドメインをＤＮＡ開裂ドメイン（ＤＮＡ鎖を切断するヌクレアーゼ）と融合させることによって作られる。転写活性化因子様エフェクター（ＴＡＬＥ）は、事実上任意の所望のＤＮＡ配列に結合するように操作されることができるため、ヌクレアーゼと組み合わされるとＤＮＡを特定位置で切断することができる。制限酵素は、遺伝子編集に使用するために、または操作型ヌクレアーゼによるゲノム編集として知られる技術であるｉｎ  ｓｉｔｕでの遺伝子編集のために、細胞内へ導入され得る。亜鉛フィンガーヌクレアーゼ及びＣＲＩＳＰＲ／Ｃａｓ９と並んでＴＡＬＥＮはゲノム編集の分野において傑出したツールである。ＴＡＬＥＮに関するさらなる情報は、Ｂｏｃｈ（２０１１）、Ｊｕｏｎｇ  ｅｔ  ａｌ．，（２０１３）及びＳｕｎｅ  ｅｔ  ａｌ．，（２０１３）において見出すことができる。
【０１２９】
同定された突然変異はその後、所望の遺伝的背景を有する植物に対して突然変異体を戻し交配すること、及び望まれない元々の親背景を交配によって除去するのに適切な回数の戻し交配を実施することによって、望ましい遺伝的背景の中に導入され得る。例えば本明細書の実施例３を参照されたい。
【０１３０】
いくつかの実施形態では、突然変異は、ヌル突然変異、例えば、ナンセンス突然変異、フレームシフト突然変異、欠失、挿入突然変異、遺伝子を完全に不活化するスプライス部位変異型である。ヌクレオチド挿入誘導体は、５’及び３’末端融合、ならびに単一または多数のヌクレオチドの配列内挿入を含む。
【０１３１】
挿入ヌクレオチド配列変異型は、１つ以上のヌクレオチドが、亜鉛フィンガーヌクレアーゼ（ＺＦＮ）、ＣＲＩＳＰＲヌクレアーゼまたは他の相同組換え方法で可能な所定部位において、あるいは結果として生じる産物に対する適切なスクリーニングを伴ってランダム挿入によって、ヌクレオチド配列内の部位に導入されているものである。
【０１３２】
欠失変異型は、配列からの１つ以上のヌクレオチドの除去によって特徴付けられる。一実施形態では、突然変異遺伝子は野生型遺伝子に比べてヌクレオチドの配列のたった１つの挿入または欠失しか有さない。欠失は、１つ以上のエクソンもしくはイントロン、エクソンとイントロンとの両方、イントロン−エクソン境界、プロモーターの一部、翻訳開始部位、または遺伝子全体までも含むほど十分に幅広いものであり得る。欠失は、Ａ、ＢまたはＤゲノム上のＳＳＩＩａ遺伝子の少なくとも一部または全体、及び１つ以上の隣接遺伝子を含むほど十分遠くにまで延びるものであり得る。厳密な３の倍数でない個数のヌクレオチドを挿入または欠失する、遺伝子のタンパク質コード領域のエクソン内での挿入または欠失は、それゆえに翻訳中のリーディングフレームの変化を招くものであり、そのような挿入または欠失を含む突然変異遺伝子の活性をほぼ常に消滅させ、そのような突然変異がヌル突然変異である。厳密な３の倍数である個数のヌクレオチドを挿入または欠失する、遺伝子のタンパク質コード領域のエクソン内での挿入または欠失は、そのような挿入または欠失を含む遺伝子の活性を消滅させることも、消滅させないこともある。厳密な３の倍数であるヌクレオチド欠失の場合、欠失したヌクレオチドが高度に保存されたアミノ酸であるならば欠失はコードされたポリペプチドを不活化すると予想されよう。酵素アッセイまたは表現型アッセイを用いて、挿入または欠失突然変異がヌル突然変異であるか否かを判定することができる。
【０１３３】
置換ヌクレオチド変異型は、配列内の少なくとも１つのヌクレオチドが除去されて異なるヌクレオチドがその場所に挿入されているものである。いくつかの実施形態では、野生型遺伝子に比べて突然変異遺伝子において置換の影響を受けたヌクレオチドの数は、最大で１０ヌクレオチド、より好ましくは最大で９、８、７、６、５、４、３もしくは２つまたは最も好ましくはたった１つのヌクレオチドである。置換は、コドンによって定義されるアミノ酸がヌクレオチド置換によって変化しないという点において「サイレント」であり得る。ヌクレオチド置換は、翻訳効率を低下させ得、それによって、影響を受けたＳＳＩＩａ遺伝子の発現レベルを例えばｍＲＮＡ安定性の低減によって低下させ得、またはエクソン−イントロンスプライス境界の近傍にある場合にはスプライシング効率を変化させ得る。ＳＳＩＩａ遺伝子の翻訳効率を変化させないサイレント置換は、遺伝子の活性を変化させるとは予想されず、それゆえ本明細書では非突然変異体とみなされ、つまりそのような遺伝子は活性変異型であり、「突然変異遺伝子」に包含されない。あるいは、ヌクレオチド置換（複数可）は、コードされるアミノ酸配列を変化させ得、それによって、特に保存アミノ酸が別の極めて異なるアミノ酸で置換される場合、つまり非保存的置換である場合に、コードされる酵素の活性を変化させ得る。保存的置換については表３を参照されたい。コムギＳＳＩＩａポリペプチド内の保存されたアミノ酸は、様々な種からのＳＳＩＩａアミノ酸配列のアラインメント、例えば、配列番号１とＡｒａｂｉｄｏｐｓｉｓ  ｔｈａｌｉａｎａのＳＳＩＩとのアラインメントを行うこと、及びどのアミノ酸が共通しているかを決定することによって同定され得る。
【０１３４】
本明細書中で使用される「突然変異」という用語は、遺伝子の活性に影響を与えないサイレントヌクレオチド置換を含まず、したがって、遺伝子活性に影響を与える遺伝子配列変化だけを含む。「多型」という用語は、そのようなサイレントヌクレオチド置換を含めた、遺伝子のヌクレオチド配列の任意の変化を指す。スクリーニング方法は、まず多型のスクリーニングを行い、次に多型性変異型の群内で突然変異のスクリーニングを行うことを伴い得る。突然変異としては、例えば、遺伝子の全てまたは一部の欠失、遺伝子のエクソン内への挿入などの挿入、及びヌクレオチド置換、ならびにそれらの任意の組み合わせが挙げられる。
【０１３５】
本明細書中で名詞として使用される「植物（複数可）」及び「コムギ植物（複数可）」という用語は通常は植物全体を指すが、「植物」または「コムギ」が形容詞として使用される場合には当該用語は、植物またはコムギ植物の中に存在する、それから得られる、それに由来する、またはそれに関係する任意の物質、例えば、植物器官（例えば、葉、茎、根、花）、単細胞（例えば花粉）、種子または穀粒、植物細胞、例えば組織培養細胞、植物から生産された製品、例えば、「小麦粉」、「コムギ穀粒」、「コムギ澱粉」、「コムギ澱粉顆粒」などを指す。根及び芽が出ている小植物体及び発芽穀粒も「植物」の意味に含まれる。本明細書中で使用される「植物部分」という用語は、植物全体、好ましくはコムギ植物から得られる１つ以上の植物組織または器官を指す。本明細書中で使用される植物部分には、植物細胞が含まれる。植物部分としては、例えば、栄養構造体（例えば、葉鞘及び葉身を含めた葉、節間部を含めた茎）、根、ひこばえ、花器官／構造体、例えば穂状花序（穂または頭状花とも呼ばれる）、花粉、胚珠、種子（胚、胚乳及び種皮を含む）、植物組織（例えば、維管束組織、基本組織など）、細胞及びその子孫細胞が挙げられる。本明細書中で使用される「植物細胞」という用語は、植物から得られるかまたは植物中にある細胞を指し、植物は好ましくはコムギ植物であり、植物細胞としては、例えば、プロトプラスト、または植物に由来する他の細胞、配偶子を生む細胞、及び再生して植物全体になる細胞が挙げられる。植物細胞は培養細胞であってもよい。「植物組織」とは、植物中にあるかもしくは植物（「外植体」）から得られる分化組織または、未成熟もしくは成熟胚に由来する未分化組織、種子、根、芽、果実、花粉、及び培養植物細胞の様々な形態の集合体、例えばカルスを意味する。コムギ穀粒などの種子の中または種子からの植物組織は、種皮、胚乳、胚盤、糊粉層及び胚である。コムギ植物組織または器官及びコムギ細胞の各々は、それから得られるコムギ植物の遺伝材料（核酸）を含む。
【０１３６】
本明細書中で使用する場合、禾穀類とは、穀粒の可食成分のために栽培される、コムギ、オオムギ、トウモロコシ、エンバク、ライムギ、コメ、モロコシ、ライコムギ、雑穀、ソバを含めた単子葉植物のＰｏａｃｅａｅ科またはＧｒａｍｉｎａｅ科の植物または穀粒を意味する。好ましくは、禾穀類の植物または穀粒はコムギ植物または穀粒である。さらに好ましい実施形態では、本発明のコムギ細胞、植物もしくは穀粒またはそれらに由来する製品は、Ｔｒｉｔｉｃｕｍ  ａｅｓｔｉｖｕｍ種のものである。
【０１３７】
本明細書中で使用する場合、「コムギ」という用語は、Ｔｒｉｔｉｃｕｍ属の任意の種を指し、その祖先及び、他の種との交配によって作り出されるその子孫を含む。コムギには、４２本の染色体から構成されるＡＡＢＢＤＤのゲノム組織を有する「六倍体コムギ」、及び２８本の染色体から構成されるＡＡＢＢのゲノム組織を有する「四倍体コムギ」が含まれる。本発明の植物及び穀粒は六倍体種Ｔ．ａｅｓｔｉｖｕｍのものであり、デュラムコムギ、またはＴｒｉｔｉｃｕｍ  ｔｕｒｇｉｄｕｍの亜種ｄｕｒｕｍとも呼ばれる四倍体種Ｔ．ｄｕｒｕｍは含まない。Ｔ．ａｅｓｔｉｖｕｍの二倍体祖先は、ＡゲノムについてはＴ．ｕａｒｔｕ、Ｔ．ｍｏｎｏｃｏｃｃｕｍ、またはＴ．ｂｏｅｏｔｉｃｕｍであると考えられ、ＢゲノムについてはＡｅｇｉｌｏｐｓ  ｓｐｅｌｔｏｉｄｅｓである考えられ、Ｄゲノムについては（Ａｅｇｉｌｏｐｓ  ｓｑｕａｒｒｏｓａまたはＡｅｇｉｌｏｐｓ  ｔａｕｓｃｈｉｉとしても知られる）Ｔ．ｔａｕｓｃｈｉｉであると考えられる。好ましくは、本発明のＴ．ａｅｓｔｉｖｕｍ植物は、当業者に知られている適切な農学的特質を有し、商用生産に適したものである。最も好ましくは、コムギは、本明細書中で「パンコムギ」とも称されるＴｒｉｔｉｃｕｍ  ａｅｓｔｉｖｕｍの亜種ａｅｓｔｉｖｕｍである。
【０１３８】
本発明の態様は、本発明のコムギ穀粒を植付け及び収穫する方法、ならびに本発明の大型箱入りコムギ穀粒を生産する方法を提供する。例えば、地面を耕起及び／または他の特定の方法によって準備し、典型的には溝を掘って種子を筋蒔きすることによって種子を植え付ける。植物の成熟によって実った穀粒が散らばるのを防ぐために、コムギは、それが完熟する前に収穫され得るが、典型的には、植物が緑色の完全な消失を示したときに収穫される。収穫には、いくつかのステップがある：主茎の切取りまたは刈取り；穀粒を穂状花序、穎及び他の籾殻から分離するための脱穀及び籾殻取り；穀粒の篩分け及び選別；を典型的には複式収穫機で行い、その後、穀粒をトラックに投入する。いくつかの実施形態では、収穫したコムギ穀粒は、病害虫を除ける乾燥した十分に換気された建物に貯蔵され得る。いくつかの実施形態では、収穫したコムギ穀粒は大型箱または穀物倉庫で短期間貯蔵され得る。その後、コムギ穀粒は、穀物を乾燥させ販売時またはターミナルエレベータへの出荷時まで貯蔵する高層構造物であるカントリーエレベータへと運搬され得る。したがって、本発明の実施形態は、ａ）本明細書において定義されるコムギ穀粒を含んでいるコムギ主茎を刈り取ること；ｂ）主茎の脱穀及び／または籾殻取りを行って穀粒を籾殻から分離すること；ならびにｃ）ステップｂ）で分離された穀粒を篩分け及び／または選別し、篩分け及び／または選別された穀粒を大型箱に投入し、それによって大型箱入りコムギ穀粒を生産することを含む、大型箱入りコムギ穀粒を生産するプロセスを提供する。
【０１３９】
本発明のコムギ植物及び穀粒には、食品または飼料のための用途以外の用途、例えば、研究または育種における用途がある。コムギなどの種子繁殖性作物では、植物が自家交配して所望の遺伝子についてホモ接合体である植物を生むことができ、または染色体相補体を倍加させるように発達中の胚細胞などの半数体組織を誘導してホモ接合体植物を作り出すことができる。本発明の近交系コムギ植物はそれにより、ホモ接合型である突然変異ＳＳＩＩａ対立遺伝子の組み合わせを含有する穀粒を実らせる。穀粒を栽培して、選択された表現型、例えば澱粉における高アミロース含有量などを有することになる植物を作り出すことができる。
【０１４０】
本発明のコムギ植物は、より望ましい遺伝的背景を含有する植物と交配されてもよく、それゆえ、本発明は、低減されたＳＳＩＩａ形質を他の遺伝的背景に移入することを含む。本明細書中で使用する場合、「交配」または「交配する」は、ある植物の花の花粉を別の植物の花の柱頭に（人為的または自然に）付着させるプロセスを指す。初回交配の後、あまり望ましくない背景を除去するために適切な回数の戻し交配が行われ得る。本明細書中で記載されているような、ＳＳＩＩａ対立遺伝子特異的なＰＣＲに基づくマーカーを使用して、対立遺伝子の所望の組み合わせを有する子孫の植物または穀粒がスクリーニングまたは同定され得、それによって育種プログラムにおいて対立遺伝子の存在が突き止められ得る。望まれる遺伝的背景には、商業的収穫高及びその他の特質、例えば農学的性能または非生物的ストレス耐性をもたらす遺伝子の適切な組み合わせが含まれ得る。遺伝的背景は、他の改変された澱粉生合成または修飾遺伝子、例えばＳＳＩＩＩａ遺伝子のヌル対立遺伝子または好都合なＧＢＳＳ遺伝子の対立遺伝子も含んでいる場合がある。遺伝的背景は、１つ以上の導入遺伝子、例えば、グリホサートなどの除草剤に対する耐性を付与する遺伝子を含んでいてもよい。
【０１４１】
コムギ植物について望まれる遺伝的背景は、農学的収穫高及びその他の特質に関する留意点を含むであろう。そのような特質としては、例えば、それが冬型または春型のどちらを有することが望まれるのかということ、農学的性能、病害抵抗性、及び非生物的ストレス耐性が挙げられ得る。オーストラリアで使用する場合、本発明のコムギ植物の改変型澱粉形質をコムギ栽培品種、例えば、Ｂａｘｔｅｒ、Ｋｅｎｎｅｄｙ、Ｊａｎｚ、Ｆｒａｍｅ、Ｒｏｓｅｌｌａ、Ｃａｄｏｕｘ、Ｄｉａｍｏｎｄｂｉｒｄまたは他の一般的に栽培されている品種と交配させる必要があることもある。他の栽培地域には他の品種が適するであろう。好ましくは、本発明のコムギ植物は、少なくともいくつかの栽培地域において、対応する野生型品種に対して少なくとも５０％、より好ましくは、同じ条件下で栽培されるほぼ同じ遺伝的背景を有する野生型に対して少なくとも６０％もしくは少なくとも７０％、または少なくとも８０％もしくは少なくとも９０％の穀粒収穫高（トン／ヘクタール）をもたらす。一実施形態では、穀粒の収穫高は、同じ条件下で栽培されるほぼ同じ遺伝的背景を有する野生型品種に対して９０％未満である。収穫高は、管理された圃場試験または、温室内、好ましくは圃場での模擬圃場試験において容易に測定することができる。
【０１４２】
マーカーアシスト選抜は、古典的育種プログラムにおいて反復親と戻し交配したときに得られるヘテロ接合体植物の、よく認知された選抜方法である。各戻し交配世代の植物の集団は、戻し交配集団中に通常１：１の比で存在する関心対象の遺伝子（複数可）についてヘテロ接合型となり、遺伝子に結合した分子マーカーを使用して遺伝子の２つの対立遺伝子を区別することができる。一方が突然変異体対立遺伝子に対するものであり、他方が野生型対立遺伝子に対するものである、２つのマーカーの存在を検査することができる。ＤＮＡを例えば若芽から抽出し、遺伝子移入される望ましい形質についての特異的マーカーで試験することにより、エネルギー及び資源をより数少ない植物に集中させつつ、さらなる戻し交配のための植物の早期選抜がなされる。コムギ植物の交配、コムギ植物の自家受粉またはマーカーアシスト選抜などの手順は標準的な手順であり、当技術分野でよく知られている。デュラムコムギなどの四倍体コムギから対立遺伝子を六倍体へ移すこと、またはその他の形態の交雑も、より難しいが当技術分野で既知である。
【０１４３】
所望の表現型特性を同定するには、突然変異ｓｓＩＩａ遺伝子または他の所望の遺伝子の組み合わせを含有するコムギ植物を対照植物と比較することが典型的である。突然変異ｓｓＩＩａ遺伝子に関連する表現型特性、例えば穀粒澱粉中アミロース含有量または総繊維質含有量または穀粒重量または収穫高を評価する場合には、試験する植物及び対照植物を栽培室、温室または好ましくは圃場条件において同条件（温度、土壌、水分供給、肥料供給、季節など）の下で栽培する。特定の表現型形質の同定及び対照との比較は、慣習的な統計学的解析及び採点法に基づく。遺伝子の発現または酵素活性は、発芽率、苗活力、例えば苗発生、植物形態、色、数、寸法、乾湿重量、登熟、地上部・地下部バイオマス比ならびに、栄養生長、結実、開花、穀粒着果及び休眠を含めた老齢化を通じた様々な生育段階のタイミング、速度及び持続期間、収穫指数、ならびにスクロース、グルコース、フルクトース及び澱粉のレベルと内在性澱粉レベルとを含む可溶性炭水化物含有量のうちの１つ以上を含めた、生育、発達及び収穫高のパラメータになぞらえられる。いくつかの実施形態では、本発明のコムギ植物は、同じ条件下で栽培したときの野生型植物と比較してこれらのパラメータのうちの１つ以上に５０％未満、より好ましくは４０％未満、３０％未満、２０％未満、１５％未満、１０％未満、５％未満、２％未満または１％未満の差がある。好ましくは、本発明の植物または穀粒は、これらのパラメータのうちの１つ以上が野生型植物のそれとほぼ同じである。
【０１４４】
本明細書中で使用する場合、「連鎖した」または「遺伝的に連鎖した」という用語は、マーカー遺伝子座と別の遺伝子座とが染色体上で十分近くにあるためにそれらが例えばランダムではなく一緒に継承されることが減数分裂の５０％より多いことを指す。この定義は、マーカー遺伝子座と別の遺伝子座とが同じ遺伝子の一部を形成している状況を含む。さらにこの定義は、関心対象の形質を担う多型をマーカー遺伝子座が含む状況を含み、この場合、多型は表現型と１００％連鎖することになる。したがって、１世代あたりで遺伝子間に観察される組換え率（センチモルガン（ｃＭ）として算出される）は５０未満であろう。本発明の特定の実施形態では、遺伝的に連鎖した遺伝子座同士の染色体上での離隔は４５、３５、２５、１５、１０、５、４、３、２または１ｃＭ以下であり得る。好ましくは、マーカーの離隔は５ｃＭまたは２ｃＭであり、最も好ましくは本質的に０ｃＭである。
【０１４５】
本明細書中で使用する場合、「他の遺伝的マーカー」は、本発明のコムギ植物の所望の形質に連鎖した任意の分子であり得る。そのようなマーカーは当業者によく知られており、病害抵抗性、収穫高、植物形態、穀粒質、他の休眠時形質、例えば穀粒色、種子中のジベレリン酸含有量、草丈、小麦粉色などの形質を決定付ける遺伝子に連鎖した分子マーカーを含む。そのような遺伝子の例は、黒さび病抵抗性遺伝子Ｓｒ２またはＳｒ３８、黄さび病抵抗性遺伝子Ｙｒ１０またはＹｒ１７、線虫抵抗性遺伝子、例えばＣｒｅ１及びＣｒｅ３、生地強度を決定付けるグルテニン遺伝子座の対立遺伝子、例えば、Ａｘ、Ｂｘ、Ｄｘ、Ａｙ、Ｂｙ及びＤｙ対立遺伝子、半矮性生育習性、よって耐倒伏性を決定付けるＲｈｔ遺伝子である（Ｅａｇｌｅｓ  ｅｔ  ａｌ．，２００１、Ｌａｎｇｒｉｄｇｅ  ｅｔ  ａｌ．，２００１、Ｓｈａｒｐ  ｅｔ  ａｌ．，２００１）。
【０１４６】
本発明のコムギ植物、コムギ植物部分及びそれからの製品は、好ましくは、ＳＳＩＩａ遺伝子及び／またはＳＢＥＩＩａ遺伝子の発現を抑制する遺伝子について非遺伝子導入型であり、つまりそれらは、内在性ＳＳＩＩａ遺伝子の発現を低減するＲＮＡ分子をコードする導入遺伝子を含まず、但し、この実施形態においてそれらは、他の導入遺伝子、例えば、グリホサート耐性などの除草剤耐性遺伝子を含んでいてもよい。より好ましくは、コムギ植物、穀粒及びそれからの製品は、非遺伝子導入型であり、つまりそれらはいかなる導入遺伝子も含有せず、それはいくつかの市場では好ましいことである。そのような製品も本明細書では「非形質転換」製品として表現される。そのような非遺伝子導入型の植物及び穀粒は、例えば突然変異誘発後に生じた、本明細書に記載の多重突然変異ＳＳＩＩａ対立遺伝子を含む。
【０１４７】
本明細書中で使用される「遺伝子導入植物」及び「遺伝子導入コムギ植物」という用語は、同じ種、品種または栽培品種の野生型植物にはみられない遺伝的構築物（「導入遺伝子」）を含有する植物を指す。つまり、遺伝子導入植物（形質転換植物）は、形質転換前にそれらが含有していなかった遺伝材料を含有する。本明細書において言及される「導入遺伝子」または「遺伝子構築物」は、バイオテクノロジー分野における通常の意味を有し、組換えＤＮＡまたはＲＮＡの技術によって作り出された、または改変された、遺伝子配列を指す。導入遺伝子は、植物細胞内に存在する場合、人間によって植物細胞内または祖先細胞内に導入されたものである。導入遺伝子は、植物細胞または別の植物細胞または非植物源または合成配列から得られるかまたはそれに由来する遺伝子配列を含み得る。導入遺伝子は、当業者が認識するような任意の方法が用いられ得るものの、例えば形質転換などの人間による操作によって、植物中に導入されたものであることが典型的である。遺伝材料は典型的には植物のゲノム中に安定的に組み込まれる。導入された遺伝材料は、同種に天然に存在する配列、例えばアンチセンス配列または抑制性二本鎖ＲＮＡを発現する配列を、再構成された順序または異なるエレメント配置で含み得る。そのような配列を含有する植物は、本明細書において「遺伝子導入植物」に含まれる。本明細書において定義される遺伝子導入植物は、組換え技術を用いて遺伝的に改変された最初に形質転換及び再生された植物（Ｔ０植物）のあらゆる子孫を含み、この子孫は導入遺伝子を含んでいる。そのような子孫は、初代遺伝子導入植物の自家受粉、またはそのような植物と別の同種植物との交配によって得られ得る。一実施形態では、遺伝子導入植物は、それらの子孫が所望の表現型について分離しないよう、導入されたありとあらゆる遺伝子（導入遺伝子）についてホモ接合体である。遺伝子導入植物部分は、導入遺伝子を含む全部分及び上記植物の細胞、例えば、種子、培養組織、カルス及びプロトプラストを含む。
【０１４８】
「非遺伝子導入植物」、好ましくは非遺伝子導入コムギ植物とは、組換えＤＮＡ技術による遺伝材料の導入によって遺伝的に改変されていない植物のことである。植物または穀粒における、ＺＦＮ、ＣＲＩＳＰＲ型ヌクレアーゼのＴＡＬエフェクターなどの部位特異的エンドヌクレアーゼによって、ならびにそれに続く植物細胞及びその子孫における非相同的末端接合修復によって生じる、遺伝子の一部の欠失の存在は、本明細書において「非遺伝子導入型」として含まれる。本明細書中で使用する場合、「子孫」は、コムギ植物からのあらゆる孫子を含み、直近世代及び次世代をどちらも含み、植物及び種子（穀粒）をどちらも含む。子孫は、自家受粉（「自殖」）後に得られる種子及び植物、ならびに２つの親植物同士の交配の結果として生じる穀粒及び植物、例えば、Ｆ１子孫（第１世代）、Ｆ１植物の自殖後の第２などの世代からのものであるＦ２、Ｆ３、Ｆ４などを含む。
【０１４９】
本明細書中で使用する場合、「対応する非遺伝子導入植物」という用語は、遺伝子導入植物に関してほとんどの特質が同じであるかまたは類似している、好ましくは同質遺伝子型または準同質遺伝子型の植物であるが、関心対象の導入遺伝子を含んでいない、植物を指す。好ましくは、対応する非遺伝子導入植物は、栽培品種もしくは品種が、関心対象の遺伝子導入植物の祖先、または構築物を欠く兄弟植物系統（しばしば「分離個体」と称される）、または「空ベクター」構築物で形質転換された同じ栽培品種もしくは品種と同じであり、非遺伝子導入植物であり得る。
【０１５０】
本明細書中で使用される場合、「野生型」は、本発明によって改変されていない、細胞、組織、植物または植物部分、好ましくは、Ｔｒｉｔｉｃｕｍ  ａｅｓｔｉｖｕｍ植物、植物部分または穀粒を指す。そのような野生型植物または穀粒は、少なくともそのＳＳＩＩａ遺伝子については野生型である。「対応する野生型」とは、当技術分野では容易に理解されるように、本発明の細胞、組織、植物、植物部分または植物製品との比較に適した野生型細胞、組織、植物、植物部分または植物製品を指す。一般に、対応する野生型は、本発明の植物または植物部分と遺伝的に類似している、好ましくは同質遺伝子型であるが、ｓｓＩＩａ遺伝子突然変異を有していない、コムギ植物または植物部分からのものである。野生型細胞、組織または植物は、当技術分野で知られており、遺伝子もしくはポリペプチド配列、特にＳＳＩＩａ遺伝子配列、ＳＳＩＩａ遺伝子の発現レベル、または本明細書中で記載されているように改変された細胞、組織もしくは植物による形質改変の程度及び性質を比較する対照として使用され得る。本明細書中で使用する場合、「野生型コムギ穀粒」とは、突然変異が起こされていない対応する非遺伝子導入コムギ穀粒を意味する。本明細書中で使用される具体的な野生型コムギ穀粒としては、限定されないが例えば、Ｓｕｎｓｔａｔｅ、Ｃｈａｒａ及びＣａｄｏｕｘが挙げられる。Ｓｕｎｓｔａｔｅコムギ栽培品種についてはＥｌｌｉｓｏｎ  ｅｔ  ａｌ．，（１９９４）に記載されている。
【０１５１】
形質転換植物における導入遺伝子の存在を判定するのに、いくつかあるうちのどの方法を採用してもよい。例えば、ポリメラーゼ連鎖反応（ＰＣＲ）を使用して形質転換植物に固有の配列を増幅するとともに増幅産物をゲル電気泳動またはその他の方法で検出してもよい。ＤＮＡは、一般的な方法及び、形質転換植物と非形質転換植物とを区別するであろうプライマーを使用して行うＰＣＲ反応を用いて植物から抽出され得る。肯定的な形質転換を確認する代替方法は、当技術分野でよく知られているサザンブロットハイブリダイゼーションによるものである。形質転換されているコムギ植物の同定、つまり非形質転換型または野生型のコムギ植物との区別は、例えば、選抜マーカー遺伝子の存在によって付与されたそれらの表現型によって、または導入遺伝子がコードする酵素の発現を検出もしくは定量するイムノアッセイによって、または導入遺伝子が付与する他の任意の表現型によってもなされ得る。
【０１５２】
本発明の、好ましくはＴｒｉｔｉｃｕｍ  ａｅｓｔｉｖｕｍ種の、コムギ植物は、数ある用途のなかでも人間用食品として、もしくは動物用飼料としての用途、または発酵もしくは産業用原材料生産、例えばエタノール生産のために主として栽培または収穫され得る。あるいは、青々としたコムギ植物の地上部が、圃場での放牧によって直接、あるいは収穫後に、動物用飼料としてそのまま使用され得る。藁及び籾殻も、飼料として、または非食用に使用され得る。本発明の植物は、好ましくは、食品生産、特に人間用の商用食品の生産にとって有用である。そのような食品生産は、小麦粉、生地、セモリナ、または穀粒からのその他の製品、例えば商用食品生産において原料にされる場合がある澱粉顆粒もしくは単離された澱粉を作ることを含む場合もある。
【０１５３】
本明細書中で使用する場合、「穀粒」という用語は、通常、植物の成熟した収穫された種子（穎果とも呼ばれる）を指すが、文脈によっては吸水後または発芽後の穀粒も指し得る。穀粒は、栽培者によってさらなる植物の栽培以外の目的のために生産された成熟穎果を含む。コムギなどの成熟禾穀類穀粒は通常、水分含有量が約１８〜２０％より低く、典型的には水分が約８〜１０％である。本明細書中で使用する場合、「種子」という用語は、収穫された種子を含むが、開花後に植物中で発達しつつある種子、及び収穫前に植物中に含まれている成熟種子も含む。穀粒の構成部分には、外種皮（種皮）、果皮（果実の皮）、糊粉層、澱粉質の胚乳ならびに、胚盤、幼芽（芽）及び幼根（初生根）からなる胚（胚芽）が含まれる。外種皮と果皮と糊粉層とをまとめて一般に「ふすま」と呼び、これは粉砕によって穀粒から除去され得、これは胚芽も含み得る。胚盤は、発芽に関与する酵素のうちのいくつかを分泌する、及び発芽後の苗の生育のために胚乳中の澱粉の分解によって可溶性糖類を吸収する、領域である。澱粉質の胚乳を囲む糊粉層も発芽中に酵素を分泌する。
【０１５４】
本明細書中で使用する場合、「発芽」とは、吸水後の種皮からの根端（幼根）の発生を指す。幼根は大抵は最初に発生し、その後に幼芽が発生する。「発芽率」は、吸水後に一定期間、例えば７日間または１０日間を経て発芽した種子の、集団に占める百分率を指す。発芽率は、当技術分野で知られている技術を用いて算出することができる。例えば、種子の集団、典型的には少なくとも１００粒の穀粒を数日間にわたって毎日評価して経時的な発芽百分率を決定することができる。本発明の穀粒に関して、「実質的に同じである発芽率」という用語は、本明細書中で使用される場合、穀粒の発芽率が対応する野生型穀粒の少なくとも９０％であることを意味する。一実施形態では、本発明の穀粒の発芽率は、野生型穀粒に対して約７０％〜約１００％、好ましくは野生型穀粒に対して約９０％〜約１００％である。発芽を測定する場合、本発明のコムギ穀粒及び対照として使用する野生型穀粒は、同じ条件下での栽培、及びほぼ同じ長さの時間にわたる同じ条件下での貯蔵がなされたものでなければならない。
【０１５５】
本発明はさらに、食品原料、例えば小麦粉、好ましくは全粒粉、ふすま、及び穀粒から生産されるその他の製品を提供する。これらは未加工のものであってもよいし、または例えば熱処理、分画もしくは漂白による加工がされていてもよい。
【０１５６】
本発明の穀粒は、当技術分野で知られている任意の技術を用いて食品原料または食品もしくは非食品製品を生産するために加工され得る。一実施形態では、食品原料は小麦粉、例えば全粒粉（全粒粉小麦粉）または精白小麦粉などである。本明細書中で使用する場合、「小麦粉」とは、粉砕されて粉末になった穀粒からの粉砕済み製品のことである。粉末は一般に、篩掛け、篩分け、遠心分離、または当技術分野で知られているその他の方法によって分画され、また、精製、熱処理及び／または漂白がさらに行われることがある。精製小麦粉すなわち「精白小麦粉」は、本明細書中で使用される場合、粉砕された粉末のふすま及び胚芽成分を少なくともいくらか除去することによって、粉砕された粉末のうち胚乳に由来する部分が全粒粉に比べて濃縮されている小麦粉を指す。米国食品医薬品局（ＦＤＡ）は、小麦粉が精製小麦粉の分類に含められるためには特定粒径標準を満たすことを要求している。ＦＤＡによれば、精製小麦粉の粒径は、「２１２マイクロメートル（Ｕ．Ｓ．Ｗｉｒｅ７０）」と呼ばれるワイヤ織布の穴より大きくない穴を有する布を９８％以上が通過する小麦粉であると表現されている。
【０１５７】
本明細書中で使用する場合、「全粒粉」という用語は、全粒粉小麦粉または全粒小麦粉とも呼ばれるが、本質的に１００％の穀粒から作られた、精製小麦粉の構成要素（精製小麦粉または精製小麦粉）と粗画分（超微細粉砕された粗画分）とを含む粉砕小麦粉である。粗画分は、ふすま及び胚芽のうちの少なくとも一方、典型的には両方を含む。胚芽は、穀粒穎果内に見つかる胚性植物であり、胚及び胚盤を含む。胚芽は、脂質、繊維質、ビタミン、タンパク質、ミネラル、及び植物栄養素、例えばフラボノイドを、穀粒の成熟胚乳中での場合よりも高いレベルで含む。ふすまは、果皮（果実の皮）及び外種皮（種皮）を含めたいくつかの細胞層を含み、さらに、顕著な量の脂質、繊維質、ビタミン、タンパク質、ミネラル、及び植物栄養素、例えばフラボノイドを有する。糊粉層は、厳密には成熟穀粒の胚乳の一部と考えられているが、ふすまと同じ多くの特質を呈し、それゆえ通常は粉砕及び／または篩掛けのプロセス中にふすま及び胚芽と共に除去される。糊粉層も、脂質、繊維質、ビタミン、タンパク質、ミネラル、及び植物栄養素、例えばフラボノイド及びフェルラ酸を含む。
【０１５８】
さらに、粗画分を精製小麦粉の構成要素とブレンドしてもよい。好ましくは、粗画分と精製小麦粉の構成要素とを均質にブレンドする。粗画分は精製小麦粉の構成要素と混合されて全粒粉を形成し得、こうして栄養価、繊維質含有量及び抗酸化能が精製小麦粉に比べて向上した全粒粉が提供され得る。例えば、粗画分または全粒粉を様々な量で使用してパン類中、スナック製品中及び食品製品中の精製小麦粉を置き換えてもよい。本発明の全粒粉（すなわち超微細粉砕された全粒小麦粉）は、消費者に対して自家製パン類製品用にそのまま市販されてもよい。例示的実施形態において、全粒粉は、重量表示で全粒粉の粒子の９８％が直径２１２マイクロメートル未満であるような粒状化プロファイルを有する。
【０１５９】
さらなる実施形態では、全粒粉及び／または粗画分を安定化させるために、全粒粉及び／または粗画分のふすま及び胚芽の中に認められる酵素を不活性化させる。本発明は、「不活性化される」が、抑制される、変性する、などの意味でもあることを企図している。安定化は、ふすま及び胚芽層の中に認められる酵素を不活性化させるために蒸気、熱、放射線またはその他の処理を用いるプロセスである。安定化されていないと、ふすま及び胚芽の中に天然に存在する酵素は小麦粉中の化合物の変化を触媒し、それは小麦粉の調理上の特質及び貯蔵寿命に悪影響を与えることがある。不活性化された酵素は小麦粉中にみられる化合物の変化を触媒せず、それゆえ、安定化された小麦粉はその調理上の特質を保持し、貯蔵寿命がより長い。例えば、本発明は、粗画分を粉挽きするのに二流粉砕技術を実施し得る。粗画分を分離し、安定化させたならばすぐに粗画分を粉砕機、好ましくはギャップミルで粉挽きして、約５００マイクロメートル以下の粒径分布を有する粗画分を形成する。篩分け後、５００マイクロメートルより大きい粒径を有する粉挽きされたいかなる粗画分も、さらなる粉砕のためにプロセスに戻され得る。
【０１６０】
さらなる実施形態では、小麦粉、全粒粉または粗画分は、食品製品の成分であり得、例えば、食品生産の原料として使用され得る。食品製品は、例えば、ベーグル、ビスケット、パン、丸パン、クロワッサン、ダンプリング、マフィン、例えばイングリッシュマフィン、ピタパン、クイックブレッド、冷蔵または冷凍生地製品、生地、ベイクドビーンズ、ブリート、チリコンカーン、タコス、タマーリ、トルティーヤ、ポットパイ、インスタントシリアル、インスタント食品、詰め物、レンジ調理食品、ブラウニー、ケーキ、チーズケーキ、コーヒーケーキ、クッキー、デザート、ペーストリー、スイートロール、キャンディーバー、パイ生地、パイの詰め物、ベビーフード、プレミックス、衣用生地、パン粉、グレービーミックス、肉増量剤、肉代用品、混合調味料、スープミックス、グレービー、ルウ、サラダドレッシング、スープ、サワークリーム、麺、パスタ、ラーメン、炒麺、拌麺、アイスクリーム具材、アイスクリームバー、アイスクリームコーン、アイスクリームサンドイッチ、クラッカー、クルトン、ドーナツ、エッグロール、押出スナック、果物と穀物のバー、レンジ調理スナック製品、栄養バー、パンケーキ、半焼成パン類製品、プレッツェル、プリン、グラノーラ系製品、スナックチップ、スナック食品、混合スナック、ワッフル、ピザ生地、動物用食品、またはペットフードであり得る。
【０１６１】
他の実施形態では、小麦粉、全粒粉または粗画分は栄養補給剤の成分であり得る。例えば、栄養補給剤は、１つ以上の原料、典型的には例えば、ビタミン、ミネラル、脂質、例えばオメガ３脂肪酸、アミノ酸、酵素、抗酸化物質、例えばルテイン、ハーブ、スパイス、プロバイオティクス、抽出物、プレバイオティクス及び繊維質を含有する、食事に添加される製品であり得る。本発明の小麦粉、全粒粉または粗画分は、ビタミン、ミネラル、アミノ酸、酵素及び繊維質を含む。例えば、粗画分は、濃密な量の食物繊維、ならびに健康な食事に必須なものである他の必須栄養素、例えば、ビタミンＢ群、セレン、クロム、マンガン、マグネシウム及び抗酸化物質を含有する。例えば、１５グラムの本発明の粗画分は個人の繊維質の推奨一日摂取量の３３％を供給する。さらに、個人の繊維質の推奨一日摂取量の２０％を供給するのに必要とされるのはたった９グラムである。このように、粗画分は、個人の所要繊維質の摂取にとっての優れた補給源である。
【０１６２】
さらなる実施形態では、全粒粉または粗画分は、繊維質補給剤またはその成分であり得る。多くの今日の繊維質補給剤、例えば、オオバコ種子外皮、セルロース誘導体及び加水分解グアーガムは、それらの繊維質含有量以外の栄養価に限りがある。その上、多くの繊維質補給剤は食感が望ましくなく、風味が良くない。それゆえ、一実施形態では、本発明の食品原料は、コムギ穀粒以外のそのような供給源に由来する繊維質補給剤を欠く。コムギ穀粒の全粒粉または粗画分から作られた補給剤は、それらによって繊維質及びタンパク質ならびに抗酸化物質を供給する。繊維質補給剤は、限定されないが、即席飲料混合物、インスタント飲料、栄養バー、ウェハース、クッキー、クラッカー、小分けゼリー剤、カプセル、噛み菓子、チュアブル錠、及び丸剤の形態で供給され得る。一実施形態は、風味付けされたミルクセーキまたは麦芽乳系飲料の形態で繊維質補給剤を供給し、この実施形態は子供用繊維質補給剤として特に魅力的であり得る。
【０１６３】
別の実施形態では、粉砕及びブレンドのプロセスを用いて多種穀粒小麦粉または多種穀粒粗画分が作られ得る。例えば、ある種類の穀粒、例えば本発明の穀粒からのふすま及び胚芽を粉挽きし、別の種類のコムギまたはその他の禾穀類の粉挽き胚乳または全粒小麦粉とブレンドしてもよい。１つ以上の穀粒のふすま、胚芽、胚乳及び全粒小麦粉のうちの１つ以上の任意の組み合わせを混合することを本発明が包含することは企図される。この多種穀粒による手法は、あつらえの小麦粉を作ること、ならびにコムギなどの多種類の穀粒の質及び栄養含有量を活用して１つの小麦粉を作ることのために用いられ得る。
【０１６４】
本発明の小麦粉または全粒粉は、当技術分野で知られている任意の粉砕プロセスによって生産され得る。例示的実施形態は、穀粒の胚乳、ふすま及び胚芽を別個の流れに分離することなく単一の流れにおいて穀粒を粉挽きすることを含む。調質された清浄な穀粒を第１通過粉砕機、例えば、ハンマーミル、ローラーミル、ピンミル、インパクトミル、ディスクミル、空気摩擦ミル、ギャップミルなどへ搬送する。粉挽きした後、穀粒は排出され、篩へ搬送される。粉挽きされた粒子を篩分けするための当技術分野で知られている任意の篩が使用され得る。篩のスクリーンを通過する材料は本発明の全粒小麦粉であり、さらなる加工は必要でない。スクリーン上に残る材料を第２画分と呼ぶ。第２画分はさらなる微粉化を必要とする。したがって、この第２画分は第２通過粉砕機へ搬送され得る。第２画分は、粉挽きされた後、第２篩へ搬送され得る。
【０１６５】
本発明の小麦粉、全粒粉、粗画分及び／または穀粒製品は、発酵、インスタント化、押出し、カプセル化、あぶり、焙焼などの数々の他のプロセスを経て改変または強化され得ることが企図される。本発明の小麦粉及び全粒粉は、それらから生産された食品製品と同様に、それらの由来であるコムギ穀粒のＤＮＡを含めた遺伝材料を含む。例えば、Ｔｉｌｌｅｙ（２００４）及びＢｒｙａｎ  ｅｔ  ａｌ．，（１９９８）を参照されたい。
【０１６６】
本発明によって提供される麦芽乳系飲料は、出発材料の一部または全体として麦芽を使用することによって生産されるアルコール飲料（蒸留飲料を含む）及びノンアルコール飲料を含む。例としては、ビール、発泡酒（低麦芽ビール飲料）、ウィスキー、低アルコール麦芽系飲料（例えば、１％未満のアルコール分を含有する麦芽系飲料）、及びノンアルコール飲料が挙げられる。
【０１６７】
麦芽製造は、制御された浸漬及び発芽のプロセスの後に穀粒の乾燥を行うものである。この一連の事象は、死滅した胚乳細胞壁を主に解重合して穀粒栄養素を動員するプロセスである穀粒改変をもたらす多くの酵素の合成に重要である。その次の乾燥プロセスでは、化学的褐変反応によって香味及び色が生じる。麦芽の主な用途は飲料製品であるが、それは他の産業プロセスにおいても、例えばパン類製造産業での酵素源または食品産業での香味剤及び着色剤として、例えば麦芽もしくは麦芽粉または間接的に麦芽シロップなどとして、利用され得る。
【０１６８】
一実施形態では、本発明は、麦芽組成物を生産する方法に関する。方法は、
（ｉ）本発明のコムギ穀粒を提供するステップ、
（ｉｉ）上記穀粒を浸漬するステップ、
（ｉｉｉ）浸漬した穀粒を所定条件下で発芽させるステップ、及び
（ｉｖ）上記発芽穀粒を乾燥させるステップ
を含むことが好ましい。
【０１６９】
麦芽は、本発明の穀粒のみを使用して調製してもよいし、または他の穀粒も含む混合物を使用して調製してもよい。麦芽は主としてビールの醸造に使用されるが、蒸留酒の生産にも使用される。醸造は、麦汁生産、主発酵及び二次発酵、ならびに後処理を含む。まず、麦芽を粉砕し、水中撹拌し、加熱する。この「マッシング」の間、麦芽製造中に活性化された酵素は穎果の澱粉を分解して発酵可能な糖にする。生産された麦汁を清澄化し、酵母を添加し、混合物を発酵させ、後処理を実施する。
【０１７０】
一般に、麦汁生産プロセスの第１ステップは、マッシング段階で水が穀粒粒子に到達し得るようにするための麦芽の粉砕であり、それは基本的には、基質の酵素的解重合を用いる麦芽製造の拡張である。マッシングの間、粉砕した麦芽は水などの液体画分と共にインキュベートされる。温度は一定に保たれるか（等温マッシング）、徐々に上昇させるかのどちらかである。どちらの場合においても、麦芽製造及びマッシングで生じた可溶性物質は上記液体画分中に抽出され、その後、濾過によって麦汁と、使用済み穀粒を指す残存固形粒子とに分離される。麦汁組成物は、本発明のコムギ穀粒またはその一部を１つ以上の適切な酵素、例えば酵素組成物または酵素混合物組成物、例えばＵｌｔｒａｆｌｏまたはＣｅｒｅｆｌｏ（Ｎｏｖｏｚｙｍｅｓ）と共にインキュベートすることによっても調製され得る。麦汁組成物はまた、麦芽と麦芽になっていない植物またはその部分との混合物を使用して調製してもよく、場合によって上記調製中に１つ以上の適切な酵素を添加する。
【０１７１】
小麦粉または全粒粉の澱粉は、食品製品に組み込まれた場合、改変された消化特性を提供し、例えば食品原料は、野生型コムギ穀粒から生産された対応する食品原料に比べて増加した耐性澱粉、例えば、１〜２０％、２〜１８％、３〜１８％または５〜１５％の耐性澱粉を含み、また、低下したグリセミック指数（ＧＩ）、例えば、少なくとも５単位分、好ましくは５〜２５単位分の低下を含む。これは、増加した、例えば重量表示で食品原料の１５〜３０％の総繊維質含有量と組み合わされ得る。
【０１７２】
炭水化物は、炭素、水素及び酸素から構成される１つ以上の糖単位を含む化合物であるが、炭水化物を構成している単糖単位の数及び組成によって分類され得る。これらには、多糖類（１０より多い単糖単位）、オリゴ糖類（３〜１０単糖単位）、二糖類及び単糖類、例えば、グルコース、フルクトース、キシルロース及びアラビノースが含まれる。炭水化物は重量表示で成熟野生型コムギ穀粒の６５％超を構成し、６５〜７５％の澱粉及び約１０％の細胞壁多糖、例えばセルロース、アラビノキシラン及びＢＧを含む。
【０１７３】
澱粉は、コムギなどの禾穀類を含めた大部分の植物において主要な貯蔵炭水化物である。本明細書において「澱粉」は、α−１，４結合及び全くないかあるいはいくつかのα−１，６結合によって重合したグルコピラノース単位から構成される多糖と定義される。澱粉は、アミロプラスト内で合成されて穀粒などの発達中の貯蔵器官内で顆粒中に形成及び貯蔵され、本明細書ではそれを「貯蔵澱粉」または「穀粒澱粉」または「穀粒の澱粉」と呼ぶ。Ｔｒｉｔｉｃｕｍ  ａｅｓｔｉｖｕｍを含めて禾穀類穀粒では、貯蔵澱粉の非常に多くの部分が胚乳中に澱粉顆粒として蓄積される。澱粉は、穀粒発達中、特に植物生育の登熟期にアミロプラスト内で合成及び蓄積され、澱粉顆粒と呼称される離散的な結晶構造を形成する。野生型Ｔｒｉｔｉｃｕｍ  ａｅｓｔｉｖｕｍでは、澱粉顆粒には大きさが２種類あり、つまり、大きい方の、直径１０〜４０μｍの楕円形の顆粒（Ａ型顆粒）と、小さい方の、直径１〜１０μｍの球形の顆粒（Ｂ型顆粒）とがある。
【０１７４】
澱粉の分子は、アミロース及びアミロペクチンとして知られる２つの成分画分に属するものとして分類され、それらは重合度（ＤＰ）及びポリマーにおけるα−１，４結合に対するα−１，６結合の比率に基づいて区別される。アミロースは、α−１，６結合によって他のα−１，４結合鎖に繋げられたグルカン鎖を有しないかあるいは僅かに有するものであり得る、ほぼ完全に直鎖であるα−１，４結合グルコシル鎖を含み、分子量は１０４〜１０５ダルトンである。本明細書において「アミロース」という用語は、「真性アミロース」と呼称される本質的に直鎖であるα−１，４結合グルコシド（グルコピラノース）単位の分子と、時として「中間物質」または「アミロース様アミロペクチン」と呼称され、真性アミロースと同様にヨウ素測定アッセイにおけるヨウ素結合性物質であるとみられるアミロース様長鎖澱粉とを含むものとして定義される（Ｔａｋｅｄａ  ｅｔ  ａｌ．，１９９３、Ｆｅｒｇａｓｏｎ，１９９４）。真性アミロースにおいて直鎖分子は典型的には５００〜５０００のＤＰを有し、１％未満のα−１，６結合を含有する。最近の研究では、アミロース中に約０．１％のα−１，６グルコシド分岐部位が起こり得ることが示されており、このため、それは「本質的に直鎖である」と表現される。これに関して、百分率（％）は、α−１，４グルコシド結合とα−１，６グルコシド結合との総和であるグルコシド結合の総数に対するα−１，６グルコシド結合の数を指す。顆粒結合型澱粉合成酵素（ＧＢＳＳ）は、アミロースの合成に関与する主な酵素である。
【０１７５】
アミロペクチンは、３〜６０個のグルコシル単位を有するα−１，４結合グルコシル鎖がα−１，６結合によって連結された、比較的高度に分岐したグルカンポリマーであり、その結果としてグルコシル結合の総数のおよそ４〜６％はα−１，６結合である。それゆえ、アミロペクチンは、ＤＰが５０００〜５００，０００に及ぶ、よりはるかに大きい分子であり、アミロースよりも高度に分岐している。アミロースは螺旋形配座を有し、分子量が約１０４〜１０６ダルトンであるが、アミロペクチンは分子量が約１０７〜１０８ダルトンである。これらの２種類の澱粉は、当技術分野でよく知られている方法によって、例えば、サイズ排除クロマトグラフィーによって、またはヨウ素に対するそれらの異なる結合親和性によって、容易に区別または分離することができる。アミロースは、小腸内でα−アミラーゼによってアミロペクチンよりもゆっくりと消化され、後者はその高度な分岐構造のために酵素的加水分解の部位を多く有する。
【０１７６】
野生型Ｔｒｉｔｉｃｕｍ  ａｅｓｔｉｖｕｍ穀粒からの澱粉は、ヨウ素法によって測定される場合、典型的には２０〜３０％のアミロースと約７０〜８０％のアミロペクチンとを含むのに対し、本発明の穀粒の澱粉は重量基準で約４５％〜約７０％のアミロース含有量を有する。アミロース含有量は４５〜７０％であり得、いくつかの実施形態では４５〜６５％、または約５０％、約５５％、約６０％もしくは約６５％であり得る。穀粒はこのレベルが高ければ高いほど好ましい。本明細書において定義される澱粉に占めるアミロースの割合は、重量／重量（ｗ／ｗ）基準であり、つまり、アミロース画分とアミロペクチン画分とへのいかなる分画よりも前の澱粉に関して、穀粒から抽出することができる全澱粉の重量に対する百分率で表したアミロースの重量である。穀粒、小麦粉または本発明の他の製品に関して本明細書中で使用する場合、「澱粉に占めるアミロースの割合」及び「アミロース含有量」という用語は本質的に相互交換可能な用語である。アミロース含有量は、例えば９０％（ｗ／ｖ）ＤＭＳＯでのサイズ排除高速液体クロマトグラフィー（ＨＰＬＣ）、コンカナバリンＡ法（Ｍｅｇａｚｙｍｅ  Ｉｎｔ，Ｉｒｅｌａｎｄ）を含めた当技術分野で知られている任意の方法によって、または好ましくは例えば実施例１で記載しているようなヨウ素測定法によって決定され得る。ＨＰＬＣ法は澱粉の枝切りを伴うもの（Ｂａｔｅｙ  ａｎｄ  Ｃｕｒｔｉｎ，１９９６）、または枝切りを伴わないものであり得る。「真性アミロース」のみを検査するＢａｔｅｙ  ａｎｄ  Ｃｕｒｔｉｎ，１９９６のＨＰＬＣ法などの方法が本明細書において定義されるアミロース含有量を低く見積る場合があることは理解されよう。ＨＰＬＣまたはゲル浸透クロマトグラフィーなどの方法がアミロースとアミロペクチンとへの澱粉の分画に依拠している一方、ヨウ素測定法は、ヨウ素結合性の差に依拠しており、それゆえ分画を必要としない。
【０１７７】
穀粒重量とアミロース含有量とから、試験系統及び対照系統について穀粒１粒あたりのアミロース蓄積量を算出及び比較することができる。
【０１７８】
澱粉は、標準的方法、例えば、Ｓｃｈｕｌｍａｎ  ａｎｄ  Ｋａｍｍｉｏｖｉｒｔａ，１９９１の方法を用いてコムギ穀粒から容易に単離される。産業規模では、湿式及び乾式粉砕を用いることができる。澱粉顆粒の大きさは、小さい方のＢ顆粒からの大きい方のＡ顆粒の分離があり得る場合に澱粉加工産業において重要である。
【０１７９】
商用に栽培された野生型コムギは、栽培した栽培品種にいくぶん依存して穀粒中の澱粉含有量が通常５５〜７５％の範囲内である。これに比べて本発明の穀粒は、約２５％〜約７０％の澱粉含有量を有するため、ほとんどの実施形態ではその澱粉含有量が、対応する野生型穀粒に比べて減少している。実施形態では、本発明の穀粒の澱粉含有量は２５〜６５％、２５〜６０％、２５〜５５％、２５〜５０％、３０〜７０％、３０〜６５％、３０〜６０％、３０〜５５％または３０〜５０％である。さらなる実施形態では、澱粉含有量は、穀粒重量に対する百分率（ｗ／ｗ）で表して約３５％、約４０％、約４５％、約５０％、約５５％、約６０％または約６５％である。本発明の穀粒の澱粉含有量は、相対基準で、つまり対応する野生型穀粒の澱粉含有量に対して定義することもできる。実施形態では、澱粉含有量は、野生型穀粒の澱粉含有量に対して約５０％〜約９０％、または５０〜８０％、５０〜７５％、５０〜７０％、６０〜９０％、もしくは６０〜８０％である。澱粉含有量は、野生型穀粒の澱粉含有量に対して９０〜１００％である場合もある。どの場合においても、比較は、植物を例えば圃場試験において同じ条件下で栽培することによってなされなければならない。
【０１８０】
本発明の小麦粉、澱粉顆粒及びふすまは、穀粒から、粉砕プロセス及び場合によってその後に伴う篩分けまたは篩掛けプロセスによって得られ得る。精製澱粉も、穀粒から、粉砕プロセス、例えば湿式粉砕プロセス、及びその後に伴う穀粒のタンパク質、油及び繊維質からの澱粉のさらなる分離によって得られ得る。本明細書中で使用する場合、「粉砕済み製品」という用語は、穀粒、好ましくは本発明のコムギ穀粒を粉挽きすることによって生産される製品を指し、小麦粉（例えば全粒粉）、ミドリング粉（セモリナ粉としても知られる）、ふすま（胚芽を含む）及び澱粉顆粒を含む。ミドリング粉は通常、粒状粒子の形態であり、穀粒からのふすま及び胚芽を含み、典型的には約１８％のタンパク質、２０〜３０％の澱粉、及び約５〜６％の脂質を含む。粉砕プロセスからのこの画分は、精白小麦粉に比べて栄養素が比較的濃い。穀粒形状は、植物の商業的有用性に影響を与え得る特徴である、というのも、穀粒形状は、穀粒を粉砕できる簡単さ、あるいは困難さに影響を与え得るからである。粉砕収率は穀粒の商業的有用性にとって重要なパラメータである。本発明の穀粒の粉砕収率は、野生型穀粒に比べて少なくとも１０％低下することがあるが、あるいは野生型穀粒とほぼ同じになることもある。
【０１８１】
別の態様では、本発明は、本発明の植物の穀粒から得られた澱粉顆粒または澱粉を提供する。顆粒の澱粉は、野生型コムギ澱粉顆粒に比べてアミロースの割合が増加しており、アミロペクチンの割合が減少している。粉砕プロセスの最初の製品は、澱粉顆粒を含む混合物または組成物、例えば小麦粉または全粒粉であり、したがって、本発明はそのような顆粒を包含する。野生型コムギからの澱粉顆粒は、数あるタンパク質のなかでもＧＢＳＳ、ＳＳＩ、ＳＢＥＩＩａ及びＳＢＥＩＩｂを含めた澱粉顆粒結合型タンパク質を含んでおり、それゆえ、これらのタンパク質の存在によってコムギ澱粉顆粒は他の禾穀類の澱粉顆粒との区別が付く。対照的に、本発明のコムギ穀粒からの澱粉顆粒は、六倍体コムギのＡ、Ｂ及びＤゲノムの各々によってコードされるＧＢＳＳポリペプチドを含めたコムギＧＢＳＳを含むが、ＳＳＩＩａポリペプチドは減少しており、実際、いくつかの実施形態ではＳＳＩＩａポリペプチドを欠く。これらの澱粉顆粒はさらに、コムギのＳＳＩ、ＳＢＥＩＩａ及びＳＢＥＩＩｂポリペプチドのうちの１つ以上または全てを、たとえこれらの酵素をコードする遺伝子についてコムギ穀粒が野生型であったとしても、低下したレベルで含み得る。本発明のコムギ穀粒からの澱粉顆粒は、光学顕微鏡下で観察した場合、歪んだ形状及び表面形態を有することが典型的であり、特にアミロース含有量が穀粒の全澱粉に対する百分率で表して少なくとも４５％または少なくとも５０％であるコムギ穀粒については実施例７を参照されたい。一実施形態では、本発明の穀粒から得られた澱粉顆粒のうち少なくとも５０％、好ましくは少なくとも６０％または少なくとも７０％、より好ましくは少なくとも８０％は、歪んだ形状及び／または表面形態を示す。澱粉顆粒は、偏光下で観察したときの複屈折の喪失も示す。複屈折の入射角の決定については例えば本明細書の実施例７を参照されたい。例えば、澱粉顆粒の５０％未満または２５％未満が、野生型澱粉顆粒を偏光下で観察したときに観察される「マルタ十字」を示す。
【０１８２】
澱粉顆粒からの澱粉は、熱及び／または化学処理によって澱粉顆粒を破壊し分散させた後にタンパク質を除去することによって精製され得る。本発明の穀粒の澱粉、澱粉顆粒の澱粉、及び精製澱粉はさらに、以下の特性：
ｉ）そのアミロース含有量が、重量基準で少なくとも４５％（ｗ／ｗ）、好ましくは４５〜７０％であるか、または全澱粉に対するアミロースの割合で表して少なくとも５０％（ｗ／ｗ）、もしくは約６０％（ｗ／ｗ）であること；
ｉｉ）少なくとも２％の耐性澱粉、好ましくは少なくとも３％の耐性澱粉を含むこと；
ｉｉｉ）澱粉が、低下したグリセミック指数（ＧＩ）によって特徴付けられること；
ｉｖ）澱粉顆粒が、歪んだ形状を有すること；
ｖ）偏光下で観察したときの澱粉顆粒の複屈折が低下していること；
ｖｉ）澱粉が、減少した膨潤容積によって特徴付けられること；
ｖｉｉ）澱粉における鎖長分布及び／または分岐頻度が変化していること；
ｖｉｉｉ）澱粉が、低下した糊化ピーク温度によって特徴付けられること；
ｉｘ）澱粉が、低下したピーク粘度によって特徴付けられること；
ｘ）澱粉ペースト化温度が低下していること；
ｘｉ）サイズ排除クロマトグラフィーによって決定したときのアミロースのピーク分子量が低下していること；
ｘｉｉ）澱粉結晶性が低下していること；ならびに
ｘｉｉｉ）Ａ型及び／またはＢ型澱粉の割合が低下している、及び／またはＶ型結晶性澱粉の割合が上昇していること
のうちの１つ以上または全てによって特徴付けられ得、各特性は野生型のコムギ澱粉顆粒または澱粉と比べたときのものである。
【０１８３】
本発明の小麦粉または澱粉はさらに、野生型の小麦粉または澱粉と比べたときの、加熱された過剰の水の中でのその膨潤容積によっても特徴付けられ得る。膨潤容積は、典型的には、澱粉または小麦粉を過剰の水と混合し、高温、典型的には９０℃超に加熱することによって測定される。その後、試料を遠心分離によって回収し、沈降した材料の質量を試料の乾燥重量で割ったものとして膨潤容積が表される。低い膨潤特性は、食品調製物、特に水で処理された食品調製物の澱粉含有量を増加させるのが望まれる場合に有用である。本発明の小麦粉及び澱粉は、好ましくは、膨潤容積が減少しており、例えば、野生型コムギの小麦粉または澱粉に比べて３０〜７０％減少している。
【０１８４】
変化したアミロペクチン構造の１つの尺度は澱粉の鎖長分布または重合度である。鎖長分布は、イソアミラーゼによる枝切りに続いて蛍光標識糖鎖電気泳動（ＦＡＣＥ）を用いることによって決定され得る。本発明の澱粉のアミロペクチンは、鎖長分布が５〜６０の範囲、または対応する野生型植物からの澱粉の鎖長分布よりも大きいＤＰ７〜１１などの小範囲にあり得、及び／または他のＤＰ１２〜２４などの小範囲における頻度が低減され得る。例えば本明細書の実施例７を参照されたい。より長い鎖長を有する澱粉もそれに相応して分岐頻度が低いであろう。本発明の穀粒の澱粉は、イソアミラーゼによるアミロペクチンの枝切り後に測定した場合に穀粒のアミロペクチンに含まれるＤＰ４〜１２の鎖長画分の割合が野生型穀粒のアミロペクチンに比べて増加している、ＳＢＥＩＩａ活性の低下したコムギ穀粒の澱粉（Ｒｅｇｉｎａ  ｅｔ  ａｌ．，２００６）とは明確に異なっている。この差異はＦＡＣＥによって容易に判定することができる。
【０１８５】
本発明の別の態様では、コムギ澱粉は、変化した糊化温度、好ましくは低下した糊化温度を有し、それは示差走査熱量測定（ＤＳＣ）によって容易に測定される。糊化は、過剰の水の中で澱粉顆粒内に熱によって促される分子秩序の崩壊（破壊）であり、顆粒膨潤、結晶溶融、複屈折の喪失、粘度の発達、及び澱粉可溶化などの不可逆的特性変化が付随する。糊化温度は、残っているアミロペクチンの鎖長に応じて、野生型植物からの澱粉に比べて上昇するか低下するかのどちらかであり得る。トウモロコシのアミロースエクステンダー（ａｅ）突然変異体からの高アミロース澱粉は、通常のトウモロコシより高い糊化温度を示した（Ｆｕｗａ  ｅｔ  ａｌ．，１９９９、Ｋｒｕｅｇｅｒ  ｅｔ  ａｌ．，１９８７）。
【０１８６】
糊化温度、特に、第１ピークの開始温度または第１ピークの頂部の温度は、ＤＳＣによって測定した場合、類似しているが改変されてはいない穀粒から抽出された澱粉に比べて、少なくとも３℃、好ましくは少なくとも５℃以上、またはより好ましくは少なくとも７℃低くなり得る。澱粉は、上昇したレベルで耐性澱粉を含み得るとともに、澱粉顆粒形態の変化を原因とし得る消化酵素への物理的到達不可能性と、澱粉関連脂質のかなりの存在と、変化した結晶性と、変化したアミロペクチン鎖長分布とからなる群のうちの１つ以上を含む固有の物理的特質によって示唆される変化した構造を有し得る。アミロースの割合が高いことは、澱粉を加熱してその後に冷却したときの耐性澱粉のレベルにも寄与する。
【０１８７】
本発明のコムギの澱粉構造は、野生型コムギ穀粒から単離された澱粉に比べて結晶化度が低下している、及び／または結晶性の種類が改変されている、という点においても異なっている。結晶性はＸ線結晶学によって調べるのが典型的である。低下した澱粉の結晶性はさらに、強化された感覚刺激特性に関連し、より滑らかな舌触りに寄与すると考えられる。
【０１８８】
本発明はさらに、含まれている食物繊維の量が、少なくとも上昇したＲＳのレベルによってだけでなくアラビノキシラン、β−グルカン及びフルクタンなどの他の食物繊維成分の上昇したレベルによっても増加している、穀粒からのコムギ穀粒、小麦粉、全粒粉、澱粉顆粒及び澱粉を提供する。本明細書中で使用する場合、「食物繊維」（ＤＦ）または「全食物繊維」（ＴＤＦ）は、健常なヒト対象の小腸で消化されず大腸における生理学的利益を有する、食品中の炭水化物ポリマーの総和を意味する。本明細書中で使用する場合、ＤＦは、「全繊維含有量」とは異なる（以下）。ＤＦは、小腸で消化吸収されないが結腸まで送られてそこで細菌によって分解され得る。ＤＦは、ＲＳ、非α−グルカンオリゴ糖及び非澱粉多糖（ＮＳＰ）、例えば、アラビノキシラン、β−グルカン及びフルクタンを含む。ＤＦは大抵、水に可溶な形態（水溶性繊維質）または水に可溶でない形態（不溶性繊維質）と、ＲＳとに分割される。野生型コムギ穀粒中の食物繊維のうち最も健康増進性である画分は、ＡＸ成分を大抵含んでいる可溶性繊維質である、というのも、野生型澱粉にはＲＳが非常に少ないからである。対照的に、エンバク及びオオムギでは可溶性繊維質は大抵ＢＧである。オーストラリア国立心臓基金は、心血管及び結腸の健康のためにＤＦを一日に３０〜３５ｇ摂取することを推奨している。コムギにおいて、食物繊維質含有量に影響を与える様々な候補遺伝子が同定されているが（Ｑｕｒａｉｓｈｉ  ｅｔ  ａｌ．，２０１１）、本発明の穀粒によって提供されるのと同じレベルのものはない。ＤＦは、ＡＯＡＣ９９１．４３（Ｍｅｇａｚｙｍｅ）法によって測定され得る。
【０１８９】
本明細書中で使用する場合、「プレバイオティック」とは、（ヒトの消化酵素によって）消化されることができず、小腸を通過した後に結腸で１つまたは限られた数の細菌の成長及び／または活性を選択的に刺激することによって対象に有益な影響を与える、食品原料のことである。例えば、フルクタン及びＢＧは細菌活動以外によって消化されることができないが、特異的発酵によってヒト消化管内細菌の組成を変化させることができ、酢酸塩、プロピオン酸塩及び酪酸塩を含めた短鎖カルボン酸を生じさせることができる。
【０１９０】
一実施形態では、本発明のコムギ穀粒、小麦粉、澱粉顆粒及び澱粉は、改変された消化特性、例えば増加した耐性澱粉を提供する。本明細書中で使用する場合、「耐性澱粉」（ＲＳ）は、健常個体の小腸で吸収されないが大腸に進入する、澱粉及び澱粉消化製品を指す。これは、穀粒の全澱粉に対する百分率、または文脈によっては食品の総澱粉含有量に対する百分率によって定義される。したがって、耐性澱粉は、小腸で消化吸収される製品を除外する。したがって、ＲＳは、本発明の食品原料（小麦粉など）または食品製品の食物繊維含有量の一部である。ＲＳは５つのカテゴリーに分かれる：物理的到達不可澱粉（ＲＳＩ）、例えば不完全粉砕穀粒内の、耐性澱粉顆粒（ＲＳＩＩ）、例えばジャガイモ及び青バナナに僅かにみられるものなど、糊化澱粉が長い期間を掛けて冷却されたときに形成される老化澱粉（ＲＳＩＩＩ）、化学変性澱粉（ＲＳＩＶ）、例えばグリコシル残基の遊離ヒドロキシル基をエーテル化またはエステル化することによって形成するもの、ならびにアミロースまたはアミロペクチンの長い分岐鎖と脂質との複合体を形成することができる澱粉（ＲＳＶ）（Ｂｉｒｔ  ｅｔ  ａｌ．，２０１３）。ＲＳＩＩＩは特に、糊化後に再結晶化して老化澱粉を形成しがちな長めのアミロース鎖から形成される。増加したアミロース含有量を有する澱粉系食品中のＲＳは主として老化アミロースである（Ｈｕｎｇ  ｅｔ  ａｌ．，２００６）。本発明の穀粒の澱粉、澱粉顆粒、澱粉及びそれによる製品のＲＳが、対応する野生型製品に比べて増加しているのは、ＲＳＩＩ及びＲＳＶ含有量の増加、ならびに澱粉が加熱されてその後に冷却されている場合での老化後のＲＳＩＩＩのためであると考えられる。Ｖ−複合体結晶性によって測定される澱粉−脂質会合も耐性澱粉のレベルに寄与している可能性があり、本発明の穀粒中に増加した脂質含有量のおかげでＲＳＶ成分が増加している可能性がある。澱粉のうちのいくらかは、いくぶん消化に至り難いＲＳＩ型でもあり得る。
【０１９１】
食品原料中または食品中のＲＳレベルを測定するのにいくつかの方法が利用可能であり、どれも澱粉加水分解酵素を使用して消化性澱粉を最初に除去することに依拠している（Ｄｕｐｕｉｓ  ｅｔ  ａｌ．，２０１４）。Ｐｒｏｓｋｙ法（ＡＯＡＣ９８５．２９）によるＲＳ評価は、α−アミラーゼ、グルコアミラーゼ及びプロテアーゼによる消化の後での食物繊維の重量測定による決定を用いる（Ｐｒｏｓｋｙ  ｅｔ  ａｌ．，１９８５）。ＭｃＣｌｅａｒｙ法（ＡＯＡＣ２００９．０１）は、ＡＯＡＣの正式な方法であり、商業的に入手可能である（Ｍｅｇａｚｙｍｅ  Ｉｎｔｅｒｎａｔｉｏｎａｌ，Ｉｒｅｌａｎｄ）。それはＲＳを測定する好ましい方法である（本明細書の実施例１を参照のこと）。このアッセイでは、非耐性澱粉を膵臓α−アミラーゼによる処理によって可溶化し、ＲＳを回収して２ＭのＫＯＨに溶かし、その後、アミログルコシダーゼでグルコースに加水分解し、測定する。
【０１９２】
実施形態では、澱粉は、重量基準で総澱粉含有量に対する百分率で表して２〜２０％、２〜１８％、３〜１８％、３〜１５％または５〜１５％の耐性澱粉を有する。実施形態では、ＲＳ含有量は、等価な量の野生型コムギ澱粉で作られた対応する食品原料または食品製品に比べて２〜１０倍増加している。実施形態では、ＲＳ含有量は、野生型に比べて約３倍、約４倍、約５倍、約６倍、約７倍、約８倍、約９倍増加している。増加するＲＳの程度は、本発明の製品に対応する野生型製品をブレンドすることによって調節することができる。本発明の澱粉の変化した澱粉構造及びとりわけ高いアミロースレベルは、食品で摂取されるときのＲＳの増加をもたらす。ＲＳは、腸内でのその発酵中に放出される代謝産物（Ｔｏｐｐｉｎｇ  ａｎｄ  Ｃｌｉｆｔｏｎ，２００１）、特にＳＣＦＡである酪酸塩、プロピオン酸塩及び酢酸塩に関連する有益な生理学的効果を有し、食後の血中グルコースレベルを低下させるのに有効である。
【０１９３】
本発明の穀粒、食品原料及びそれから生産される食品製品は、β−グルカン、セルロース、フルクタンまたはアラビノキシランが本発明の穀粒におけるこれらの成分のレベルの上昇に基づいて強化された組成物を食事に提供する、または生産するために、有益に使用することができる。禾穀類穀粒の細胞壁は、セルロース、キシログルカン、（ガラクツロン酸残渣中に豊富である）ペクチン、カロース（１，３−β−Ｄ−グルカン）、アラビノキシラン（アラビノ−１，４−β−Ｄ−キシラン、以後ＡＸ）及びＢＧなどの様々な多糖類ならびにリグニンなどのポリフェノール類からなる複雑な動的構造体である。イネ科植物及び他のいくつかの単子葉植物の細胞壁では、グルクロノアラビノキシラン及びＢＧが多くを占め、ペクチン多糖類、グルコマンナン及びキシログルカンのレベルは比較的低い（Ｃａｒｐｉｔａ  ｅｔ  ａｌ．，１９９３）。これらの多糖類は、多種多様な多糖合成酵素及びグリコシルトランスフェラーゼによって合成され、植物には少なくとも７０個の遺伝子ファミリーが存在し、多くの場合、遺伝子ファミリーに多数のメンバーが存在する。
【０１９４】
本明細書中で使用する場合、「（１，３；１，４）−β−Ｄ−グルカン」という用語は、「β−グルカン」とも称され、本明細書では「ＢＧ」と略されるが、非置換でありかつ本質的に非分岐状であるβ−グルコピラノシルモノマーがいくつかの１，３−結合と共に大部分の１，４−結合によって共有結合している本質的に直鎖であるポリマーを指す。１，４−及び１，３−結合によって繋ぎ合わされたグルコピラノシル残基は、反復してはいないがランダムでもない並び方をしており、つまり１，４−及び１，３−結合は、ランダムには並んでいないがそれと同時に、規則的に反復する配列で並んでいるわけでもない（Ｆｉｎｃｈｅｒ，２００９ａ，２００９ｂ）。コムギＢＧでは、エンバク及びオオムギのＢＧと同様に、１，３−結合残基のうちのほとんど（約９０％）は、２つまたは３つの１，４−結合残基の後に続いている。したがって、ＢＧは、グルコピラノシル残基約２８個分以下で、セロトリオシル単位（各々は３つのグルコピラノシル残基を有する）とセロテトロシル単位（各々は４つのグルコピラノシル残基を有する）とが主にβ−１，４結合している鎖と、約１０％分だけより長くβ−１，４結合した１，４−結合グルコピラノシル残基４個〜約１０個からなるセロデキストリン単位とが、単一のβ−１，３結合によって繋がり合ったものであるとみなすことができる（Ｆｉｎｃｈｅｒ  ａｎｄ  Ｓｔｏｎｅ，２００４）。典型的には、ＢＧポリマーは少なくとも１０００個のグリコシル残基を有し、水性媒体中で拡張型配座をとる。四糖単位に対する三糖単位の比率（ＤＰ３／ＤＰ４比）は、種によって様々であり、したがって、種から得られるＢＧに特徴的である。異なる禾穀類から得られるＢＧはその溶解性が異なり、エンバクから得られるＢＧはコムギから得られるＢＧよりも溶解性が大きい。これは、ＢＧポリマーのＤＰ３対ＤＰ４比と関係があると考えられる。
【０１９５】
野生型コムギ穀粒では、ＢＧレベルは胚乳よりも穀粒全体における方が高い（Ｈｅｎｒｙ，１９８５）。野生型コムギ穀粒全体のＢＧは重量基準で約０．６％であったのに比べ、オオムギでは約４．２％、エンバクでは３．９％、ライムギでは２．５％であった（Ｈｅｎｒｙ  １９８７）。野生型コムギ穀粒では、その範囲は重量表示で０．４〜１．４％であった（Ｌａｚａｒｉｄｏｕ  ｅｔ  ａｌ．，２００７）。コムギ穀粒のＢＧは典型的にはＤＰ３／ＤＰ４比が３〜４．５である（Ｌａｚａｒｉｄｏｕ  ｅｔ  ａｌ．，２００７）。オオムギのＢＧは、血漿コレステロールの低下、グリセミック指数の低減、及び結腸癌のリスクの低減に関連しており、コムギのＢＧはこれらの効果に関連していない、というのも、コムギ穀粒のＢＧレベルはオオムギよりもはるかに低いからである。穀粒中のＢＧのレベルは通常、穀粒を全粒粉に粉砕してＢＧを例えば実施例１に記載の方法で検査することによって測定される。
【０１９６】
野生型コムギ穀粒では、フルクタンのレベルは重量表示で穀粒のたったの０．６〜２．６％である。本明細書中で使用する場合、「フルクタン」という用語は、単一の末端グルコース単位に対して重合したフルクトシル残基を含むフルクトースのポリマーを意味する。フルクタンは、スクロースから合成され、それゆえに末端がグルコースになっている。フルクトース部分は互いにβ−１，２及び／またはβ−２，６結合によって繋がっており、鎖の端部にはグルコースが、スクロースからのフルクトシルの移動の繰り返しによって形成されてスクロースでみられるようなα−１，２結合によって繋がっていることがある。フルクタン合成に関与する酵素としては、例えば、ケトースを形成するスクロース−スクロースフルクトシルトランスフェラーゼ（ＥＣ２．４．１．９９）、及び１−あるいは６−フルクタン−フルクタンフルクトシルトランスフェラーゼ（ＥＣ２．４．１．１００）が挙げられる。重合度（ＤＰ）は３から数百まで変動するが、典型的には３〜６０であり、本発明の穀粒では大抵ＤＰ３〜１０である。この組成から考えてフルクタンは水への溶解性が高く、７８％エタノール中で析出しない。フルクトシル残基間の結合は、フルクトシル残基がスクロース開始部分のフルクトシル残基に取り付けられ直鎖状分子（イヌリン）を形成するβ−１，２型のみであるか、β−２，６型（レバン）であるか、両方の結合型が分岐状フルクタン（グラミナン）に起こるかのいずれかである。グラミナンは、β−１，２分岐点と共にβ−２，６結合型フルクトース単位を含み、そのためにより複雑な構造体であるが、禾穀類にも存在し得、レバンと混ざり合っていることがある。本発明の穀粒におけるフルクタンのレベルは通常、穀粒を全粒粉に粉砕してフルクタンを例えば実施例１に記載の方法で検査することによって測定され、これはＰｒｏｓｋｙ  ａｎｄ  Ｈｏｅｂｒｅｇｓ（１９９９）の方法に基づいている。方法はフルクタンの加水分解及びその後の遊離糖分の決定に依拠している。
【０１９７】
フルクタンは、食品原料としてヒトの健康に対する潜在的に有益な効果を有する非澱粉性炭水化物である（Ｔｕｎｇｌａｎｄ  ａｎｄ  Ｍｅｙｅｒ，２００２、Ｒｉｔｓｅｍａ  ａｎｄ  Ｓｍｅｅｋｅｎｓ，２００３）。ヒト消化酵素α−グルコシダーゼ、マルターゼ、イソマルターゼ及びスクラーゼは、フルクタン結合のβ配置のためにフルクタンを加水分解することができない。さらに、ヒト及び他の哺乳動物の小腸は、フルクタンを分解するエキソヒドロラーゼ酵素を欠き、それゆえ、食物フルクタンは小腸での消化を回避してそのまま大腸に到達する。しかしながら、そこにいる細菌は、フルクタンを発酵させることができ、したがってそれらを例えば成長及び短鎖脂肪酸（ＳＣＦＡ）産生のためのエネルギー源または炭素源として利用することができる。したがって、食物フルクタンは、結腸中のビフィズス菌などの有益な細菌の成長を刺激することができ、それは便秘及び病原性腸細菌による感染症などの腸疾患の防止に役立つ。さらに、食物フルクタンは食事からの栄養素、特にカルシウム及び鉄の吸収を強化するが、これはおそらく、ＳＣＦＡが産生してそれが今度は腸管ｐＨを下げてカルシウムの化学種形成及びそれゆえの溶解度を変化させるかまたは粘膜輸送経路に直接影響を及ぼすことによるものであり、それにより、骨の石灰化が向上し、鉄欠乏性貧血のリスクが低減される。さらに、高フルクタン食は糖尿病患者の健康を増進することができ、結腸癌の前兆である異常陰窩巣を抑制することによって結腸癌のリスクを低減することができる（Ｋａｕｒ  ａｎｄ  Ｇｕｐｔａ，２００２）。さらに、フルクタンには甘味があり、低カロリー甘味料及び機能性食品原料として使用されることが多くなってきている。
【０１９８】
本発明の穀粒からの単離されたフルクタンの生産は、フルクタン生産の既存の方法、例えばチコリーからのイヌリンの抽出を伴う方法に比べてコスト効率が良い。フルクタンの大規模抽出は、穀粒を全粒粉小麦粉に粉砕すること及びその後に小麦粉からフルクタンを含めた全ての糖分を水中に抽出することによって成し遂げることができる。これは周囲温度で行われ得、その後に混合物が遠心分離または濾過され得る。その後、上澄みを約８０℃に加熱し、遠心分離してタンパク質を除去し、その後、乾燥させる。あるいは、小麦粉の抽出を８０％のエタノールによって行うことができ、これに続いて水／クロロホルム混合物を使用する相分離を行い、糖分及びフルクタンを含有する水相を乾燥させ、水中に再び溶解させることができる。どちらかの方法で調製した抽出物の中のスクロースはα−グルコシダーゼの添加によって酵素的に除去され得、その後、ヘキソース（単糖類）がゲル濾過によって除去されて様々な大きさのフルクタン画分が生成する。これによって、フルクタンが少なくとも５０％、好ましくは少なくとも６０％または少なくとも７０％、より好ましくは少なくとも８０％であるフルクタンに富む画分が生成するであろう。
【０１９９】
小規模フルクタンアッセイの開発。禾穀類穀粒及びそれらから得られる食品製品のフルクタン含有量は、一般に、高速液体クロマトグラフィー（ＨＰＬＣ）（Ｈｕｙｎｈ  ｅｔ  ａｌ．，２００８）または分光光度測定（ＭｃＣｌｅａｒｙ  ｅｔ  ａｌ．，２０００、ＭｃＣｌｅａｒｙ  ｅｔ  ａｌ．，２０１３、Ｓｔｅｅｇｍａｎｓ  ｅｔ  ａｌ．，２００４）を用いて測定される。分光光度測定に基づく正式なＡＯＡＣ法９９９．０３（ＡＯＡＣ，２０００ｂ）はＫ−ＦＲＵＣＨＫ及びＫ−ＦＲＵＣキットとしてＭｅｇａｚｙｍｅ  Ｉｎｔｅｒｎａｔｉｏｎａｌ  Ｌｉｍｉｔｅｄ（Ｂｒａｙ，Ｉｒｅｌａｎｄ）から市販されている。これらの市販のキットは簡便であり、禾穀類穀粒のフルクタンレベルを測定し易い（Ｋａｒｐｐｉｎｅｎ  ｅｔ  ａｌ．，２００３、Ｗｈｅｌａｎ  ｅｔ  ａｌ．，２０１１）。Ｋ−ＦＲＵＣＨＫアッセイでは、スクロースと低重合度（ＤＰ）マルトース系糖類をフルクトース及びグルコースに加水分解する。それらの濃度をヘキソキナーゼ／リン−グルコース異性化／グルコース６リン酸脱水素酵素（ＨＫ／ＰＧＩ／Ｇ６ＰＧＨ）系で分光光度計を使用して測定する。フルクタン加水分解後にフルクトースとグルコースとの合計濃度を再測定し、その後、２つの測定結果の差によってフルクタン含有量を決定する。Ｋ−ＦＲＵＣアッセイでは、スクロース、マルトース、マルトデキストリン及び澱粉をフルクトース及びグルコースに加水分解し、それらを水素化ホウ素ナトリウムによって対応する糖アルコール（ソルビトール及びマンニトール）へとさらに還元する。フルクタン加水分解に由来するフルクトース及びグルコースを４−ヒドロキシ安息香酸ヒドラジド（ＰＡＨＢＡＨ）と結合させて沸騰水槽内で発色させ、フルクタン含有量を計算するために分光光度計を使用してそれらの吸光度を読み取る。
【０２００】
倍加半数体（ＤＨ）コムギ集団においてフルクタン含有量のスクリーニングを行うために、単純化された酵素的加水分解及びそれに続くＨＰＬＣ分析が近年開発された（Ｈｕｙｎｈ  ｅｔ  ａｌ．，２００８ｂ）。数百〜数千の系統を含む大きい育種集団におけるフルクタン含有量の正確で迅速な測定が必要とされている。しかしながら、禾穀類穀粒において用いられる現在のフルクタンアッセイはどれも効率が比較的低く、１日に作業者１人あたり約１０個の試料を可能とし、各小麦粉試料を数グラムずつ必要とする。高処理量フルクタンアッセイを開発するために本発明者らは、実施例１で記載しているようにＫ−ＦＲＵＣＨＫ及びＫ−ＦＲＵＣアッセイをプレート形式に縮小してこれを可能にした。
【０２０１】
アラビノキシランは、コムギ穀粒の細胞壁を含めた植物細胞壁にみられる別の多糖である。本発明の穀粒及び小麦粉におけるアラビノキシランのレベルは、対応する野生型穀粒及び小麦粉に比べて例えば重量基準で少なくとも１．５倍または少なくとも２倍増加している。レベルは１．５倍〜３倍増加し得る。本明細書中で使用する場合、「アラビノキシラン」（ＡＸ）という用語は、１，４グリコシド結合によって繋がったβ−Ｄ−キシノピラノシル残基からなる直鎖状主鎖においてキシロピラノシル残基のうちのいくつかにＯ−２位、Ｏ−３位、及び／または両Ｏ−２，３位でα−Ｌ−アラビノフラノシル残基が付いているものを指す。キシロピラノシル残基は、Ｏ−２またはＯ−３において一置換であるもの、Ｏ−２，３において二置換であるもの、及び未置換であるもののうちのいずれか１つである。側枝は、アラビノース残基の他に、少量のキシロピラノース、ガラクトピラノース、α−Ｄ−グルクロン酸または４−Ｏ−メチル−α−Ｄ−グルクロン酸残基を含有し得る。禾穀類では、Ａｒａ／Ｘｙｌ比は０．３から１．１まで変動し得る。外果皮、胚盤及び胚軸からのＡＸはアラビノースで比較的高度に置換されている一方、糊粉層または透明層のそれは置換が少ない。ＡＸはさらに、キシロース残基のＯ−３に繋げられたアラビノース残基のＯ−５に対してエステル化されたヒドロケイ皮酸、フェルラ酸及びｐ−クマル酸を含み得る（Ｓｍｉｔｈ  ａｎｄ  Ｈａｒｔｌｅｙ，１９８３）。１，４−β−Ｄ−キシラン主鎖の生合成は、ＵＤＰ−Ｄ−キシロースを基質として使用してキシロース単位をキシロオリゴ糖鎖の非還元末端へ移動させる、１，４−β−キシロシルトランスフェラーゼによって触媒される。
【０２０２】
禾穀類におけるＡＸの合成には、ＵＤＰ−Ｘｙｌを基質として使用するキシロトランスフェラーゼが関与し、複雑な四糖がプライマーとして関与し得る（Ｃａｒｐｉｔａ  ｅｔ  ａｌ．，２０１１）。アラビノキシランは、ごく僅かに水に可溶であり、それらの効率的抽出のためにアルカリ溶媒を必要とする。例えば、水酸化バリウムバリウムはＡＸを選択的に抽出することができる（Ｇｒｕｐｐｅｎ  ｅｔ  ａｌ．，１９９２）。対照的に、水酸化ナトリウムはＢＧ及びＡＸを両方とも抽出する。穀粒中のＡＸのレベルは通常、穀粒を全粒粉に粉砕してＡＸを例えば実施例１に記載の方法で検査することによって測定される。
【０２０３】
トウモロコシ、ライムギ及びコムギのＡＸを使用する試験は、盲腸発酵、ＳＣＦＡの産生、血清コレステロールの低減、ならびに改善されたカルシウム及びマグネシウムの吸収に対して、肯定的効果を実証した（Ｈｏｐｋｉｎｓ  ｅｔ  ａｌ．２００３）。
【０２０４】
本明細書中で使用する場合、セルロースとは、主に植物の細胞壁にみられる、微小繊維を形成する約２４〜３６本の（１−４）−β−Ｄ−グルカン鎖の結晶の並びを指す。それは、天然にみられる最も豊富なポリマーのうちの１つである。グルカン鎖は、原形質膜においてＣｅｓＡ遺伝子ファミリーのセルロース合成酵素によって形成され（Ｇｉｄｄｉｎｇｓ  ｅｔ  ａｌ．，１９８０）、その後、２４〜３６本の鎖が集合して機能的な微小繊維になる。Ａｒａｂｉｄｏｐｓｉｓは１０個のＣｅｓＡ遺伝子を有し、そのうちの少なくとも３つは一次細胞壁形成中に共発現し、他の３つは二次細胞壁形成中に共発現し（Ｃａｒｐｉｔａ  ｅｔ  ａｌ．，２０１１）、それらの各々は、受容体グルカン鎖の非還元末端にグリコシル残基を追加してポリマーを伸長させる。ＣｅｓＡ遺伝子は、他の多糖類の合成に関与する単子葉類及び双子葉類の両方のＣｓｌ遺伝子に関係している。例えば、禾穀類を含めたイネ科植物のみにみられるＣｓｌＦ及びＣｓｌＨ酵素はＢＧの合成に関与する。
【０２０５】
穀粒、食品原料、澱粉顆粒及び澱粉から作られる食品製品は、低下したグリセミック指数によって特徴付けられる。ＧＩは、ヒト対象の食後の血中グルコースレベルに対する炭水化物に富む食品の影響についての単純なマーカーである。本明細書中で使用する場合、「グリセミック指数」または「ＧＩ」は、５０ｇの炭水化物を含有する分量の試験食品を食べた後の血中グルコース濃度の曲線下面積を、等価な量のグルコースまたは白パンの中に存在する同量の炭水化物によって得られる増分面積で割ったものを意味する。したがって、ＧＩは、澱粉を含む食品の消化及び消化生成物の取込みの速度に関係し、血中グルコース濃度の振れに対する試験食品の影響と白パンまたはグルコースの影響とを比較したものである。それにより、ＧＩは食後の血清グルコース濃度に対する食品の影響の尺度となり、血中グルコース恒常性のためのインスリン要求量に関連付けられる。本発明の食品によって提供される１つの重要な特徴は、食品原料として同量の野生型コムギ、小麦粉、澱粉顆粒または澱粉で作った対応する食品に比べて低減されるＧＩである。さらに、本発明の食品は、食品原料として同じ量の野生型コムギを使用して作られた対応する食品に比べて最終消化のレベルが低減され得、結果として比較的低カロリーであり得る。低カロリー製品は、粉砕されたコムギ穀粒から生産された小麦粉を組み入れることに基づくものであってもよい。そのような食品は、満腹感をもたらし、腸健康を増進し、食後の血清グルコース及び脂質濃度を低減し、低カロリー食品製品を提供する、という効果を有し得る。
【０２０６】
本発明の澱粉または本発明の食品原料もしくは食品製品のＧＩは、本明細書の実施例９で記載されている試験管内アッセイを用いて容易に測定される。試験管内アッセイは、健常なヒトにおける摂取の際に起こる製品中の澱粉の消化を模擬しており、製品を摂取した後のヒト対象において測定されるＧＩを予測する。
【０２０７】
対象、特にヒトを処置する方法は、本明細書において定義される改変型コムギ穀粒、小麦粉、澱粉または食品もしくは飲料製品を対象に、腸健康または代謝指標のうちの１つ以上のレベルを向上させる単回以上の用量、量及び期間で投与するステップを含み得る。対応する非改変型コムギ澱粉もしくはコムギもしくはその製品の摂取と比べたときの指標の変化は、ｐＨ、ＳＣＦＡのレベルの上昇、食後グルコースの高下などのいくつかの指標の場合のように２４時間以内の期間内で起こり得、あるいは当該変化には、糞塊の増加もしくは便通の改善の場合のように数日を要し得、または酪酸塩による正常結腸細胞の増殖強化を測定する場合のようにおそらくより長い数週間もしくは数ヶ月程度を要し得る。改変型の澱粉または小麦または小麦製品の投与は生涯にわたって行われることが望ましい場合がある。しかしながら、改変型澱粉が比較的簡単に投与されることができるのであれば、処置されている個体による良好な服薬順守が見込まれる。
【０２０８】
投薬量は、処置または防止される症状によって様々であり得るが、ヒトに対して１日あたり本発明のコムギ穀粒または澱粉が少なくとも１０ｇ、より好ましくは１日あたり少なくとも１５ｇ、好ましくは１日あたり少なくとも２０ｇまたは少なくとも３０ｇであると予測される。１日あたり約１００グラムより多い投与には、相当な量を供給する必要があり得、服薬順守を減じ得る。最も好ましくは、ヒトのための投薬量は、本発明のコムギ穀粒または本発明の小麦粉、全粒粉もしくは改変型澱粉を１日あたり１０〜１００ｇであり、または成人に対して１日あたり２０〜１００ｇである。
【０２０９】
改善された腸健康の指標は、
ｉ）腸内容物のｐＨの低下、
ｉｉ）腸内容物の総ＳＣＦＡ濃度または総ＳＣＦＡ量の増加、
ｉｉｉ）腸内容物における１つ以上のＳＣＦＡの濃度または量の増加、
ｉｖ）糞塊の増加、
ｖ）下痢を伴わない、腸または糞便の総水分量の増加、
ｖｉ）便通の改善、
ｖｉｉ）プロバイオティック細菌のうちの１つ以上の種の数または活性の増加、
ｖｉｉｉ）糞便中の胆汁酸排泄の増加、
ｉｘ）尿中の腐敗生成物のレベルの低下、
ｘ）糞便中の腐敗生成物のレベルの低下、
ｘｉ）正常結腸細胞の増殖の増進、
ｘｉｉ）腸に炎症を起こしているかまたは腸に炎症を起こしがちである個体の腸における炎症の減少、
ｘｉｉｉ）尿毒症患者における糞便中または大腸内の尿素、クレアチニン及びリン酸塩のいずれか１つのレベルの低下、及び
ｘｉｖ）上記の任意の組み合わせ
を含み得るが、必ずしもそれらに限定されるわけではない。
【０２１０】
改善された代謝健康の指標は、
ｉ）食後グルコースの高下の安定化、
ｉｉ）血糖応答の改善（減弱）、
ｉｉｉ）食後の血漿インスリン濃度の減少、
ｉｖ）血中脂質プロファイルの改善、
ｖ）血漿ＬＤＬコレステロールの低下、
ｖｉ）尿毒症患者における血漿中の尿素、クレアチニン及びリン酸塩のうちの１つ以上のレベルの低下、
ｖｉｉ）血糖応答不全の改善、または
ｖｉｉｉ）上記の任意の組み合わせ
を含み得るが、必ずしもそれらに限定されるわけではない。
【０２１１】
腸内容物のｐＨは、少なくとも０．１単位、好ましくは少なくとも０．１５または０．２単位だけ減少し得る。その他の腸健康または代謝健康の指標は、それぞれ少なくとも１０％、好ましくは２０％改善され得る。
【０２１２】
本発明の１つの利点は、それが際立った栄養上の利益のあるパンなどの食品を提供し、さらにそれが澱粉またはコムギ穀粒のその他の構成要素の収穫後の改変を必要とせずになされることである、ということは理解されよう。しかしながら、澱粉または穀粒の他の構成要素を改変することが望まれる場合があり、本発明はそのような改変された構成要素を包含する。改変の方法はよく知られており、従来の方法による澱粉または他の構成要素の抽出、及び耐性形態を増加させるような澱粉の改変を含む。澱粉は、熱及び／または水分による処理、物理的処理（例えばボールミル処理）、酵素的処理（例えばα−またはβ−アミラーゼ、プルラナーゼなどの使用）、化学加水分解（液体または気体試薬を使用する湿式または乾式）、酸化、二官能性試薬（例えば、トリメタリン酸ナトリウム、オキシ塩化リン）による架橋、またはカルボキシメチル化によって改変され得る。
【０２１３】
本発明はヒトの処置または予防に特に有用であり得るが、本発明を、ウシ、ヒツジ、ブタなどの農業用動物、イヌもしくはネコなどの家庭用動物、ウサギもしくは齧歯類、例えばマウス、ラット、ハムスターなどの実験用動物、またはウマなどの競技のために使用され得る動物を含むがそれらに限定されない非ヒト対象に適用することもできることは理解されるべきである。方法は特に、反芻しない哺乳動物、または単胃哺乳動物などの動物に対して適用可能であり得る。本発明は、他の農業用動物、例えば、ニワトリ、ガチョウ、アヒル、シチメンチョウもしくはウズラを含めた家禽、または魚に対しても適用可能であり得る。
【０２１４】
「ポリペプチド」及び「タンパク質」という用語は、本明細書では概して互換可能に使用される。本明細書中で使用する「ポリペプチド」及び「タンパク質」という用語はまた、本明細書に記載の本発明のポリペプチドの変異型、突然変異体、改変物及び／または誘導体も含む。本明細書中で使用する場合、「実質的に精製されたポリペプチド」は、脂質、核酸、他のペプチド及び天然状態で関連のある他の分子から分離されているポリペプチドを指す。好ましくは、実質的に精製されたポリペプチドは、それに天然に関連付いている他の成分が少なくとも６０％除去されており、より好ましくは少なくとも７５％除去されており、より好ましくは少なくとも９０％除去されている。「組換えポリペプチド」とは、組換え技術を用いて作られた、つまり、組換えポリヌクレオチドの細胞、好ましくは植物細胞、より好ましくはコムギ細胞における発現によって作られた、ポリペプチドを意味する。一実施形態では、ポリペプチドは、澱粉合成酵素の酵素活性、特にＳＳＩＩａ活性を有し、本明細書に記載のＳＳＩＩａポリペプチドと少なくとも９８％同一である。
【０２１５】
基準ポリペプチドと比較したときのポリペプチドの同一性％は、アミノ酸配列のアラインメントを行うための当技術分野で知られている任意のプログラムによって、例えば、ギャップ作成ペナルティ＝５及びギャップ伸長ペナルティ＝０．３でＧＡＰプログラム（Ｎｅｅｄｌｅｍａｎ  ａｎｄ  Ｗｕｎｓｃｈ，１９７０，ＧＣＧ  ｐｒｏｇｒａｍ）によって、決定することができる。解析は、２つの配列を基準配列の完全長アミノ酸配列にわたって整列させる。例えば、基準配列が配列番号１に示すアミノ酸配列である場合、アラインメントは配列番号１の全長に沿って行われる。整列した配列の中のギャップは、欠けている各アミノ酸の非同一性の位置であるとみなされる。
【０２１６】
定義したポリペプチドに関して、同一性％数値が上記よりも高いことが、好ましい実施形態を包含する、ということは理解されよう。したがって、適用可能な場合、最低限の同一性％数値を考慮すればポリペプチドは、関係して指定された配列番号と少なくとも７５％、より好ましくは少なくとも８０％、より好ましくは少なくとも８５％、より好ましくは少なくとも９０％、より好ましくは少なくとも９１％、より好ましくは少なくとも９２％、より好ましくは少なくとも９３％、より好ましくは少なくとも９４％、より好ましくは少なくとも９５％、より好ましくは少なくとも９６％、より好ましくは少なくとも９７％、より好ましくは少なくとも９８％、より好ましくは少なくとも９９％、より好ましくは少なくとも９９．１％、より好ましくは少なくとも９９．２％、より好ましくは少なくとも９９．３％、より好ましくは少なくとも９９．４％、より好ましくは少なくとも９９．５％、より好ましくは少なくとも９９．６％、より好ましくは少なくとも９９．７％、より好ましくは少なくとも９９．８％、よりいっそう好ましくは少なくとも９９．９％同一であるアミノ酸配列を含むことが好ましい。
【０２１７】
アミノ酸配列の欠失または挿入は大抵、約１〜１５残基、より好ましくは約１〜１０残基、典型的には約１〜５連続残基に及ぶ。しかしながら、それらはポリペプチドの全長以下で１５アミノ酸よりも広くてもよい。ポリペプチド配列は、対応する野生型配列または基準配列番号に比べて切り詰められていてもよい。例えば、ポリペプチドをコードするタンパク質コード領域が未成熟翻訳停止コドン（終止コドン）を有する場合、結果として生じるポリペプチドは、翻訳された場合、切り詰められているであろう。切り詰められる程度は、終止コドンの位置に依存し、野生型配列に比べてポリペプチドを少なくとも５％、好ましくは少なくとも１０％短くする。
【０２１８】
本発明の遺伝子のタンパク質コード領域は、スプライシング異常を招くスプライス部位突然変異の存在によって分断され得、オープンリーディングフレームが分断されるような改変されたＲＮＡ転写産物をもたらし得る。その場合、ポリペプチドのアミノ酸配列はスプライシング異常の地点まで、またはその地点よりも下流では、野生型と同一であり得、その後に野生型との違いがある。このようなポリペプチドの活性は大抵、切り詰められたポリペプチドと同様の影響を受けている。ＳＳＩＩａ遺伝子における終止コドン及びスプライス部位突然変異の例は本明細書の実施例１１に記載されている。
【０２１９】
置換突然変異体は、ポリペプチド中の少なくとも１つのアミノ酸残基が取り除かれてその位置に異なる残基が挿入されている。ポリペプチドの活性の低減のための置換変異誘発の最大関心対象の部位は、活性部位（複数可）として同定される部位を含む。他の関心対象部位は、様々な系統または種から得られる特定残基が同一となる、つまり保存アミノ酸となる部位である。これらの位置は、生物学的活性にとって重要とである可能性がある。これらのアミノ酸、特に、同じく保存されている他の少なくとも３つのアミノ酸の連続配列の中にあるものは、ＳＳＩＩａ酵素活性などの機能を保持するためには比較的保存的な方法で置換されることが好ましく、または活性低減のためには非保存的な方法で置換されることが好ましい。保存的置換は表３中の「例示的な置換」の見出しの下に示されている。「非保存的アミノ酸置換」は、本明細書において、表３に列挙されているもの以外の置換として定義される（例示的な保存的置換）。ＳＳＩＩａポリペプチドにおける非保存的置換は酵素の活性を低下させると予想され、多くは「部分的機能喪失突然変異ＳＳＩＩａ遺伝子」によってコードされるＳＳＩＩａに対応するであろう。
【表２】
2019527054.tif 000005
【表３ａ】
2019527054.tif 000006
【表３ｂ】
2019527054.tif 000007
【０２２０】
いくつかの実施形態では、本発明は、遺伝子活性、特にＳＳＩＩａ遺伝子活性の改変、突然変異遺伝子の組み合わせ、ならびにキメラ遺伝子の構築及び使用を含む。本明細書中で使用する場合、「遺伝子」という用語は、タンパク質コード領域を含む、または細胞内で転写されるが翻訳されない、任意のデオキシリボヌクレオチド配列を含み、これに加えて、関連する非コード領域及び調節領域も含む。「遺伝子」という用語は、野生型遺伝子の突然変異形態も含み、この突然変異遺伝子は、プロモーター領域が欠失している場合には転写及び／または翻訳されないものであり得る。関連する非コード領域及び調節領域は、典型的にはタンパク質コード領域の５’末端と３’末端との両方に隣接して約２ｋｂの距離にわたって両側に位置している。これに関して遺伝子は、所与の遺伝子に天然に関連付いている制御シグナル、例えば、プロモーター、エンハンサー、転写停止及び／またはポリアデニル化シグナル、あるいは異種制御シグナル（この場合、遺伝子は「キメラ遺伝子」と呼ばれる）を含む。タンパク質コード領域の５’に位置する、ｍＲＮＡ上に存在する配列は、５’非翻訳配列（５’−ＵＴＲ）と呼ばれる。タンパク質コード領域の３’すなわち下流に位置する、ｍＲＮＡ上に存在する配列は、３’非翻訳配列（３’−ＵＴＲ）と呼ばれる。「遺伝子」という用語は、ｃＤＮＡと、遺伝子のゲノム形態とを両方とも包含する。「ｃＤＮＡ」は、遺伝子のＲＮＡ転写産物のＤＮＡコピーであり、本明細書中では「遺伝子に対応している」と表現される。例えば、配列番号４として示されるｃＤＮＡヌクレオチド配列は、配列番号７として野生型配列が示されているＳＳＩＩａ−Ａ遺伝子に対応している。「遺伝子」という用語は、本明細書に記載の本発明のタンパク質をコードする合成または融合分子を含む。遺伝子は普通、コムギゲノム中に二本鎖ＤＮＡとして存在する。キメラ遺伝子を、細胞内での染色体外維持または宿主ゲノム中への組込みに適したベクターに導入してもよい。本明細書中で使用する場合、遺伝子または遺伝子型を斜字体（例えばＳＳＩＩａ（斜字体））で言及する一方、タンパク質、酵素または表現型を非斜字体（ＳＳＩＩａ）で言及する。
【０２２１】
本明細書中で使用する場合、「遺伝子型」という用語は、コムギ細胞、組織、植物、植物部分または植物産物の遺伝的構成を指す。遺伝的構成は、製品を与えるコムギ植物の遺伝的構成と同一であろう。本明細書中で使用する場合、「表現型」という用語は、植物の遺伝子型と植物が生育した環境との相互作用によって生じる、細胞、組織、植物、植物部分または植物製品の観察可能な１つの特質、または複数の特質の組を指す。
【０２２２】
コード領域を含有する遺伝子のゲノム形態またはクローンに、「イントロン」または「介在領域」または「介在配列」と称される非コード配列が割り込んでいることがある。本明細書中で使用される「イントロン」とは、一次ＲＮＡ転写産物の一部として転写されるが成熟ｍＲＮＡ分子には存在していない遺伝子のセグメントのことである。イントロンは核転写産物または一次転写産物から除去または「切り出し」され、よってイントロンは伝令ＲＮＡ（ｍＲＮＡ）に存在していない。イントロンは、調節エレメント、例えばエンハンサーを含有し得る。本明細書中で使用される「エクソン」とは、成熟ｍＲＮＡまたは（ＲＮＡ分子が翻訳されない場合の）成熟ＲＮＡ分子に存在しているＲＮＡ配列に対応するＤＮＡ領域を指す。ｍＲＮＡは、翻訳中に、コードされているポリペプチドのアミノ酸の配列すなわち順序を指定するように機能する。
【０２２３】
本発明は様々なポリヌクレオチドに関する。本明細書中で使用する場合、「ポリヌクレオチド」または「核酸」または「核酸分子」は、ＤＮＡまたはＲＮＡであり得るヌクレオチドのポリマーを意味し、例えば、ｃＤＮＡ、ｍＲＮＡ、ｔＲＮＡ、ｓｉＲＮＡ、ｓｈＲＮＡ、ｈｐＲＮＡ、及び一本鎖ＤＮＡまたは二本鎖ＤＮＡを含む。それは、細胞、ゲノムまたは合成を起源とするＤＮＡまたはＲＮＡであり得る。好ましくは、ポリヌクレオチドは専ら細胞内で生じる場合のＤＮＡまたはＲＮＡである。ポリマーは、一本鎖、本質的には二本鎖、または部分的に二本鎖であり得る。部分的二本鎖ＲＮＡ分子の例は、ヌクレオチド配列とその相補体との塩基対合によって形成される二本鎖ステムと、ヌクレオチド配列とその相補体とを共有結合的に繋ぎ合わせるループ配列とを含んでいる、ヘアピンＲＮＡ（ｈｐＲＮＡ）、短鎖ヘアピンＲＮＡ（ｓｈＲＮＡ）または自己相補的ＲＮＡである。塩基対合とは、本明細書中で使用される場合、ＲＮＡ分子におけるＧ：Ｕ塩基対合を含めたヌクレオチド間の標準的な塩基対合を指す。「相補的」とは、２つのポリヌクレオチドがそれらの長さに沿って、または片方もしくは両方（完全に相補的）の全長に沿って塩基対合できることを意味する。
【０２２４】
「単離された」とは、天然状態において通常付随する成分が実質的または本質的に除去されている材料を意味する。本明細書中で使用する場合、「単離されたポリヌクレオチド」または「単離された核酸分子」は、天然状態において関連しているまたは繋がっている同じ種類のポリヌクレオチド配列から少なくとも部分的に分離された、好ましくは当該配列を実質的または本質的に含まない、ポリヌクレオチドを意味する。例えば、「単離されたポリヌクレオチド」は、天然に存在する状態においてそれに隣接している配列が除去された、またはそこから切り離されたポリヌクレオチド、例えば、通常隣接している配列が除去されたＤＮＡ断片を含む。好ましくは、単離されたポリヌクレオチドは、他成分、例えば、タンパク質、炭水化物、脂質などが少なくとも９０％除去されている。「組換えポリヌクレオチド」という用語は、本明細書中で使用される場合、核酸を操作して天然に通常みられない形態にすることによって試験管内で形成されたポリヌクレオチドを指す。例えば、組換えポリヌクレオチドは発現ベクターの形態であってもよい。一般に、そのような発現ベクターは、細胞内で転写されることになるヌクレオチド配列に機能可能に連結された、転写及び翻訳を調節する核酸を含む。
【０２２５】
本発明は、「プローブ」または「プライマー」として使用され得るオリゴヌクレオチドの用途に関する。本明細書中で使用する場合、「オリゴヌクレオチド」は、長さ５０ヌクレオチド以下、好ましくは長さ１５〜５０ヌクレオチドのポリヌクレオチドである。それらはＲＮＡ、ＤＮＡ、またはどちらかの組み合わせもしくは誘導体であり得る。オリゴヌクレオチドは、典型的には、長さが１０〜３０ヌクレオチド、一般的には１５〜２５ヌクレオチドである比較的短い一本鎖分子であり、典型的には、ＳＳＩＩａ遺伝子またはＳＳＩＩａ遺伝子に対応するｃＤＮＡと同一の、または相補的な、１０〜３０または１５〜２５ヌクレオチドから構成される。プローブとして、または増幅反応のプライマーとして使用される場合におけるそのようなオリゴヌクレオチドの最小の大きさは、オリゴヌクレオチドと標的核酸分子上の相補的配列との安定なハイブリッドの形成に必要とされる大きさである。プローブとして使用するポリヌクレオチドには、放射性同位体、酵素、ビオチン、蛍光分子または化学発光分子などの検出可能なラベルを結合させるのが典型的である。本発明のオリゴヌクレオチド及びプローブは、ＳＳＩＩａ遺伝子または、関心対象の形質、例えば改変型澱粉に関連のあるその他の遺伝子の、対立遺伝子を検出する方法において有用である。そのような方法は、核酸ハイブリダイゼーションを採用するものであり、多くの場合、例えば野生型または突然変異体の対立遺伝子の検出または同定のためのＰＣＲにおいて使用するような適切なポリメラーゼによるオリゴヌクレオチドプライマー伸長を含む。好ましいオリゴヌクレオチド及びプローブは、本明細書において開示されるいずれかの配列、例えば配列番号１５〜４９を含めた、コムギまたはその他の禾穀類からのＳＳＩＩａ遺伝子配列とハイブリダイズする。好ましいオリゴヌクレオチド対は、１つ以上のイントロンまたはイントロンの一部にまたがる対であり、したがって、ＰＣＲ反応でイントロン配列を増幅するために使用することができる。数々の例が本明細書の実施例で提供されている。
【０２２６】
「ポリヌクレオチド変異型」及び「変異型」のような用語は、基準ポリヌクレオチドとの実質的な配列同一性を呈し、基準配列と類似した機能またはそれと同じ活性での機能をすることができる、ポリヌクレオチドを指す。これらの用語はさらに、少なくとも１つのヌクレオチドの追加、欠失もしくは置換によって基準ポリヌクレオチドから区別される、または天然に存在する分子に比べて１つ以上の突然変異を有する、ポリヌクレオチドも包含する。したがって、「ポリヌクレオチド変異型」及び「変異型」という用語は、１つ以上のヌクレオチドが追加もしくは欠失された、または異なるヌクレオチドで置換された、ポリヌクレオチドを含む。これに関して、基準ポリヌクレオチドの生物学的機能または活性を保持する特定の改変、例えば、突然変異、追加、欠失及び置換を基準ポリヌクレオチドに対して行うことができることは当技術分野において十分に理解されている。したがって、これらの用語は、酵素活性もしくは他の調節活性を呈するポリペプチドをコードするポリヌクレオチド、または選択的プローブもしくは他のハイブリダイゼーション剤として働くことができるポリヌクレオチドを包含する。「ポリヌクレオチド変異型」及び「変異型」という用語は、天然に存在する対立遺伝子変異型も含む。突然変異体は、天然に存在するもの（すなわち、天然源から単離されたもの）であるか、合成のもの（例えば、核酸に対して部位特異的変異導入を行うことによるもの）であるかのどちらかであり得る。好ましくは、酵素活性を有するポリペプチドをコードする本発明のポリヌクレオチド変異型の長さは、野生型に対して少なくとも９０％であり、遺伝子の全長以下である。
【０２２７】
本発明のオリゴヌクレオチドの変異型は、本明細書において定義される特定オリゴヌクレオチド分子の位置に近い位置で例えばコムギゲノムとハイブリダイズすることができる様々な大きさの分子を含む。例えば、変異型は、標的領域とのハイブリダイゼーションが依然として可能である限り、（例えば、１つ、２つ、３つまたは４つ以上の）追加ヌクレオチドを含んでいてもよいし、またはより少ないヌクレオチドを含んでいてもよい。さらに、標的領域とハイブリダイズするオリゴヌクレオチドの能力に影響を与えることなく少数のヌクレオチドが置換されていてもよい。加えて、本明細書において定義される特定オリゴヌクレオチドとハイブリダイズする植物ゲノム領域から近い所（例えば、限定されないが、５０ヌクレオチド以内）でハイブリダイズする変異型が容易に設計され得る。
【０２２８】
ポリヌクレオチドまたはポリペプチドに関して、「に対応する」または「に対応している」とは、（ａ）基準ポリヌクレオチドの少なくとも一部、好ましくはその全部（完全に相補的）と実質的に同一もしくは相補的であるヌクレオチド配列を有する、または（ｂ）ポリペプチドのアミノ酸配列と同一のアミノ酸配列をコードする、ポリヌクレオチドを意味する。この語句は、基準ポリペプチドのアミノ酸の配列と実質的に同一のアミノ酸配列を有するポリペプチドも、その範囲に含む。２つ以上のポリヌクレオチドまたはポリペプチドの配列関係性を表現するために使用される用語としては、例えば、「基準配列」、「配列同一性」、「配列同一性の百分率」、「実質的な同一性」及び「同一である」が挙げられ、当該用語は、指定される最小数のヌクレオチドもしくはアミノ酸残基に関して、または好ましくは全長に対して、定義される。「配列同一性」及び「同一性」という用語は、ヌクレオチドごとの基準またはアミノ酸ごとの基準で配列が比較窓全体にわたって同一である程度を指して本明細書中で交換可能に使用される。したがって、「配列同一性の百分率」は、比較窓全体にわたって最適にアラインメントされた２つの配列を比較し、両配列において同一である核酸塩基（例えば、Ａ、Ｔ、Ｃ、Ｇ、Ｕ）または同一であるアミノ酸残基が現れる場所の数を決定して一致位置の数を得、一致位置の数を比較窓内の位置の総数（すなわち窓サイズ）で割り、その結果に１００を掛けて配列同一性の百分率を得ることによって、算出される。
【０２２９】
基準ポリヌクレオチドに対するポリヌクレオチドの同一性％は、この目的のために当技術分野で知られている任意のプログラム、例えば、ギャップ作成ペナルティ＝５及びギャップ伸長ペナルティ＝０．３でＧＡＰ（Ｎｅｅｄｌｅｍａｎ  ａｎｄ  Ｗｕｎｓｃｈ，１９７０，ＧＣＧ  ｐｒｏｇｒａｍ）などによって決定することができる。また、例えばＡｌｔｓｃｈｕｌ  ｅｔ  ａｌ．，１９９７によって開示されているような、ＢＬＡＳＴファミリーのプログラムを参照してもよい。配列解析の詳しい記述は、Ｕｎｉｔ  １９．３  ｏｆ  Ａｕｓｕｂｅｌ  ｅｔ  ａｌ．，１９９４−１９９８，Ｃｈａｐｔｅｒ  １５に見出すことができる。特に定めのない限り、アラインメントは基準配列の全長に沿って行われる。
【０２３０】
ヌクレオチドまたはアミノ酸配列は、そのような配列の配列同一性が少なくとも９８％、より詳しくは少なくとも約９８．５％、極めて詳しくは約９９％、特に約９９．５％、より具体的には約９９．８％である場合に「本質的に類似している」として示され、これには配列が同一である場合を含む。ＲＮＡ配列がＤＮＡ配列と本質的に類似している、またはそれとのある度合いの配列同一性を有すると表現される場合に、ＤＮＡ配列中のチミン（Ｔ）がＲＮＡ配列中のウラシル（Ｕ）と等しいとみなされることは明らかである。
【０２３１】
定義されたポリヌクレオチドに関して、同一性％数値が高いほど、好ましい実施形態が包含されるであろうということは理解されよう。したがって、適用可能な場合、最低限の同一性％数値を考慮すればポリヌクレオチドは、関係して指定された配列番号と少なくとも７５％、より好ましくは少なくとも８０％、より好ましくは少なくとも８５％、より好ましくは少なくとも９０％、より好ましくは少なくとも９１％、より好ましくは少なくとも９２％、より好ましくは少なくとも９３％、より好ましくは少なくとも９４％、より好ましくは少なくとも９５％、より好ましくは少なくとも９６％、より好ましくは少なくとも９７％、より好ましくは少なくとも９８％、より好ましくは少なくとも９９％、より好ましくは少なくとも９９．１％、より好ましくは少なくとも９９．２％、より好ましくは少なくとも９９．３％、より好ましくは少なくとも９９．４％、より好ましくは少なくとも９９．５％、より好ましくは少なくとも９９．６％、より好ましくは少なくとも９９．７％、より好ましくは少なくとも９９．８％、よりいっそう好ましくは少なくとも９９．９％同一であるポリヌクレオチド配列を含むことが好ましい。
【０２３２】
いくつかの実施形態では、本発明は、ハイブリダイゼーション条件のストリンジェンシーに言及して２つのポリヌクレオチドの相補性の程度を定義する。本明細書中で使用される「ストリンジェンシー」とは、ハイブリダイゼーション中での温度及びイオン強度条件ならびに特定有機溶媒の有無を指す。ストリンジェンシーが高い程、標的ヌクレオチド配列と標識されたポリヌクレオチド配列との相補性の度合いが高い。「ストリンジェントな条件」は、高頻度の相補的塩基を有するヌクレオチド配列のみがハイブリダイズする温度及びイオン条件を指す。本明細書中で使用する場合、「低ストリンジェンシー、中ストリンジェンシー、高ストリンジェンシーまたは非常に高いストリンジェンシー条件の下でハイブリダイズする」という用語は、ハイブリダイゼーション及び洗浄の条件を表現する。ハイブリダイゼーション反応を実施するための手引きは、参照により本明細書に援用するＣｕｒｒｅｎｔ  Ｐｒｏｔｏｃｏｌｓ  ｉｎ  Ｍｏｌｅｃｕｌａｒ  Ｂｉｏｌｏｇｙ，Ｊｏｈｎ  Ｗｉｌｅｙ  ＆  Ｓｏｎｓ，Ｎ．Ｙ．（１９８９），６．３．１−６．３．６に見出すことができる。本明細書において言及される具体的なハイブリダイゼーション条件は以下のとおりである：１）約４５℃で６Ｘの塩化ナトリウム／クエン酸ナトリウム（ＳＳＣ）の低ストリンジェンシーハイブリダイゼーション条件とその後に続く５０〜５５℃で０．２ＸのＳＳＣ、０．１％のＳＤＳでの２回の洗浄；２）約４５℃で６ＸのＳＳＣの中ストリンジェンシーハイブリダイゼーション条件とその後に続く６０℃で０．２ＸのＳＳＣ、０．１％のＳＤＳでの１回以上の洗浄；３）約４５℃で６ＸのＳＳＣの高ストリンジェンシーハイブリダイゼーション条件とその後に続く６５℃で０．２ＸのＳＳＣ、０．１％のＳＤＳでの１回以上の洗浄；ならびに４）非常に高いストリンジェンシーハイブリダイゼーション条件は６５℃で０．５Ｍのリン酸ナトリウム、７％のＳＤＳであり、その後に６５℃で０．２ＸのＳＳＣ、１％のＳＤＳでの１回以上の洗浄が続く。
【０２３３】
本明細書中で使用する場合、「キメラ遺伝子」または「遺伝子構築物」は、天然の場所にある天然の遺伝子ではない任意の遺伝子を指し、つまりそれは人為的に操作されたものであり、コムギゲノム中に組み込まれるキメラ遺伝子または遺伝子構築物を含む。キメラ遺伝子または遺伝子構築物は、天然において一緒に見つかることのない調節配列と転写配列すなわちタンパク質コード配列とを含むのが典型的である。したがって、キメラ遺伝子または遺伝子構築物は、異なる供給源に由来する調節配列及びコード配列、または同じ供給源に由来するが配置され方が天然にみられるそれとは異なっている調節配列及びコード配列を含み得る。「内在性」という用語は、本明細書では、改変されていない植物において研究下の植物、好ましくはコムギ植物と同じ発達段階で通常産生する物質、例えば澱粉またはＳＳＩＩａポリペプチドのＳＳＩＩａ遺伝子を指して使用される。「内在性遺伝子」とは、生物のゲノム中の天然の場所にある天然の遺伝子、好ましくはコムギ植物のＳＳＩＩａ遺伝子を指す。「外来ポリヌクレオチド」または「外因性ポリヌクレオチド」または「異種ポリヌクレオチド」などの用語は、細胞のゲノム、好ましくはコムギゲノムに実験操作によって導入されるが細胞内に天然には存在していない、任意の核酸を指す。これらは、天然に存在する遺伝子に比べて導入された遺伝子がいくらかの改変、例えば導入された突然変異または選抜マーカー遺伝子の存在を含んでいる限りにおいて、その細胞内にみられる遺伝子配列の改変形態を含む。外来または外因性遺伝子は、非天然の生物の中に挿入されている天然にみられる遺伝子、天然宿主内の新たな場所に導入された天然遺伝子、またはキメラ遺伝子もしくは遺伝子構築物であり得る。「遺伝的に改変された」という用語は、細胞に遺伝子を導入すること、細胞内の遺伝子を突然変異させること、及びゲノムの改変によって細胞内の遺伝子の調節を人為的に変更もしくは調整すること、またはこれらの行為がなされた生物もしくはその子孫もしくは穀粒などの部分を含む。
【０２３４】
本発明は、機能可能に連結されているかまたは繋げられている要素に関する。「機能可能に連結された」または「機能可能に繋げられた」などは、機能的関係性のあるポリヌクレオチド要素の繋がりを指す。典型的には、機能可能に連結された核酸配列は、連続的に繋がっており、２つのタンパク質コード領域を継ぎ合わせる必要がある場合には連続しておりかつリーディングフレーム内にある。コード配列は、ＲＮＡポリメラーゼが２つのコード領域を単一のＲＮＡとして転写することになる場合には別のコード領域に「機能的に連結されている」ことになり、それは、翻訳された場合には両コード配列に由来するアミノ酸を有する単一ポリペプチドとして翻訳される。コード配列は、発現する配列が最終的に所望のタンパク質を産生するようにプロセシングされる限りにおいて、互いに連続している必要はない。
【０２３５】
本明細書中で使用する場合、「シス作用性配列」、「シス作用性エレメント」または「シス制御領域」または「調節領域」という用語、または類似する用語は、遺伝子配列の発現を調節するヌクレオチドの任意の配列を意味するものとして解釈されるべきである。これは、例えばコムギＳＳＩＩａ遺伝子を調節する、天然の関連において天然に存在するシス作用性配列であってもよく、または、発現可能な遺伝子配列に対して適切に配置されている場合に発現を調節する遺伝子構築物中の配列であってもよい。そのようなシス調節領域は、転写レベルまたは転写後レベルでの遺伝子配列の発現のレベル及び／または細胞種特異性及び／または発達上の特異性を活性化、サイレンシング、強化、抑制あるいは変更することができ得る。例えば、遺伝子の５’リーダー（ＵＴＲ）におけるイントロンの存在は、コムギなどの単子葉植物において遺伝子の発現を強化することが示されている（Ｔａｎａｋａ  ｅｔ  ａｌ．，１９９０）。別のタイプのシス作用性配列は、活性クロマチンドメインを核マトリックスに係留することによって遺伝子発現に影響を与え得るマトリックス接着領域（ＭＡＲ）である。
【０２３６】
「ベクター」とは、核酸配列が中に挿入され得る核酸分子、好ましくは、プラスミドまたは植物ウイルスに由来するＤＮＡ分子を意味する。ベクターはさらに、細菌もしくは植物の適切な形質転換体を選抜するために使用することができる抗生物質耐性遺伝子などの選抜マーカー、または  原核生物もしくは真核生物（とくにコムギ）の細胞の形質転換を強化する配列、例えば、Ｔ−ＤＮＡもしくはＰ−ＤＮＡ配列を含み得る。そのような耐性遺伝子及び配列の例は当業者によく知られている。
【０２３７】
「マーカー遺伝子」とは、マーカー遺伝子を発現する細胞に他とは異なる表現型を付与する、したがってそのような形質転換細胞とマーカーを有さず当技術分野でよく知られている細胞との区別を可能にする、遺伝子を意味する。「選抜マーカー遺伝子」は、選択剤（例えば、除草剤、抗生物質、放射線、熱もしくは未形質転換細胞を損傷させるその他の処理）に対する耐性に基づいて、または代謝可能な物質の存在下での成長の有利さに基づいて「選抜」されることができる形質を与える。植物形質転換体の選抜のための選抜マーカー遺伝子の例としては、限定されないが、ヒグロマイシンＢ耐性を与えるｈｙｇ遺伝子；例えばＰｏｔｒｙｋｕｓ  ｅｔ  ａｌ．，１９８５によって記載されているような、カナマイシンなどに対する耐性を与えるネオマイシンホスホトランスフェラーゼ（ｎｐｔ）遺伝子；例えばＥＰ−Ａ−２５６２２３に記載されているような、グルタチオン由来の除草剤に対する耐性を与えるラット肝臓からのグルタチオン−Ｓ−トランスフェラーゼ遺伝子；例えばＷＯ８７／０５３２７で記載されているような、過剰発現時にホスフィノスリシンなどのグルタミン合成酵素阻害剤に対する耐性を与えるグルタミン合成酵素遺伝子；例えばＥＰ−Ａ−２７５９５７で記載されているような、選抜剤ホスフィノスリシンに対する耐性を与えるＳｔｒｅｐｔｏｍｙｃｅｓ  ｖｉｒｉｄｏｃｈｒｏｍｏｇｅｎｅｓからのアセチルトランスフェラーゼ遺伝子；例えばＨｉｎｃｈｅｅ  ｅｔ  ａｌ．，１９８８によって記載されているような、Ｎ−ホスホノメチルグリシンに対する耐性を与える５−エノールシキミ酸−３−リン酸合成酵素（ＥＰＳＰＳ）；例えばＷＯ９１／０２０７１で記載されているような、ビアラホスに対する耐性を与えるｂａｒ遺伝子；または、ブロモキシニルに対する耐性を与えるニトリラーゼ遺伝子、例えばＫｌｅｂｓｉｅｌｌａ  ｏｚａｅｎａｅからのｂｘｎ（Ｓｔａｌｋｅｒ  ｅｔ  ａｌ．，１９８８）が挙げられる。スクリーニング可能な好ましいマーカーとしては、限定されないが例えば、様々な発色性基質に対するものであることが知られているβ−グルクロニダーゼ（ＧＵＳ）酵素をコードするｕｉｄＡ遺伝子、発色性基質に対するものであることが知られている酵素をコードするβ−ガラクトシダーゼ遺伝子、カルシウム感受性生物発光検出において採用され得るものであるイクオリン遺伝子（Ｐｒａｓｈｅｒ  ｅｔ  ａｌ．，１９８５）、緑色蛍光タンパク質遺伝子（ＧＦＰ、Ｎｉｅｄｚ  ｅｔ  ａｌ．，１９９５）またはその変異型のうちの１つ、生物発光検出を可能にするものであるルシフェラーゼ（ｌｕｃ）遺伝子（Ｏｗ  ｅｔ  ａｌ．，１９８６）、及びその他の当技術分野で知られているものが挙げられる。
【０２３８】
いくつかの実施形態では、酵素活性のレベルは、コムギ植物において酵素をコードする遺伝子の発現のレベルを低下させること、またはコムギ植物において酵素をコードするヌクレオチド配列の発現のレベルを上昇させることによって調整される。発現の増加は、強度の異なるプロモーターまたは、コード配列から発現する転写産物のレベルを制御することができるものである誘導性プロモーターを使用することによって転写レベルで達成ことができる。ＳＳＩＩａなどの澱粉合成を下方制御する産物をもたらす遺伝子の発現を調整または強化する転写因子をコードする異種配列を導入してもよい。遺伝子の発現のレベルは、コード配列と、それに機能可能に連結されており細胞内で機能的である転写制御エレメントとを含む構築物の、細胞１個あたりのコピー数を変化させることによって調整され得る。あるいは、複数の形質転換体を選出して、導入遺伝子組込み部位の近傍にある内在性配列の影響に起因する導入遺伝子発現の好適なレベル及び／または特異性を有するものをスクリーニングしてもよい。導入遺伝子発現の好適なレベル及びパターンとは、コムギ植物においてアミロース含有量のかなりの増加をもたらす当該レベル及びパターンのことである。これは単純に、形質転換体を試験することによって検出され得る。
【０２３９】
遺伝子発現の低減は、コムギ植物に導入された「遺伝子サイレンシングキメラ遺伝子」の導入及び転写によっても達成され得る。遺伝子サイレンシングキメラ遺伝子は、好ましくは、コムギゲノム中、好ましくはコムギ核ゲノム中に安定的に導入され、結果としてそれは子孫に安定的に受け継がれる。本明細書中で使用する場合、「遺伝子サイレンシング効果」とは、植物が生育している間の種子発達中でのコムギ細胞、好ましくは胚乳細胞における標的核酸の発現の低減を指し、それは、サイレンシングＲＮＡの導入によって達成することができる。好ましい実施形態では、１つ以上の内在性遺伝子、例えばＳＳＩＩａ遺伝子以外の遺伝子、または好ましくは３つの内在性ＳＳＩＩａ遺伝子の発現を低減するＲＮＡ分子をコードする遺伝子サイレンシングキメラ遺伝子を導入する。そのような低減は、クロマチン再構成を経るプロモーター領域のメチル化による場合を含めた転写の低減、またはＲＮＡ分解を経る場合を含めたＲＮＡ分子の転写後修飾、またはそれらの両方の結果であり得る。遺伝子サイレンシングは、必ずしも標的核酸または遺伝子の発現の無効化として解釈されるべきではない。サイレンシングＲＮＡの存在下での標的核酸の発現レベルがその非存在下での発現レベルよりも低いことで十分である。標的遺伝子の発現のレベルは、少なくとも約４０％または少なくとも約４５％または少なくとも約５０％または少なくとも約５５％または少なくとも約６０％または少なくとも約６５％または少なくとも約７０％または少なくとも約７５％または少なくとも約８０％または少なくとも約８５％または少なくとも約９０％または少なくとも約９５％だけ低減され得、または検出不可能なレベルにまで効果的に無効化され得る。
【０２４０】
アンチセンス技術を用いてコムギ細胞での遺伝子発現を低減してもよい。「アンチセンスＲＮＡ」という用語は、特定ｍＲＮＡ分子の少なくとも一部に対して相補的であり、ｍＲＮＡをコードする遺伝子、好ましくはＳＳＩＩａ遺伝子の発現を低減することができる、ＲＮＡ分子を意味するものと解釈されるべきである。そのような低減は、配列依存的に起こることが典型的であり、核から原形質へのｍＲＮＡ輸送、ｍＲＮＡ安定性、または翻訳阻害などの転写後事象に干渉することによって起こると考えられる。アンチセンス法の使用は当技術分野でよく知られている（例えば、Ｈａｒｔｍａｎｎ  ａｎｄ  Ｅｎｄｒｅｓ，１９９９を参照のこと）。
【０２４１】
本明細書中で使用する場合、「人為的に導入されたｄｓＲＮＡ分子」とは、好ましくはそのようなｄｓＲＮＡ分子をコードするキメラ遺伝子からの転写によってコムギ細胞内で合成される、二本鎖ＲＮＡ（ｄｓＲＮＡ）分子の導入を指す。ＲＮＡ干渉（ＲＮＡｉ）は、コムギにおいても、遺伝子の発現を特異的に低減するためまたは特定タンパク質の産生を阻害するために特に有用である（例えば、Ｒｅｇｉｎａ  ｅｔ  ａｌ．，２００６を参照のこと）。この技術は、関心対象の遺伝子のｍＲＮＡまたはその一部と本質的に同一である配列を含有するｄｓＲＮＡ分子と、その相補体とが存在してそれによってｄｓＲＮＡを形成することに依拠する。簡便には、ｄｓＲＮＡは、宿主細胞内で単一のプロモーターから生じさせることができ、そこでセンス配列とアンチセンス配列とが転写されて、センス配列とアンチセンス配列とがハイブリダイズしてｄｓＲＮＡ領域を形成するとともに（ＳＳＩＩａ遺伝子との）関連のある配列または関連のない配列がループ構造を形成したヘアピンＲＮＡを生成し、そうしてヘアピンＲＮＡはステム・ループ構造を含む。本発明のための適切なｄｓＲＮＡ分子の設計及び製造は、特にＷａｔｅｒｈｏｕｓｅ  ｅｔ  ａｌ．，１９９８、Ｓｍｉｔｈ  ｅｔ  ａｌ．，２０００、ＷＯ９９／３２６１９、ＷＯ９９／５３０５０、ＷＯ９９／４９０２９及びＷＯ０１／３４８１５を考慮すれば、十分に当業者の能力の範囲内である。
【０２４２】
ｄｓＲＮＡをコードするＤＮＡは、典型的には、逆位反復配列として配置されたセンス配列とアンチセンス配列との両方を含む。好ましい実施形態では、センス及びアンチセンス配列は、ＲＮＡに転写されるときに切り出されるものであるイントロンを含む（または含まない）ことがあるスペーサー領域によって隔てられている。この配置は、遺伝子サイレンシングの効率をより高くすることが示された（Ｓｍｉｔｈ  ｅｔ  ａｌ．，２０００）。二本鎖領域は、１つあるいは２つのＤＮＡ領域から転写された１つまたは２つのＲＮＡ分子を含み得る。ｄｓＲＮＡは、概して相補的であり得るが完全に相補的である必要はない長いセンス及びアンチセンス領域を有する長いｈｐＲＮＡとして分類され得る（典型的には約２００ｂｐより広い、例えば２００〜１０００ｂｐ）。また、ｈｐＲＮＡは、約３０〜約４２ｂｐに及ぶ大きさの二本鎖部分を有するものの、９４ｂｐを大幅に超える長さでない、いくぶん小さいものであり得る（ＷＯ０４／０７３３９０を参照のこと）。二本鎖ＲＮＡ領域の存在は、二本鎖ＲＮＡだけでなく標的植物遺伝子（複数可）からの相同ＲＮＡ転写産物も破壊する内在植物系からの応答を誘発すると考えられ、結果として標的遺伝子の活性を効率的に低減または除去する。
【０２４３】
ハイブリダイズするセンス及びアンチセンス配列の長さは各々、少なくとも１９または少なくとも２１連続ヌクレオチド、好ましくは少なくとも３０または５０ヌクレオチド、より好ましくは少なくとも１００、２００、５００または１０００ヌクレオチドであるべきである。遺伝子転写産物全体に対応する完全長配列を使用してもよい。長さは１００〜２０００ヌクレオチドであることが最も好ましい。標的転写産物とセンス及びアンチセンス配列との同一性の度合いは少なくとも８５％、好ましくは少なくとも９０％、より好ましくは９５〜１００％であるべきである。配列が長いほど、全体としての配列同一性の必要条件のストリンジェンシーは緩くなる。ＲＮＡ分子は、当然ながら、分子を安定化させるように機能し得る非関連配列を含み得る。ｄｓＲＮＡ形成性構築物を発現させるのに使用するプロモーターは、標的遺伝子を発現する細胞内で発現されるいかなる類のプロモーターであってもよく、好ましくは、コムギ植物の非穀粒組織に比べて発達中のコムギ穀粒の胚乳中で優先的に発現されるプロモーターであり得る。標的遺伝子が、胚乳中で選択的に発現するＳＳＩＩａまたはその他の遺伝子である場合、他の組織における標的遺伝子（複数可）の発現に影響を与えないように、葉または茎組織で発現しない胚乳特異的プロモーターであることが好ましい。
【０２４４】
本明細書中で使用する場合、「サイレンシングＲＮＡ」とは、標的遺伝子、好ましくはＳＳＩＩａから転写されるｍＲＮＡの領域に対して相補的である２１〜２４連続ヌクレオチドを有するＲＮＡ分子のことである。２１〜２４ヌクレオチドの配列は、好ましくは、ｍＲＮＡの２１〜２４連続ヌクレオチドの配列に対して完全に相補的である、つまりｍＲＮＡの領域の２１〜２４ヌクレオチドの相補体と同一である。しかしながら、ｍＲＮＡの領域中の５つ以下の不一致を有するｍｉＲＮＡ配列を使用してもよく（Ｐａｌａｔｎｉｋ  ｅｔ  ａｌ．，２００３）、塩基対合には１つまたは２つのＧ−Ｕ塩基対が含まれていてもよい。サイレンシングＲＮＡの２１〜２４ヌクレオチドのうちの全てがｍＲＮＡと塩基対合できるというわけでない場合には、サイレンシングＲＮＡの２１〜２４ヌクレオチドとｍＲＮＡの領域との間に不一致がたった１つまたは２つしか存在しないことが好ましい。ｍｉＲＮＡに関して、多くて５つまでの何らかの不一致がｍｉＲＮＡの３’末端に向かってみられることが好ましい。好ましい実施形態では、サイレンシングＲＮＡの配列とその標的ｍＲＮＡの配列との間には不一致が１つまたは２つしか存在しない。
【０２４５】
サイレンシングＲＮＡは、本発明のキメラＤＮＡによってコードされる長めのＲＮＡ分子に由来する。長めのＲＮＡ分子は、本明細書中では「前駆ＲＮＡ」と呼ばれるが、コムギ細胞においてキメラＤＮＡからの転写によって生じる最初の産物であり、相補的領域同士の分子内塩基対合によって形成される部分的二本鎖の特質を有する。前駆ＲＮＡは、「ダイサー（複数可）」と一般的に呼称される特殊なクラスのＲＮアーゼによってプロセシングされて、典型的には２１〜２４ヌクレオチド長のサイレンシングＲＮＡとなる。本明細書中で使用されるサイレンシングＲＮＡは短鎖干渉ＲＮＡ（ｓｉＲＮＡ）及びマイクロＲＮＡ（ｍｉＲＮＡ）を含み、これらの生合成には違いがある。ｓｉＲＮＡは、二本鎖領域から突き出た不一致または非塩基対合ヌクレオチドを除けばあり得るＧ−Ｕ塩基対も含めて少なくとも２１連続塩基対を有する、完全または部分的な二本鎖ＲＮＡに由来する。これらの二本鎖ＲＮＡは、本明細書において「ヘアピンＲＮＡ」と呼ばれる自己に対する折り返し及びステム・ループ構造の形成によって形成する１つの自己相補的転写産物から形成されるか、またはハイブリダイズして二本鎖ＲＮＡ領域を形成する少なくとも部分的に相補的な２つの別個のＲＮＡから形成されるかのどちらかである。ｍｉＲＮＡは、完全には相補的でない相補的領域を含む長めの一本鎖転写産物のプロセシングによって産生し、それゆえに不完全に塩基対合した構造を形成し、それゆえ部分的二本鎖構造体中に不一致または非塩基対合ヌクレオチドを有する。塩基対合構造体はＧ−Ｕ塩基対を含むこともある。前駆ＲＮＡをプロセシングしてｍｉＲＮＡを形成することは、特定配列を各々が有している１つ以上の別個の低分子ＲＮＡ、ｍｉＲＮＡ（複数可）が優先的に蓄積することにつながる。それらが前駆ＲＮＡの一本の鎖、典型的には前駆ＲＮＡのアンチセンス鎖から得られるのに対し、長い相補的前駆ＲＮＡをプロセシングしてｓｉＲＮＡを形成することは、配列が一様でないが多くの部分に対応しているｓｉＲＮＡの集団を前駆体の両方の鎖から生じさせる。
【０２４６】
本発明のｍｉＲＮＡ前駆ＲＮＡは、本明細書中で「人工ｍｉＲＮＡ前駆体」とも呼ばれるが、典型的には、天然に存在する前駆体のｍｉＲＮＡ部分のヌクレオチド配列を標的ｍＲＮＡの２１〜２４ヌクレオチド領域に対して相補的、好ましくは完全に相補的となるように変化させること、及び塩基対合を維持すべく、ｍｉＲＮＡ配列に塩基対合しているｍｉＲＮＡ前駆体の、相補的領域のヌクレオチド配列を変化させることによって、天然に存在するｍｉＲＮＡ前駆体から得られる。ｍｉＲＮＡ前駆ＲＮＡの残部は未変化であってもよく、それゆえ天然に存在するｍｉＲＮＡ前駆体と同じ配列を有していてもよく、あるいはそれもヌクレオチド置換、ヌクレオチド挿入もしくは好ましくはヌクレオチド欠失またはそれらの任意の組み合わせによって配列が変化していてもよい。ｍｉＲＮＡ前駆ＲＮＡの残部は、ダイサー様１（ＤＣＬ１）と呼ばれるダイサー酵素による構造認識に関与すると考えられ、したがって、構造の残部には変化があったとしてもほとんどないことが好ましい。例えば、全体構造に大きな変化を伴うことなく塩基対合ヌクレオチドを他の塩基対合ヌクレオチドで置換してもよい。本発明の人工ｍｉＲＮＡ前駆体を与える天然に存在するｍｉＲＮＡ前駆体は、コムギ、別の植物、例えば別の禾穀類植物、または非植物源からのものであり得る。そのような前駆ＲＮＡの例は、コメｍｉ３９５前駆体、Ａｒａｂｉｄｏｐｓｉｓ  ｍｉ１５９ｂ前駆体、またはｍｉ１７２前駆体である。人工ｍｉＲＮＡの使用は、例えばＡｌｖａｒｅｚ  ｅｔ  ａｌ．，２００６、Ｐａｒｉｚｏｔｔｏ  ｅｔ  ａｌ．，２００４、Ｓｃｈｗａｂ  ｅｔ  ａｌ．，２００６で植物において実証されている。
【０２４７】
内在性遺伝子発現を下方制御するために用い得るもう１つの分子生物学的手法は、共抑制である。共抑制の機構は十分には理解されていないが、転写後遺伝子サイレンシング（ＰＴＧＳ）が関与していると考えられており、その点でアンチセンス抑制の多くの例と酷似している可能性がある。それは、遺伝子またはその断片の過剰のコピーをその発現のためのプロモーターに関して「センス配向」で植物に導入することを伴い、ここで、センス配向とは、本明細書中で使用される場合、標的遺伝子の配列に関して配列の転写及び翻訳（起こるならば）と同一の配向を指す。センス断片の大きさ、それと標的遺伝子領域との一致、及びそれと標的遺伝子との相同性の度合いは、上記アンチセンス配列のそれらと同様である。ある場合には、遺伝子配列のさらなるコピーが標的植物遺伝子の発現に干渉する。共抑制手法を実施する方法については、特許明細書ＷＯ９７／２０９３６及び欧州特許明細書０４６５５７２を参照されたい。
【０２４８】
遺伝子発現を低減するこれらの技術のいずれかを用いて協調的に複数の遺伝子の活性を低減することができる。例えば、遺伝子の共通の領域を標的とすることによって１つのＲＮＡ分子を関連遺伝子のファミリーに指向することができる。あるいは、１つのＲＮＡ分子の中に、異なる遺伝子を各領域が標的とする多数の領域を含むことによって、非関連遺伝子を標的としてもよい。これは、単一プロモーターの制御下で多数の領域を融合させることによって容易に行うことができる。
【０２４９】
核酸分子をコムギ細胞に導入するために数々の技術を利用することができ、それらは当業者によく知られている。本明細書中で使用される「形質転換」という用語は、外来または外因性核酸の導入による細胞、例えば細菌または植物、特にコムギ植物の遺伝子型の改変を意味する。「形質転換体」とは、そのようにして改変された生物を意味する。親植物の交配によるかまたは突然変異誘発によるコムギ植物へのＤＮＡの導入自体は、形質転換には含まれない。核酸分子は、染色体外要素として複製され得るか、または好ましくは植物のゲノムの中に安定的に組み込まれる。「ゲノム」とは、受け継がれた細胞、植物または植物部分のゲノム相補体全体を意味し、染色体ＤＮＡ、プラスチドＤＮＡ、ミトコンドリアＤＮＡ及び染色体外ＤＮＡ分子を含む。一実施形態において、導入遺伝子は、六倍体コムギでは本明細書中でＡ、Ｂ及びＤ「ゲノム」と呼ばれるＡ、Ｂ及びＤサブゲノムを含むコムギ核ゲノムに組み込まれる。
【０２５０】
稔性の遺伝子導入コムギ植物を生産するために最も一般的に用いられる方法は、２つのステップを含む：再生可能コムギ細胞内へのＤＮＡの送達、及び試験管内での組織培養による植物再生。ＤＮＡを送達するためには、Ａｇｒｏｂａｃｔｅｒｉｕｍ  ｔｕｍｅｆａｃｉｅｎｓまたは関連細菌を使用するＴ−ＤＮＡ移入と、及び粒子衝突によるＤＮＡの直接的導入との２つの方法が一般的に用いられる。但し、ＤＮＡ配列をコムギまたはその他の禾穀類に組み込むために他の方法が用いられたことはある。許容できるレベルの核酸移入が達成される限り、特定の形質転換系を選択して核酸構築物を植物に導入することが本発明にとっての必須または限定事項ではないことは、当業者には明らかであろう。コムギのためのそのような技術は当技術分野でよく知られている。
【０２５１】
形質転換コムギ植物は、本発明に係る核酸構築物をレシピエント細胞に導入すること、ならびに本発明に係るポリヌクレオチドを含み発現する新規植物を栽培することによって生産することができる。細胞培養物中の形質転換細胞から新規植物を栽培するプロセスを本明細書では「再生」と呼ぶ。再生可能なコムギ細胞としては、例えば、成熟胚の細胞、分裂組織の細胞、例えば葉の基部の分裂組織細胞、または好ましくは開花から１２〜２０日後に得られる未成熟胚の胚盤からの細胞、またはこれらのうちのいずれかに由来するカルスの細胞が挙げられる。再生したコムギ植物を回収するのに最も一般的に用いられる経路は、２，４−Ｄなどのオーキシン及び低レベルのサイトカイニンが補充されたＭＳ−寒天などの培地を使用する体細胞胚形成であり、Ｓｐａｒｋｓ  ａｎｄ  Ｊｏｎｅｓ，２００４を参照されたい。
【０２５２】
Ａｇｒｏｂａｃｔｅｒｉｕｍによって媒介されるコムギの形質転換は、Ｃｈｅｎｇ  ｅｔ  ａｌ．，１９９７、Ｗｅｉｒ  ｅｔ  ａｌ．，２００１、Ｋａｎｎａ  ａｎｄ  Ｄａｇｇａｒｄ，２００３、またはＷｕ  ｅｔ  ａｌ．，２００３の方法によって実施され得る。十分な毒性を有する任意のＡｇｒｏｂａｃｔｅｒｉｕｍ株、好ましくは、ＬＢＡ４４０４、ＡＧＬ０もしくはＡＧＬ１（Ｌａｚｏ  ｅｔ  ａｌ．，１９９１）、またはＣ５８の変異型などの追加の毒性遺伝子機能を有する株を使用してもよい。また、Ａｇｒｏｂａｃｔｅｒｉｕｍに関係する細菌を使用してもよい。Ａｇｒｏｂａｃｔｅｒｉｕｍからレシピエントコムギ細胞へ移入させるＤＮＡ（Ｔ−ＤＮＡ）は、移入させる核酸に隣接した野生型ＴｉプラスミドのＴ−ＤＮＡ領域の１つまたは２つの境界領域を含有する遺伝子構築物（キメラプラスミド）の中に含められる。遺伝子構築物は２つ以上のＴ−ＤＮＡを含有し得、例えば１つのＴ−ＤＮＡが関心対象の遺伝子を含有し、もう１つのＴ−ＤＮＡが選抜マーカー遺伝子を含有し、それによって、２つのＴ−ＤＮＡの独立した挿入と、関心対象の導入遺伝子から遠くに選抜マーカーを隔てる可能性とを提供する。Ｔ−ＤＮＡベクターは、当技術分野で知られている「スーパーバイナリー」プラスミドであることが好ましい。
【０２５３】
再生可能ないかなるコムギ種類を使用してもよく、品種Ｂｏｂ  Ｗｈｉｔｅ、Ｆｉｅｌｄｅｒ、Ｖｅｅｒｙ−５、Ｃａｄｅｎｚａ、及びＦｌｏｒｉｄａについて好結果の報告がなされている。これらのより容易に再生することができる品種のうちの１つにおける形質転換事象は、優良品種を含めた他の任意のコムギ品種へ標準的な戻し交配によって移入され得る。Ａｇｒｏｂａｃｔｅｒｉｕｍの使用を伴う他の方法としては、例えば、Ａｇｒｏｂａｃｔｅｒｉｕｍと培養され単離されたプロトプラストと共培養；Ａｇｒｏｂａｃｔｅｒｉｕｍによる種子、頂端または分裂組織の形質転換；または植物内での植菌、例えばＢｅｃｈｔｏｌｄ  ｅｔ  ａｌ．，１９９３によって記載されているようなＡｒａｂｉｄｏｐｓｉｓのフローラルディップ法が挙げられる。
【０２５４】
核酸構築物を植物細胞に導入するために一般的に用いられるもう１つの方法は、例えばＫｌｅｉｎ  ｅｔ  ａｌ．，１９８７によって記載されているような、導入する核酸が小さいビーズまたは粒子の中かその表面上かのどちらかに入っている微粒子による高速遺伝子貫入（粒子撃ち込みまたは微小粒子撃ち込みとしても知られる）である。
【０２５５】
コムギの形質転換に使用するのに好ましい選抜マーカー遺伝子としては、例えば、除草剤グルホシネートアンモニウムを使用する選抜と併せて用いるＳｔｒｅｐｔｏｍｙｃｅｓ  ｈｙｇｒｏｓｃｏｐｉｃｕｓ  ｂａｒ遺伝子もしくはｐａｔ遺伝子、抗生物質ヒグロマイシンと併せて用いるｈｐｔ遺伝子、またはカナマイシンもしくはＧ４１８と併せて用いるｎｐｔＩＩ遺伝子が挙げられる。あるいは、ホスホマンノース異性化酵素（ＰＭＩ）をコードするｍａｎＡ遺伝子などの正の選抜マーカーを、唯一のＣ源としての糖マンノース−６−リン酸塩と併せて使用してもよい。
【０２５６】
以下の非限定的な実施例によって本発明をさらに詳しく説明する。
【実施例】
【０２５７】
実施例１：材料及び方法
植物材料。各々がＡ、ＢまたはＤゲノム上のＳＳＩＩａ遺伝子に単一のヌル突然変異を含んでいる３つのコムギ品種は、Ｄｒ  Ｍ  Ｙａｍａｍｏｒｉ，Ｎａｔｉｏｎａｌ  Ｉｎｓｔｉｔｕｔｅ  ｏｆ  Ａｇｒｏｂｉｏｌｏｇｉｃａｌ  Ｒｅｓｏｕｒｃｅｓ，Ｔｓｕｋｕｂａ，Ｊａｐａｎの好意により提供された。それらは、ＳＳＩＩａ−Ａにヌル突然変異を含む、したがってＳＳＩＩａ−Ａポリペプチド（ＳＧＰ−Ａ１）を欠く、Ｃｈｏｕｓｅｎ５７（Ｃ５７）と、ＳＳＩＩａ−Ｂにヌル突然変異を含む、したがってＳＳＩＩａ−Ｂポリペプチド（ＳＧＰ−Ｂ１）を欠く、Ｋａｎｔｏ７９（Ｋ７９）と、ＳＳＩＩａ−Ｄにヌル突然変異を含む、したがってＳＧＰ−Ｄ１ポリペプチドを欠く、Ｔｕｒｋｅｙ１１６（Ｔ１１６）であった（Ｙａｍａｍｏｒｉ  ｅｔ  ａｌ．，２０００）。
【０２５８】
Ｎ７ＡＴ７Ｄ、Ｎ７ＢＴ７Ｄ及びＮ７ＤＴ７Ｂという名称（Ｓｅａｒｓ  ａｎｄ  Ｍｉｌｌｅｒ，１９８５）の、相同群の７本の染色体のためのチャイニーズスプリング（ＣＳ）零染色体性／四染色体性系統は、Ｄｒ  Ｅ．Ｌａｇｕｄａｈ（ＣＳＩＲＯ  Ａｇｒｉｃｕｌｔｕｒｅ，Ｃａｎｂｅｒｒａ，Ａｕｓｔｒａｌｉａ）の好意により提供された。
【０２５９】
Ｃ５７、Ｋ７９、Ｔ１１６、３つのオーストラリアコムギ品種Ｓｕｎｃｏ、ＥＧＡ  Ｈｕｍｅ及びＷｅｓｔｏｎｉａを含むコムギ植物をＣＳＩＲＯ  Ａｇｒｉｃｕｌｔｕｒｅ，Ｃａｎｂｅｒｒａにて温室内で自然光によって１８℃（夜間）及び２４℃（日中）で栽培した。各系統の成熟穀粒を収穫し、空気乾燥させて水分含有量をおよそ９％にした。特に明記しない限り、０．５ｍｍメッシュスクリーンを備えたＵｄｙサイクロンミル（Ｆｏｒｔ  Ｃｏｌｌｉｎｓ，ＣＯ，ＵＳＡ）を使用して１系統あたり５ｇの乾燥穀粒を粉砕して全粒粉小麦粉を生成したか、またはＢｒａｂｅｎｄｅｒ  Ｑｕａｄｒｕｍａｔ  Ｊｕｎｉｏｒミル（Ｂｒａｂｅｎｄｅｒ（登録商標）ＧｍｂＨ＆Ｃｏ．ＫＧ，Ｄｕｉｓｂｕｒｇ，Ｇｅｒｍａｎｙ）を使用して精白小麦粉を得た。
【０２６０】
実施例１２で記載する発達中の穀粒及び成熟穀粒の中のタンパク質及び澱粉の分析のために、突然変異体及び野生型コムギ植物（それぞれｓｓＩＩａ及びＳＳＩＩａ）を、Ｋｏｎｉｋ−Ｒｏｓｅ  ｅｔ  ａｌ．（２００７）によって報告されている倍加半数体集団から得た。実施例１２で記載しているように、ＲＮＡ、可溶性タンパク質及び澱粉顆粒結合型タンパク質の分析のために、２０〜４０個の発達中の胚乳を開花後日数（ＤＰＡ）１５日目にドライアイス上のチューブ内に採取し、−８０℃で貯蔵した。穀粒におけるタンパク質及び澱粉の特性の分析のために、成熟した穀粒を温室栽培または圃場栽培植物から収穫した。
【０２６１】
コムギ植物のＤＮＡ分析。突然変異ｓｓＩＩａまたは野生型ＳＳＩＩａ対立遺伝子の有無をゲノムＤＮＡ試料に対するＰＣＲによって検出するために、植物から幼葉を収穫し、Ｆａｓｔ  ＤＮＡキット（ＢＩＯ１０１システム、Ｑ−ＢＩＯ遺伝子）を使用してゲノムＤＮＡを抽出した。マーカーアシスト育種のために、ＪＫＳＳ２ＡＰ１Ｆ（ヌクレオチド配列受託番号ＡＢ２０１４４５のヌクレオチド９１とヌクレオチド１１３との間に位置する５’−ＴＧＣＧＴＴＴＡＣＣＣＣＡＣＡＧＡＧＣＡＣＡ−３’（配列番号１５）と、ＪＫＳＳ２ＡＰ２Ｒ（ＡＢ２０１４４５のヌクレオチド１２２５とヌクレオチド１２４６との間に位置する５’−ＴＧＣＣＡＡＡＧＧＴＣＣＧＧＡＡＴＣＡＴＧＧ−３’（配列番号１６））とのプライマー対をＡゲノムＳＳＩＩａ遺伝子のために使用し（図２）；ＪＫＳＳ２ＢＰ７Ｆ（ヌクレオチド配列受託番号ＡＢ２０１４４６のヌクレオチド５９７８とヌクレオチド５９９５との間に位置する５’−ＧＣＧＧＡＣＣＡＧＧＴＴＧＴＣＧＴＣ−３’（配列番号１７））とＪＬＴＳＳ２ＢＰＲ１（ＡＢ２０１４４６のヌクレオチド６３１３とヌクレオチド６３３５との間に位置する５’ＣＴＧＧＣＴＣＡＣＧＡＴＣＣＡＧＧＧＣＡＴＣ−３’（配列番号１８））とのプライマーをＢゲノムＳＳＩＩａ遺伝子のために使用し（図３）；ＪＴＳＳ２Ｄ３Ｆ（ヌクレオチド配列受託番号ＡＢ２０１４４７のヌクレオチド２３６９とヌクレオチド２３９２との間に位置する（５’−ＧＴＡＣＣＡＡＧＧＴＡＴＧＧＧＧＡＣＴＡＴＧＡＡ−３’（配列番号１９）とＪＴＳＳ２Ｄ４Ｒ（ＡＢ２０１４４７のヌクレオチド２７７４と２７９６ヌクレオチドとの間に位置する５’−ＧＴＴＧＧＡＧＡＧＡＴＡＣＣＴＣＡＡＣＡＧＣ−３’（配列番号２０））とのプライマーをコムギのＤゲノムＳＳＩＩａ遺伝子のために使用した（図４）。
【０２６２】
ＰＣＲ反応は５０ｎｇのゲノムＤＮＡ、１．５ｍＭのＭｇＣｌ２、０．１２５ｍＭの各ｄＮＴＰ、１０ｐｍｏｌのプライマー、０．５Ｍのグリシンベタイン、１μｌのジメチルスルホキシド（ＤＭＳＯ）、及び１．５〜３．５ＵのＨｏｔ−ｓｔａｒ  Ｔａｑポリメラーゼ（ＱＩＡＧＥＮ）を２０μｌの反応容積中に含んでいた。増幅反応は、ＨＹＢＡＩＤ  ＰＣＲ  Ｅｘｐｒｅｓｓ（Ｉｎｔｅｇｒａｔｅｄ  Ｓｃｉｅｎｃｅｓ）を使用して、９５℃で５分間の１サイクル及び、９４℃で４５秒間の融解と、５２℃（Ａゲノム）または６０℃（Ｂ及びＤゲノム）のアニーリング温度で３０秒間と、７２℃で２分３０秒間の伸長との３５サイクル、及びその後の７２℃で１０分間の１サイクルとそれに続く２５℃への冷却によって行った。結果として生じるＰＣＲ断片を１％または２％のアガロースゲル上で分離し、エチジウム染色後に可視化した（ＵＶｉｔｅｃ）。他の標準的増幅では、アニーリング温度として５９℃を用いたが、それ以外は、特に定めのない限り同じＰＣＲ条件を用いた。
【０２６３】
より大きい規模（９ｍｌ）での、凍結乾燥させて粉挽きした組織からの抽出（Ｓｔａｃｅｙ  ａｎｄ  Ｉｓａａｃ，１９９４）によるＤＮＡに対して、サザンブロットハイブリダイゼーション分析を実施した。ＤＮＡ試料を０．２ｍｇ／ｍｌに調節し、ＢａｍＨＩ及びＥｃｏＲＩなどの制限酵素で消化した。Ｓｔａｃｅｙ  ａｎｄ  Ｉｓａａｃ，（１９９４）によって記載されているとおりに制限酵素による消化、ゲル電気泳動及び真空ブロッティングを行った。３２Ｐ標識プローブをｃＤＮＡから産生させてハイブリダイゼーションにおいて使用し、サザンブロットを行った。配列のハイブリダイゼーションは、Ｊｏｌｌｙ  ｅｔ  ａｌ．（１９９６）の方法に従ってオートラジオグラフィーによって検出した。
【０２６４】
ＲＮＡ抽出及び定量的リアルタイムＰＣＲ（ｑＲＴ−ＰＣＲ）。１５ＤＰＡの胚乳からの全ＲＮＡは、ＮｕｃｌｅｏＳｐｉｎ（登録商標）ＲＮＡ  Ｐｌａｎｔキット（Ｍａｃｈｅｒｅｙ−Ｎａｇｅｌ）を使用して抽出し、Ｎａｎｏｄｒｏｐ１０００（Ｔｈｅｒｍｏ  Ｓｃｉｅｎｔｉｆｉｃ）を使用して定量した。ＳｕｐｅｒＳｃｒｉｐｔ  ＩＩＩ逆転写酵素（Ｉｎｖｉｔｒｏｇｅｎ）を使用して、５０μｌの反応において５０℃で０．５μｇの量のＲＮＡ鋳型をｃＤＮＡ合成のために使用した。ＲＴ−ＰＣＲプライマー（表４）を使用して５８℃のアニーリング温度で１０μｌのｑＲＴ−ＰＣＲ反応においてｃＤＮＡ鋳型（１００ｎｇ）を使用した。定量対照として、チューブリン遺伝子の３’末端にあるエクソンに位置している領域を増幅する一対のプライマーを使用した。増幅反応は、Ｒｏｔｏｒ−Ｇｅｎｅ（商標）ＳＹＢＲ（登録商標）Ｇｒｅｅｎ  ＰＣＲキット（ＱＩＡＧＥＮ）を使用してＲｏｔｏｒ−Ｇｅｎｅ  ６０００（Ｃｏｒｂｅｔｔ）内で行った。比較定量は、基準増幅としてのチューブリン遺伝子断片の増幅を用いてＲｅａｌ  Ｔｉｍｅ  Ｒｏｔａｒｙ  Ａｎａｌｙｚｅｒソフトウェア（Ｃｏｒｂｅｔｔ）で解析した。各試料についてｑＲＴ−ＰＣＲ反応を３反復で実施した。
【表４】
2019527054.tif 000008
【０２６５】
発達中の胚乳からの可溶性及び澱粉顆粒結合型タンパク質の単離。１５ＤＰＡに収穫した発達中の種子からの発達中の胚乳を均質化し、予め冷やしておいた可溶性タンパク質抽出用緩衝液（０．２５ＭのＫ２ＨＰＯ４、ｐＨ７．５、０．０５ＭのＥＤＴＡ、２０％のグリセロール、Ｓｉｇｍａプロテアーゼ阻害剤カクテル、及び０．５ＭのＤＴＴ）中に１．５μｌ／ｍｇで懸濁させた。均質化物を４℃で１５分間１６，０００ｇで遠心分離した。可溶性タンパク質を含有する上清を、Ｃｏｏｍａｓｓｉｅ  Ｐｌｕｓ  Ｐｒｏｔｅｉｎアッセイ試薬（Ｂｉｏ−Ｒａｄ）を使用するタンパク質濃度の推定のために使用した。所望により、分析前に試料を−２０℃で貯蔵した。可溶性タンパク質調製物から取り置かれたペレットは、水による洗浄の後に直接プロテアーゼＫで処理し、その後、澱粉を以下のとおりに精製した。澱粉顆粒結合型タンパク質は、Ｒａｈｍａｎ  ｅｔ  ａｌ．，（１９９５）に従いつつ若干の変更を加えて、精製澱粉から調製した。澱粉顆粒を、タンパク質変性抽出用緩衝液（５０ｍＭのトリス緩衝剤、ｐＨ６．８、１０％のグリセロール、５％のＳＤＳ、５％のβ−メルカプトエタノール、及びブロモフェノールブルー）中で１５μｌ／ｍｇ澱粉の比率で５〜１０分間煮沸した。１３，０００ｇで２０分間遠心分離した後、上清をＳＤＳ−ＰＡＧＥ分析に使用した。
【０２６６】
成熟穀粒からの澱粉の単離及び澱粉顆粒結合型タンパク質の抽出。ＷＩＧ−Ｌ−ＢＵＧ  Ｍｉｘｅｒ  ＭＳＤ（ＵＳＡ）を使用して各植物からの全粒（１００〜１５０ｍｇ）をボールベアリング機で３０秒間、３０ｒｐｍの速度で粉挽きした。全粒粉製品をまず１２．５ｍＭのＮａＯＨで処理し、０．５ｍｍナイロン製篩で濾過し、水で３回洗浄し、その後、５０ｍＭのリン酸緩衝液１ｍＬ中で０．５ｍｇのプロテアーゼＫと共に３７℃で２時間インキュベートした。５，０００ｇでの遠心分離によって得られた澱粉ペレットを水で３回、懸濁させ、洗浄し、各洗浄の後に遠心分離に掛けることを行った。アセトンで洗浄した後、残存する澱粉を３７℃で一晩風乾した。成熟穀粒澱粉からの澱粉顆粒結合型タンパク質の調製は、発達中の胚乳の澱粉について以前に記載したのと同様に行った。
【０２６７】
ＳＤＳ−ＰＡＧＥ及びゲル染色。澱粉中のタンパク質含有量の定量のために、等しい量（４ｍｇ）の澱粉を澱粉顆粒結合型タンパク質の抽出のために使用した。各試料について、全タンパク質を含有する同体積の上清をＮｕＰＡＧＥ  Ｎｏｖｅｘ  ４〜１２％Ｂｉｓ−Ｔｒｉｓゲル（Ｌｉｆｅ  Ｔｅｃｈｎｏｌｏｇｉｅｓ）に装填した。これにより、同量の澱粉からタンパク質結合パターンの変動を検出することが可能になった。全タンパク質を２０μｇ含有する試料を可溶性タンパク質のために使用した。以前に記載されているように（Ｂｕｔａｒｄｏ  ｅｔ  ａｌ．２０１２）、ＳＤＳ−ＰＡＧＥゲルを流して検出を行った。
【０２６８】
イムノブロッティング。以前の研究からのＧＢＳＳＩ、ＳＳＩ、ＳＳＩＩａ、ＳＢＥＩＩａ及びＳＢＥＩＩｂに対する抗血清を、それらの抗原供給源及び特異性も含めて表５に一覧として列挙する。上記と同じタンパク質標準を使用して以前に記載されているようにウェスタンブロッティング及び検出を行った（Ｂｕｔａｒｄｏ  ｅｔ  ａｌ．２０１２）。
【表５】
2019527054.tif 000009
【０２６９】
ＳＤＤ−ＰＡＧＥゲル及びイムノブロットのタンパク質バンドの定量。タンパク質の存在量を定量し、異なる遺伝子型同士で比較するために、５μＬのＭａｇｉｃＭａｒｋ（商標）ＸＰタンパク質ラダー（Ｉｎｖｉｔｒｏｇｅｎ）の２つのタンパク質バンド（８０ｋＤａ及び６０ｋＤａ）を基準として使用した。タンパク質バンドを可視化した後、Ｑｕａｎｔｉｔｙ  Ｏｎｅソフトウェアパッケージを使用し、指定の方法（Ｂｉｏ−Ｒａｄ）に従ってバンド強度解析のためにＳＤＳ−ＰＡＧＥゲル及びイムノブロットを画像ファイルにスキャンした（Ｅｐｓｏｎ  Ｐｅｒｆｅｃｔｉｏｎ  ２４５０  ＰＨＯＴＯ；Ｅｐｓｏｎ  Ａｍｅｒｉｃａ  Ｉｎｃ．，ＣＡ，ＵＳＡ）。バンド８０ｋＤａをＳＢＥＩＩａ、ＳＢＥＩＩｂ及びＳＳＩＩａの定量に使用し、６０ｋＤａをＳＳＩ及びＧＢＳＳＩの定量に使用した。
【０２７０】
質量分析。クーマシーブルー染色したＳＤＳ−ＰＡＧＥゲルから選択されたタンパク質バンドに対してゲル中でのタンパク質分解消化を行うことができる。イオントラップ型タンデムＭＳをＢｕｔａｒｄｏ  ｅｔ  ａｌ．（２０１２）によって記載されているように行うことができる。タンパク質は、ＰｒｏｔｅｉｎＬｙｎｘ  Ｇｌｏｂａｌ  Ｓｅｒｖｅｒ（Ｖｅｒｓｉｏｎ１、Ｍｉｃｒｏｍａｓｓ）によって連続したＭＳをＳｗｉｓｓＰｒｏｔ／ＴＲＥＭＢＬ内の登録事項と相関させることによって同定することができる（Ｃｏｌｇｒａｖｅ  ｅｔ  ａｌ．２０１３）。
【０２７１】
穀粒重量。植物が完全に黄化した時と解される、成熟時に、植物から穀粒を収穫した。頂部を収穫し、３７℃で少なくとも２週間貯蔵して完全な乾燥を確保し、その後、さらなる貯蔵が必要な場合は室温で貯蔵し、その後、脱穀して成熟穀粒を得た。穀粒重量に依存する本明細書に記載のパラメータ及び穀粒重量自体を分析したのはこの穀粒またはそれから得られた全粒粉であった。各コムギ系統の穀粒重量は１００粒の穀粒の総重量から決定した。穀粒の水分含有量はＭＰＡ  ＦＴ−ＮＩＲ分光器（ＢＲＵＫＥＲ）で決定し、これは、成熟穀粒では重量基準で約９％であることが典型的であった。本明細書に記載の穀粒重量に依存するパラメータ、例えば澱粉含有量、ＢＧ含有量、フルクタン含有量などは、ＮＩＲによって測定しない場合には９％（ｗ／ｗ）の水分含有量を想定して、乾燥重量基準で算出した。
【０２７２】
コムギ穀粒脂質分析。約３００ｍｇの全粒粉の試料からの脂質全てをクロロホルム／メタノール／０．１ＭのＫＣｌの混合物（２：１：１の比、ｖ／ｖ／ｖ）で抽出した。脂質試料を１Ｎのメタノール−ＨＣｌ（Ｓｕｐｅｌｃｏ、Ｂｅｌｌｅｆｏｎｔｅ、ＰＡ）中で８０℃で２時間インキュベートすることによって脂肪酸メチルエステル（ＦＡＭＥ）を調製した。ヘキサン：ジエチルエーテル：酢酸（７０：３０：１、ｖ／ｖ／ｖ）の溶媒混合物を使用して薄層クロマトグラフィー（ＴＬＣ）（シリカゲル６０、Ｍｅｒｃｋ，Ｇｅｒｍａｎｙ）によって全脂質からＴＡＧ及び極性膜脂質のプールを分画し、個々の膜脂質クラスをＴＬＣによってクロロホルム／メタノール／酢酸／水（９０／１５／１０／３、ｖ／ｖ／ｖ／ｖ）の溶媒混合物を使用して分離した。脂質クラスの同定のために信頼性のある脂質標準を装填し、同じプレートの別個のレーンに流した。脂質の個々のクラスを含有するシリカバンドを使用して上記ＦＡＭＥを調製し、内部標準として添加した既知量のヘプタデカノインのピーク面積に基づいて個々の脂肪酸を定量するために３０ｍのＢＰＸ７０カラム（ＳＧＥ，Ａｕｓｔｉｎ，ＴＸ，ＵＳＡ）を装備したガスクロマトグラフィーＧＣ−ＦＩＤ７８９０Ａ（Ａｇｉｌｅｎｔ  Ｔｅｃｈｎｏｌｏｇｉｅｓ，Ｐａｌｏ  Ａｌｔｏ，ＣＡ，ＵＳＡ）によって分析した。
【０２７３】
澱粉抽出。特に定めのない限り、澱粉は、サイクロンミル機（Ｃｙｃｌｏｔｅ  １０９３，Ｔｅｃａｔｏｒ，Ｓｗｅｄｅｎ）を使用して穀粒（１０ｇ）をまず全粒粉に粉挽きすることによって穀粒試料から抽出した。澱粉はプロテアーゼ抽出法（Ｍｏｒｒｉｓｏｎ ｅｔ  ａｌ．，１９８４）によって全粒粉から単離し、常温で全粒粉１グラムあたり１０ｍｌの水を使用して残渣は除去しつつ水で洗浄した。その後、澱粉を凍結乾燥させ、分析のために重さを量った。澱粉はまた、Ｒｅｇｉｎａ  ｅｔ  ａｌ．，（２００６）の方法を用いて発達中のコムギ穀粒から小規模に単離した。
【０２７４】
澱粉含有量。穀粒の総澱粉含有量は、Ｍｅｇａｚｙｍｅ（Ｂｒａｙ，Ｃｏ  Ｗｉｃｋｌｏｗ，Ｒｅｐｕｂｌｉｃ  ｏｆ  Ｉｒｅｌａｎｄ）によって提供される全澱粉分析キット（Ｋ−ＴＳＴＡ）を使用してＡＡＣＣ法７６．１３によって検査し、重量基準で成熟未粉砕穀粒の重量に対する百分率として算出した。総穀粒重量から澱粉重量を差し引いて穀粒の総非澱粉含有量を得ることにより、総重量の減少が澱粉含有量の減少によるものであるか否かを判定した。
【０２７５】
アミロース含有量。特に定めのない限り、澱粉試料のアミロース含有量は、Ｍｏｒｒｉｓｏｎ  ａｎｄ  Ｌａｉｇｎｅｌｅｔ（１９８３）のヨウ素滴定（ヨウ素結合）法に以下のとおりに若干の改変を加えることによって３反復で決定した。蓋にゴム製ワッシャーを装着した２ｍｌのネジ蓋式チューブにおよそ２ｍｇの澱粉を正確に（公差０．１ｍｇで）計量した。脂質を除去するために、８５％（ｖ／ｖ）のメタノール１ｍｌを澱粉と混合し、チューブを６５℃の水槽内で１時間、時折渦流撹拌しながら加熱した。１３，０００ｇで５分間遠心分離した後、上清を丁寧に除去し、抽出ステップを繰り返した。その後、澱粉を６５℃で１時間乾燥させ、澱粉２ｍｇあたり１ｍｌの尿素−ジメチルスルホキシド溶液（ＵＤＭＳＯ；６Ｍの尿素１体積に対してジメチルスルホキシドを９体積）を使用してＵＤＭＳＯ中に溶解させた。混合物をすぐさま激しく渦流撹拌し、９５℃の水槽内で澱粉の完全溶解のために時折渦流撹拌しながら１時間インキュベートした。澱粉−ＵＤＭＳＯ溶液のアリコート（５０μｌ）を、水１ｍｌあたり２ｍｇのヨウ素及び２０ｍｇのヨウ化カリウムを含有する２０μｌのＩ２−ＫＩ試薬で処理した。混合物を水で１ｍｌにした。２００μｌをマイクロプレートへ移し、Ｅｍａｘ  Ｐｒｅｃｉｓｉｏｎマイクロプレートリーダー（Ｍｏｌｅｃｕｌａｒ  Ｄｅｖｉｃｅｓ，ＵＳＡ）を使用して吸光度を読み取ることにより、６２０ｎｍでの混合物の吸光度を測定した。０〜１００％のアミロースと１００〜０％のアミロペクチンとを含有する標準試料を、ジャガイモのアミロース（Ｓｉｇｍａ  カタログ番号Ａ−０５１２）及びジャガイモのアミロペクチン（Ｓｉｇｍａ、カタログ番号Ａ−８５１５）から作り、試験試料の場合と同様に処理した。標準試料の吸光度から導出した回帰式を使用して、吸光度値からアミロース含有量（アミロース百分率）を決定した。
【０２７６】
澱粉試料のアミロース含有量はまた、明記されている場合には、以前に記載したように澱粉試料を枝切りすること及びその後にサイズ排除クロマトグラフィー（ＳＥＣ）を用いて測定することによって決定した（Ｂｕｔａｒｄｏ  ｅｔ  ａｌ．２０１２、Ｃａｓｔｒｏ  ｅｔ  ａｌ．２００５）。この方法により、アミロペクチンの枝切りによって生じる短鎖を長鎖アミロース鎖から分離し、相対量を決定した。溶出時間から分子量を推定するためにＭａｒｋ−Ｈｏｕｗｉｎｋ−Ｓａｋａｒｕｄａ式で較正されるプルラン標準（Ｓｈｏｄｅｘ  Ｐ−８２）を用いた。試料は３反復で調製及び分析した。
【０２７７】
また、枝切りされていない澱粉のアミロース／アミロペクチン比率の分析は、Ｃａｓｅ  ｅｔ  ａｌ．，（１９９８）に従って行ってもよいし、またはＢａｔｅｙ  ａｎｄ  Ｃｕｒｔｉｎ，（１９９６）によって記載されているように枝切りされた澱粉を分離するために９０％のＤＭＳＯを使用してＨＰＬＣ法によって行ってもよい。
【０２７８】
耐性澱粉（ＲＳ）含有量。穀粒のＲＳ含有量は、Ｍｅｇａｚｙｍｅ（Ｂｒａｙ，Ｃｏ  Ｗｉｃｋｌｏｗ，Ｒｅｐｕｂｌｉｃ  ｏｆ  Ｉｒｅｌａｎｄ）によって提供されるＲＳ分析キット（Ｋ−ＲＳＴＡＲＣＨ）を使用して３反復で決定し、重量基準で澱粉に対する百分率として算出した。ＲＳ分析キットで推奨されている１００ｍｇの試料の代わりに、この研究の各アッセイでは少なくした量（４０ｍｇ）の全粒粉を１５ｍｌの蓋付き円錐底チューブ（カタログ番号：１８８２７１，Ｇｒｅｉｎｅｒ  ｂｉｏ−ｏｎｅ）に入れて使用し、按分した量でキットからの溶液及び緩衝剤を使用した。０〜２０ｍｇ／ｍｌのグルコースを含有する標準試料をグルコース（Ｋ−ＲＳＴＡＲＣＨキット）から作り、試験試料の場合と同様に処理した。標準試料の吸光度から導出した回帰式を使用して、試験試料の重量基準でのＲＳ含有量、及び非耐性澱粉含有量を吸光度値から決定した。そして、総澱粉含有量の重量に対する百分率で表したＲＳの重量としてＲＳ含有量を算出した。
【０２７９】
パンなどの食品試料におけるＲＳのレベルも、ＷＯ２０１２／０５８７３０に記載されているように試験管内で測定され得る。その方法は、試料調製、及び普段食される食品の中の澱粉の試験管内での消化について記載している。方法は２つの部分に分かれる：まず、食品中の澱粉を模擬生理条件下で加水分解し；次に、副生成物を洗浄によって除去し、試料の均質化及び乾燥の後にＲＳを決定する。消化処理の最後に定量される澱粉は食品のＲＳ含有量を表していた。
【０２８０】
β−グルカン（ＢＧ）。ＢＧレベルは、Ｍｅｇａｚｙｍｅ（Ｂｒａｙ，Ｃｏ，Ｗｉｃｋｌｏｗ，Ｒｅｐｕｂｌｉｃ  ｏｆ  Ｉｒｅｌａｎｄ）によって提供されるキット（Ｋ−ＢＧＬＵ）を使用して３反復で決定した。
【０２８１】
フルクタン含有量。フルクタンの抽出及びアッセイは、以下のとおりに改変したＭｅｇａｚｙｍｅフルクタンキット（Ｋ−ＦＲＵＣ）アッセイ手順を用いて２ｍｌチューブまたは９６ウェルプレート（２ｍｌウェル）で実施した。コムギ全粒粉（４０ｍｇ）を１ｍｌの水（８０℃）と混合し、振盪（１２００ｒｐｍ）しながら８０℃で３０分間インキュベートした。室温に冷却した後、チューブを５分間遠心分離し、フルクタン及び他の糖類を含有する２０μｌの上清をフルクタンアッセイのために取り出した。Ｋ−ＦＲＵＣキットからのスクロース、アミラーゼ及びマルターゼを含有する２０μｌの酵素液を添加すること、ならびに混合物を４０℃で振盪（１０００ｒｐｍ）しながら３０分間インキュベートすることによって、上清中のスクロース、マルトース、マルトデキストリン及び澱粉をグルコース及びフルクトースに加水分解した。その後、１０ｍｇ／ｍｌの水素化ホウ素アルカリ溶液２０μｌを添加すること及び４０℃で振盪（１０００ｒｐｍ）しながら３０分間インキュベートすることによって、試料中のグルコース及びフルクトースを還元した。この溶液中のフルクタンをフルクタナーゼ（１０００ｒｐｍで振盪しながら４０℃で３０分間）でグルコースとフルクトースとに加水分解した。ｐ−ヒドロキシ安息香酸ヒドラジド（ＰＡＨＢＡＨ）を添加して９８℃で６分間掛けて有色複合体を発色させた。試料を冷却した後、分光光度計を使用して４１０ｎｍで有色複合体を測定し、吸光度値を、フルクタナーゼによる加水分解の後の試験試料の場合と同様に処理された０〜０．２７ｍｇ／ｍｌのフルクトースについての検量線（Ｍｅｇａｚｙｍｅ，Ｋ−ＦＲＵＣキット）を使用してフルクタン含有量に換算した。標準試料の吸光度から導出した回帰式を使用して、吸光度値から試験試料のフルクタン含有量（フルクタン百分率）を決定した。
【０２８２】
プレート方式での小規模化フルクタンアッセイ。小型フルクタンアッセイのために、Ｍｅｇａｚｙｍｅキットの酵素液、緩衝剤及び試薬の量を全て１０分の１に縮小し、反応を９６ウェルプレートで行った。フルクタン含有量の高い試料のために２０ｍｇの全粒粉試料を使用し、またはフルクタンが約０．５〜２％の低レベルである試料のためには４０ｍｇを使用した。小麦粉をエタノールで予め湿らすことはフルクタン抽出の場合には必要ではなかった−全粒粉はフルクタンの抽出前に渦流撹拌することによって熱水中に十分に分散した。フルクタン抽出には２０分の抽出時間で十分であった。加水分解反応は蓋で密封された１．１ｍｌの９６ウェルプレートにおいて４０℃で３０分間、ＢｉｏＳｈａｋｅ  ｉＱ及び９６ウェルアダプター（Ｑ  Ｉｎｓｔｒｕｍｅｎｔｓ，Ｊｅｎａ，Ｇｅｒｍａｎｙ）を使用して１，０００ｒｐｍで振盪しながら実施した。改変型Ｋ−ＦＲＵＣアッセイでは、フルクタン加水分解及びｐ−ヒドロキシ安息香酸ヒドラジド（ＰＡＨＢＡＨ）添加の後のプレートを蓋で密封し、水槽（ＷｉｓｅＢａｔｈ，Ｔｈｅｒｍｏｌｉｎｅ  Ｓｃｉｅｎｔｉｆｉｃ，Ｗｅｔｈｅｒｉｌｌ  Ｐａｒｋ，ＮＳＷ，Ａｕｓｔｒａｌｉａ）を使用した１００℃で６分間の発色のために特注のプレートホルダーにしっかりと固定した。Ｍｕｌｔｉｓｋａｎ  Ｓｐｅｃｔｒｕｍプレートリーダー（Ｔｈｅｒｍｏ  Ｓｃｉｅｎｔｉｆｉｃ，Ｆｉｎｌａｎｄ）を使用して３４０ｎｍ（Ｋ−ＦＲＵＣＨＫの場合）または４１０ｎｍ（Ｋ−ＦＲＵＣの場合）での吸光度を読み取るために、加水分解した試料（２５０μｌ）を９６ウェル平底マイクロタイタープレート（ＵＶ−Ｓｔａｒ（登録商標）マイクロプレートまたはＰＳ−マイクロプレート、Ｇｒｅｉｎｅｒ  Ｂｉｏ−Ｏｎｅ，Ｇｅｒｍａｎｙ）に移した。
【０２８３】
総アラビノキシラン（ＡＸ）。２０ｍｇの全粒粉試料を２ｍｌネジ蓋式チューブに入れて使用してＡＸを測定した。各試料を０．５Ｍの硫酸１ｍｌと混合し、渦流撹拌し、混合物を９９℃で振盪（１０００ｒｐｍ）しながら３０分間インキュベートした。その後、チューブを氷水中で５分間冷却した。チューブを１０，０００ｇで５分間遠心分離に掛け、各チューブからの上清（８００μｌ）を９６ウェルプレートに移した。所望により、これらのプレートをさらなる処理の前に−２０℃で貯蔵した。希釈のために上清のアリコート１００μｌを別の９６ウェルプレート（Ｇｒｅｉｎｅｒ  ｂｉｏ−ｏｎｅ  ｍａｓｔｅｒｂｌｏｃｋ）に移し、９００μｌのＭｉｌｌｉ  Ｑ水を各ウェルに加えた。希釈した上清（１００μｌ）をアッセイ用プレート（ＢｉｏＲａｄ  Ｔｉｔｒｅ  ｔｕｂｅ  Ｍｉｃｒｏｔｕｂｅｓ  Ｒａｃｋｅｄ、カタログ＃２２３−９３９０）に移した。キシロース標準を作るために、２ｍｇ／ｍｌの原液（Ｓｉｇｍａ、カタログ番号Ｘ−３８７７）を使用して３０、５０、７５、１００、１５０及び２００μｇ／ｍｌの濃度の１００μｌの標準液を作った。作って間もない０．５ｍｌのフロログルシノール試薬（ＰＧＲ、以下参照）を各ウェルに加えた。プレートを帯状ＭｉｃｒｏＣａｐ（Ｎａｔｉｏｎａｌ  Ｓｃｉｅｎｔｉｆｉｃ，ＴＮ３３４６−０８Ｃ）で密封し、固定し、換気フード内で２５分間１００℃でインキュベートした。その後、プレートを反転させることによって試料をよく混合した。その後、２００μｌの試料を換気フード内でＵＶ  ｓｔａｒプレートに移した。プレート用分光光度計、例えばＴｈｅｒｍｏ  ｍｕｌｔｉｓｃａｎを使用して
５１０ｎｍ及び５５２ｎｍで各試料の吸光度を測定した。
【０２８４】
各アッセイのためにフロログルシノール試薬（ＰＧＲ）を換気フード内で新しく調製した。このために、２つの溶液を別々に作り、それから混合した。溶液１は、５０ｍｌチューブ内で０．６ｇのフロログルシノール（Ｓｉｇｍａ、カタログ番号７９３３）を２．４ｍｌの無水エタノール中に数分間掛けて溶解させることによって作った。溶液２は、５５ｍｌの氷酢酸と、ゆっくりと酢酸に添加した１．１ｍｌの濃塩酸（ＨＣｌ）とを含んでいた。溶液１を２５０ｍｌボトルに移した。その後、溶液１の残余が入っている５０ｍｌチューブを溶液２ですすいで全ての溶液１を定量的に移し、その後、全ての溶液２をボトル内で溶液１と混合した。最後に、０．６ｍｌのグルコース溶液（Ｍｉｌｌｉ  Ｑ水中７０ｍｇ／ｍｌ）を溶液１と溶液２との混合物に添加した。
【０２８５】
セルロース含有量。セルロースアッセイは、全粒粉５０ｍｇの試料を使用して２ｍｌチューブまたは９６ウェルプレート（２ｍｌウェル）で実施した。全粒粉中のリグニン、ヘミセルロース及び可溶化澱粉は、６００μｌの酢酸硝酸試薬（８０％酢酸：７０％硝酸の１０：１（ｖ／ｖ）混合物）を添加して混合物を９９℃で振盪（１０００ｒｐｍ）しながら１時間インキュベートすることによって除去した。冷却後、試料を最高速度で５分間遠心分離し、上清を捨てた。各ペレットを１ｍｌの水で洗浄し、最高速度で５分間遠心分離し、各々の上清を捨てた。各ペレット中の結晶セルロースを可溶化するために、各試料チューブに７２％のＨ２ＳＯ４を１ｍｌ加えた。推定セルロース含有量及びセルロース標準に基づいて試料を希釈した。発色のために、１００μｌのアントロン試薬（７２％Ｈ２ＳＯ４中０．２％のアントロン）を各試料チューブに加え、混合物を９８℃で１０分間インキュベートした。分光光度計を使用して６２０ｎｍで、処理した試料の吸光度を読み取り、０〜０．７５ｍｇ／ｍｌのセルロースを使用した検量線（Ｓｉｇｍａ：カタログ番号Ｇ−６４１３）を参照してセルロース含有量を算出した。
【０２８６】
鎖長分布分析。アミロペクチンの鎖長分布の決定は、Ｍｏｒｅｌｌ  ｅｔ  ａｌ．，（１９９８）に従ってキャピラリー電気泳動ユニットを使用して、澱粉試料の枝切り後に蛍光活性化キャピラリー電気泳動（ＦＡＣＥ）によって行った。試料は以前に記載されているように調製した（Ｏ’Ｓｈｅａ  ａｎｄ  Ｍｏｒｅｌｌ，１９９６）。
【０２８７】
澱粉糊化。澱粉試料の糊化温度プロファイルをＰｙｒｉｓ  １  示差走査熱量測定器（Ｐｅｒｋｉｎ  Ｅｌｍｅｒ，Ｎｏｒｗａｌｋ  ＣＴ，ＵＳＡ）で測定した。澱粉溶液の粘度は、Ｒａｐｉｄ−Ｖｉｓｃｏ−Ａｎａｌｙｓｅｒ（ＲＶＡ，Ｎｅｗｐｏｒｔ  Ｓｃｉｅｎｔｉｆｉｃ  Ｐｔｙ  Ｌｔｄ，Ｗａｒｒｉｅｗｏｏｄ，Ｓｙｄｎｅｙ）で例えばＢａｔｅｙ  ｅｔ  ａｌ．，（１９９７）によって報告されている条件を用いて測定した。測定したパラメータは、ピーク粘度（高温ペースト最高粘度）、保持強度、最終粘度及びペースト化温度を含んでいた。小麦粉または澱粉の膨潤容積は、Ｋｏｎｉｋ−Ｒｏｓｅ  ｅｔ  ａｌ．，（２００１）の方法に従って決定した。水の取込みは、小麦粉または澱粉試料と水との所定温度での混合及びそれに続く糊化材料の回収を行う前及び後に、試料を計量することによって測定した。
【０２８８】
澱粉顆粒形態。澱粉顆粒形態は、顕微鏡観察によって調べた。精製澱粉顆粒の水中懸濁液を通常光と偏光との両方の下でＬｅｉｃａ−ＤＭＲ複合顕微鏡を使用して調べて、澱粉顆粒形態を決定した。Ｊｏｅｌ  ＪＳＭ  ３５Ｃ器械を使用して走査電子顕微鏡観察を行った。精製澱粉をスパッタリングによって金で被覆し、常温で１５ｋＶで走査した。
【０２８９】
胚乳におけるタンパク質発現の分析。胚乳におけるＳＢＥＩ、ＳＢＥＩＩａ及びＳＢＥＩＩｂタンパク質の特異的発現、詳しくはこれらのタンパク質の発現または累積のレベルを、ウェスタンブロット手順によって分析した。胚乳をあらゆる母体組織から切り離し、およそ０．２ｍｇの試料を、５ｍＭのＥＤＴＡ、２０％のグリセロール、５ｍＭのＤＴＴ及び１ｍＭのＰｅｆａｂｌｏｃを含有するｐＨ７．５の５０ｍＭのリン酸カリウム緩衝液（４２ｍＭのＫ２ＨＰＯ４及び８ｍＭのＫＨ２ＰＯ４）６００μｌの中に均質化した。粉挽きされ試料を１３，０００ｇで１０分間遠心分離に掛け、上清を分取し、使用時まで−８０℃で冷凍した。総タンパク質の推定のために、０．２５ｍｇ／ｍｌのＢＳＡ標準の０、２０、４０、６０、８０及び１００μｌのアリコートを使用してＢＳＡ検量線を作成した。試料（３μｌ）を蒸留水で１００μｌにし、１ｍｌのＣｏｏｍａｓｓｉｅ  Ｐｌｕｓ  Ｐｒｏｔｅｉｎ試薬を各々に添加した。検量線からのＢＳＡゼロの試料をブランクとして用いて５分後に５９５ｎｍで吸光度を読み取り、試料中のタンパク質レベルを決定した。各胚乳からのタンパク質を全部で２０μｇ含有する試料を、０．３４ＭのＴｒｉｓ−ＨＣｌ（ｐＨ８．８）、アクリルアミド（８．０％）、過硫酸アンモニウム（０．０６％）及びＴＥＭＥＤ（０．１％）を含有する８％の非変性用ポリアクリルアミドゲルに流した。電気泳動に続いて、Ｍｏｒｅｌｌ  ｅｔ  ａｌ．，１９９７に従ってタンパク質をニトロセルロース膜に転写し、ＳＢＥＩＩａ、ＳＢＥＩＩｂまたはＳＢＥＩ特異抗体（表５）と免疫反応させた。成熟コムギＳＢＥＩＩａのＮ末端配列のアミノ酸配列ＡＡＳＰＧＫＶＬＶＰＤＧＥＳＤＤＬ（配列番号４９）を有する合成ペプチドを使用して、コムギＳＢＥＩＩａタンパク質に対する抗血清（抗ｗＢＥＩＩａ）を作り出した（Ｒａｈｍａｎ  ｅｔ  ａｌ．，２００１）。Ｎ末端合成ペプチドＡＧＧＰＳＧＥＶＭＩ（配列番号５０）を使用してコムギＳＢＥＩＩｂに対する抗血清（抗ｗＢＥＩＩｂ）を同様にして作り出した（Ｒｅｇｉｎａ  ｅｔ  ａｌ．，（２００５）。このペプチドは、成熟ＳＢＥＩＩｂペプチドのＮ末端配列を表すと考えられ、さらに、オオムギＳＢＥＩＩｂタンパク質と同一であった（Ｓｕｎ  ｅｔ  ａｌ．，１９９８）。Ｎ末端合成ペプチドＶＳＡＰＲＤＹＴＭＡＴＡＥＤＧＶ（配列番号５１）を使用してコムギＳＢＥＩに対するポリクローナル抗体を同様にして合成した（Ｍｏｒｅｌｌ  ｅｔ  ａｌ．，１９９７）。そのような抗血清は、標準的方法に従ってウサギを合成ペプチドで免役することによって得た。
【０２９０】
統計解析。Ｇｅｎｓｔａｔ  ｆｏｒ  Ｗｉｎｄｏｗｓの第１６版（ＶＳＮ  Ｉｎｔｅｒｎａｔｉｏｎａｌ  Ｌｔｄ，Ｈｅｒｔｓ，ＵＫ）を使用してアミロースデータの統計解析を行った。他のデータは、ＧｒａｐｈＰａｄ  Ｐｒｉｓｍ  Ｖｅｒｓｉｏｎ  ５．０１を使用する統計解析（ｔ検定及びｏｎｅ−ｗａｙ  ＡＮＯＶＡと共にテゥーキーのｐｏｓｔ検定）に供した。エラーバーは平均の標準誤差（ＳＥＭ）を表す。統計的有意性はＰ＜０．０５及びＰ＜０．０１で定義した。
【０２９１】
実施例２．コムギのＳＳＩＩｂ及びＳＳＩＩｃ遺伝子のｃＤＮＡ配列及びゲノムＤＮＡ配列の同定ならびにコードするポリペプチド及びＳＳＩＩａとの比較
コメのＳＳＩＩｂ及びＳＳＩＩｃ（Ｏｈｄａｎ  ｅｔ  ａｌ．，２００５）に対応するコムギの澱粉合成酵素ＩＩアイソザイム（ＳＳＩＩｂ及びＳＳＩＩｃ）をコードする遺伝子を同定するため及びそれらをＳＳＩＩａと比較するために、コメからのｃＤＮＡ配列、すなわち、ＳＳＩＩａについては受託番号ＡＦ４１９０９９、ＳＳＩＩｂについてはＡＦ３９５５３７、ＳＳＩＩｃについてはＡＦ３８３８７８を使用してＮＣＢＩデータベースを検索した。コムギ相同体は以下のとおりに同定した。コムギＳＳＩＩａ遺伝子については、コムギのＳＳＩＩａ遺伝子に対応する３つの同祖ｃＤＮＡ配列を同定した。これらは受託番号がＡゲノム上のＳＳＩＩａ−ＡではＡＦ１５５２１７（配列番号４）、Ｂゲノム上のＳＳＩＩａ−ＢではＡＪ２６９５０４（配列番号５）、Ｄゲノム上のＳＳＩＩａ−ＤではＡＪ２６９５０２（配列番号６）であった。これら３つの同祖ｃＤＮＡ配列に対応するゲノムＤＮＡヌクレオチド配列を同定した：ＳＳＩＩａ−Ａ遺伝子では受託番号ＡＢ２０１４４５（配列番号７）、ＳＳＩＩａ−Ｂ遺伝子ではＡＢ２０１４４６（配列番号８）、ＳＳＩＩａ−Ｄ遺伝子ではＡＢ２０１４４７（配列番号９）。ＩＷＧＳＣデータベースを検索して３つの対応する同祖遺伝子の位置はそれぞれ染色体７ＡＳ上（Ｔｒａｅｓ＿７ＡＳ＿５３ＣＡＦＢ４３Ａ、７Ａ：５２３４６４３７〜５２３４６９０５ｂｐ、逆方向鎖）、７ＢＳ上（ＩＷＧＳＣ：染色体７ＢＳ、Ｔｒａｅｓ＿７ＢＳ＿７ＢＥＡＦ５ＥＣ０、７Ｂ：３１８２１５７３〜３１８２１７４９ｂｐ  順方向鎖）、及び７ＤＳ上（ＩＷＧＳＣ：染色体７ＤＳ、Ｔｒａｅｓ＿７ＤＳ＿Ｅ６Ｃ８ＡＦ７４３、ＩＷＧＳＣ＿ＣＳＳ＿７ＤＳ＿ｓｃａｆｆ＿３８７７７８７：１〜３９６ｂｐ、５１３７〜５４１９ｂｐ  順方向鎖）に同定された。アミノ酸配列は受託番号がそれぞれ、ＳＳＩＩａ−ＡではＡＡＤ５３２６３、ＳＳＩＩａ−ＢではＣＡＢ９６６２７、ＳＳＩＩａ−ＤポリペプチドではＣＡＢ８６６１８であった。
【０２９２】
ＳＳＩＩａアミノ酸と対応するヌクレオチド配列とを対にしてＢＬＡＳＴによって完全長配列にわたって比較したところ、どの比較でも同祖配列は９５〜９６％同一であった。したがって、それらの互いとの区別は容易に付いた。
【０２９３】
コムギＳＳＩＩｂ遺伝子をコードする２つのｃＤＮＡ配列はＮＣＢＩデータベースで同定され、それらは受託番号がＡゲノムからのＡＫ３３２７２４及びＤゲノムからのＥＵ３３３９４７であった。対応するゲノムＤＮＡ配列はＮＣＢＩデータベースでは同定されなかったが、ＩＷＧＳＣデータベースでゲノムＤＮＡ配列が見つかった。ＳＳＩＩｂをコードする３つの同祖ゲノムＤＮＡ、すなわち、染色体６ＡＬ上のＳＳＩＩｂ−Ａ遺伝子（ＩＷＧＳＣによる相同性：染色体６ＡＬ、Ｔｒａｅｓ＿６ＡＬ＿ＡＥ０１ＤＣ０ＥＡ、６Ａ：１８７５０３９０５ｂｐ〜１８７５０５２３３ｂｐ、ＥｎｓｅｍｂｌＰｌａｎｔｓウェブサイトでのＢＬＡＳＴ検索により順方向鎖）（ｃＤＮＡ配列番号１２）、染色体６ＢＬ上のＳＳＩＩｂ−Ｂ遺伝子（染色体６ＢＬ、遺伝子：Ｔｒａｅｓ＿６ＢＬ＿６１Ｄ８３Ｅ２６２、６Ｂ：１６２１１６３６４〜１６２１１６６９１ｂｐ、ＥｎｓｅｍｂｌＰｌａｎｔｓウェブサイトでのＢＬＡＳＴ検索により逆方向鎖）（ｃＤＮＡ配列番号１３）、及び染色体６ＤＬ上のＳＳＩＩｂ−Ｄ遺伝子（ＩＷＧＳＣによる相同性：染色体６ＤＬ、遺伝子：Ｔｒａｅｓ＿６ＤＬ＿１９Ｆ１０４２Ｃ７、６Ｄ：１４７０５００７２〜１４７０５１０３１ｂｐ、ＥｎｓｅｍｂｌＰｌａｎｔｓウェブサイトでのＢＬＡＳＴ検索により逆方向鎖）（ｃＤＮＡ配列番号１４）が同定された。ＥＵ３３３９４７から推測されるアミノ酸配列と１００％同一であったあるアミノ酸配列（受託番号ＡＢＹ５６８２４、配列番号１１）がＮＣＢＩデータベースで同定され、したがってそれはＳＳＩＩｂ−Ｄポリペプチド配列であった。完全長アミノ酸配列（配列番号１０）は、ＤゲノムＳＳＩＩｂからのＡＢＹ５６８２４との相同性が９０％であるＳＳＩＩｂ−ＡポリペプチドのＡＫ３３２７２４から推測した。ＳＳＩＩｂ−Ｂポリペプチドのアミノ酸配列は、ＩＷＧＳＣからのＤＮＡ断片（Ｔｒａｅｓ＿６ＢＬ＿６１Ｄ８３Ｅ２６２、６Ｂ：１６２１１６３６４〜１６２１１６６９１ｂｐ、逆方向鎖）から推測した。完全長のＳＳＩＩｂ−Ａ及びＳＳＩＩｂ−Ｄアミノ酸配列はおよそ９０％同一であった。対にして比較すると、３つの対応するｃＤＮＡヌクレオチド配列は９１〜９５％同一であった。ＳＳＩＩａアミノ酸またはヌクレオチド配列と比較すると、ＳＳＩＩｂ配列は対応するＳＳＩＩａパラログと７１〜７９％同一であった。したがって、どのＳＳＩＩ配列も、アミノ酸かヌクレオチド配列かのどちらかからのＳＳＩＩａまたはＳＳＩＩｂとして容易に同定することができた。
【０２９４】
コムギＳＳＩＩｃ遺伝子については、コムギ染色体１ＤＬ上に位置する遺伝子（ＩＷＧＳＣによる相同性：染色体１ＤＬ、遺伝子：Ｔｒａｅｓ＿１ＤＬ＿Ｆ６６７ＥＤ８４４、ＩＷＧＳＣ＿ＣＳＳ＿１ＤＬ＿ｓｃａｆｆ＿２２０５６１９：１９５０〜３０４１ｂｐ、ＥｎｓｅｍｂｌＰｌａｎｔｓウェブサイトでのＢＬＡＳＴ検索により順方向鎖）に対応するあるｃＤＮＡ配列（受託番号ＥＵ３０７２７４）がＮＣＢＩデータベースで同定され、したがってこれはＳＳＩＩｃ−Ｄに対応していた。別のＳＳＩＩｃ遺伝子のｃＤＮＡ配列はＩＷＧＳＣデータベースの検索によって同定され、その遺伝子は染色体１ＡＬ上に位置していた（ＩＷＧＳＣ：染色体１ＡＬ、遺伝子：Ｔｒａｅｓ＿１ＡＬ＿７２９ＢＦ３２０４、１Ａ：６８６８７５８５〜６８６８８３７７、ＥｎｓｅｍｂｌＰｌａｎｔｓウェブサイトでのＢＬＡＳＴ検索により順方向鎖）。ｃＤＮＡ配列は受託番号ＥＵ３０７２７４のヌクレオチド１６７９〜２４６９からの配列との同一性が９８％であった。染色体１ＢＬからの配列も同定され、それはＳＳＩＩｃ−Ｂの部分長ｃＤＮＡ配列であった（ＩＷＧＳＣ：染色体１ＢＬ、遺伝子：Ｔｒａｅｓ＿１ＢＬ＿４４７４６８ＢＤＥ、１Ｂ：３１４７５０６７〜３１４７７６０８７ｂｐ、ＥｎｓｅｍｂｌＰｌａｎｔｓウェブサイトでのＢＬＡＳＴ検索により順方向鎖）。あるアミノ酸配列（受託番号ＡＢＹ６３９）がＮＣＢＩデータベースで同定され、それは受託番号ＥＵ３０７２７４のｃＤＮＡ配列から推測されたアミノ酸配列との同一性が１００％であった。また、２つの部分長アミノ酸配列をＡ及びＢゲノムからのＳＳＩＩのゲノムＤＮＡ断片のヌクレオチド配列から推測した。対にして比較すると、ＳＳＩＩｃ配列は互いに９８％近く同一であった。それらはＳＳＩＩａ配列とは極めて異なっていた。
【０２９５】
ＳＳＩＩａ遺伝子及びＳＳＩＩａポリペプチド配列は、対応するＳＳＩＩｂ及びＳＳＩＩｃ配列とは容易に区別できることが結論付けられた。
【０２９６】
実施例３．マーカーアシスト育種のためのゲノム特異的ＤＮＡマーカー
異なるいくつかの遺伝的背景において、野生型植物と同質遺伝子型である三重ヌルｓｓＩＩａ突然変異植物を作り出すために、３つのコムギ系統Ｃ５７（ＳＳＩＩａ−Ａがヌル）、Ｋ７９（ＳＳＩＩａ−Ｂがヌル）及びＴ１１６（ＳＳＩＩａ−Ｄがヌル）（Ｙａｍａｍｏｒｉ  ｅｔ  ａｌ．，２０００）を一連の交配、戻し交配及び交雑に使用した。各々劣性である突然変異を育種プログラムにおいて分子マーカーで検出及び探知するために、ＳＳＩＩａ遺伝子配列に基づいてゲノム特異的ＤＮＡマーカーを設計及び使用した。Ａ、Ｂ及びＤゲノム上のそれぞれＣ５７、Ｋ７９及びＴ１１６  ＳＳＩＩａ遺伝子の特異的突然変異はＳｈｉｍｂａｔａ  ｅｔ  ａｌ．，（２００５）によって報告された。各突然変異は各々のＳＳＩＩａ遺伝子内での欠失または挿入であり（図２〜４）、それゆえ、これらの突然変異は分子マーカーの設計に理想的であった。各突然変異部位の上流に順方向オリゴヌクレオチドプライマーを配置し、各突然変異部位の後ろに逆方向プライマーを配置することによって、各遺伝子のためのＤＮＡマーカーを設計し、配列は実施例１「コムギ植物のＤＮＡ分析」に記載されている。
【０２９７】
これらのプライマーを使用して、野生型及びｓｓＩＩａヌル突然変異植物からの各ゲノムに対して特異的であるＤＮＡ断片を増幅した。ＡゲノムＳＳＩＩａ遺伝子については、１０７２ｂｐの断片を野生型遺伝子から増幅し、７７８ｂｐの断片をｓｓＩＩａ−Ａヌル突然変異遺伝子から増幅した。ＢゲノムＳＳＩＩａ遺伝子については、３７４ｂｐ断片を野生型遺伝子から増幅し、５２２ｂｐ断片をｓｓＩＩａ−Ｂヌル突然変異遺伝子から増幅した。ＤゲノムＳＳＩＩａ遺伝子については、４２７ｂｐ断片を野生型遺伝子から増幅し、３６４ｂｐ断片をｓｓＩＩａ−Ｄヌル突然変異遺伝子から増幅した。これらのゲノム特異的断片は、電気泳動によってそれらの大きさから容易に区別が付き、したがって突然変異体及び野生型対立遺伝子を検出するための共優性ＤＮＡマーカーとして使用することができた。ＳＳＩＩａ遺伝子配列に基づく他の特異的プライマー対を設計して代替分子マーカーを得ることは簡単にできた。
【０２９８】
実施例４．種々の遺伝的背景を有する三重ヌルｓｓＩＩａ突然変異体の生成
異なるいくつかの遺伝的背景において、同質遺伝子型である三重ヌルｓｓＩＩａ突然変異植物を作り出すために、３つのコムギ系統Ｃ５７（ＳＳＩＩａ−Ａがヌル）、Ｋ７９（ＳＳＩＩａ−Ｂがヌル）及びＴ１１６（ＳＳＩＩａ−Ｄがヌル）（Ｙａｍａｍｏｒｉ  ｅｔ  ａｌ．，２０００）の植物を図５〜７に模式的に示す一連の交配、戻し交配、交雑及び子孫選抜に使用した。実施例１に記載のＤＮＡマーカーを各世代において子孫植物のスクリーニングのために使用して、反復親として使用したコムギ品種Ｓｕｎｃｏ、ＥＧＡ  ＨｕｍｅまたはＷｅｓｔｏｎｉａのｓｓＩＩａヌル突然変異体対立遺伝子及び対応する野生型対立遺伝子の区別を可能にした。まず、コムギ栽培品種Ｓｕｎｃｏの植物を雌植物として使用してＣ５７、Ｋ７９及びＴ１１６の植物をＳｕｎｃｏ植物と交配し、Ｃ５７−Ｓｕｎｃｏ  Ｆ１、Ｋ７９−Ｓｕｎｃｏ  Ｆ１及びＴ１１６−Ｓｕｎｃｏ  Ｆ１を生み出した。その後、Ｓｕｎｃｏ背景の一重ヌル突然変異体と交配することにより、Ｃ５７−Ｋ７９−Ｓｕｎｃｏ  Ｆ１及びＫ７９−Ｔ１１６−Ｓｕｎｃｏ  Ｆ１についての二重ヌルｓｓＩＩａ突然変異体を生み出し、続いて子孫を自殖して交配種からのＦ２植物を生み出した。ＤＮＡマーカーを使用して、２つのヌルｓｓＩＩａ突然変異体についてヘテロ接合体である子孫を選抜した。その後、これらの突然変異体を、反復親としてのＳｕｎｃｏとの３連続の戻し交配に使用して、２つのヌル突然変異を有するＢＣ３ヘテロ接合体を生み出した。その後、ＢＣ３植物を交配し、子孫を自殖して、Ｓｕｎｃｏの遺伝的背景を有する三重ヌルｓｓＩＩａ突然変異体（Ｃ５７−Ｋ７９−Ｔ１１６−Ｓｕｎｃｏ  ＢＣ３  Ｆ２）を選抜した（図５）。
【０２９９】
栽培品種ＥＧＡ  Ｈｕｍｅ、Ｓｕｎｃｏ及びＷｅｓｔｏｎｉａの背景を有するｓｓＩＩａヌル突然変異体及び野生型コムギ系統のＢＣ３Ｆ８種子の生産。Ｓｕｎｃｏ以外の２つの異なる遺伝的背景を有する植物及び穀粒を生み出すために、栽培品種ＥＧＡ  Ｈｕｍｅ及びＷｅｓｔｏｎｉａの植物との交配において、Ｓｕｎｃｏの二重突然変異体（Ｃ５７−Ｋ７９−Ｓｕｎｃｏ  Ｆ１またはＦ２、Ｋ７９−Ｔ１１６−Ｓｕｎｃｏ  Ｆ１またはＦ２）を花粉ドナーとして使用する（図６及び図７）とともに、各世代にＤＮＡマーカーを使用して子孫の突然変異体対立遺伝子を検出及び選抜した。選抜した二重突然変異体ｓｓＩＩａ子孫を、反復親としてのＥＧＡ  ＨｕｍｅまたはＷｅｓｔｏｎｉａとの３連続の戻し交配に使用し、結果としてＢＣ３植物を得た。二重突然変異体を交配及び自殖して４６６個のＦ２子孫を生じさせ、それらから合計２１個の三重ヌルｓｓＩＩａ植物（「ａｂｄ」遺伝子型と呼称する）を選抜した（図６及び図７）。４６６個の子孫には、野生型の一重ヌルｓｓＩＩａ及び二重ヌルｓｓＩＩａ遺伝子型、ならびに３つのＳＳＩＩａ遺伝子のヘテロ接合体のあらゆる組み合わせが含まれていた。
【０３００】
３つの遺伝的背景にまたがる２１個の三重ヌル突然変異体の生産及び選抜に続いて、３世代の単粒系統法（ＳＳＤ）を実施して、向上したホモ接合性を３つの遺伝的背景の各々において生じさせ、穀粒のＢＣ３Ｆ３、ＢＣ３Ｆ４及びＢＣ３Ｆ５世代をもたらした。ＢＣ３Ｆ５穀粒を３栽培世代でさらに増やして各系統のＢＣ３Ｆ８世代の穀粒１０〜２０ｇを生産した。
【０３０１】
また、三重野生型ＳＳＩＩａ分離個体（ＡＢＤ遺伝子型）を交配種から生じさせ、対照系統として選抜した。世代ごとに各ゲノムについてｓｓＩＩａ突然変異体または野生型ＳＳＩＩａ対立遺伝子を選抜するために、各世代において３つ全てのゲノムのＤＮＡマーカーを使用した。最終的に、ＥＧＡ  Ｈｕｍｅ、Ｓｕｎｃｏ及びＷｅｓｔｏｎｉａの遺伝的背景についてＢＣ３Ｆ８世代の三重ヌル突然変異体ｓｓＩＩａ系統がそれぞれ４個、６個及び１１個作り出され、ＥＧＡ  Ｈｕｍｅ、Ｓｕｎｃｏ及びＷｅｓｔｏｎｉａの遺伝的背景について５つずつの野生型ＳＳＩＩａ  ＢＣ３Ｆ８系統が作り出された。これらを同じ栽培条件下で同時に栽培し、植物成熟時に穀粒を収穫し、穀粒を水分含有量が約９％（重量基準）になるまで乾燥させた。これらの穀粒ロットを、以下に記載するように種子重量、澱粉含有量、アミロース含有量、総繊維質、脂質含有量などを含めた様々なパラメータについて分析した。
【０３０２】
実施例５．穀粒及び澱粉のパラメータの分析
穀粒重量。３つの遺伝的背景の三重ヌルｓｓＩＩａ突然変異体及び野生型穀粒の平均穀粒重量（穀粒１粒あたりのｍｇ）は、各系統からの１００粒の穀粒の重量を測定することによって算出した。穀粒１粒あたりの平均重量は、ｓｓＩＩａヌル突然変異体では２５〜３６ｍｇの範囲であり、野生型系統では２９〜４８ｍｇの範囲であった（表６、図８）。植物は理想的栽培条件とはほど遠い条件下で栽培したが、それが原因で野生型対照でさえ低重量となった。平均データを図９に示す。野生型系統と比べて三重ヌル突然変異体ｓｓＩＩａ穀粒は穀粒重量がより小さく、その差はＳｕｎｃｏを含む各遺伝的背景において有意であった（Ｐ＜０．０５）（表７、図９）。Ｓｕｎｃｏ、ＥＧＡ  Ｈｕｍｅ及びＷｅｓｔｏｎｉａの突然変異体は穀粒重量がそれぞれ２５％、１５％及び３０％低かった。これは、ＳＳＩＩａが澱粉産生に関与する澱粉合成酵素をコードすること、及びＳＳＩＩａの突然変異体が澱粉を少なめに産生すると知られていること（Ｙａｍａｍｏｔｏ  ｅｔ  ａｏ．，２０００、Ｋｏｎｉｋ−Ｒｏｓｅ  ｅｔ  ａｌ．，２００７）を考慮すれば驚くべきことではなかった。
【０３０３】
Ｓｕｎｃｏ及びＷｅｓｔｏｎｉａ突然変異体の穀粒重量に統計的有意差はなかった。ＥＧＡ  Ｈｕｍｅ突然変異体穀粒は、他の２つの遺伝的背景の三重ヌルｓｓＩＩａ突然変異体よりも有意に重い穀粒重量を有していた。
【０３０４】
脂質含有量。総脂肪酸含有量（脂質含有量）は、実施例１で記載されているとおりに測定した。個々の系統のデータを表５及び図８に示す。三重ヌルｓｓＩＩａ突然変異系統は野生型に比べてＴＦＡ含有量が有意に増加していると分かった。詳細には、３つのＳｕｎｃｏ突然変異系統（ＪＴＳＢＣ３Ｆ７＿１９０、ＪＴＳＢＣ３Ｆ７＿２８７、ＪＴＳＢＣ３Ｆ７＿２９４）からの穀粒は、穀粒重量に対する百分率で表した脂質含有量が有意に増加していた。
【０３０５】
穀粒１粒あたりの基準で脂質含有量を算出した場合、突然変異系統は、脂質レベルが穀粒１粒あたりのｍｇで上昇を呈することが認められた（図１５及び図１６）。
【０３０６】
アミロース含有量。３つの遺伝的背景の三重ヌルｓｓＩＩａ突然変異体及び野生型穀粒中の澱粉に対する割合で表したアミロース含有量は、実施例１に記載のヨウ素結合アッセイによって測定した。データを表６及び図１０に示し、平均を表７及び図１１に示す（Ｓｕｎｃｏ）。三重ヌル突然変異体のアミロース含有量は３６．６〜６４％の範囲であり、野生型穀粒では２２．６〜３１．０％の範囲であった。野生型穀粒に比べてヌルｓｓＩＩａ突然変異体は、総澱粉に対する割合で表したアミロース含有量がより大きく、その差は統計的に有意であった。Ｓｕｎｃｏ、ＥＧＡ  Ｈｕｍｅ及びＷｅｓｔｏｎｉａ突然変異体穀粒は、対応する野生型に比べてアミロースのレベルがそれぞれ１８７％、１３５％及び１６５％であった。３つの遺伝的背景の三重ヌル突然変異体穀粒を比較すると、Ｓｕｎｃｏ穀粒は他の２つのヌル突然変異体穀粒試料よりも有意に高い割合のアミロースを含有していた。ＥＧＡ  Ｈｕｍｅ突然変異体とＷｅｓｔｏｎｉａ突然変異体との間には統計的有意差はなかった。同様に、３つの野生型穀粒試料の間には統計的有意差がなかった。６つのＳｕｎｃｏ三重ヌル突然変異系統のうち３つから得られる穀粒は、穀粒中の澱粉に対する割合で表して６１．６％、６４％及び５５．１％のアミロースを含有していた。これらの値は、六倍体コムギのｓｓＩＩａ突然変異体穀粒において以前にみられた値（Ｙａｍａｍｏｔｏ  ｅｔ  ａｌ．，２０００、Ｋｏｎｉｋ−Ｒｏｓｅ  ｅｔ  ａｌ．，２００７）よりもはるかに高く、そのため本発明者らにとって予期せぬ驚くきであった。
【０３０７】
アミロース含有量を穀粒１粒あたりの基準（穀粒１粒あたりのｍｇアミロース）で算出した場合、突然変異系統は総じて穀粒１粒あたりのｍｇでのアミロースレベルの上昇を呈さず（図１７及び図１８）、むしろアミロペクチンレベルの低下を呈し、したがって総澱粉含有量の減少を呈した。本発明者らは、これが３つのＳＳＩＩａ遺伝子の突然変異、したがって植物生育時に胚乳が発達する間のＳＳＩＩａ酵素活性の喪失によるものであると結論付けた。
【０３０８】
澱粉含有量。３つの三重ヌルｓｓＩＩａ突然変異体及び３つの野生型系統の穀粒中の澱粉含有量は、実施例１で記載されているとおりに測定した。データを表６及び図１０に示し、平均を表７（Ｓｕｎｃｏ）及び図１１に示す。澱粉含有量は三重ヌルｓｓＩＩａ突然変異体では３０．４〜７０．０％の範囲であり、野生型穀粒では５８．１〜７４．３％の範囲であった。野生型系統の澱粉含有量に比べてＥＧＡ  Ｈｕｍｅ、Ｓｕｎｃｏ及びＷｅｓｔｏｎｉａ突然変異体穀粒は、それらの対応する野生型系統よりも澱粉が平均でそれぞれ１５％、２８％及び１８％少なかった。これらの差は統計的に有意であった（ｐ＜０．０５）。Ｓｕｎｃｏ突然変異体穀粒は、他の２つの遺伝的背景のｓｓＩＩａ突然変異体穀粒よりも有意に少ない澱粉を含有していた。ＥＧＡ  Ｈｕｍｅ突然変異体穀粒の澱粉含有量にはＷｅｓｔｏｎｉａ穀粒との有意な差がなかった。３つのＳｕｎｃｏ突然変異系統（ＪＴＳＢＣ３Ｆ７＿１９０、ＪＴＳＢＣ３Ｆ７＿２８７及びＪＴＳＢＣ３Ｆ７＿２９４）からの穀粒は澱粉含有量が低く、それぞれ４２．５％、３４．８％及び３０．４％であった。上記これらの系統はさらに、それらの澱粉に対する割合で表したアミロース含有量が最も高く、これらの系統においてアミロペクチン合成が最も低減されたことを示唆していた。穀粒１粒あたりのｍｇ澱粉の基準で算出した場合、ｓｓＩＩａ突然変異体穀粒における澱粉含有量の減少は明らかであり（図１７及び図１８）、同じくＳＳＩＩａ活性の喪失を原因としていた。
【０３０９】
β−グルカン含有量。三重ヌルｓｓＩＩａ突然変異体穀粒及び野生型穀粒のβ−グルカン（ＢＧ）含有量は、実施例１で記載されているとおりに測定した。データを穀粒全体に対する重量／重量百分率として表６及び図１２に示し、平均を表７（Ｓｕｎｃｏ）及び図１３に示す。ＢＧ含有量は、三重ヌルｓｓＩＩａ突然変異体では１．３〜３．３％の範囲であり、野生型穀粒では０．３〜０．８％の範囲であった。野生型穀粒に比べて突然変異体ＥＧＡ  Ｈｕｍｅ、Ｓｕｎｃｏ及びＷｅｓｔｏｎｉａはＢＧがそれぞれ１４４％、２４５％及び１７７％多かった。この約１．５〜２．５倍の増加は本発明者らにとって驚くべきことであった、というのも、六倍体コムギにおいてそのような特徴は以前には報告されていなかったからである。Ｓｕｎｃｏ突然変異体穀粒は、ＥＧＡ  Ｈｕｍｅ及びＷｅｓｔｏｎｉａ突然変異体穀粒に比べてＢＧが有意に多かった（ｐ＜０．０５）。アミロースレベルが最も高かった３つのＳｕｎｃｏ突然変異系統（ＪＴＳＢＣ３Ｆ７＿１９０、ＪＴＳＢＣ３Ｆ７＿２８７及びＪＴＳＢＣ３Ｆ７＿２９４）の穀粒は最も高い含有量のＢＧも含有しており、それぞれ２．５％、３．３％及び３．２％であった。これは、ｓｓＩＩａ突然変異体におけるアミロース含有量とＢＧ含有量とのそれぞれ重量基準での相関を実証した。
【０３１０】
穀粒１粒あたりの基準で算出した場合、突然変異体穀粒はＢＧのレベルが有意に上昇していたことが認められた（図１９及び図２０）。本発明者らは、これが、二糖類または単糖類として穀粒中に入ってくる炭素が野生型に比べてアミロペクチンからＢＧへと転用されていることによるものであると考察した。
【０３１１】
フルクタン含有量。三重ヌルｓｓＩＩａ突然変異体穀粒及び野生型穀粒のフルクタン含有量は、実施例１で記載されているとおりに測定した。データを穀粒全体に対する重量／重量百分率として表６及び図１４に示し、Ｓｕｎｃｏについて平均を表７に示す。フルクタン含有量は、三重ヌルｓｓＩＩａ突然変異体では３．１〜１０．８％の範囲であり、野生型穀粒では０．７〜１．５％の範囲であった。野生型穀粒に比べて、ＥＧＡ  Ｈｕｍｅ、Ｓｕｎｃｏ及びＷｅｓｔｏｎｉａ突然変異体穀粒はフルクタンがそれぞれ２４２％、５２１％及び３７６％多かった。Ｓｕｎｃｏ突然変異体穀粒は、ＥＧＡ  Ｈｕｍｅ及びＷｅｓｔｏｎｉａ突然変異体穀粒に比べてフルクタンが有意に多かった（Ｐ＜０．０５）。３つの高アミロースＳｕｎｃｏ突然変異系統（ＪＴＳＢＣ３Ｆ７＿１９０、ＪＴＳＢＣ３Ｆ７＿２８７及びＪＴＳＢＣ３Ｆ７＿２９４）は最も高い含有量のフルクタンも含有しており、それぞれ７．７％、１０．８％及び１０．５％であった。重量基準でのそのようなレベルのフルクタンが六倍体コムギ穀粒において以前に報告されたことはなかった。これは、ｓｓＩＩａ突然変異体ではアミロースの増加及びＢＧの増加だけでなくフルクタンの増加も相関していることを実証した。
【０３１２】
穀粒１粒あたりの基準で算出した場合、突然変異体穀粒はフルクタンのレベルが有意に上昇していたことが認められた（図２１及び図２２）。本発明者らは、これが、胚乳の発達中に二糖類または単糖類として穀粒中に入ってくる炭素が野生型に比べてアミロペクチンからフルクタンへと転用されていることによるものであると考察した。
【０３１３】
アラビノキシラン含有量。三重ヌルｓｓＩＩａ突然変異体穀粒及び野生型穀粒のアラビノキシラン（ＡＸ）含有量は、実施例１で記載されているとおりに測定した。データを穀粒全体に対する重量／重量百分率として表６及び図１４に示し、Ｓｕｎｃｏについて平均を表７に示す。ＡＸ含有量は、三重ヌルｓｓＩＩａ突然変異体では６．７〜８．８％の範囲であり、野生型穀粒では４．３〜５．７％の範囲であった。野生型穀粒に比べて、ＥＧＡ  Ｈｕｍｅ、Ｓｕｎｃｏ及びＷｅｓｔｏｎｉａ突然変異体穀粒はＡＸがそれぞれ３５％、６５％及び４３％多かった。Ｓｕｎｃｏ突然変異体穀粒は、ＥＧＡ  Ｈｕｍｅ及びＷｅｓｔｏｎｉａ突然変異体穀粒に比べてＡＸが有意に多かった（Ｐ＜０．０５）。３つの高アミロースＳｕｎｃｏ突然変異系統（ＪＴＳＢＣ３Ｆ７＿１９０、ＪＴＳＢＣ３Ｆ７＿２８７及びＪＴＳＢＣ３Ｆ７＿２９４）は最も高い含有量のＡＸを含有しており、それぞれ８．７％、８．５％及び８．４％であった。これは、４つのパラメータ、すなわちアミロースの増加、ＢＧの増加、フルクタンの増加及びＡＸの増加がｓｓＩＩａ突然変異体において相関していることを実証した。穀粒１粒あたりの基準でのアラビノキシラン含有量も有意に増加した（図２１及び図２２）。
【０３１４】
セルロース含有量。三重ヌルｓｓＩＩａ突然変異体穀粒及び野生型穀粒のセルロース含有量は、実施例１で記載されているとおりに測定した。データを穀粒全体に対する重量／重量百分率として表６及び図１４に示し、Ｓｕｎｃｏについて平均を表７に示す。セルロース含有量は、三重ヌルｓｓＩＩａ突然変異体では２．６〜４．６％の範囲であり、野生型穀粒では２．０〜３．４％の範囲であった。野生型系統に比べて、突然変異体ＥＧＡ  Ｈｕｍｅ、Ｓｕｎｃｏ及びＷｅｓｔｏｎｉａはセルロースがそれぞれ１９％、４３％及び２９％多かった。３つのヌル突然変異体の間にセルロース含有量の有意差はなかった。３つの高アミロースＳｕｎｃｏ系統（ＪＴＳＢＣ３Ｆ７＿１９０、ＪＴＳＢＣ３Ｆ７＿２８７及びＪＴＳＢＣ３Ｆ７＿２９４）は高い含有量のセルロースを含有しており、それぞれ４．３％、３．９％及び４．６％であった。セルロース含有量は穀粒１粒あたりの基準では有意に増加しなかった（図２１及び図２２）。
【０３１５】
総繊維質含有量。三重ヌルｓｓＩＩａ突然変異体穀粒及び野生型穀粒の総繊維質含有量は、β−グルカン（ＢＧ）、フルクタン、アラビノキシラン（ＡＸ）及びセルロースの（それぞれ穀粒重量に対する百分率で表した）含有量の総和として算出した。データを穀粒全体に対する重量／重量百分率として表６及び図１２に示し、平均を表７及び図１３に示す。穀粒の総繊維質含有量は、ヌルｓｓＩＩａ突然変異体では１５．９〜２７．５％の範囲であり、野生型穀粒では８．５〜１０．４％の範囲であった。野生型穀粒に比べて、ＥＧＡ  Ｈｕｍｅ、Ｓｕｎｃｏ及びＷｅｓｔｏｎｉａの突然変異体は総繊維質含有量がそれぞれ６８％、１２５％及び８８％多かった。Ｓｕｎｃｏ突然変異体穀粒は、総繊維質がＥＧＡ  Ｈｕｍｅ及びＷｅｓｔｏｎｉａ突然変異体穀粒よりも有意に多かった（Ｐ＜０．０５）。ＥＧＡ  Ｈｕｍｅ及びＷｅｓｔｏｎｉａ突然変異体穀粒の間に総繊維質含有量の有意差はなかった。３つの高アミロースＳｕｎｃｏ突然変異系統（ＪＴＳＢＣ３Ｆ７＿１９０、ＪＴＳＢＣ３Ｆ７＿２８７及びＪＴＳＢＣ３Ｆ７＿２９４）は最も高い総繊維質含有量を含有しており、それぞれ２３．２％、２６．５％及び２７．５％であった。総繊維質含有量は穀粒１粒あたりの基準でも有意に増加した（図１９及び図２０）。
【０３１６】
耐性澱粉（ＲＳ）含有量。Ｓｕｎｃｏの遺伝的背景を有する三重ヌルｓｓＩＩａ突然変異体及び野生型穀粒の澱粉に対する百分率で表したＲＳ含有量は、実施例１に記載の市販の耐性澱粉分析キットを使用して測定した。データを表８に示し、平均を図２３に示す。ＲＳ含有量は、三重ヌル突然変異体では１．０〜３．８％の範囲であり、野生型穀粒では０．４〜０．８％の範囲であった。野生型穀粒に比べてｓｓＩＩａ突然変異体はＲＳ含有量が約５倍多く、差は統計的に有意であった。Ｓｕｎｃｏの遺伝的背景を有する６つのＳｕｎｃｏ三重ヌル突然変異系統のうちの３つからの穀粒は、穀粒中の澱粉に対する百分率で表して３．８％、２．８％及び３．１％のＲＳを含有していた（図２３、上パネル）。穀粒１粒あたりのｍｇとして算出したＲＳのレベルも有意に上昇していた（図２３、下パネル）。
【０３１７】
論考。澱粉顆粒形態、アミロース含有量、アミロペクチン鎖長分布、結晶性及び澱粉糊化温度、ＲＶＡ及び膨潤力（Ｙａｍａｍｏｒｉ  ｅｔ  ａｌ．２０００、Ｙａｍａｍｏｒｉ  ｅｔ  ａｌ．２００６、Ｋｏｎｉｋ−Ｒｏｓｅ  ｅｔ  ａｌ．２００７）を含めて多くの澱粉特性が三重ヌルｓｓＩＩａ六倍体コムギにおいて改変されることが以前に報告されている。本研究は、本発明者らが驚いたことに、いくつかの系統において４５％を超えて増加した澱粉中アミロース含有量を含めた穀粒組成パラメータにｓｓＩＩａヌル突然変異の遺伝的背景が影響を与えたことを発見した。商業的に栽培されているコムギ栽培品種を使用して、異なる遺伝的背景を有する３つの戻し交配集団を作り出し、ｓｓＩＩａヌル突然変異のＤＮＡマーカーを使用して遺伝子型を判定した。３つの育種集団の各々から、各遺伝的背景を有する４〜１１個の三重ヌルｓｓＩＩａ突然変異体系統及び５つの野生型系統を選抜し、分析した。
【０３１８】
各遺伝的背景を有する種子重量及び穀粒組成の分析によって、高アミロース、高繊維質、高ＡＸ及びＢＧならびに高フルクタンである３系統が同定された。これら３系統は、同じ遺伝的背景すなわちＳｕｎｃｏとの交配から得られたものである。約６０％のアミロース、２３％超の総繊維質及び７％超のフルクタンを含有するコムギ系統が同定及び選抜された。そのようなレベルは六倍体コムギにおいて以前に報告されたことはなく、本発明者らにとっては全く予期せぬことであった。増加は穀粒１粒あたりの基準でも認められた。これらの高アミロースｓｓＩＩａヌル突然変異体は、増加したＢＧ、ＡＸ及びセルロースも含有しており、これらのパラメータの相関が実証された。しかしながら、これら３つの突然変異系統は、アミロペクチン合成のかなりの減少に起因して澱粉含有量及び種子重量の減少も示した。
【表６ａ】
2019527054.tif 000010
【表６ｂ】
2019527054.tif 000011
【表６ｃ】
2019527054.tif 000012
【表７】
2019527054.tif 000013
【表８】
2019527054.tif 000014
【０３１９】
実施例６．ＳＳＩＩａ突然変異と他の澱粉合成遺伝子突然変異または抑制性構築物との組み合わせ
実施例１に記載の３つのＳＳＩＩａ遺伝子について三重ヌル突然変異体であるコムギ植物を、胚乳における澱粉枝作り酵素ＩＩ（ＳＢＥＩＩ）活性が低減されたｈｐ−ＳＢＥＩＩａと呼ぶヘアピンＲＮＡ構築物を含む植物（Ｒｅｇｉｎａ  ｅｔ  ａｌ．，２００６）と交配した。ｈｐ−ＳＢＥＩＩａ親植物は、穀粒澱粉において高アミロース表現型を示した（Ｒｅｇｉｎａ  ｅｔ  ａｌ．，２００６）。Ｆ１植物を得て自殖させてＦ２子孫穀粒を実らせた。Ｋｏｎｉｋ−Ｒｏｓｅ  ｅｔ  ａｌ．（２００７）で記載されている、各プライマー対が特定ゲノムからのｓｓＩＩａ突然変異遺伝子に対して特異的である３つの異なるプライマー対を使用して、ＰＣＲによって２８８粒のＦ２穀粒のスクリーニングを行った。これにより、ＹＤＨ７と呼称されるホモ接合体である１つの三重ヌルｓｓＩＩａ穀粒が同定され、これは、３つのＳＳＩＩａ遺伝子の各々について野生型対立遺伝子を欠くものであった。ＹＤＨ７のＤＮＡのさらなる試験によって、３つの突然変異型ｓｓＩＩａ遺伝子に加えてｈｐ−ＳＢＥＩＩａ遺伝子構築物がこの穀粒中に存在していることが確認された。穀粒を発芽させて、本明細書中でＹＤＨ７系統と呼称される子孫の植物及び穀粒を生産した。
【０３２０】
同様にして、ＳＳＩＩａに三重ヌル突然変異を含む植物を、Ｒｅｇｉｎａ  ｅｔ  ａｌ．，２００４で記載されているｓｂｅＩ三重ヌルコムギ系統の植物と交配する。コムギＳＢＥＩ遺伝子のイントロン２領域から設計されたＰＣＲに基づく制限増幅産物（ＣＡＰｓ）マーカーを使用して、Ｆ２の半分の種子から抽出したＤＮＡに対して各ＳＢＥＩ遺伝子におけるヌル突然変異のスクリーニングを行う。マーカーは、ＤゲノムからのＳＢＥＩ−Ｄ遺伝子から４６０ｂｐのＤＮＡ断片、ＢゲノムからのＳＢＥＩ−Ｂ遺伝子から３９０ｂｐのＤＮＡ断片、及びＡゲノムからのＳＢＥＩ−Ａ遺伝子から２００ｂｐのＤＮＡ断片を生成する。これらのＳＢＥＩゲノム特異的断片とは別に、このＣＡＰＳマーカーは、ＳＢＥＩ遺伝子に特異的でなくＰＣＲ反応の内部対照として役立つ２５０ｂｐのＤＮＡ断片も生じさせる。野生型遺伝子から増幅されたＳＢＥＩ特異的ＤＮＡ断片を欠く穀粒が同定され、それらがｓｂｅＩについて三重ヌル突然変異体であることが示唆される。その後、これらの三重ヌル穀粒をＰＣＲによってｓｓＩＩａヌル突然変異の存在について試験する。これらの穀粒を播種して、ｓｓＩＩａとｓｂｅＩとの突然変異の組み合わせを含有し各突然変異体対立遺伝子についてホモ接合体である植物及び穀粒を生産する。
【０３２１】
実施例７：澱粉顆粒及び澱粉特性の分析
三重突然変異体ｓｓＩＩａ穀粒から生産した全粒粉の中の澱粉顆粒を調べた。全粒粉から抽出した澱粉の特性も以下のとおりに分析した。これらの分析のために、Ａ２４、Ｂ２２、Ｂ２９、Ｂ６３及びＥ２４と呼称される５つのｓｓＩＩａ突然変異コムギ系統をＫｏｎｉｋ−Ｒｏｓｅ  ｅｔ  ａｌ．（２００７）の倍加半数体集団から選抜し、澱粉及び顆粒の特性について分析した。各系統及び対応する野生型系統からの穀粒試料（２０ｇ）を１４％の水分含有量に調整した後、穀粒をＱｕａｄｒａｍａｔ  Ｊｎｒ．ミル（Ｂｒａｂｅｎｄｅｒ，Ｃｙｒｕｌｌａ’ｓ  Ｉｎｓｔｒｕｍｅｎｔｓ，Ｓｙｄｎｅｙ，Ａｕｓｔｒａｌｉａ）で粉砕して全粒粉にした。プロテアーゼ抽出法（Ｍｏｒｒｉｓｏｎ  ｅｔ  ａｌ．，１９８４）ならびにそれに続く水洗及び排水によって澱粉を全粒粉から単離した。
【０３２２】
澱粉顆粒形態及び複屈折の変化。全粒粉試料中の顆粒の澱粉顆粒形態及び偏光下でのその複屈折を調べた。走査電子顕微鏡法を用いて澱粉顆粒の径及び構造の全体的変化を同定した。野生型の顆粒に比べて、ＳＳＩＩａを欠く胚乳からの澱粉顆粒は顕著な形態学的変化を呈した。それらは形状が非常に不規則であり、Ａ顆粒（直径１０μｍ超）の多くは形が鎌状であるようであった。対照的に、野生型全粒粉中のＡ澱粉顆粒及びＢ澱粉顆粒（直径１０μｍ未満）はどちらも表面が滑らかであり、形が球状または楕円形であった。
【０３２３】
偏光下で顕微鏡観察を行ったところ、野生型澱粉顆粒は典型的に強い複屈折模様を示した。しかしながら、三重ヌルｓｓＩＩａ穀粒からの顆粒では複屈折の入射角が大幅に減少した。偏光下で視覚化した場合、突然変異体ｓｓＩＩａ穀粒からの澱粉顆粒の１０％未満が複屈折性であった。対照的に、野生型澱粉顆粒のうち約９４％は十分な複屈折を呈した。したがって、複屈折の喪失はＳＳＩＩａの欠如及び増加したアミロース含有量と相関していた。
【０３２４】
ＦＡＣＥによる澱粉の鎖長分布。イソアミラーゼで枝切りされた澱粉の鎖長分布を、実施例１で記載されているとおりに蛍光標識糖鎖電気泳動（ＦＡＣＥ）によって決定した。この技術は、野生型澱粉と比べたときの改変型澱粉のＤＰ１〜５０の範囲内の鎖長分布及び異なる長さの鎖の相対頻度についての高分解能な分析をもたらした。野生型澱粉の正規化鎖長分布を三重突然変異体ｓｓＩＩａ澱粉の正規化分布から差し引いたモル差プロット（図２４）からは、三重ヌルｓｓＩＩａ穀粒から得られる澱粉においてＤＰ７〜１０の鎖長の割合が際立って増加したこと及びＤＰ１１〜２４の鎖長がかなり減少したことが認められた。また、ＤＰ２６〜３６の鎖長が僅かに増加していた。
【０３２５】
アミロペクチン及びアミロースの分子量。突然変異体穀粒からの澱粉の分子量分布をイソアミラーゼによる枝切りの後にサイズ排除クロマトグラフィー（ＳＥＣ）によって決定した。イソアミラーゼ枝切り処理は、アミロペクチンのα−１，６結合の各々を切断して別個の鎖を遊離させるがアミロースはほとんどそのままで残し、したがってアミロース（最初に溶出する）とアミロペクチンからのグルカン鎖とを大きさに基づいて分離することを可能にする。図２５は、結果として得られた、枝切りされた澱粉についての重合度に応じたＳＥＣ記録曲線を示す。三重ヌルｓｓＩＩａ突然変異体穀粒の澱粉中のアミロースの相対量（最初のピーク）は野生型澱粉に比べてかなり増加し、アミロペクチンの量（ピークＩＩＩ）は野生型に比べて大幅に減少した。三重ヌルｓｓＩＩａ突然変異体穀粒の澱粉中のアミロースの平均分子量は野生型澱粉中のアミロースのそれに比べて減少していると見受けられ、アミロースピーク位置が２７４ｋＤａにあったのに対して野生型では３３０ｋＤａにあった（図２５）。
【０３２６】
澱粉膨潤力（ＳＳＰ）。糊化澱粉の澱粉膨潤力は、澱粉の糊化中の水の取込みを測定するＫｏｎｉｋ−Ｒｏｓｅ  ｅｔ  ａｌ．，（２００１）の小規模試験に倣って決定した。ＳＳＰの推定値は、野生型から得られた澱粉では１１．７９であったのに比べて、三重ヌルｓｓＩＩａ穀粒から得られた澱粉では顕著により低く、６．８５の数値であった。
【０３２７】
澱粉ペースト化特性。澱粉ペースト粘度パラメータは、本質的にはＲｅｇｉｎａ  ｅｔ  ａｌ．，（２００４）で記載されているとおりにＲａｐｉｄ  Ｖｉｓｃｏ  Ａｎａｌｙｚｅｒ（ＲＶＡ）を使用して決定した。ＲＶＡの温度プロファイルは以下の段階を含んでいた：６０℃で２分間保持、６分掛けて９５℃まで加熱、９５℃で４分間保持、４分掛けて５０℃まで冷却、そして５０℃で４分間保持。結果は、ピーク及び最終粘度が三重ヌルｓｓＩＩａ穀粒（それぞれ１０５．５及び２０８．６）では野生型コムギ澱粉（それぞれ２３２．３及び３５０．６）に比べて顕著に低かったことを示した。
【０３２８】
澱粉糊化特性。澱粉の糊化特性は、Ｒｅｇｉｎａ  ｅｔ  ａｌ．，（２００４）で記載されているとおりように示差走査熱量測定（ＤＳＣ）を用いて試験した。ＤＳＣはＰｅｒｋｉｎ  Ｅｌｍｅｒ  Ｐｙｒｉｓ  １示差走査熱量計で行った。澱粉及び水を予混合し、１：２の割合で予混合し、約５０ｍｇをＤＳＣのパンに計量して密封し、一晩放置して平衡化した。１分につき１０℃の加熱速度を用いて試験試料及び基準試料を３０℃から１３０℃まで加熱した。データは機器に利用することができるソフトウェアを使用して解析した。結果は、三重ヌルｓｓＩＩａ穀粒からの澱粉の糊化終了温度（６１．５℃）が対照（６７．１℃）に比べて低かったことを明確に示した。糊化ピーク温度も三重ヌルｓｓＩＩａ澱粉（５５．４℃）では対照澱粉（６１．３℃）に比べてより低かった。したがって、三重ヌルｓｓＩＩａ穀粒からの澱粉は、顕著により低い糊化温度及び減少した糊化エンタルピーを有する。
【０３２９】
穀粒組成変化。ＳＳＩＩａ活性の喪失によって誘導された穀粒成分の変化を決定するために三重ヌルｓｓＩＩａコムギ穀粒の大まかな組成を分析した。ｓｓＩＩａ全粒粉小麦粉のスクロースレベルは野生型コムギＮＢ１のそれに比べて増加した。糖全体の含有量もｓｓＩＩａ突然変異体澱粉では野生型澱粉に比べてより高かった。ｓｓＩＩａ穀粒から、及びｈｐ−ＳＢＥＩＩａ遺伝子構築物（Ｒｅｇｉｎａ  ｅｔ  ａｌ．，２００６）を含む別の穀粒からの全粒粉は、穀粒中タンパク質のレベルが１９％超で増加していた一方、野生型全粒粉のレベルは１１〜１３％の範囲であった。全食物繊維（ＴＤＦ）は、野生型の値が１１．０％であったのに比べてｓｓＩＩａ澱粉では１９．２％のレベルでより高かった。他の穀粒成分、例えば、中性非澱粉性多糖類（ＮＮＳＰ）、総抗酸化物質及び総脂質のレベルは、ｓｓＩＩａ小麦粉では野生型コムギのそれに比べて比較的より高かった。ＮＮＳＰは、野生型ＮＢ１では８．３％であったのに比べてｓｓＩＩａ突然変異体では最高値の１３．８％を記録した。総澱粉含有量は、ＮＢ１及びＹＤＨ７では６０％超であったのに比べてｓｓＩＩａ突然変異体穀粒では約５３％であった。
【０３３０】
実施例８：パン及びその他の食品製品の生産
パン及び朝食用シリアルなどの食品製品は、改変型コムギ澱粉を食事に取り入れる効果的な方法である。高アミロースコムギをパン及び朝食用シリアルに容易に組み込むことができることを示すためならびに食品品質の保持を可能にする因子を調べるために、小麦粉の試料を作り、分析し、焼成実験または押出実験において使用した。３０％と６０％と１００％との３つの添加レベルでＹＤＨ７小麦粉を使用して小規模のパン焼成を行い、ｈｐ−ＳＢＥＩＩａ遺伝子構築物を含む穀粒及び野生型ＮＢ１からの小麦粉の焼成と比較した。ＹＤＨ７またはｈｐ−ＳＢＥＩＩａのどちらの小麦粉の添加レベルを増やしても、顕著にＲＳが増加し、ＧＩが低下した。
【０３３１】
ｓｓＩＩａ突然変異コムギからの全粒粉から押出しされた朝食用シリアルを作り、野生型コムギからの対応する朝食用シリアルと比較した。朝食用シリアルは、三重ヌルｓｓＩＩａコムギを使用した場合にはＲＳのレベル（４．３％）が野生型コムギ（１．３％）に比べて上昇した。押出プロセスの溶融温度を１１０℃から１４０℃に上げると、三重ヌルｓｓＩＩａコムギを使用した場合にはＲＳ含有量が僅かに減少した。結果はさらに、三重ヌルｓｓＩＩａコムギからの全粒粉朝食用シリアルのＨＩ（ＧＩ値を推定するための加水分解指数）値が７２であり、野生型コムギのそれが８２であったのに比べてより低くなったということを示した。
【０３３２】
大規模にｓｓＩＩａコムギからパンを製造するために以下の方法を採用する。多量のコムギ穀粒を一晩掛けて水分含有量１６．５％に調整し、その後、粉砕及び篩掛けして約１５０μｍの最終平均粒径を達成する。粉砕した試料のタンパク質及び水分の含有量は、ＡＡＣＣ法３９−１１（１９９９）に則って赤外線反射率（ＮＩＲ）によって、またはＡＡＣＣ法４４−１５Ａ（ＡＡＣＣ５  １９９９）に則って空気乾燥機を使用するＤｕｍａｓ法によって、決定する。
【０３３３】
微小Ｚアーム混合。小麦粉の最適吸水値は、例えば混合１回につき４ｇの試験小麦粉を使用して（Ｇｒａｓ  ｅｔ  ａｌ．，（２００１）、Ｂｅｋｅｓ  ｅｔ  ａｌ．，（２００２））、一定角速度で高速ブレード及び低速ブレードのシャフト速度をそれぞれ９６ｒｐｍ及び６４ｒｐｍとしてＺアームミキサーを使用して決定する。混合は約２０分間行う。水を小麦粉に添加する前に、固形成分のみを混合することによってベースラインが自動的に３０秒間記録される。水の添加は、自動給水ポンプを使用して１ステップで行う。以下のパラメータは個々の混合実験から平均をとることによって決定する：ＷＡ％−吸水性は５００ブラベンダーユニット（ＢＵ）の生地硬さで決定する；生地形成時間（ＤＤＴ）：ピーク抵抗に至るまでの時間（秒）。
【０３３４】
ミキソグラム。改変型コムギの小麦粉の最適生地混合パラメータを決定するために、Ｚアームミキサーで決定される吸水性に対応する可変吸水性を有する試料を、生地総質量を一定に保ちながらミキソグラフで混合する。各小麦粉試料について以下のパラメータを記録する：ＭＴ−混合時間（秒）；ＰＲ−ミキソグラフピーク抵抗（任意単位、ＡＵ）；ＢＷＰＲ−ピーク抵抗時のバンド幅（任意単位、ＡＵ）；ＲＢＤ−抵抗崩壊（％）；ＢＷＢＤ−バンド幅崩壊（％）；ＴＭＢＷ−最大バンド幅に至るまでの時間（秒）；及びＭＢＷ−最大バンド幅（任意単位、ＡＵ）。生地伸張性パラメータは以下のとおりに測定する：生地をミキソグラフでピーク生地形成になるまで混合する。配置の改変されたＫｉｅｆｆｅｒ生地グルテン伸張具（Ｍａｎｎ  ｅｔ  ａｌ．，２００３）を使用してＴＡ．ＸＴ２ｉ質感分析器で１ｃｍ／秒で伸長試験を行う。伸長試験用の生地試料（約１．０ｇ／試験）をＫｉｅｆｆｅｒ型入れ機で成形し、３０℃及び９０％ＲＨで４５分間置いた後、伸長試験を行う。データからＥｘｃｅｅｄ  ＥｘｐｅｒｔソフトウェアによってＲ＿Ｍａｘ及びＥｘｔ＿Ｒｍａｘを決定する（Ｓｍｅｗｉｎｇ，ＴＸ２  ｔｅｘｔｕｒｅ  ａｎａｌｙｚｅｒ  ｈａｎｄｂｏｏｋ，ＳＭＳ  Ｌｔｄ：Ｓｕｒｒｅｙ，ＵＫ，１９９５）。
【０３３５】
１００％としての小麦粉１４ｇに基づく例示的レシピは以下のとおりである：小麦粉１００％、塩２％、ドライイースト１．５％、植物油２％及び改良剤（アスコルビン酸１００ｐｐｍ、真菌アミロース１５ｐｐｍ、キシラナーゼ４０ｐｐｍ、大豆粉０．３％、Ｇｏｏｄｍａｎ  Ｆｉｅｌｄｅｒ  Ｐｔｙ  Ｌｔｄ，Ａｕｓｔｒａｌｉａより入手）１．５％。水添加レベルは配合物全体として調節されるＺアーム吸水値に基づく。小麦粉（１４ｇ）及びその他の原料をミキソグラフでピーク生地形成時間まで混合する。成型及び調理は４０℃で８５％ＲＨでの２つの発酵ステップで行う。焼成はＲｏｔｅｌオーブンで１５分間１９０℃で行う。膨化体積（キャノーラ種子変位法で決定される）及び重量測定は、パン塊を棚で２時間冷ました後に行う。正味の水分損失は、経時的にパン塊を計量することによって測定する。
【０３３６】
小麦粉または全粒粉は、非改変型コムギまたは他のオオムギなどの禾穀類から得られる粉末または全粒粉とブレンドされて所望の生地及び製パンまたは栄養の質を提供し得る。例えば、栽培品種ＣｈａｒａまたはＧｌｅｎｌｅａからの小麦粉は高い生地強度を有するが、栽培品種Ｊａｎｚからのものは中程度の生地強度を有する。特に、小麦粉中の高及び低分子量のグルテニンサブユニットのレベルは生地強度との正の相関があり、存在する対立遺伝子の性質によってさらに影響を受ける。
【０３３７】
生地調製及び製パンについての上記方法に従って系統ＹＤＨ７からの小麦粉を１００％、６０％及び３０％の添加レベルで使用した。つまり、ＹＤＨ７か対照小麦粉かのどちらかから得られる小麦粉１００％または、重量表示で６０％もしくは３０％のＹＤＨ７小麦粉を焼成対照（Ｂ．ｅｘｔｒａ）小麦粉とブレンドした。百分率は、パン配合物中の全小麦粉に対する百分率であった。非改変型コムギの小麦粉は野生型栽培品種ＮＢ１から得たものであった。穀粒試料をＢｒａｂｅｎｄｅｒ  Ｑｕａｄｒａｍａｔ  Ｊｕｎｉｏｒミルで粉砕した。全ての小麦粉ブレンドは、それらの上記のようなＺアームミキサーで決定した吸水性とミキソグラフで決定した最適混合時間とを有していた。これらの条件を用いて試験焼成パン塊を作製した。
【０３３８】
混合特性。野生型小麦粉（焼成対照、ＮＢ１）を専ら使用する対照試料を除いて、他の全ての小麦粉試料は、上昇した吸水値を示した。また、ＹＤＨ７系統からの小麦粉の組込みレベルの上昇は最適ミキソグラフ混合時間の短縮につながった。吸水データと一致して、ＹＤＨ７からの小麦粉を含むパンは全て、比膨化体積（膨化体積／膨化重量）の減少を示し、ＹＤＨ７小麦粉の添加レベルの上昇と相関していた。
【０３３９】
これらの試験は、対照小麦粉試料とブレンドされた改変型ｓｓＩＩａコムギの小麦粉を使用して、クラムの構造、質感及び外観を含めた商業的潜在能を有するパンを得ることができることを示した。さらに、高アミロースｓｓＩＩａコムギは、好ましい遺伝的背景特質（例えば、好ましい高及び低分子量グルテニン）あるいは食品加工の改変、例えばグルテン、アスコルビン酸塩もしくは乳化剤などの改良剤の添加または異なる製パン方式（例えば、中種法製パン、発酵生地、混合穀粒、または全粒粉）の利用などと組み合わせて使用されて、腸健康及び代謝健康の改善のための特定の有用性及び栄養上の有効性を有する様々な製品を提供し得る。
【０３４０】
他の食品製品：黄色アルカリ麺（ＹＡＮ）（１００％の小麦粉、３２％の水、１％のＮａ２ＣＯ３）は、標準的なＢＲＩ  Ｒｅｓｅａｒｃｈ  Ｎｏｏｄｌｅ  Ｍａｎｕｆａｃｔｕｒｉｎｇ  Ｍｅｔｈｏｄ（ＡＦＬ０２９）を用いてＨｏｂａｒｔミキサーで調製する。Ｏｔａｋｅ製麺機のステンレス鋼製ローラーで麺帯を形成させる。麺帯を（３０分間）休ませた後に小さくして麺線に切断する。麺の寸法は１．５×１．５ｍｍである。
【０３４１】
即席麺（１００％の小麦粉、３２％の水、１％のＮａＣｌ及び０．２％のＮａ２ＣＯ３）は、標準的なＢＲＩ  Ｒｅｓｅａｒｃｈ  Ｎｏｏｄｌｅ  Ｍａｎｕｆａｃｔｕｒｉｎｇ  Ｍｅｔｈｏｄ（ＡＦＬ０２８）を用いてＨｏｂａｒｔミキサーで調製する。Ｏｔａｋｅ製麺機のステンレス鋼製ローラーで麺帯を形成させる。麺帯を（５分間）休ませた後に小さくして麺線に切断する。麺の寸法は１．０×１．５×２５ｍｍである。麺線を３．５分間蒸煮し、その後、１５０℃の油で４５秒間揚げる。
【０３４２】
中種法（Ｓ＆Ｄ）パン。ＢＲＩ  Ｒｅｓｅａｒｃｈ中種法焼成は、２ステップのプロセスを伴う。最初のステップでは、全小麦粉のうちの一部を水、イースト及びイーストフードと混合することによってスポンジを作る。スポンジを４時間発酵させる。次のステップでは、残りの小麦粉、水及び他の原料にスポンジを混ぜ込んで生地を作る。プロセスのスポンジ段階は２００ｇの小麦粉で作られ、４時間の発酵が与えられる。生地は、残りの１００ｇの小麦粉及び他の原料と発酵したスポンジとを混合することによって調製される。
【０３４３】
パスタ−スパゲッティ。パスタ製造に用いる方法は、Ｓｉｓｓｏｎｓ  ｅｔ  ａｌ．，（２００７）で記載されているとおりである。ｓｓＩＩａ改変型コムギ及び野生型コムギからの小麦粉に、Ｍａｎｉｌｄｒａセモリナを様々な百分率（試験試料：０、２０、４０、６０、８０、１００％）で混合して、小規模パスタ調製のためのミックス小麦粉を得る。試料の水分を３０％に補正する。所望の量の水を試料に添加し、手短に混合した後、さらに２分間混合するための５０ｇのファリノグラフボウルへ移す。結果として生じるコーヒー豆大の屑に似た生地をステンレス鋼製チャンバへ移し、５０℃で９分間、７０００ｋＰａの圧力下に置く。その後、一定速度でパスタを押し出し、およそ４８ｃｍの長さに切断する。湿温蔵庫を使用してパスタを乾燥させる。乾燥サイクルは、２５℃の保持温度と、それに続く６５℃までの４５分間の昇温と、その後５０℃で約１３時間の期間と、それに続く冷却とを用いる。サイクルの間、湿度は制御される。乾燥パスタを後の試験のために７ｃｍ条に切断する。
【０３４４】
実施例９：食品試料のグリセミック指数（ＧＩ）の試験管内測定
食品試料のグリセミック指数（ＧＩ）を以下のとおりに試験管内で測定した。試験管内方法は、ヒト対象によって摂取された場合に食品試料に何が起こるかを模擬し、生体内でのＧＩ測定を予測する。食品試料を家庭用フードプロセッサで均質化した。およそ５０ｍｇの炭水化物に相当する量の試料を１２０ｍｌプラスチック製試料容器に計量し、α−アミラーゼを含まない１００μｌの炭酸塩緩衝液を添加した。炭酸塩緩衝液の添加からおよそ１５〜２０秒後に５ｍｌのペプシン溶液（使用当日に作ったｐＨ２．０の０．０２ＭのＨＣｌ６５ｍｌに６５ｍｇのペプシン（Ｓｉｇｍａ）を溶解させたもの）を添加し、混合物を３７℃で３０分間、７０ｒｐｍの往復運動水槽内でインキュベートした。インキュベートに続いて試料を５ｍｌのＮａＯＨ（０．０２Ｍ）で中和し、ｐＨ６の０．２Ｍの２５ｍｌの酢酸緩衝液を添加した。その後、２ｍｇ／ｍＬのパンクレアチン（α−アミラーゼ、Ｓｉｇｍａ）とＡｓｐｅｒｇｉｌｌｕｓ  ｎｉｇｅｒ由来の２８Ｕ／ｍＬのアミログルコシダーゼ（ＡＭＧ、Ｓｉｇｍａ）とを酢酸ナトリウム緩衝液（０．２０Ｍの塩化カルシウムと０．４９ｍＭの塩化マグネシウムとを含有するｐＨ６．０の０．２Ｍの酢酸ナトリウム緩衝液）に溶解させた５ｍｌの酵素混合物を添加し、混合物を２〜５分間インキュベートした。各フラスコから溶液１ｍｌを１．５ｍｌチューブへ移し、３０００ｒｐｍで１０分間遠心分離した。上清を新たなチューブへ移し、冷凍庫内で貯蔵した。各試料の残部をアルミニウム箔で覆い、容器を３７℃で５時間、水槽内でインキュベートした。各フラスコからさらに溶液１ｍｌを採取し、遠心分離し、上清を先程と同様に移した。上清は、吸光度が読み取られ得るときまで冷凍庫内で貯蔵された。
【０３４５】
全ての上清を解凍し、３０００ｒｐｍで１０分間遠心分離した。試料を必要に応じて希釈し（大抵１０分の１希釈で十分である）、各試料から上清１０μｌを９６ウェルのマイクロタイタープレートへ２反復または３反復で移した。グルコース（０ｍｇ、０．０６２５ｍｇ、０．１２５ｍｇ、０．２５ｍｇ、０．５ｍｇ及び１．０ｍｇ）を使用して各マイクロタイタープレートについて検量線を作成した。２０μｌのグルコーストリンダー試薬（Ｍｉｃｒｏｇｅｎｅｔｉｃｓ  Ｄｉａｇｎｏｓｔｉｃｓ  Ｐｔｙ  Ｌｔｄ，Ｌｉｄｃｏｍｂｅ，ＮＳＷ）を各ウェルに加え、プレートを室温でおよそ２０分間インキュベートした。プレートリーダーを使用して５０５ｎｍで各試料の吸光度を測定し、検量線を参照してグルコースの量を算出した。
【０３４６】
ＹＤＨ７コムギ系統からの小麦粉を使用して焼成したパン塊、形質転換されていない野生型コムギから作ったパンならびに、組込みレベル６０％及び３０％でＹＤＨ７小麦粉を使用して残り４０％または７０％を野生型穀粒からの小麦粉とした２つの小麦粉のブレンドから作ったパンを、上記方法を用いてＧＩについて試験した。組み込むＹＤＨ７小麦粉を増やすと、試験管内試験によって測定されるＧＩは顕著に低下した。
【０３４７】
実施例１０：高アミロースコムギの加工及び結果として生じるＲＳのレベル
押潰しまたはフレーク化されたＹＤＨ７コムギ由来の加工済み穀粒の耐性澱粉（ＲＳ）含有量を決定するために小規模試験を行った。技術は、穀粒の水分レベルを１時間掛けて２５％に調整すること及びそれに続いて穀粒を蒸煮することを伴うものであった。蒸煮の後、小型ローラーを使用して穀粒をフレーク化した。次いでフレークをオーブンで３５分間１２０℃で焙焼した。ＳＳＩＩａが低減された高アミロースコムギ及び野生型対照コムギ（栽培品種Ｈａｒｔｏｇ）からのおよそ２００ｇの試料に対して２つのローラー幅及び３つの蒸煮タイミングを用いた。試験したローラー幅は０．０５ｍｍ及び０．１５ｍｍであった。試験した蒸煮タイミングは６０分、４５分及び３５分であった。
【０３４８】
この試験は、対照に比べて高アミロースコムギではＲＳの量が明確にかなり増加していることを示した。加工条件もＲＳレベルに対していくらかの影響を与えるものと見受けられた。例えば高アミロース穀粒では、蒸煮時間の延長はＲＳのレベルの僅かな低下につながり、それは蒸煮中の澱粉糊化の増進に起因している可能性が最も高かった。蒸煮時間を最も長くした場合を除き、ローラー間隙が広いほどＲＳレベルが高かった。これは、穀粒をより狭い間隙で押し潰した場合に澱粉顆粒の剪断損傷が増加してＲＳレベルが僅かに低下することに起因していた可能性がある。Ｈａｒｔｏｇ対照においても、全体としてのＲＳレベルはよりはるかに低いものの、ローラー間隙が狭いほど高いＲＳレベルにつながった。高アミロースの結果とは対照的に、蒸煮時間の延長はより高いＲＳレベルにつながり、これは、蒸煮時間が長いと澱粉糊化が増進して次の加工及び冷却の間により多くの澱粉が老化することに起因している可能性がある。
【０３４９】
実施例１１：さらなるｓｓＩＩａ突然変異の作出及び同定
重イオン衝突によるコムギの突然変異誘発。重イオン衝突（ＨＩＢ）などによる放射線による突然変異誘発はコムギゲノムに欠失突然変異を実用的頻度で容易に生じさせる。突然変異を起こしたコムギ集団を、一般的に使用される商用品種であるコムギ品種Ｃｈａｒａにおいてコムギ種子のＨＩＢによって作出した。Ｒｉｋｅｎ  Ｎｉｓｈｉｎａ  Ｃｅｎｔｒｅ，Ｗａｋｏ，Ｓａｉｔａｍａ，Ｊａｐａｎにて行った突然変異誘発のために２つの重イオン源、すなわち炭素及びネオンを使用した。突然変異を起こした種子を温室内で播種してＭ１植物を得た。次いでこれらを自殖させてＭ２世代を生産した。各々が異なるＭ１植物からのものであるおよそ１５，０００個のＭ２植物の各々から、ＤＮＡ試料を単離した。
【０３５０】
Ａ、Ｂ及びＤゲノム上の各ＳＳＩＩａ遺伝子の増幅断片を生成するゲノム特異的なオリゴヌクレオチドプライマーを使用してＰＣＲによって各ＤＮＡに対して個々に各ＳＳＩＩａ遺伝子の突然変異のスクリーニングを行う。そのような診断的ＰＣＲプライマーは、当業者であれば、３つのゲノムヌクレオチド配列（配列番号７、８及び９）を比較すること及び、１つのゲノム配列に特異的にアニーリングするが他の２つにはアニーリングしないか、または結果として生じる増幅断片が制限酵素消化によって差次的に切断されて３つのゲノムＳＳＩＩａ遺伝子ごとに異なる大きさの断片を生じさせる、オリゴヌクレオチド配列を選出することによって、容易に設計することができる。野生型（突然変異が起こされていない）ＤＮＡ試料に対する各ＰＣＲ反応が、Ａ、Ｂ及びＤゲノム上のＳＳＩＩａゲノムの増幅領域に対応する３つの別個の増幅産物をもたらすのに対して、突然変異を起こしたＭ２ＤＮＡ試料からのＰＣＲでの断片のうちの１つが存在していないことは、ゲノムのうちの１つにおいて対応する領域が存在していないことを示唆し、つまり、ゲノムの少なくとも一部が欠失している突然変異体対立遺伝子の存在を示唆している。そのような突然変異体対立遺伝子は確実にヌル対立遺伝子であろう。ＳＢＥＩＩａ−及びＳＢＥＩＩｂ−遺伝子特異的なプライマーを使用してそのようにしてスクリーニングした場合、１５，０００個のＭ２植物は、ＳＢＥＩＩａ及び／またはＳＢＥＩＩｂ遺伝子についての欠失突然変異体である合計３４個の突然変異体を同定し（ＷＯ２０１２／０５８７３０）、この突然変異を起こしたＭ２集団における関心対象の遺伝子の欠失突然変異の頻度が１０００系統あたり約１系統であることを示していた。したがって、Ｍ２系統のスクリーニングは、ＳＳＩＩａ遺伝子の、または当該遺伝子の中の欠失突然変異を各々が有している約１５個の突然変異体を同定する。Ａ、Ｂ及びＤゲノム上のＳＳＩＩａ遺伝子は診断的ＰＣＲ反応によって区別されるので、突然変異体対立遺伝子はどの増幅産物が存在していないかによってゲノムのうちの１つに帰属される。このようにして１５，０００個のＭ２植物の集団からＳＳＩＩａ−Ａ、ＳＳＩＩａ−Ｂ及びＳＳＩＩａ−Ｄ遺伝子の各々について約５つの突然変異体が同定される。
【０３５１】
各突然変異体における染色体欠失の程度は、マイクロサテライトマッピングによって決定される。ＳＳＩＩａ遺伝子の染色体位置である染色体７Ａ、７Ｂ及び７Ｄの短いアームに前もって対応付けられたマイクロサテライトマーカーをこれらの突然変異体で試験して各突然変異体における各マーカーの存否を判定する。反応における適切な増幅産物の生成に基づいて特異的な染色体マイクロサテライトマーカーの全てあるいはほとんどが保持されている突然変異植物は、欠失突然変異が比較的小さいと推察される。そのような突然変異体は、他の重要な遺伝子が突然変異によって影響を受ける可能性がより低いことを考慮すれば好ましいものである。
【０３５２】
突然変異体の交配。ＳＳＩＩａ遺伝子の、または当該遺伝子の中の小さめの欠失についてホモ接合体であるとマイクロサテライトマーカー分析によって判定された突然変異植物を、多数のゲノム上の突然変異ｓｓＩＩａ対立遺伝子を有する子孫の植物及び穀粒を作り出す交配のために選抜する。交配からのＦ１子孫植物を自殖させ、Ｆ２種子を得、そのＳＳＩＩａ遺伝子型を分析した。そのような突然変異体もまた、ＳＳＩＩａ遺伝子に点突然変異を含んでいる突然変異体と交配して欠失と点ｓｓＩＩａ突然変異との組み合わせを有する三重遺伝子突然変異体を生み出すことができる。
【０３５３】
点突然変異。一塩基多型（ＳＮＰ）を含めて点突然変異は、公的に入手できる突然変異誘発コムギ植物のライブラリーにおいて同定されることができる。そのようなライブラリーとしては、例えば、Ｊｏｈｎ  Ｉｎｎｅｓ  Ｃｅｎｔｒｅ，ＵＫから入手できるものが挙げられる。コムギＳＳＩＩａヌクレオチド配列（Ｇｅｎｂａｎｋ受託番号ＡＢ２０１４４５）を使用してＢＬＡＳＴソフトウェアによってＪｏｈｎ  Ｉｎｎｅｓ  Ｃｅｎｔｒｅコムギデータベースを調べ、３つのＳＳＩＩａ遺伝子の各々にＳＮＰを含んでいる系統を同定した。ＳＮＰを３つのクラスに分類した。第１グループは、遺伝子のタンパク質コード領域内に新規な終止コドンを含んでいる突然変異ＳＳＩＩａ遺伝子を有する突然変異体を含むものであった。これらの突然変異は、その遺伝子によってコードされるＳＳＩＩａタンパク質の翻訳の未成熟停止を招くことが予想された。未成熟停止突然変異は、ナンセンス突然変異または「終止コドン獲得突然変異」としても知られ、突然変異がタンパク質コード領域の３’末端の近傍にないことを条件としてほぼ常にヌル突然変異である（但し、近傍にあってもヌル突然変異になることはある）。突然変異体の第２グループは、ＳＳＩＩａ遺伝子のスプライス部位のヌクレオチド多型をスプライス供与部位かスプライス受容部位かのどちらかに有する系統を含むものであった。そのような突然変異は、ＳＳＩＩａ遺伝子からのＲＮＡ転写産物のスプライシング異常を招くこと及びｍＲＮＡに重大な影響を与えることが予想された。スプライス部位突然変異はヌル突然変異であることが非常に多い。第３グループは、コードされるＳＳＩＩａポリペプチドにおけるアミノ酸置換を生じさせる点突然変異をＳＳＩＩａ遺伝子のうちの１つに含む突然変異体からなり、これらは「ミスセンス突然変異」と呼称される。コードされるタンパク質の構造に各ミスセンス突然変異が与える影響は、Ｂｌｏｓｕｍ６２及びＰａｍ２５０行列を使用して予測される。
【０３５４】
第１及び第２グループにおいて同定されたＳＳＩＩａ遺伝子突然変異体を表９に列挙する。ＳＳＩＩａ−Ａ遺伝子については、５個のナンセンス突然変異、２個のスプライス部位突然変異及び４９個のミスセンス突然変異がデータベースから同定された。ナンセンス突然変異のうちの２つは、異なるプールにおいて同定されたが、同一のものであった。ＳＳＩＩａ−Ｂ遺伝子については、２個のナンセンス突然変異、７個のスプライス部位変異型及び２２個のミスセンス突然変異が同定された。ＳＳＩＩａ−Ｄ遺伝子については、２個のスプライス突然変異及び４９個のミスセンス突然変異が同定された。いくつかの突然変異体はＳＳＩＩａ遺伝子に２つ以上の多型を有し、例えばイントロンの多型を有するもの及びタンパク質コード領域内の多型を有するものがいくつかあった。
【０３５５】
ＴＩＬＬＩＮＧによる突然変異の同定。ＷＯ２０１４／０２８９８０で記載されている方法を用いてアジ化ナトリウムによるコムギ栽培品種Ｓｕｎｓｔａｔｅの種子の変異誘発の後に突然変異型植物系統の集団を生育させた。５千個のＭ１植物を栽培して成熟させ、それらを自家受粉させた。各植物から別々にＭ２種子を収穫し、それによって５０００系統の突然変異誘発集団が生み出された。各系統の植物からの葉の切片（約２ｃｍ）からＤＮＡを抽出した。プレートリーダー（ＦＬＵＯｓｔａｒ  Ｏｍｅｇａ，ＢＭＧ  ＬＡＢＴＥＣＨ）を使用してコムギの葉のＤＮＡを定量し、ロボット機（Ｃｏｒｂｅｔｔ  Ｌｉｆｅ  Ｓｃｉｅｎｃｅ）を使用して１０ｎｇ／μｌに正規化した。ＴＩＬＬＩＮＧのために８つの植物のセットからのＤＮＡ試料を各９６プレートウェルにまとめてプールした。例えば９５℃で５分間の１サイクル、その後９４℃で４５秒間の溶融と６０〜６２℃のアニーリング温度での３０秒間と７２℃で２分３０秒間の伸長とを３５サイクル、その後７２℃で１０分間の１サイクル、続いて２５℃への冷却によって、ＰＣＲ反応を行ってＳＳＩＩａ遺伝子のセグメントを増幅した。ＰＣＲ増幅の質を調べるために、結果として生じるＰＣＲ断片（５μｌ）を１％または２％のアガロースゲル上で分離し、エチジウム染色後に可視化した（ＵＶｉｔｅｃ）。
【０３５６】
ＰＣＲ機器を使用して、９９℃で５分間の１サイクル、７０℃から開始して１サイクルごとに０．６℃下げて行う２０秒間のアニーリングの７０サイクル、続いて２５℃への冷却によって、ＰＣＲ断片と野生型ＲＮＡ転写産物とのヘテロ二本鎖形成を行う。５μｌのヘテロ二本鎖形成ＰＣＲ産物と共に５μｌの２ｘ緩衝液混合物と０．５μｌのＣｅｌＩ酵素とを使用してヘテロ二本鎖をＣｅｌＩ酵素で消化する。緩衝液混合物は、ｐＨ７．５の２０ｍＭのＨＥＰＥＳと、２０ｍＭのＭｇＳＯ４と、２０ｍＭのＫＣｌと、０．００４％のＴｒｉｔｏｎ  Ｘ−１００と、０．４μｇ／ｍｌのＢＳＡから構成される。集めた反応系を混合して４５℃で１５〜３０分間インキュベートする。その後、Ｍｕｔａｔｉｏｎ  Ｄｉｓｃｏｖｅｒｙキット（ＤＮＦ−９１０−Ｋ１０００Ｔ）に従ってＤＮＡ断片を分離するために、消化したＤＮＡ試料をＤＮＡ断片分析器（Ａｄｖａｎｃｅｄ  Ａｎａｌｙｔｉｃａｌ  Ｔｅｃｈｎｏｌｏｇｉｅｓ）に投入する。あるいは、１０個一組にした増幅産物の集まりをＰＣＲ産物の正規化後にプールし、１フローセルあたり１ＤＮＡプールで配列決定する。配列データを解析して、ｓｓＩＩａ遺伝子多型を有する系統を選抜する。ｋａｓｐａｒ技術に基づいて各多型のためにＳＮＰアッセイを設計し、各プールにおいて特定多型について陽性であるＭ１系統に対して遺伝子型判定を実施する。それによって各突然変異遺伝子を含有する個々の突然変異系統が同定され、突然変異ＳＳＩＩａ配列が確認される。
【０３５７】
単一のＳＳＩＩａ遺伝子に点突然変異を含有する植物を、他の２つのＳＳＩＩａ遺伝子に突然変異を含有する植物と交配して、三重ヌルｓｓＩＩａ突然変異体を作出する。
【表９ａ】
2019527054.tif 000015
【表９ｂ】
2019527054.tif 000016
【０３５８】
実施例１２：ｓｓＩＩａ突然変異体穀粒中のタンパク質の分析
ｓｓＩＩａ突然変異体における澱粉生合成遺伝子の発現。Ａ２４、Ｂ２２、Ｂ２９、Ｂ６３及びＥ２４と呼ぶ５つのｓｓＩＩａ突然変異コムギ系統をＫｏｎｉｋ−Ｒｏｓｅ  ｅｔ  ａｌ．（２００７）の倍加半数体集団から選抜し、澱粉生合成に関係するいくつかのｍＲＮＡ及びタンパク質の含有量を以下のとおりに分析した。１５ＤＰＡのｓｓＩＩａ突然変異コムギ植物の発達中の穀粒におけるｍＲＮＡ発現のレベルを、実施例１に記載の定量的逆転写ＰＣＲ（ｑＲＴ−ＰＣＲ）によって野生型と比較した。各試料におけるＲＮＡの定量は、恒常的に発現するチューブリン遺伝子を参照することによって行った。ｑＲＴ−ＰＣＲデータから、ホモ接合体である三重突然変異体ｓｓＩＩａ胚乳におけるｓｓＩＩａ  ｍＲＮＡのレベルが、対応する野生型穀粒の場合よりも有意に低く（ｐ＜０．０１）、対応する野生型コムギ胚乳に対してたったの約８％のレベルであることが明らかになった。対照的に、突然変異体穀粒でのＳＳＩ、ＳＢＥＩＩａ及びＳＢＥＩＩｂ転写産物のレベルは、対応する野生型の発達中の穀粒でのそれとほぼ同じであった。これは、突然変異体胚乳におけるｓｓＩＩａ  ｍＲＮＡに対する特異的な影響を示唆していた。
【０３５９】
成熟穀粒の澱粉中の顆粒結合型タンパク質の存在量の分析。タンパク質ゲル上のタンパク質バンドの強度及びゲルに装填されたタンパク質試料の量を比較するために、成熟ｓｓＩＩａ突然変異体及びＳＳＩＩａ野生型穀粒からの澱粉顆粒として１〜４ｍｇの澱粉を、澱粉顆粒結合型タンパク質の抽出のために使用した。タンパク質は、実施例１で記載されているとおりにタンパク質ゲル上で分離した。少なくとも６０ｋＤａの分子量を有する４つのタンパク質が野生型成熟穀粒の澱粉顆粒に結合していると認められた。ｓｓＩＩａ突然変異体穀粒では、ＧＢＳＳＩであると同定された単一のタンパク質がおよそ６０ｋＤａと認められた。タンパク質バンドを定量したとき、タンパク質バンド強度と、野生型穀粒からのＳＳＩＩａ、ＳＢＥＩＩ及びＳＳＩの各々ならびに突然変異体穀粒中のＧＢＳＳＩのタンパク質抽出のために使用した澱粉の量との間には正の相関があった。澱粉顆粒の中のＳＳＩＩａ、ＳＢＥＩＩ及びＳＳＩタンパク質のレベルが低いため、以下に記載のさらなる分析では澱粉顆粒結合型タンパク質を抽出するために４ｍｇの澱粉の量を選択した。
【０３６０】
野生型コムギ穀粒のタンパク質抽出物をゲル電気泳動に供し、Ｓｙｐｒｏによって染色した場合、約６０ｋＤａ以上の分子量を有する４つの澱粉顆粒結合型タンパク質が認められた。それらは、イムノブロット分析によってＳＳＩＩａ（約８８ｋＤａ）、ＳＢＥＩＩａ及びＳＢＥＩＩｂ（それぞれ約８３ｋＤａ）、ＳＳＩ（約７５ｋＤａ）ならびにＧＢＳＳＩ（約６０ｋＤａ）ポリペプチドと同定された。ＳＢＥＩＩａ及びＳＢＥＩＩｂはゲル上のほぼ同じ位置に移動したが、Ｓｙｐｒｏ染色によって判定される野生型澱粉顆粒の中のＳＢＥＩＩｂの存在量はＳＢＥＩＩａよりもはるかに多かった。
【０３６１】
ｓｓＩＩａ突然変異コムギ澱粉顆粒からのタンパク質をゲル電気泳動によって分析した場合、ＳＳＩＩａ及びＳＢＥＩＩａタンパク質は検出されなかった。ＳＳＩ及びＳＢＥＩＩｂタンパク質は、Ｓｙｐｒｏ染色によって検出されなかったがイムノブロット分析によって検出することができ、但し、それら存在量が非常に少なかったため正確な定量はできなかった（図２６）。
【０３６２】
可溶性ストロマ内及び発達中の胚乳の澱粉顆粒内の澱粉生合成酵素のタンパク質存在量の分析。成熟した突然変異体穀粒の澱粉顆粒内のＳＳＩ、ＳＢＥＩＩａ及びＳＢＥＩＩｂの濃度が低いのは、突然変異体穀粒にＳＳＩＩａタンパク質が存在しない時に穀粒発達中の合成速度が低いためであるのか否かを判定するために、可溶性ストロマ画分及び発達中の胚乳の澱粉顆粒の中のＳＳＩ、ＳＢＥＩＩａ及びＳＢＥＩＩｂタンパク質を１５ＤＰＡに定量した。定量は免疫検出法によって行った。発達中の胚乳の可溶性タンパク質を分析したところ、ｓｓＩＩａ突然変異体穀粒には、同じ段階（１５ＤＰＡ）のＳＳＩＩａ野生型の発達中の穀粒に比べてＳＢＥＩＩｂ及びＳＳＩがどちらも顕著に増加した量で存在していた。対照的に、ＳＢＥＩＩａのレベルはｓｓＩＩａ突然変異体及びＳＳＩＩａ野生型穀粒において類似していた。アミロプラストの可溶性画分中にＳＢＥＩＩａはＳＢＥＩＩｂよりも多く存在していた。澱粉顆粒の中のＳＳＩ、ＳＢＥＩＩａ及びＳＢＥＩＩｂタンパク質のレベルの低下は、発現レベルが低いことによるのではなく、澱粉顆粒から遠いストロマの可溶性画分中への局在を示唆して澱粉顆粒における結合性の低下を反映していると結論付けられた。
【０３６３】
発達中の穀粒の中の澱粉顆粒結合型タンパク質を分析したところ、突然変異コムギｓｓＩＩａ穀粒ではＳＳＩＩａタンパク質はイムノブロット分析によって検出されなかった。ＳＢＥＩＩｂのレベルは野生型に比べて約２５％低下した。突然変異体ｓｓＩＩａの澱粉顆粒の中のＳＳＩのレベルも、野生型レベルのおよそ２５％であった。澱粉顆粒結合型タンパク質の量の同様の減少パターンが成熟胚乳において認められた。しかしながら、澱粉基準では、発達中の胚乳の澱粉顆粒結合型タンパク質中の澱粉生合成酵素の濃度は、成熟穀粒胚乳においてより高い澱粉レベルの希釈効果の結果として、成熟穀粒におけるそれよりも高かった。
参考文献一覧
Ａｂｅｌ  ｅｔ  ａｌ．，（１９９６）．Ｐｌａｎｔ  Ｊｏｕｒｎａｌ  １０：９８１−９９１。
Ａｌｔｓｃｈｕｌ  ｅｔ  ａｌ．，（１９９７）．Ｎｕｃｌ．Ａｃｉｄｓ  Ｒｅｓ．２５：３３８９−３４０２。
Ａｌｖａｒｅｚ  ｅｔ  ａｌ．，（２００６）．Ｐｌａｎｔ  Ｃｅｌｌ  １８：１１３４−１１５１。
Ａｓａｉ  ｅｔ  ａｌ．，（２０１４）．Ｊ．Ｅｘｐｅｒ．Ｂｉｏｌ．６５：５４９７−５５０７。
Ｂａｔｅｙ  ａｎｄ  Ｃｕｒｔｉｎ，（１９９６）．Ｓｔａｒｃｈ  ４８：３３８−３４４。
Ｂａｔｅｙ  ｅｔ  ａｌ．，（１９９７）．Ｃｅｒｅａｌ  Ｃｈｅｍｉｓｔｒｙ  ７４：４９７−５０１。
Ｂｅｃｈｔｏｌｄ  ｅｔ  ａｌ．，（１９９３）．Ｃ．Ｒ．Ａｃａｄ．Ｓｃｉ．Ｐａｒｉｓ，３１６：１１９４−１１９９。
Ｂｅｋｅｓ  ｅｔ  ａｌ．，（２００２）．Ｃｒｉｔ  Ｃａｒｅ  Ｍｅｄ．３０：１９０６−１９０７。
Ｂｉｒｔ  ｅｔ  ａｌ．，（２０１３）．Ａｄｖ．Ｎｕｔｒｉｔｉｏｎ  ４：５８７−６０１。
Ｂｏｃｈ（２０１１）．Ｎａｔｕｒｅ  Ｂｉｏｔｅｃｈｎｏｌｏｇｙ，２９：１３５−１３６。
Ｂｏｔｔｉｃｅｌｌａ  ｅｔ  ａｌ．，（２０１１）．ＢＭＣ  Ｐｌａｎｔ  Ｂｉｏｌｏｇｙ  １１：１５６。
Ｂｏｙｅｒ  ａｎｄ  Ｐｒｅｉｓｓ，（１９７８）．Ｃａｒｂｏｈｙｄｒａｔｅ  Ｒｅｓｅａｒｃｈ，６１：３２１−３３４。
Ｂｏｙｅｒ  ａｎｄ  Ｐｒｅｉｓｓ，（１９８１）．Ｐｌａｎｔ  Ｐｈｙｓ．６７：１１４１−１１４５。
Ｂｒｙａｎ  ｅｔ  ａｌ．，（１９９８）．Ｊ．Ｃｅｒｅａｌ  Ｓｃｉ．２８：１３５−１４５。
Ｂｕｔａｒｄｏ  ｅｔ  ａｌ．，（２０１２）．Ｊ  Ａｇｒ  Ｆｏｏｄ  Ｃｈｅｍ  ６０：１１５７６−１１５８５．Ａｕｓｕｂｅｌ  ｅｔ  ａｌ．，“Ｃｕｒｒｅｎｔ  Ｐｒｏｔｏｃｏｌｓ  ｉｎ  Ｍｏｌｅｃｕｌａｒ  Ｂｉｏｌｏｇｙ”，Ｊｏｈｎ  Ｗｉｌｅｙ  ＆Ｓｏｎｓ  Ｉｎｃ，Ｃｈａｐｔｅｒ  １５，１９９４−１９９８。
Ｃａｒｐｉｔａ  ｅｔ  ａｌ．，（１９９３）．Ｐｌａｎｔ  Ｊ．３：１−３０。
Ｃａｒｐｉｔａ  ｅｔ  ａｌ．，（２０１１）Ｐｌａｎｔ  Ｐｈｙｓｉｏｌ．１５５：１７１−１８４。
Ｃａｓｅ  ｅｔ  ａｌ．，（１９９８）．Ｊｏｕｒｎａｌ  ｏｆ  Ｃｅｒｅａｌ  Ｓｃｉｅｎｃｅ  ２７：３０１−３１４。
Ｃａｓｔｒｏ  ｅｔ  ａｌ．，（２００５）．Ｂｉｏｍａｃｒｏｍｏｌｅｃｕｌｅｓ  ６：２２６０−２２７０。
Ｃｈｅｎｇ  ｅｔ  ａｌ．，（１９９７）．Ｐｌａｎｔ  Ｐｈｙｓｉｏｌ  １１５：９７１−９８０。
Ｃｏｌｇｒａｖｅ  ｅｔ  ａｌ．，（２０１３）．Ｆｏｏｄ  Ｒｅｓ  Ｉｎｔ  ５４：１００１−１０１２。
Ｃｏｍａｉ  ｅｔ  ａｌ．，（２００４）．Ｐｌａｎｔ  Ｊ．３７：７７８−７８６。
Ｄｏｕｄｎａ  ｅｔ  ａｌ．，（２０１４）Ｓｃｉｅｎｃｅ  ３４６（６２１３）。
Ｄｕｐｕｉｓ  ｅｔ  ａｌ．，（２０１４）．Ｃｏｍｐｒｅｈｅｎｓｉｖｅ  Ｒｅｖｉｅｗｓ  ｉｎ  Ｆｏｏｄ  Ｓｃｉｅｎｃｅ  ａｎｄ  Ｆｏｏｄ  Ｓａｆｅｔｙ  １３：１２１９−１２３４。
Ｄｕｒａｉ  ｅｔ  ａｌ．，（２００５）．Ｎｕｃｌｅｉｃ  Ａｃｉｄｓ  Ｒｅｓｅａｒｃｈ  ３３：５９７８−５９９０。
Ｅａｇｌｅｓ  ｅｔ  ａｌ．，（２００１）．Ａｕｓｔ．Ｊ．Ａｇｒｉｃ．Ｒｅｓ．５２：１  ３４９−１３５６。
Ｅｌｌｉｓｏｎ  ｅｔ  ａｌ．，（１９９４）Ａｕｓｔ．Ｊ．Ｅｘｐ．Ａｇｒｉｃ．３４：８６９−８６９。
Ｆｅｒｇａｓｏｎ，（１９９４）．Ｓｐｅｃｉａｌｉｔｙ  Ｃｏｒｎｓ  ｅｄｓ，ＣＲＣ  Ｐｒｅｓｓ  Ｉｎｃ．ｐｐ  ５５−７７。
Ｆｏｎｔａｉｎｅ  ｅｔ  ａｌ．，（１９９３）．Ｊ  Ｂｉｏｌ  Ｃｈｅｍ  ２６８：１６２２３−１６２３０。
Ｆｕｊｉｔａ  ｅｔ  ａｌ．，（２００６）．Ｐｌａｎｔ  Ｐｈｙｓｉｏｌ  １４０：１０７０−１０８４。
Ｆｕｗａ  ｅｔ  ａｌ．，（１９９９）．Ｓｔａｒｃｈ−Ｓｔａｒｋｅ  ５１：１４７−１５１。
Ｇａｏ  ｅｔ  ａｌ．，（１９９７）．Ｐｌａｎｔ  Ｐｈｙｓｉｏｌ  １１４：６９−７８。
Ｇａｏ  ａｎｄ  Ｃｈｉｂｂａｒ（２０００）．Ｇｅｎｏｍｅ  ４３：７６８−７７５。
Ｇｉｄｄｉｎｇｓ  ｅｔ  ａｌ．，（１９８０）．Ｊ  Ｃｅｌｌ  Ｂｉｏｌ．８４：３２７−３３９。
Ｇｒａｓ  ｅｔ  ａｌ．，（２００１）．Ｉｎ：Ｐｒｏｃ．ＩＣＣ  １１ｔｈ  Ｉｎｔ．Ｃｅｒｅａｌ  ａｎｄ  Ｂｒｅａｄ  Ｃｏｎｇｒｅｓｓ．ＲＡＣＩ：Ｍｅｌｂｏｕｒｎｅ。
Ｇｒｕｐｐｅｎ  ｅｔ  ａｌ．，（１９９２）．Ｊ．Ｃｅｒｅａｌ  Ｓｃｉ．１６：４１−５１。
Ｇｕａｎ  ａｎｄ  Ｋｅｅｌｉｎｇ（１９９８）．Ｔｒｅｎｄｓ  Ｇｌｙｃｏｓｃｉ．Ｇｌｙｃｏｔｅｃｈｎｏｌ．１０：３０７−３１９。
Ｈａｒｎ  ｅｔ  ａｌ．，（１９９８）．Ｐｌａｎｔ  Ｍｏｌ．Ｂｉｏｌ．３７：６３９−６４９。
Ｈａｒｔｍａｎｎ  ａｎｄ  Ｅｎｄｒｅｓ，（１９９９）．Ｍａｎｕａｌ  ｏｆ  Ａｎｔｉｓｅｎｓｅ  Ｍｅｔｈｏｄｏｌｏｇｙ，Ｋｌｕｗｅｒ。
Ｈａｙａｓｈｉ  ｅｔ  ａｌ．，（２００７）．Ｃｙｃｌｏｔｒｏｎｓ  ａｎｄ  Ｔｈｅｉｒ  Ａｐｐｌｉｃａｔｉｏｎｓ．Ｅｉｇｈｔｅｅｎｔｈ  Ｉｎｔｅｒｎａｔｉｏｎａｌ  Ｃｏｎｆｅｒｅｎｃｅ  ２３７−２３９。
Ｈｅｄｍａｎ  ａｎｄ  Ｂｏｙｅｒ，（１９８２）．Ｂｉｏｃｈｅｍｉｃａｌ  Ｇｅｎｅｔｉｃｓ  ２０：４８３−４９２。
Ｈｅｎｉｋｏｆｆ  ｅｔ  ａｌ．，（２００４）．Ｐｌａｎｔ  Ｐｈｙｓｉｏｌ．１３５：６３０−６３６。
Ｈｅｎｒｙ（１９８５）．Ｊ．Ｓｃｉ．Ｆｏｏｄ  Ａｇｒｉｃ．３６：１２４３−１２５３。
Ｈｉｎｃｈｅｅ  ｅｔ  ａｌ．，（１９８８）．Ｂｉｏｔｅｃｈ．，６：９１５−９２２。
Ｈｏｐｋｉｎｓ  ｅｔ  ａｌ．，（２００３）．Ａｐｐｌ．Ｅｎｖｉｒｏｎ．Ｍｉｃｒｏｂｉｏｌ．６９：６３５４−６３６０。
Ｈｕｎｇ  ｅｔ  ａｌ．，（２００６）．Ｔｒｅｎｄｓ  Ｆｏｏｄ  Ｓｃｉ．Ｔｅｃｈｎｏｌ．１７：４４８−４５６。
Ｈｕｙｎｈ  ｅｔ  ａｌ（２００８ａ）．Ｊ  Ｃｅｒｅａｌ  Ｓｃｉ．４８：３６９−３７８。
Ｈｕｙｎｈ  ｅｔ  ａｌ（２００８ｂ）．Ｔｈｅｏｒ．Ａｐｐｌ．Ｇｅｎｅｔ．１１７：７０１−７０９。
Ｊｏｂｌｉｎｇ  ｅｔ  ａｌ．，（１９９９）．Ｐｌａｎｔ  Ｊｏｕｒｎａｌ  １８：１６３−１７１。
Ｊｏｌｌｙ  ｅｔ  ａｌ．（１９９６）．Ｐｒｏｃ．Ｎａｔｌ．Ａｃａｄ．Ｓｃｉ．Ｕ．Ｓ．Ａ．９３：２４０８−２４１３。
Ｊｕｏｎｇ  ｅｔ  ａｌ，（２０１３）．Ｎａｔ  Ｒｅｖ  Ｍｏｌ  Ｃｅｌｌ  Ｂｉｏｌ  １４：４９−５５。
Ｋａｎｎａ  ａｎｄ  Ｄａｇｇａｒｄ，（２００３）．Ｐｌａｎｔ  Ｃｅｌｌ  Ｒｅｐ  ２１：４２９−４３６。
Ｋａｒｐｐｉｎｅｎ  ｅｔ  ａｌ．，（２００３）．Ｃｅｒｅａｌ  Ｃｈｅｍ．８０：１６８−１７１。
Ｋａｕｒ  ａｎｄ  Ｇｕｐｔａ（２００２）Ｊ．Ｂｉｏｓｃｉ．２７：７０３−７１４。
Ｋａｗａｕｒａ  ｅｔ  ａｌ．，（２００９）．ＢＭＣ  Ｇｅｎｏｍｉｃｓ  １０：２７１。
Ｋａｚａｍａ  ｅｔ  ａｌ．，（２００８）．Ｐｌａｎｔ  Ｂｉｏｔｅｃｈｎｏｌｏｇｙ  ２５：１１３−１１７。
Ｋｌｅｉｎ  ｅｔ  ａｌ．，（１９８７）．Ｎａｔｕｒｅ  ３２７：７０−７３。
Ｋｏｎｉｋ−Ｒｏｓｅ  ｅｔ  ａｌ．，（２００１）．Ｓｔａｒｃｈ−Ｓｔａｒｋｅ，５３：１４−２０。
Ｋｏｎｉｋ−Ｒｏｓｅ  ｅｔ  ａｌ．，（２００７）．Ｔｈｅｏｒ  Ａｐｐｌ  Ｇｅｎｅｔ  １１５：１０５３−１０６５。
Ｋｏｓａｒ−Ｈａｓｈｅｍｉ  ｅｔ  ａｌ．，（２００７）．Ｆｕｎｃｔ  Ｐｌａｎｔ  Ｂｉｏｌ．３４：４３１−４３８。
Ｋｒｕｅｇｅｒ  ｅｔ  ａｌ．，（１９８７）．Ｃｅｒｅａｌ  Ｃｈｅｍｉｓｔｒｙ  ６４：１８７−１９０。
Ｌａｎｇｒｉｄｇｅ  ｅｔ  ａｌ．，（２００１）．Ａｕｓｔ．Ｊ．Ａｇｒｉｃ．Ｒｅｓ．５２：１０４３−１０７７。
Ｌａｚａｒｉｄｏｕ  ｅｔ  ａｌ．，（２００７）．Ｉｎ：Ｂｉｌｉａｄｅｒｉｓ  ａｎｄ  Ｉｚｙｄｏｒｃｚｙｋ（Ｅｄｓ．）Ｆｕｎｃｔｉｏｎａｌ  ｆｏｏｄ  ｃａｒｂｏｈｙｄｒａｔｅｓ（ｐｐ  １−７２）．ＣＲＣ  Ｐｒｅｓｓ，Ｂｏｃａ  Ｒａｔｏｎ  ＦＬ。
Ｌａｚｏ  ｅｔ  ａｌ．，（１９９１）．Ｂｉｏｔｅｃｈｎｏｌｏｇｙ（Ｎ  Ｙ）．９（１０）：９６３−９６７。
Ｌｅ  Ｐｒｏｖｏｓｔ  ｅｔ  ａｌ．，（２００９）．Ｔｒｅｎｄｓ  ｉｎ  Ｂｉｏｔｅｃｈｎｏｌｏｇｙ  ２８（３）：１３４−１４１。
Ｌｅｔｅｒｒｉｅｒ  ｅｔ  ａｌ．，（２００８）ＢＭＣ  Ｐｌａｎｔ  Ｂｉｏｌ．８：９８。
Ｌｉ  ｅｔ  ａｌ．，（１９９９ａ）．Ｐｌａｎｔ  Ｐｈｙｓｉｏｌ  １２０：１１４７−１１５５。
Ｌｉ  ｅｔ  ａｌ．，（１９９９ｂ）．Ｔｈｅｏｒ．Ａｐｐｌ．Ｇｅｎｅｔ．９８：１２０８−１２１６。
Ｌｉ  ｅｔ  ａｌ．，（２０００）．Ｐｌａｎｔ  Ｐｈｙｓｉｏｌ  １２３：６１３−６２４。
Ｌｉ  ｅｔ  ａｌ．，（２００３）．Ｆｕｎｃｔ．Ｉｎｔｅｇｒ．Ｇｅｎｏｍｉｃｓ  ３：７６−８５。
Ｌｉｕ  ｅｔ  ａｌ．，（２０１０）．Ｂｉｏｔｅｃｈｎｏｌｏｇｙ  ａｎｄ  Ｂｉｏｅｎｇｉｎｅｅｒｉｎｇ，１０６：９７−１０５。
Ｌｕｏ  ｅｔ  ａｌ．，（２０１５）．Ｔｈｅｏｒ．Ａｐｐｌ．Ｇｅｎｅｔ．１２８：１４０７−１４１９。
Ｍａｎｎ  ｅｔ  ａｌ．，（２００３）．Ｉｎ  ‘Ｗｏｒｋｓｈｏｐ  ｏｎ  ｇｌｕｔｅｎ  ｐｒｏｔｅｉｎｓ’  Ｅｄｓ．Ｌａｆｉａｎｄｒａ  ｅｔ  ａｌ．，Ｔｈｅ  Ｒｏｙａｌ  Ｓｏｃｉｅｔｙ  ｏｆ  Ｃｈｅｍｉｓｔｒｙ：Ｃａｍｂｒｉｄｇｅ，ＵＫ，ｐｐ．２１５−２１８。
Ｍａｔｓｕｍｏｔｏ  ｅｔ  ａｌ．，（２０１１）．Ｐｌａｎｔ  Ｐｈｙｓｉｏｌ．１５６：２０−２８。
ＭｃＣｌｅａｒｙ  ｅｔ  ａｌ．，（２０００）．Ｊ  ＡＯＡＣ  Ｉｎｔ．８３：９９７−１００５。
ＭｃＣｌｅａｒｙ  ｅｔ  ａｌ．，（２０１３）．Ｃｅｒｅａｌ  Ｃｈｅｍ．９０：３９６−４１４。
Ｍｉｚｕｎｏ  ｅｔ  ａｌ．，（１９９２）．Ｊ．Ｂｉｏｃｈｅｍ  １１２：６４３−６５１。
Ｍｉｚｕｎｏ  ｅｔ  ａｌ．，（１９９３）．Ｊ．Ｂｉｏｌ．Ｃｈｅｍ．２６８：１９０８４−１９０９１。
Ｍｏｒｅｌｌ  ｅｔ  ａｌ．，（１９９８）．Ｅｌｅｃｔｒｏｐｈｏｒｅｓｉｓ  １９：２６０３−２６１１。
Ｍｏｒｅｌｌ  ｅｔ  ａｌ．，（１９９７）．Ｐｌａｎｔ  Ｐｈｙｓｉｏｌ  １１３：２０１−２０８。
Ｍｏｒｅｌｌ  ｅｔ  ａｌ．，（２００３）．Ｐｌａｎｔ  Ｊ  ３４：１７２−１８４。
Ｍｏｒｒｉｓｏｎ  ａｎｄ  Ｌａｉｇｎｅｌｅｔ，（１９８３）．Ｊ  Ｃｅｒｅａｌ  Ｓｃｉ，１：９−２０。
Ｍｏｒｒｉｓｏｎ  ｅｔ  ａｌ．，（１９８４）．Ｊ  Ｃｅｒｅａｌ  Ｓｃｉ．２：２５７−２７１。
Ｎａｋａｍｕｒａ  ｅｔ  ａｌ．，（１９９６）．Ｐｌａｎｔａ  １９９：２０９−２１８。
Ｎａｋａｍｕｒａ  ａｎｄ  Ｙａｍａｎｏｕｃｈｉ，（１９９２）．Ｐｌａｎｔ  Ｐｈｙｓｉｏｌ．９９：１２６５−１２６６。
Ｎｅｅｄｌｅｍａｎ  ａｎｄ  Ｗｕｎｓｃｈ，（１９７０）．Ｊ．Ｍｏｌ．Ｂｉｏｌ．４８：４４３−４５３。
Ｎｉｅｄｚ  ｅｔ  ａｌ．，（１９９５）．Ｐｌａｎｔ  Ｃｅｌｌ  Ｒｅｐｏｒｔｓ，１４：４０３−４０６。
Ｎｉｓｈｉ  ｅｔ  ａｌ．，（２００１）．Ｐｌａｎｔ  Ｐｈｙｓｉｏｌ  １２７：４５９−４７２。
Ｏｈｄａｎ  ｅｔ  ａｌ．，（２００５）．Ｊ  Ｅｘｐ  Ｂｏｔ  ５６：３２２９−３２４４。
Ｏ’Ｓｈｅａ  ａｎｄ  Ｍｏｒｅｌｌ（１９９６）．Ｅｌｅｃｔｒｏｐｈｏｒｅｓｉｓ  １７：６８１−６８６。
Ｏｗ  ｅｔ  ａｌ．，（１９８６）．Ｓｃｉｅｎｃｅ，２３４：８５６−８５９。
Ｐａｌａｔｎｉｋ  ｅｔ  ａｌ．，（２００３）．Ｎａｔｕｒｅ  ４２５：２５７−２６３。
Ｐａｒｉｚｏｔｔｏ  ｅｔ  ａｌ．，（２００４）．Ｇｅｎｅｓ  Ｄｅｖ  １８：２２３７−２２４２。
Ｐｏｔｒｙｋｕｓ  ｅｔ  ａｌ．，（１９８５）．Ｍｏｌ．Ｇｅｎ．Ｇｅｎｅｔ．，１９９：１８３−１８８。
Ｐｒａｓｈｅｒ  ｅｔ  ａｌ．，（１９８５）．Ｂｉｏｃｈｅｍ．Ｂｉｏｐｈｙｓ．Ｒｅｓ．Ｃｏｍｍ．１２６：１２５９−１２６８。
Ｐｒｏｓｋｙ  ｅｔ  ａｌ．，（１９８５）．Ｊ  Ａｓｓｏｃ．Ｏｆｆ．Ａｎａｌ．Ｃｈｅｍ．Ｉｎｔ．６８：６７７−６７９。
Ｑｕｒａｉｓｈｉ  ｅｔ  ａｌ．，（２０１１）．Ｆｕｎｃｔ  Ｉｎｔｅｇｒ  Ｇｅｎｏｍｉｃｓ  １１：７１−８３。
Ｒａｈｍａｎ  ｅｔ  ａｌ．，（１９９９）．Ｔｈｅｏｒ．Ａｐｐｌ．Ｇｅｎｅｔ．９８：１５６−１６３。
Ｒａｈｍａｎ  ｅｔ  ａｌ．，（１９９５）．Ａｕｓｔ．Ｊ．Ｐｌａｎｔ  Ｐｈｙｓｉｏｌ．２２：７９３−８０３。
Ｒａｈｍａｎ  ｅｔ  ａｌ．，（２００１）．Ｐｌａｎｔ  Ｐｈｙｓｉｏｌ  １２５：１３１４−１３２４。
Ｒｅｇｉｎａ  ｅｔ  ａｌ．，（２００６）．Ｐｒｏｃ．Ｎａｔｌ．Ａｃａｄ．Ｓｃｉ．Ｕ．Ｓ．Ａ．１０３：３５４６−３５５１。
Ｒｅｇｉｎａ  ｅｔ  ａｌ．，（２００５）．Ｐｌａｎｔａ  ２２２：８９９−９０９。
Ｒｅｇｉｎａ  ｅｔ  ａｌ．，（２０１０）．Ｊ  Ｅｘｐ  Ｂｏｔ．６１（５）：１４６９−１４８２。
Ｒｅｇｉｎａ  ｅｔ  ａｌ．，（２００４）．Ｆｕｎｃｔ  Ｐｌａｎｔ  Ｂｉｏｌ，３１：５９１−６０１。
Ｒｉｔｓｅｍａ  ａｎｄ  Ｓｍｅｅｋｅｎｓ（２００３）Ｃｕｒｒ．Ｏｐｉｎ．Ｐｌａｎｔ  Ｂｉｏｌ．６：２２３−２３０。
Ｓａｌａｎｏｕｂａｔ  ｅｔ  ａｌ．，（２０００）．Ｎａｔｕｒｅ  ４０８：８２０−８２２。
Ｓｃｈｎａｂｌｅ  ｅｔ  ａｌ．，（２００９）．Ｓｃｉｅｎｃｅ  ３２６：１１１２−１１１５。
Ｓｃｈｏｎｄｅｌｍａｉｅｒ  ｅｔ  ａｌ．，（１９９２）Ｐｌａｎｔ  Ｂｒｅｅｄｉｎｇ  １０９：２７４−２８０。
Ｓｃｈｕｌｍａｎ  ａｎｄ  Ｋａｍｍｉｏｖｉｒｔａ，（１９９１）．Ｓｔａｒｃｈ  ４３：３８７−３８９。
Ｓｃｈｗａｂ  ｅｔ  ａｌ．，（２００６）．Ｐｌａｎｔ  Ｃｅｌｌ  １８：１１２１−１１３３。
Ｓｃｈｗａｌｌ  ｅｔ  ａｌ．，（２０００）．Ｎａｔｕｒｅ  Ｂｉｏｔｅｃｈｎｏｌｏｇｙ  １８：５５１−５５４。
Ｓｅｓｔｉｌｉ  ｅｔ  ａｌ．，（２０１０）．Ｍｏｌ  Ｂｒｅｅｄｉｎｇ  ２５：１４５−１５４。
Ｓｈａｒｐ  ｅｔ  ａｌ．，（２００１）．Ａｕｓｔ  Ｊ  Ａｇｒｉｃ  Ｒｅｓ  ５２：１３５７−１３６６。
Ｓｈｉｍｂａｔａ  ｅｔ  ａｌ．，（２００５）．Ｔｈｅｏｒ．Ａｐｐｌ．Ｇｅｎｅｔ．１１１：１０７２−１０７９。
Ｓｉｄｅｂｏｔｔｏｍ  ｅｔ  ａｌ．，（１９９８）．Ｊ．Ｃｅｒｅａｌ  Ｓｃｉ  ２７：２７９−２８７。
Ｓｉｓｓｏｎｓ  ｅｔ  ａｌ．，（２００７）．Ｊ．Ｓｃｉ．Ｆｏｏｄ  ａｎｄ  Ａｇｒｉｃ．８７：１８７４−１８８５。
Ｓｌａｄｅ  ａｎｄ  Ｋｎａｕｆ，（２００５）．Ｔｒａｎｓｇｅｎｉｃ  Ｒｅｓ．１４：１０９−１１５。
Ｓｍｅｗｉｎｇ，（１９９５）．ＴＸ２  ｔｅｘｔｕｒｅ  ａｎａｌｙｚｅｒ  ｈａｎｄｂｏｏｋ，ＳＭＳ  Ｌｔｄ：Ｓｕｒｒｅｙ，ＵＫ。
Ｓｍｉｔｈ  ｅｔ  ａｌ．，（２０００）．Ｎａｔｕｒｅ，４０７：３１９−３２０。
Ｓｍｉｔｈ  ａｎｄ  Ｈａｒｔｌｅｙ（１９８３）．Ｃａｒｂｏｈｙｄｒａｔｅ  Ｒｅｓｅａｒｃｈ  １１８：６５−８０。
Ｓｐａｒｋｓ  ａｎｄ  Ｊｏｎｅｓ（２００４）．Ｉｎ  Ｔｒａｎｓｇｅｎｉｃ  Ｃｒｏｐｓ  ｏｆ  ｔｈｅ  Ｗｏｒｌｄ−  Ｅｓｓｅｎｔｉａｌ  ｐｒｏｔｏｃｏｌｓ，Ｅｄ．ＩＰ  Ｃｕｒｔｉｓ，Ｋｌｕｗｅｒ  Ａｃａｄｅｍｉｃ  Ｐｕｂｌｉｓｈｅｒｓ，Ｄｏｒｄｒｅｃｈｔ，Ｎｅｔｈｅｒｌａｎｄｓ，ｐｐ  １９−３４。
Ｓｔａｌｋｅｒ  ｅｔ  ａｌ．，（１９８８）．Ｓｃｉｅｎｃｅ，２４２：４１９−４２３。
Ｓｔｅｅｇｍａｎｓ  ｅｔ  ａｌ（２００４）．Ｊ．ＡＯＡＣ  Ｉｎｔ．８７，１２００ｅ１２０７。
Ｓｔｏｎｅ  ａｎｄ  Ｍｏｒｅｌｌ（２００９）．Ｉｎ：Ｋｈａｎ  ａｎｄ  Ｓｈｅｗｒｙ（Ｅｄｓ．）Ｗｈｅａｔ：Ｃｈｅｍｉｓｔｒｙ  ａｎｄ  Ｔｅｃｈｎｏｌｏｇｙ．Ａｍｅｒｉｃａｎ  Ａｓｓｏｃｉａｔｉｏｎ  ｏｆ  Ｃｅｒｅａｌ  Ｃｈｅｍｉｓｔｓ，Ｓｔ  Ｐａｕｌ，ＭＮ，ｐｐ  ２９９−３６２。
Ｓｕｎ  ｅｔ  ａｌ．，（１９９７）．Ｎｅｗ  Ｐｈｙｔｏｌ．１３７：２１５−２２２。
Ｓｕｎ  ｅｔ  ａｌ．，（１９９８）．Ｐｌａｎｔ  Ｐｈｙｓｉｏｌ  １１８：３７−４９。
Ｓｕｎｅ  ｅｔ  ａｌ．，（２０１３）．Ｂｉｏｔｅｃｈｎｏｌｏｇｙ  ａｎｄ  Ｂｉｏｅｎｇｉｎｅｅｒｉｎｇ  １１０：１８１１−１８２１。
Ｔａｋｅｄａ  ｅｔ  ａｌ．，（１９９３）．Ｃａｒｂｏｈｙｄｒａｔｅ  Ｒｅｓｅａｒｃｈ  ２４６：２７３−２８１。
Ｔａｎａｋａ  ｅｔ  ａｌ．，（１９９０）．Ｎｕｃｌ．Ａｃｉｄｓ  Ｒｅｓ．１８：６７６７−６７７０。
Ｔｉｌｌｅｙ（２００４）．Ｃｅｒｅａｌ  Ｃｈｅｍ  ８１：４４−４７。
Ｔｏｙｏｔａ  ｅｔ  ａｌ．，（２００６）．Ｐｌａｎｔａ  ２２３：２４８−２５７。
Ｔｕｎｇｌａｎｄ  ａｎｄ  Ｍｅｙｅｒ（２００２）Ｃｏｍｐｒｅｈｅｎｓｉｖｅ  Ｒｅｖｉｅｗｓ  ｉｎ  Ｆｏｏｄ  Ｓｃｉｅｎｃｅ  ａｎｄ  Ｆｏｏｄ  Ｓａｆｅｔｙ  ２：７３−７７。
Ｗａｔｅｒｈｏｕｓｅ  ｅｔ  ａｌ．，（１９９８）．Ｐｒｏｃ．Ｎａｔｌ．Ａｃａｄ．Ｓｃｉ．Ｕ．Ｓ．Ａ．９５：１３９５９−１３９６４。
Ｗｅｉｒ  ｅｔ  ａｌ．，（２００１）．Ａｕｓｔ  Ｊ  Ｐｌａｎｔ  Ｐｈｙｓｉｏｌ  ２８：８０７−８１８。
Ｗｈｅｌａｎ  ｅｔ  ａｌ（２０１１）．Ｉｎｔ  Ｊ．Ｆｏｏｄ  Ｓｃｉ．Ｎｕｔｒ．６２：４９８−５０３。
Ｗｕ  ｅｔ  ａｌ．，（２００３）．Ｐｌａｎｔ  Ｃｅｌｌ  Ｒｅｐ  ２１：６５９−６６８。
Ｙａｍａｍｏｒｉ  ｅｔ  ａｌ．，（２０００）．Ｔｈｅｏｒ  Ａｐｐｌ  Ｇｅｎｅｔ  １０１：２１−２９。
Ｙａｍａｍｏｒｉ  ｅｔ  ａｌ．，（２００６）．Ａｕｓｔ．Ｊ．Ａｇｒｉｃ．Ｒｅｓ．５７：５３１−５３５。
Ｙａｎ  ｅｔ  ａｌ．，（２００８）．Ｐｌａｎｔ  Ｓｃｉ．１７６：５１−５７。
Ｚｗａｒ  ａｎｄ  Ｃｈａｎｄｌｅｒ，（１９９５）．Ｐｌａｎｔａ  １９７：３９−４８。
【図１】
2019527054.tif 000017
【図２】
2019527054.tif 000018
【図３】
2019527054.tif 000019
【図４】
2019527054.tif 000020
【図５】
2019527054.tif 000021
【図６】
2019527054.tif 000022
【図７】
2019527054.tif 000023
【図８】
2019527054.tif 000024
【図９】
2019527054.tif 000025
【図１０】
2019527054.tif 000026
【図１１】
2019527054.tif 000027
【図１２】
2019527054.tif 000028
【図１３】
2019527054.tif 000029
【図１４】
2019527054.tif 000030
【図１５】
2019527054.tif 000031
【図１６】
2019527054.tif 000032
【図１７】
2019527054.tif 000033
【図１８】
2019527054.tif 000034
【図１９】
2019527054.tif 000035
【図２０】
2019527054.tif 000036
【図２１】
2019527054.tif 000037
【図２２】
2019527054.tif 000038
【図２３】
2019527054.tif 000039
【図２４】
2019527054.tif 000040
【図２５】
2019527054.tif 000041
【図２６】
2019527054.tif 000042
【配列表】
2019527054000001.app
【国際調査報告】
2019527054.tif 000043
2019527054.tif 000044
2019527054.tif 000045
2019527054.tif 000046